(57)【要約】      （修正有）【課題】発電資源物質として、水又は水に気化水素水に気化軽水素を足した発電物質エネルギー循環全自動発電機を提供する。【解決手段】水を、あらゆる電気を使って真空装置３を作動させて、水を気化酸素と気化水素の混合気化水素酸素に変えて、固形水素及び液体マグネシウム及び合成水素などに、気化酸素と気化水素吸収体によって瞬間吸収発電させる。プラス銅板電極６とマイナス銅板電極７へ瞬間発電させた電気をバッテリー電気誘導させて蓄電及び連続発電の為の電気を発電させて、その電力及びバッテリー電気で、気化酸素と気化水素の融合体を瞬間発電させた発電残水１４を、水位センサー感知させて水中ポンプ水位センサー作動させて、再び真空装置で水を気化酸素と気化水素つまり混合気化水素と気化酸素に変えて循環発電させる。【選択図】図１
0003145903.tif 000002
【実用新案登録請求の範囲】
水を、あらゆる電気で真空装置を、作動させて水を、気化酸素  気化水素の混合気化水素水に変えて、固形水素  液体水素  合成水素など、水素吸収体に、瞬間気化酸素  気化水素吸収プラス銅版電極  マイナス銅版電極へ瞬間発電させた電気を、バッテリー電気誘導させて、蓄電及び連続発電のための電気を、発電させて、その電力及びバッテリー電気で、気化酸素  気化水素瞬間発電させた発電残水を、水位センサー感知させて、水中ポンプ水位センサー作動させて、再び真空装置で水を、気化酸素  気化水素  つまり混合気化水素水に変えて、循環発電させる事が、出来る発電機を、水発電機の実用新案登録請求の範囲とする。
【考案の詳細な説明】
【考案の詳細な説明】
【技術分野】
【０００１】本考案は、水を、真空装置で気化する技術を、利用して気化水素  気化酸素して、これを、固形水素  液体水素  合成水素などに、瞬間吸収させたて、発電させ発電残水（発電処理水）を、再び真空装置で、水を、気化水素  気化酸素にして循環発電するシステム全体を、考案の属する技術分野とする。
【背景技術】
【０００２】燃料電池車は、日本国では、トヨタ自動車  本田技研自動車などが、有名で、広く知られている。これは、水素補給タンクを、持ち得て、固形水素  液体水素を、使用して瞬間に、水素タンクの水素と、外気酸素及び酸素タンクの酸素を、水素吸収体つまり固形水素  液体水素水素吸収体に、水素  酸素を、同時瞬間吸収させて、発電させてプラス電極  マイナス電極から電気を、取り出して発電された電気を、使う事のできるシステムであるが、水素タンクの水素が、なければ、発電は止まってしまう欠点があった。
【考案が解決使用とする課題】
【０００３】従来の技術は、水素タンクの水素が、なくなると発電は事実上とまる。その対策として水本来の形  つまり気化水素  気化酸素に、水から真空装置及び電熱線で水を、気化水素と、気化酸素  （気化水素水  気化水素酸素融合体）に、機械的に水を、気化酸素気化水素に変化させる技術及びそれを、循環発電として、センサー反応を、利用して水を、気化酸素  気化水素に、瞬間的に変えて水素吸収体  つまり固形水素  液体水素合成水素などに、瞬間連続吸収発電させる事によって、連続発電が、この解決方法で、可能になる。
【課題を解決するための手段】
【０００４】本考案は水を、真空装置及び電熱線などを、使用して水を、瞬間的に、気化水素  気化酸素に、瞬間に変換させて、水素吸収体  固形水素  液体水素  合成水素に瞬間吸収発電させて発電残水を、センサー（水位センサー）の反応利用して、水中ポンプ水位センサー作動して、再び真空装置及び電熱線で、水を、気化水素  気化酸素に瞬間変化を、再び同じく行って、水素吸収体（固形水素）（液体水素）（合成水素）に、連続して  気化水素  気化酸素を、瞬間吸収発電を、連続させることの出来るシステムを、実用新案の課題を解決するための手段とする。
【考案を実施するための最良の形態】
【０００５】図の１に示すように、市販のアルミニューム鉄板を、水発電機本体（３２）に、市販のバッテリー（１６）三つ以上取り付けて、真空装置（３）を、作動させて、発電処理水（水）（１４）を、気化水素  気化酸素に、瞬間変化させて、液体水素  固形水素合成水素（４）に、瞬間吸収発電させて銅板プラス電極（６）鋼板マイナス電極（７）から、固形水素  液体水素  合成水素に、気化水素  気化酸素を、瞬間発電させて発電された電気を、バッテリー（１６）充電し再び真空装置（３）を、作動させるのに使用して、発電処理水くみあげポンプ（１１）を、作動させて発電処理水（水）（１４）を、再び真空装置（３）で、気化水素  気化酸素に瞬間に変えて、固形水素  液体水素合成水素（４）に、連続瞬間吸収発電させるシステム又は、連続発電方法を、実用新案の考案の実施の形態とする。【０００６】図の２に示すように、水発電機アンメーター（１９）水発電機ボルトメーター（２０）水発電機使用メーター（２１）真空装置室水位センサーメーター（２２）真空装置作動メーター（２３）真空装置室温度センサーメーター（２４）発電処理水水位センサーメーター（２５）発電処理水温度センサーメーター（２６）水発電機バッテリー１充電量メーター（２７）水発電機バッテリー２充電量メーター（２８）水発電機バッテリー３充電量メーター（２９）水発電機補助メーター１（３０）水発電機補助メーター２（３１）これらメーター装置は、水発電機本体（３２）の作動状況を、確認するための装置である。これらメーターは、水発電機作動スイッチ（１７）に、よって作動し  発電された電気は、水発電機発電電気使用ジャック取り付け口（１８）によって発電された電気を、使用する事が、出来る。  又バッテリーが、電気不足又は、故障対策として、水発電機真空装置作動補助電源コード口（３３）によって、外部電気を、取り入れる事の出来る装置それぞれを、備えた実用新案登録の真空装置とバッテリー（家庭用電気）（すべての発電機始動用のみ）を  使っただけの水発電機  考案実施の形態図の２の説明とする。【０００７】上記工程により完成した本考案の真空装置とバッテリー（家庭用電気）（すべての発電機始動用のみ）を  使っただけの水発電機は、雷の、気化水素と気化酸素の融合発電で大きい発電力を、固形水素  液体水素  合成水素  に、気化水素  気化酸素瞬間吸収発電を、燃料電池発電の、酸素  水素の固形水素  液体水素吸収発電に、水素吸収体の発電力の大きさを、テレビなどの放送を、見て実際の燃料電池発電と、同じぐらいの発電を、水位センサー（８）に、よって発電処理水くみあげポンプ（１１）を、作動させて、再び真空装置（３）これら装置を、連続作動させる事で、循環発電連続発電出来る事を、確認出来ると言える。
【考案の効果】
【０００８】本考案に係わる真空装置とバッテリー（家庭用電気）（すべての発電機始動用のみ）を使っただけの発電機は、真空装置  水瞬間気化装置つまり気化水素  気化酸素に、変える装置を、使用して固形水素  液体水素に、瞬間吸収発電させる事で、水からの発電を、可能にして、水位センサー反応で、水中ポンプを、全自動水位センサー反応で水を、再び真空装置で気化水素  気化酸素変化して、固形水素  液体水素  合成水素によって瞬間吸収発電の連続発電を、可能にした実用新案考案の効果とする。
【図面の簡単な説明】
【図１】本考案に係わる真空装置とバッテリー（家庭用電気）（すべての発電機始動用のみ）を使っただけの水発電機（略式名称  水発電機）の正面図である。
【図２】本考案に係わる（略式名称水発電機）の電気計器メータースイッチの正面図である。
【符合の説明】
１・・・・・・真空装置水貯蔵室温度センサー
２・・・・・・真空装置発電室金属しきり壁
３・・・・・・真空装置
４・・・・・・液体水素  固形水素  合成水素
５・・・・・・発電室温度センサー
６・・・・・・水発電機プラス電極
７・・・・・・水発電機マイナス電極
８・・・・・・発電処理水貯蔵室水位センサー
９・・・・・・発電処理水貯蔵室温度センサー
１０・・・・・・真空装置室水タンク
１１・・・・・・発電処理水組み上げポンプ
１２・・・・・・発電処理水送り官
１３・・・・・・水発電機振動防止ゴム
１４・・・・・・発電処理水（水）
１５・・・・・・真空装置室水位センサー
１６・・・・・・水発電機用三連結バッテリー
１７・・・・・・水発電機作動スイッチ
１８・・・・・・水発電機発電電気使用ジャック取り付け口
１９・・・・・・水発電機アンメーター
２０・・・・・・水発電機ボルトメーター
２１・・・・・・水発電機発電使用メーター
２２・・・・・・真空装置室水位センサーメーター
２３・・・・・・真空装置作動メーター
２４・・・・・・真空装置室温度センサーメーター
２５・・・・・・発電処理水水位センサーメーター
２６・・・・・・発電処理水温度センサーメーター
２７・・・・・・水発電機バッテリー１充電量メーター
２８・・・・・・水発電機バッテリー２充電量メーター
２９・・・・・・水発電機バッテリー３充電量メーター
３０・・・・・・水発電機補助メーター１
３１・・・・・・水発電機補助メーター２
３２・・・・・・水発電機本体
３３・・・・・・水発電機真空装置作動補助電源コード口
３４・・・・・・発電処理水タンク室
３５・・・・・・真空装置室
３６・・・・・・真空装置室水タンク水圧弁
３７・・・・・・液体水素  固形水素  合成水素発電室
【図１】
0003145903.tif 000003
【図２】
0003145903.tif 000004
【手続補正書】
【提出日】平成17年3月29日(2005.3.29)
【手続補正１】
【補正対象書類名】実用新案登録請求の範囲
【補正対象項目名】全文
【補正方法】変更
【補正の内容】
【実用新案登録請求の範囲】
【請求項１】
水発電機とは発電エネルギーを、水だけとして発電電気量を、上げる場合気化水素を、あらかじめ水に注入した発電エネルギーのあり方として、水発電物質を、あらゆる発電機使用（レールモーター使用機械式発電機）又は、軽水素ニッケルバッテリー充電方法は、圧電素子陽電子磁極  陰電子磁極  中間陽電子磁極  中間陰電子磁極の冷却型圧電素子３電子分割  冷却型圧電素子４電子分割に、よって熱抵抗中間陽電子電子電気エネルギー  熱抵抗中間陰電子電子電気エネルギーを、リサイクル再利用電気として、冷却陽電子電気充電方法  冷却陰電子電気充電方法を、使用した家庭電気使用  バッテリー使用の電気使用又は電気抵抗取り除き装置を、使用したそれぞれの電気で真空装置を作動させて水を、気化水素  気化酸素に瞬間変化させて発電室の、液体水素  固形水素  合成水素に、気化水素気化酸素瞬間吸収発電させて電気を、発生させ、この電気を特開２００４ー３０４９９２資料参照の装置を、使用する事で、電気から電気抵抗を、取り除く事でバッテリー急速充電が、早くなる。
気化水素  気化酸素の水素酸素吸収物質発電によって、発電残水になる。
連続発電させるため発電残水を、発電残水タンク水位センサー反応で、超小型水中ポンプで、発電残水を、再び連続で真空装置を、使用して発電残水を、気化水素気化酸素に、瞬間変化させ、発電室の液体水素固形水素合成水素に、瞬間吸収気化水素瞬間吸収気化酸素科学反応発電を、連続発電システムで繰り返し連続発電出来る発電機である。
【請求項２】
水中活断層地熱検知器水中地震検知器は、特開２００３ー３２８９２５（審査請求中）資料参照自動電池電源使用のソナー波で深い海底では、連結二連結以上モーター特開２００４ー３０４９９３資料参照４つを、使用して水中ＧＰＳ内蔵の自動充電池特開２００４ー１３５４８０資料参照の装置使用の連結型ソナー電波中継装置は、水中ソナー波のキャッチ率の確立向上のため、複数ソナー波発射式として複数ソナー波は、水中活断層地熱温度水中活断層地震計のデーターを、ソナー波切り替えで深い海底を複数ソナー波データーを、海上からのＧＰＳ衛生波ソナー波切り替え方式で、水中の水中ＧＰＳ水中同位置自動帰還ＧＰＳ能力を、備えた水中連結ＧＰＳソナー波装置は、水中据え付け型海底地図情報装置のソナー波などで、海上の位置自動帰還海上ＧＰＳへ海底活断層地熱データー地震データーを、海上のＧＰＳソナー波を海上衛生波  海上携帯波  海上無線波に、全自動切り替えして水中活断層地熱温度情報水中活断層地震計データーと海上に備えつけられている海上ＧＰＳ同位置自動帰還ＧＰＳ能力を、備えた海上浮上複数二連結以上モーター安定型装置の海上津波方位全自動位置津波海上カメラＧＰＳ高さダイオード確認認識装置内蔵であり、全自動津波高さ海上ＧＰＳ装置確認電波全自動２メートルを、越えた場合全自動で、審査請求中の特開２００３ー３２８９２５の自動電池を、使用した電源によってこれら水中活断層地熱地震計データー海上ＧＰＳ津波アンテナカメラに、よって海上波の高さ（津波データー）を、気象庁と地震津波連絡装置非難器具付き水発電機スピーカー付き画像文字パネル（一例液晶パネル）へ音声と映像で、水中活断層地熱温度地震計度数  海上津波の高さ全自動連絡出来る機能を、備えた発電機。
【請求項３】
水発電機地震非難器具は、水発電機に設置されている水中活断層地熱温度水中活断層地震計の地震計のデーター音声通報を備えた  携帯電話音声通報によって、家の崩壊の事故に、よって金属製アルミニューム（厚い強化ガラス樹脂加工カバー製）（ラワン材イタヤ材  樫の木材）などの硬い強度のある厚手木材などを、金属金具ボルトナット使用で、止めた水発電機収納地震非難場所へ非難する事で、家の崩壊事故から、のがれる事が出来る発電機収納型地震非難装置。
【請求項４】
水発電機の作動エネルギーとして機械式発電機の他バッテリーとして、気化軽水素つまり、プルトニューム重水素を、取り除いた水素（熱エネルギー重水素）を、取り除いた気化軽水素を、主体としたダイオード熱吸収発電物質を、内蔵したニッケル電極棒をメインとしたブラック炭素シリコン軽水素ニッケルソーラーパネルを、バッテリー外側のケース発電装置機能を、備えたバッテリー装置。
【手続補正２】
【補正対象書類名】明細書
【補正対象項目名】全文
【補正方法】変更
【補正の内容】
【考案の詳細な説明】
【技術分野】
【０００１】本考案は、水中活断層地熱温度水中活断層地震計  都道府県市町村地震計  海上津波（台風などの異常な津波の高さ海上ＧＰＳ全自動計測）これらの地震災害時の家崩壊非難場所を、備えたレールモーター電磁石（圧電素子電磁石）の絶縁複数電磁石配線のリレー電気磁極全自動設定切り替えで、作動するモーターコイルを、使用しないため、電気使用量の少ない超薄型複数電磁石配線使用型機械式発電機  特開２００３ー３２８９２５（審査請求中）資料参照の機械式発電機改良型を、使用してこの発電機電気又は、家庭電気  軽水素ニッケルバッテリーの電気使用及び充電に対して特開２００４ー３０４９９２資料参照電気抵抗を、取り除いた電気使用によって軽水素ニッケルバッテリーの急速充電化電気抵抗を、取り除いた電気充電で、電気理論上成立するため家庭電気軽水素  ダイオード内蔵ニッケル補助補充発電ニッケル電極バッテリーブラック炭素シリコン軽水素ニッケルソーラーパネルの発電機補助補充電源システムの電源など、あらゆる発電機の電源で真空装置を、作動させて水発電機の特徴である水を、発電物質として使用して、真空装置作動によって水気化室で水を、瞬間気化させるこれは、真空装置の特性を、利用したものであり  この他電熱線金属パネル内蔵装置などで、水を同じく気化酸素気化水素化して、この他、水に薬品注入（一例消石灰）を、入れるなどして発生する気化水（気化酸素気化水素）水素吸収体気化水素気化酸素水素吸収物質瞬間発電  要するに水を、気化させて、気化酸素気化水素に、融合気化水素水に、出来れば、少量の電気エネルギーで、沸騰水（気化融合酸素水素）を、最初の一番電気エネルギーを、使用する時必要とされる急速沸騰水化の方法も、有る。
少量の沸騰前熱水を、超圧縮して水を、沸騰前温度超圧縮微量水気化物質を、水素吸収体液体水素固形水素合成水素に、同じく瞬間気化水素気化酸素を、瞬間吸収発電させて発電残水を、水位センサーに、よって感知して超小型水中ポンプを、作動させて発電残水を、再び真空装置などの、水気化融合酸素水素に瞬間気化させて水素瞬間吸収発電物質液体水素  固形水素  合成水素に瞬間吸収連続発電する事によって、この発電機の特徴つまり水を、真空装置などの、装置によって水の気化酸素気化水素融合を、水素吸収物質に、瞬間吸収連続発電出来る発電機説明である。
【背景技術】
【０００２】今までの発電機は、循環全自動無給油発電機は、存在しなかった。燃料電池車は、日本国では、トヨタ自動車本田技研自動車などが有名で広く知られている。これは、水素補給タンクを、持ち得て液体水素  固形水素を、使用して瞬間に水素タンクの水素と外気酸素及び酸素タンクの酸素を、水素吸収体つまり固形水素液体水素水素吸収体に、水素酸素を同時瞬間吸収させて発電させて、プラス電極マイナス電極から、電気を、取り出して発電された電気を、使う事のできる発電システムである。ただし水素タンクの水素がなければ、発電は、止まってしまう欠点が、あった。
室内発電機は、ないため、地震対応非難処置場所確保型無給油無害の発電機地震対応型発電機が、なかった。
【考案が解決しょうとする課題】
【０００３】従来の技術は、水素タンクを持ち得て、外気酸素酸素タンク発電つまり、燃料電池発電は、実際には、恐らく国際特許認定と思われるが、実在するが、気化水素気化酸素の水素吸収体液体水素固形水素吸収発電方法までが、今までの技術であり、発電残水を、瞬間気化する技術として、真空装置使用が、温度水沸騰気化方法より、水素吸収体物質の劣化を、少なくするため真空装置を、使用する事で、従来の燃料電池車などの発電機を、発電残水発電物質再利用化として、真空装置と、水位センサー超小型水中ポンプなどの再利用発電水（発電残水物質）の水と言う発電物質を、真空装置使用によって循環全自動発電機化が、可能になる。
地震の影響で、家の崩壊が、最近目立つのが、現状であり、めいしん装置が、実際家庭に普及した場合。高いめいしん料金になる。そのため、古く古来からの建物でも、アルミニュウーム組み立てパネルボルト止めナット止めパネル止め金具装置は、考案の名称に書かれている。地震一時非難場所だけではなく一つ部屋全体を、地震から守るアルミニュームパネルを、パネル止め金具とボルトナットで、止める地震被害対応型（地震津波連絡装置非難器具付き水発電機）の大型地震対応型これを、一つ部屋全体を、地震から、水発電機事  人を、地震から守る装置を、安く出来る装置の有り方とする。
【課題を解決するための手段】
【０００４】本考案は、水を真空装置及び金属電熱線などを、使用して水を瞬間的に、気化水素気化酸素に、瞬間に変化させて水素吸収体固形水素液体水素  合成水素に瞬間吸収発電させて発電残水を、センサー（水位センサー）の反応利用して水中ポンプ水位センサー作動して再び真空装置及び金属パネル電熱線内蔵型で水を、気化水素気化酸素に瞬間変化を、同じく行って水素吸収体（固形水素）（液体水素）（合成水素）に、連続して気化水素気化酸素を、瞬間吸収発電を、連続させる事の出来るシステムを、課題を、解決するための手段する。
【考案を実施するための最良の形態】
【０００５】図の１に示すように市販のアルミニューム鉄合金板を、水発電機本体（３２）にレールモーター機械式発電機（１６）特開２００３ー３２８９２５（審査請求中）資料参照説明とは、別にレールモーター式機械式発電機とは、図３図４のレールモーター式機械式発電機アルミニューム振り子装置（６２）のレールモーター式機械式発電機レールモーター固定側電磁石１（７１）レールモーター機械式発電機レールモーター固定側電磁石２（７７）レールモーター機械式発電機レールモーター固定側電磁石３（７８）レールモーター機械式発電機レールモーター固定側電磁石４（７９）レールモーター機械式発電機レールモーター固定側電磁石５（８０）レールモーター機械式発電機レールモーター固定側電磁石６（７２）これら電磁石それぞれにレールモーター機械式発電機レールモーター固定側絶縁体１（８１）レールモーター機械式発電機レールモーター固定絶縁体２（８２）レールモーター機械式発電機レールモーター固定絶縁体３（８３）レールモーター機械式発電機レールモーター固定絶縁体４（８４）レールモーター機械式発電機レールモーター固定絶縁体５（８５）レールモーター機械式発電機レールモーター絶縁体６（８６）レールモーター絶縁体７（８７）これら電磁石絶縁体は、レールモーターの命であり、この電磁石は、複数電磁石絶縁体付きが、二セットなければモーターにならずレールモーター機械式発電機レールモーター作動側絶縁体１（８８）レールモーター機械式発電機振り子側電磁石レールモーター１（７３）レールモーター機械式発電機レール作動側絶縁体２（８９）レールモーター機械式発電機振り子側電磁石レールモーター２（７４）レールモーター機械式発電機レールモーター作動側絶縁体３（９０）レールモーター機械式発電機振り子側電磁石レールモーター３（７５）レールモーター機械式発電機レールモーター作動側絶縁体４（９１）レールモーター機械式発電機手振り側電磁石レールモーター４（７６）レールモーター機械式発電機レールモーター作動側絶縁体５（９２）これら、複数電磁石（７１，７７，７８，７９，８０，７２，）レールモーター固定電磁石それぞれに複数電磁石絶縁体（８１，８２，８３，８４，８５，８６，８７，）それぞれの絶縁体を、持ち得る事で、それぞれの連結電磁石に、なる。これに対してレールモーター機械式発電機アルミニューム振り子装置（６２）作動レールモーターの二つの（二組）で、作動する。
レールモーター機械式発電機レールモーター作動側絶縁体１（８８）レールモーター機械式発電機振り子側電磁石レールモーター１（７３）レールモーター機械式発電機レールモーター作動側絶縁体２（８９）レールモーター機械式発電機振り子側電磁石レールモーター２（７４）レールモーター機械式発電機レールモーター作動側絶縁体３（９０）レールモーター機械式発電機振り子側電磁石レールモーター３（７５）レールモーター機械式発電機レールモーター作動側絶縁体４（９１）レールモーター機械式発電機振り子側電磁石レールモーター４（７６）レールモーター機械式発電機レールモーター作動側絶縁体５（９２）これら二組のレールモーターは、固定レールモーターの複数電磁石の電磁石それぞれの電磁石反発エネルギーと電磁石吸引エネルギーを、電磁石一つ一つと、絶縁体一つ一つの組み合わせ構造からなるレールモーター機械式発電機レールモーター全自動リレー制御装置によって、レールモーターは、往復運動を、全自動で、行う事が、出来る装置の説明であり、この場合レールモーター機械式発電機レールモーター振り子電磁石反発装置１（６７）で、なお一層スムーズに、レールモーター機械式発電機アルミニューム振り子装置（６２）を、楽に作動させる事が出来るこの場合反対側にレールモーター機械式発電機レールモーター振り子電磁石反発装置２（６８）の左右の電磁石の反発作動エネルギーは、レールモーター機械式発電機レールモーター反発側電磁石装置１（６９）レールモーター機械式発電機レールモーター反発側電磁石装置２（７０）これらのレールモーター機械式発電機（１６）の機械式発電機アルミニューム振り子装置（６２）が、複数レールモーターの絶縁体機能を、生かしてレールモーター電磁石それぞれが、電磁石レール状に、そって二つの複数電磁石は、レールモーター機械式発電機圧電素子３電子分割型充電池の電気で、レールモーター機械式発電機（１６）を、作動させるこの作動エネルギーレールモーター機械式発電機第一歯車軸（６０）によってレールモーター機械式発電機薄型鋼鉄圧電素子軽水素内蔵ダイナモを、作動させる事で、ダイナモ発電をして発電エネルギーは、レールモーター機械式発電機電気電子変換装置（６５）で電子変換されて、レールモーター機械式発電機圧電素子電子３分割充電池（６６）へ急速充電して、特開２００３ー３２８９２５（審査請求中）公開資料参照又は腕時計手振りダイナモ発電機型のレールモーター及び電磁石反発システム採用の機械式発電機などレールモーター機械式発電機全自動大型ゼンマイ巻き取り装置（６３）をレールモーター機械式発電機第一歯車（６０）などに連動してレールモーター機械式発電機第二歯車（６４）レールモーター機械式発電機第三歯車（５９）へレールモーター機械式発電機アルミニューム振り子装置（６２）の振り子作動エネルギーが、連動してレールモークー機械式発電機全自動大型ゼンマイ巻き取り装置（６３）が、全自動作動してこのエネルギーは、レールモーター機械式発電機アルミニューム振り子装置（６２）を、補助作動させて、レールモーター機械式発電機薄型鋼鉄圧電素子軽水素内蔵ダイナモ（６１）を、作動させて発電された電気は、レールモーター機械式発電機電気電子変換装置（６５）で、高圧電子に変換される。この高圧電子は、レールモーター機械式発電機レールモーター反発側電磁石装置１（６９）の反発作動エネルギーを、強める効果を、もたらし並びにレールモーター機械式発電機レールモーター反発側電磁石装置２（７０）の電磁石反発エネルギーを、強める事になる。そのためレールモーター機械式発電機薄型鋼鉄圧電素子軽水素内蔵ダイナモ（６１）の発電力を、強める事になる。この発電システムを、数回繰り返す事によってレールモーター機械式発電機（１６）の発電能力アップを、計る。
このレールモーター機械式発電機のエネルギーを使用して発電処理水（水）（１４）を真空装置室（３５）へ発電処理水（水）組み上げポンプ（１１）で、発電処理水（１４）を、真空装置（３）で、発電処理水（水）（１４）を、気化水素水気化酸素水融合体に、瞬間変化させて液体水素固形水素合成水素（４）に、瞬間吸収発電させる。この発電エネルギーは、圧電素子三電子分割システム特開２００４ー３０４９９２公開資料参照して簡単に説明すると、電気抵抗を、取り除いた電気だけを、使用出来る装置を、使用する事で、軽水素ダイオードニッケルバッテリーの急速充電さえも、可能にする。これら電気電力エネルギーで、再び真空装置（３）を、作動させて発電処理水（水）（１４）を組み上げポンプ（１１）で、発電処理水（水）（１４）を真空装置室（３５）へポンプモーター移動させて、真空装置（３）で、気化水素気化酸素融合物質体に、瞬間変化させて液体水素固形水素合成水素（４）へ瞬間連続吸収発電する事が、出来る発電機であり、発電処理水（水）（１４）は、真空装置室（３５）へ移動の際真空装置室水タンク水圧弁（３６）の他電動仕切り弁（モーター電動仕切り弁）などの代替え部品として、考えられる。この水を、発電物質エネルギーとしたあらゆる電気エネルギーで、真空装置（３）及び水位センサー（８）発電処理水組み上げポンプ（１１）など、水発電機本体（３５）それぞれの電気機器を、作動させて発電出来る発電機。【０００６】図の２に示すように水発電機アンメーター（１９）水発電機ボルトメーター（２０）水発電機使用メーター（２１）真空装置室水位センサーメーター（２２）真空装置作動メーター（２３）真空装置室温度センサーメーター（２４）発電処理水水位センサーメーター（２５）発電処理水温度センサーメーター（２６）水発電機バッテリー１充電量メーター（２７）水発電機バッテリー２充電量メーター（２８）水発電機バッテリー３充電量メーター（２９）水発電機補助メーター（３０）水発電機補助メーター２（３１）これらメーター装置は、水発電機本体（３２）の作動状況を、確認するための装置である。これらメーターは、水発電機作動スイッチ（１７）によって作動し発電された電気は、水発電機発電電気使用ジャック取り付け口（１８）によって発電された電気を、使用する事が出来る。故障緊急時軽水素ダイオード内蔵ニッケルバッテリー又はレールモーター機械式発電機（１６）これらの電源が、故障した場合の対策として、水発電機真空装置作動補助電源コード口（３３）に外部電気を、取り入れる事の出来る装置が、取り付けられている。地震津波情報を、携帯波衛生波無線波アンテナ（３９）によって地震津波情報を、地震津波情報用液晶（その他）テレビパネル（３８）によって、画像は有機ＥＬ充電池素子入り回路圧電素子磁気チップ内蔵で、（体電磁気混乱画像処理）鮮明画像ゴースト調整して、水発電機文字映像（すべてのパネル）液晶テレビスピーカー装置（１０４）の音声ゴーストを、（体電雑音除去）有機ＥＬ充電池素子入り回路圧電素子磁気チップで、取り除く事でゴーストなし音声が、聞ける装置を、備えた地震津波連絡装置非難器具付き水発電機（３２）考案の実施の形態の図の２の説明とする。【０００７】図の３図の４に示されて入る図はレールモーター機械式発電機（１６）の略説明図である。
レールモーター機械式発電機（１６）の説明は、【０００５】
【考案を実施するための最良の形態】で、説明した通りである。特開２００３−３２８９２５公開日平成１５年１１月１９日の公開特許公報に書かれて入る機械式発電機の説明との違いとは、レールモーター（１０６）の取り付けの有無である。
レールモーター（１０６）とは、圧電素子電磁石又は鋼鉄（金属）電磁石又は固形軽水素入り固形炭素入り軽水素圧電素子電磁石の複数電磁石複数絶縁体のリレー制御複数電磁石の電磁石反発作動又は電磁石吸引リレー電磁石反発リレーの複合複数電磁石移動この複数絶縁体電磁石移動を、レールモーター（１０６）の作動状況説明図の３図の４の追加略説名である。
レールモーター（１０６）は、電磁石リレー反発を、電磁石能力を、応用したモーターである。このモーターは、複数電磁石配線が、メインのためつまりモーターコイルが、存在しないモーターのため事実上電気の消費が、少ないモーター装置である。又一つの固定レールモーター（１０６）は、複数電磁石と絶縁体で、出来ており、もう一つのレールモーター（１０６）の複数電磁石絶縁体に、リレー電気を通す事で、電磁石反発作用で、レール式のモーター名称（レールモーター）が、移動が出来るレール式モーターをレールモーター（１０６）と言うレールモーター（１０６）を、円形上にしたモーターを、円形レールモーター装置と言う。【０００８】図の５図の６に示すように金属製の家マンションビル室内用地震非難パネル止め金具（５２）は、地震津波で、家の崩壊時、緊急避難出来る金属製の地震などの家崩壊から、室内用の発電機ごと人を、守る地震防護金属パネル組み立て式金属製防護部屋装置の説明である。金属製パネルは、アルミニュームパネル（アルミニューム鉄合金パネル）鋼鉄パネル（ビル用）などは、家マンション  ビル  室内用地震非難パネル止め金具（５２）家マンション  ビル  室内用地震非難用金属パネル（５８）ゴム付きは、扱いやすくするためである。又これら金属パネルは、鋼鉄ボルトナットを使用する。
この地震津波非難防護金属パネルは、図の５図の６に示すように、組み立てパネルであり金属製扉ゴム付きなど、超小型コンプレッサーなどを、取り付ける事によってゴムエアーチューブ付きで、津波の場合海上に、浮く工夫なども考えられる事の出来る地震津波連絡そうち非難器具本体（１０３）図の１０の図の記号参照して分かるように家崩壊地震防護装置の説明である。【０００９】図の７図の８図の９図の１１に示すようにソナー電波受信送信装置型水中温度地震計（４９）は水中ＧＰＳ活断層地熱地震計ソナー受信送信アンテナ（４８）は、水中ソナーＧＰＳを、内蔵しており、位置確認の役目を、水中ＧＰＳは行うこの他形態電話ソナー番号制位置確認などの使用が考えられ電源は、特開２００３−３２８９２５公開特許公報（審査請求中）の中での自動電池（５０）使用又は、超小型レールモーター機械式発電機（１６）図の１図の３図の４の資料説明参照これら電源を、使用する。
ソナーＧＰＳ電波受信送信装置型水中温度地震計（４９）は、自動電池（５０）特開２００３−３２８９２５公開特許公報資料参照の上でこの装置は、自動電池（５０）の電源使用超小型レールモーター機械式発電機図の１図の３図の４の構造資料参照で電源確保に於いてこの水中活断層地熱地震計ソナー受信送信アンテナ（４８）は、水中活断層地熱地震計データーを、複数ソナー波送信型受信型アンテナで、ソナー波受信率を、高める工夫であり水中ソナー複数電波によって水中水発電機水平安定全自動型ロボット（水平位置確認認識型全自動レールモーター制御装置付き水発電機水中ロボット）など、機械式発電機水平位置確認認識型全自動レールモーター制御装置付き機械式水中ロボットなどこれら、水中全自動人ロボット物体ダイオード赤外線確認認識カメラ付きＣＤ  ＭＤ  ＤＶＤフロッピーテープなどのデーター表裏両面録画録音文字録画  画像再生音声再生文字音声変換再生技術は、ロボットチャンバーで、多くのデーター内蔵水中ロボットで水中ロボットアタッチメント使用口（１０７）を、人力の両方使用可能な装置である。
海底の深い活断層地熱地震計データーは、自動電池（５０）の電源能力に、限りがあるため複数ソナー波は、水中ＧＰＳ活断層地熱地震計ソナー受信送信アンテナ（４８）から水中活断層地熱地震計データーを複数ソナー波変換発射しこの場合水中複数ソナー波受信送信ＧＰＳ中継装置（１０８）は、図の９参照の自動電池（５０）特開２００３−３２８９２５公開特許公報参照又は超小型レールモーター機械式発電機（１６）図の３図の４【０００５】
【考案を実施するための最良の形態】資料説明参照で、自動電池（５０）の電源能力だけソナー波は、距離が伸びるこの場合の対策として、自動電池（５０）連結型が、考えられる。この複数ソナー波受信は、複数ソナー波発信装置で、一度に同じソナーデーターを、発信する事で、ソナー波受信確立を、上げる水中複数ソナー波受信送信中継ＧＰＳ装置（１０８）は、二連結以上モーター特開２００４ー３０４９９３公開特許公報（Ａ）資料参照この複数コイル連結モーター（二連結以上モーター）特徴は、複数コイル複数配線に有りこのモーターを、使用する事で力とスピードが、可能になるため、水中複数ソナー波受信送信中継ＧＰＳ装置（１０８）は、水中ＧＰＳ積載のため位置安定位置同位置全自動帰還装置（ＧＰＳ位置地図全自動磁気読み込み確認認識装置）で位置安定位置同位置全自動帰還装置によって複数ソナー波安定受信を、可能にする。又複数ソナー波送信の命中率を、上げる働きをしている。水中連結自動電池ＧＰＳソナー波送信受信２連結以上モーター１（９３）水中連結自動電池ＧＰＳソナー波送信受信２連結以上モーター２（９４）水中連結自動電池ＧＰＳソナー波送信受信２連結以上モーター３（９５）水中連結自動電池ＧＰＳソナー波送信受信２連結以上モーター４（９６）これら、２連結以上モーターは、上下移動  左右移動  斜め移動を、水中２連結以上モーター回転式モーター１（９９）水中２連結以上モーター回転式モーター２（１００）水中２連結以上モーター回転式モーター３（１０１）水中２連結以上モーター４（１０２）これら水中スクリュウーモーター角度ＧＰＳ全自動位置調整が、可能になる。電気抵抗取り除き装置  発明の名称  （電気抵抗を減らして電気を長持ちさせ電気製品無理をかけない電気装置の在り方。特開２００４−３０４９９２公開特許公報（Ａ）の公開資料参照この装置を、使用する事で、電気消費量を、減らして水中複数ソナー波受信送中継ＧＰＳ装置（１０８）の軽量化を、計る。この装置は、複数ソナー波をキャッチして、再び複数ソナー波同時発信させて、海の上の海上津波ＧＰＳ複数方向確認認識アンテナライトソーラーセンサーカメラ（４１）このカメラは、前後確認認識カメラ３６０度複数式カメラ海上上確認認識カメラ  水中確認認識カメラそれぞれが（ブラック炭素シリコンソーラーパネル太陽光度センサースイッチ）によつて、この場合カメラのボデイが、（ブラック炭素シリコン軽すいそダイオード内蔵ニッケルパネル）になっているため、太陽光度のない暗闇では、海上津波ＧＰＳ複数方向確認認識アンテナソーラーライトセンサーカメラ（４１）によって夜でも、レンズライト（望遠鏡に、光りを、通したライト）などの使用で、遠くの波を、夜暗闇でもライトの光りでカメラ観測が、全自動で、出来る装置であり、ソナー波受信送信中継ＧＰＳ装置（１０８）の軽量化を、計る。この装置は、複数ソナー波をキャッチして、再び複数ソナー波同時発信させて、海の上の海上津波ＧＰＳ複数方向確認認識アンテナライトソーラーセンサーカメラ（４１）このカメラは、前後確認認識カメラ３６０度複数式カメラ海上上確認認識カメラ  水中確認認識カメラそれぞれが（ブラック炭素シリコンソーラーパネル太陽光度センサースイッチ）によつて、この場合カメラのボデイが、（ブラック炭素シリコン軽水素ダイオード内蔵ニッケルパネル）になっているため、太陽光度のない暗闇では、海上津波ＧＰＳ複数方向確認認識アンテナソーラーライトセンサーカメラ（４１）によって夜でも、レンズライト（望遠鏡に、光りを、通したライト）などの使用で、遠くの波を、夜  暗闇でもライトの光りでカメラ観測が、全自動で、出来る装置であり、海上では、海上津波ＧＰＳ複数方向確認認識アンテナソーラーライトセンサーカメラ（４１）この装置の無線波  携帯波  衛生波は、陸地に届かないため、山岳ヘリコプター（１１６）無線波  携帯波  衛生波  テレビ波  ラジオ波  中継電波増幅ＧＰＳ位置確認送信システムを、積載した自動電池（ブラック炭素シリコン軽水素ダイオード内蔵型ニッケル）（１１２）この電源は、特開２００３−３２８９２５公開特許公報（Ａ）の公開資料参照で山岳ヘリコプター（１１６）ボデイは補助電源システムになっている。空中ＧＰＳ位置安定のため、２連結以上モーター（１１１）特開２００４−３０４９９３公開特許公報（Ａ）公開資料参照は、２連結以上モーター軸（１１０）によって２連結以上プロペラモーター（１０９）を、携帯波  無線波  衛生波で、ＧＰＳリモコン遠隔操作が、出来て  ＣＤ表裏  ＭＤ表裏  ＤＶＤ表裏フロッピー  テープの表裏両面記録式のＧＰＳデーター内蔵型  携帯波  無線波  衛生波を複数ソナー波全自動切り替え装置積載でもあるが、この装置の特徴は電波の届かない位置からの多種多様電波それぞれの電波を、地上の決められた位置へ送信出来る機能を、備えている装置であり海上の海上津波ＧＰＳ複数方向確認認識アンテナソーラーライトセンサーカメラ（４１）は、回りが、船の衝突  物体の衝突の衝撃吸収としてゴム又はエアーゴムが、取り付けられているのが特徴である、又複数ソナー波受信送信ＧＰＳ装置（１０８）は、衝撃吸収のため、外回りゴム製特徴は、エアーゴム  シリコンゴムなどの取り付けからなる。
例えば故障対策として、海底複数ソナー波水中情報コンピューター複数ソナー波アンテナ積載海底ＧＰＳ装置が、考えられる。この装置は、ＣＤ表裏  ＭＤ表裏  ＤＶＤ表裏テープ表裏  金属製ＣＤ表裏  金属製ＭＤ表裏  金属製ＤＶＤ表裏使用の水発電機特開２００３−３２８９２５公開特許広報（Ａ）の参考資料参照機械式発電機などの電源を、主体として海底地図内蔵型水中ＧＰＳ機能を、備えた水中アルミニューム車輪（水中３６０度移動型２連結以上モーター）特開２００４−３０４９９３公開特許公報（Ａ）の公開資料参照で、このモーター使用によって水中を、自由に、移動でる。これは、海上の海上津波ＧＰＳ複数方向確認認識アンテナソーラーライトセンサーカメラ（４１）の遠隔操作からなる各種電波複数ソナー波切り替えで、海底複数ソナー波水中情報コンピューター複数ソナー波アンテナ積載海底ＧＰＳロボット装置が、緊急時の対応に対して考えて行きたい。
山岳ヘリコプター（１１６）は、地上においても山間部分の電波の届かない位置場所では、この装置が、携帯電波中継複数電波連続切り替え装置式などを、取り付ける事によって海上の電波の届かない所の使用と同じ働きを、得る事が出来る装置。
【考案の効果】
【０００１２】本考案に係わる地震津波連絡装置非難器具付き水発電機本体は、地震時、家の崩壊から人と水発電機本体を、守る事の出来る装置でありこの発電機の一番の特徴は無害無公害  無給油なため、人それぞれの社会生活権を、大きく変えてしまう財産能力を、を、持ち得ているため、電気税などアンテナ電気税カード  超小型ＭＤ表裏２連ツースの使用超小型ＣＤ表裏２連ツース  超小型ＤＶＤ表裏２連ツースなどの使用によって電気料金の全自動書き込み情報アンテナ伝達方式で、より良い庶民一人一人の生活が望める。
【図面の簡単な説明】
【００１３】
【図１】本考案に係わる水発電機本体の発電システム構造における発電システム図である。
【図２】本考案に係わる水発電機本体の発電システム管理構造図である。
【図３】本考案に係わるレールモーター機械式発電機の構造を示した正面図である。
【図４】本考案に係わるレールモーターの構造を、説明した正面図である。
【図５】本考案に係わる地震非難パネル止め金具の正面図である。
【図６】本考案に係わる地震非難用金属パネルを、説明した正面図である。
【図７】本考案に係わる海上津波ＧＰＳ複数方向確認認識アンテナソーラーセンサーライトカメラの正面図である。
【図８】本考案に係わる水中ＧＰＳ活断層地熱地震計ソナー波受信送信装置アンテナの正面図である。
【図９】本考案に係わる複数ソナー波受信送信中継ＧＰＳ装置の正面図である。
【図１０】本考案に係わる地震津波連絡装置非難器具本体の正面図である。
【図１１】本考案に係わる山岳ヘリコプターの正面図である。
【符号の説明】
【００１４】    １……真空装置水貯蔵室温度センサー
２……真空装置発電室金属仕切り壁
３……真空装置
４……水素吸収体（液体水素  固形水素  合成水素）
５……発電室温度センサー
６……水発電機プラス電極
７……水発電機マイナス電極
８……発電処理水貯蔵室水位センサー
９……発電処理水貯蔵室温度センサー
１０……真空装置室水タンク
１１……発電処理水組み上げポンプ
１２……発電処理水送り官
１３……水発電機振動防止ゴム
１４……発電処理水（水）
１５……真空装置室水位センサー
１６……レールモーター機械式発電機
１７……水発電機作動スイッチ
１８……水発電機発電電気使用ジャック取り付け口
１９……水発電機アンメーター
２０……水発電機ボルトメーター
２１……水発電機発電使用メーター
２２……真空装置室水位センサー
２３……真空装置作動メーター
２４……真空装置室温度センサーメーター
２５……発電処理水水位センサーメーター
２６……発電処理水温度センサーメーター
２７……水発電機バッテリー１充電量メーター
２８……水発電機バッテリー２充電量メーター
２９……水発電機バッテリー３充電量メーター
３０……水発電機補助メーター１
３１……水発電機補助メーター２
３２……地震津波連絡装置非難器具付き水発電機本体
３３……水発電機真空装置作動補助電源コード口
３４……発電処理水タンク室
３５……真空装置室
３６……真空装置室水タンク水圧弁
３７……水素吸収体発電室（液体水素  固形水素  合成水素発電室）
３８……地震津波情報用（液晶）テレビパネル
３９……携帯波  衛生波  無線波  テレビ波アンテナ
４０……海上津波ＧＰＳ高さカメラ電波連絡装置
４１……海上津波ＧＰＳ複数方向確認認識アンテナソーラーセンサーライトカメラ
４２……海上複数カメラ金属柱
４３……自動電池衛生波  携帯波  無線波  ソナー波全自動切り替え装置ＧＰＳ海上位置全自動帰還装置
４４……海上水中２連結以上モーター１
４５……海上水中２連結以上モーター２
４６……海上水中２連結以上モーター３
４７……海上水中２連結以上モーター４
４８……水中活断層地熱地震計ソナー受信送信アンテナ
４９……ソナー電波受信送信型水中温度地震計
５０……自動充電池
５１……水中活断層地熱デジタル  ノーマル温度計
５２……家マンション  ビル室内用地震非難パネル止め金具
５３……家マンション  ビル室内用地震非難パネル
５４……家マンション  ビル室内用地震非難パネル金具止めボルト１
５５……家マンション  ビル室内用地震非難パネル金具止めボルト２
５６……家マンション  ビル室内用地震非難パネル金具止めボルト３
５７……家マンションビル室内用地震非難パネル金具止めボルト４
５８……家マンションビル室内用地震非難用金属パネル
５９……レールモーター式機械式発電機第三歯車
６０……レールモーター式機械式発電機第一歯車
６１……レールモーター式機械式発電機薄型鋼鉄圧電素子軽水素内蔵ダイナモ
６２……レールモーター式機械式発電機アルミニューム振り子装置
６３……レールモーター式機械式発電機大型全自動ゼンマイ巻き取り装置
６４……レールモーター式機械式発電機第二歯車
６５……レールモーター式機械式発電機電気電子変換装置
６６……レールモーター式機械式発電機圧電素子３電子分割型充電池
６７……レールモーター式機械式発電機レールモーター振り子電磁石反発装置１
６８……レールモーター式機械式発電機レールモーター振り子電磁石反発装置２
６９……レールモーター式機械式発電機レールモーター反発側電磁石装置１
７０……レールモーター式機械式発電機レールモーター反発側電磁石装置２
７１……レールモーター式機械式発電機レールモーター固定側１
７２……レールモーター式機械式発電機レールモーター固定側６
７３……レールモーター式機械式発電機振り子側電磁石レールモーター１
７４……レールモーター式機械式発電機振り子側電磁石レールモーター２
７５……レールモーター式機械式発電機振り子側電磁石レールモーター３
７６……レールモーター式機械式発電機振り子側電磁石レールモーター４
７７……レールモーター式機械式発電機レールモーター固定側２
７８……レールモーター式機械式発電機レールモーター固定側３
７９……レールモーター式機械式発電機レールモーター固定側４
８０……レールモーター式機械式発電機レールモーター固定側５
８１……レールモーター式機械式発電機レールモーター固定側絶縁体１
８２……レールモーター式機械式発電機レールモーター固定側絶縁体２
８３……レールモーター式機械式発電機レールモーター固定側絶縁体３
８４……レールモーター式機械式発電機レールモーター固定側絶縁体４
８５……レールモーター式機械式発電機レールモーター固定側絶縁体５
８６……レールモーター式機械式発電機レールモーター固定側絶縁体６
８７……レールモーター式機械式発電機レールモーター固定側絶縁体７
８８……レールモーター式機械式発電機レールモーター作動側絶縁体１
８９……レールモーター式機械式発電機レールモーター作動側絶縁体２
９０……レールモーター式機械式発電機レールモーター作動側絶縁体３
９１……レールモーター式機械式発電機レールモーター作動側絶縁体４
９２……レールモーター式機械式発電機レールモーター作動側絶縁体５
９３……水中連結自動電池ＧＰＳソナー波送信受信２連結以上モーター１
９４……水中連結自動電池ＧＰＳソナー波送信受信２連結以上モーター２
９５……水中連結自動電池ＧＰＳソナー波送信受信２連結以上モーター３
９６……水中連結自動電池ＧＰＳソナー波送信受信２連結以上モーター４
９７……自動充電池ＧＰＳソナー波受信送信装置アルミ金属本体（段数連結ソナー）
９８……自動充電池ＧＰＳソナー波受信送信装置（段数連結ソナー）
９９……水中２連結以上モーター回転式モーター１（段数連結ソナー）
１００……水中２連結以上モーター回転式モーター２（段数連結ソナー）
１０１……水中２連結以上モーター回転式モーター３（段数連結ソナー）
１０２……水中２連結以上モーター回転式モーター４（段数連結ソナー）
１０３……地震津波連絡装置非難器具本体
１０４……水発電機文字映像テレビパネル（液晶又は他のパネル）スピーカー装置
１０５……レールモーター式機械式発電機レールモーター全自動リレー制御装置
１０６……レールモーター
１０７……水中ロボットアタッチメント使用口
１０８……水中複数ソナー波受信送信中継ＧＰＳ装置
１０９……２連結以上プロペラモーター
１１０……２連結以上プロペラモーター軸
１１１……２連結以上モーター
１１２……自動充電池（ブラック炭素シリコン軽水素ダイオード内蔵ニッケル電極充電池）
１１３……携帯波衛生波無線波切り替え式複数ソナー波変換装置
１１４……衛生波携帯波無線波受信送信アンテナ
１１５……ソナー波送信受信装置
１１６……山岳ヘリコプター
１１７……補助カメラライトシステム
【手続補正３】
【補正対象書類名】図面
【補正対象項目名】全図
【補正方法】変更
【補正の内容】
【図１】
0003145903.tif 000005
【図２】
0003145903.tif 000006
【図３】
0003145903.tif 000007
【図４】
0003145903.tif 000008
【図５】
0003145903.tif 000009
【図６】
0003145903.tif 000010
【図７】
0003145903.tif 000011
【図８】
0003145903.tif 000012
【図９】
0003145903.tif 000013
【図１０】
0003145903.tif 000014
【図１１】
0003145903.tif 000015
【手続補正書】
【提出日】平成17年8月15日(2005.8.15)
【手続補正１】
【補正対象書類名】実用新案登録請求の範囲
【補正対象項目名】全文
【補正方法】変更
【補正の内容】
【実用新案登録請求の範囲】
【請求項１】
水発電機とは、機械式発電機つまり、ダイナモを、振り子ゼンマイ装置の電磁石反発及びレールモーター（複数電磁石反発と複数絶縁体）を、使用したリレー装置モーターの発明によって、尚且つ充電スピードの速い軽水素炭素マグネシュウムニッケルバッテリーそして炭素軽水素炭素マグネシウムニッケルバッテリーの急速充電化を、実現させる電気  圧電素子電子分子結合体の電気電子磁気４分割化によって、電気から、中間陽電子磁気及び中間陰電子磁気の、熱電気抵抗取り除きが、圧電子磁気上説明が、成り立ち電気の名から、電気抵抗を、取り除いた電気だけ軽水素炭素マグネシウムニッケルバッテリーに、充電する技術の構築から、ダイナモ圧電素子内蔵軽水素装置  このダイナモは、圧電素子内の軽水素に電気磁気融合反応して、通常ダイナモより、発電力アップが、見込まれ、これは、水素特に水素反応の一番速い軽水素を、使用する事で、ダイナモ発電アップを、目的としたダイナモ使用によって、発電能力アップ  この事実を、踏まえて圧電素子電気電子４電子分割装置充電に、よって水素ニッケル電池充電の１５分充電時間  市販充電事実  から基ずき機械式発電機は、ダイナモ圧電素子結合ダイナモ装置の軽水素融合発電の電気発電を、二台の機械式発電気のダイナモ発電の電気応用発電によって機械式発電機の電気が、得られこの電気を、真空装置（市販製品）を、利用して水を、瞬間気化させて水素吸収物質液体水素内蔵の固形炭素マグネシウムに、瞬間水気化吸収発電させることによって、化学反応発電してこの電気は、圧電素子内蔵銅板電極によって、電気を、補助軽水素炭素マグネシウムバッテリーへ、圧電素子電気電子４電子分割装置使用によって、充電時間短縮によって、さらに機械式発電機の能力アップを、計り、液体水素  固形水素の水気化吸収発電後の  水  つまり発電残水を、水中ポンプ（市販製品）を、使用して水を、再び水位センサー反応によってスイッチ水中ポンプ作動によって再び水は真空装置気化作用によって再び液体水素  固形水素  合成水素に、瞬間吸収発電する事によってダイナモ寿命の間だけ発電出来る  別名水発電機  水循環気化水素吸収体発電装置の最新型発電装置特徴を、持つ水発電装置。
【請求項２】
本発明は、省エネルギー水発電機  実用新案水発電機は、充電スピードを速めるため市販されている水素ニッケルバッテリーより、バッテリー充電の速い軽水素つまり熱電気別名中間陽電子中間陰電子の少ない水素を、使用する事によって炭素マグネシウムの軽水素安定を、計りより熱抵抗の少ないバッテリー軽水素炭素マグネシウムニッケルバッテリー装置によって、機械式発電機の性能を、高めてより発電充電効率のよいバッテリーを、備えた水発電機用に使用される二つの機械式発電機装置の能力特徴を、持った装置。
【請求項３】
本発明の省エネルギー水発電機は、軽水素炭素マグネシウムニッケルバッテリー装置の充電スピードを、上げる為に、圧電素子四電子分割  つまり陽電子磁気電気  陰電子磁気電気の熱抵抗の少ない磁気電気を使用する事で、軽水素炭素マグネシウムバッテリーの充電スピードを、速める事が出来て圧電素子冷却中間陽電子磁気電気及び圧電素子冷却陰中間陰電子磁気電気は、リサイクル電気として、活用出来る装置を、備えた水循環気化水素吸収体発電バッテリー電池装置特徴を、持った装置。
【請求項４】
本発明の省エネルギー水発電機は、実用新案水発電機は、水素吸収体  つまり固形水素  炭素と、マグネシウムの合成物質の中に液体マグネシウムを、入れて水素吸収体が、扱い易くするため、液体水素の水素吸収率の良さを、充分に活用するためバッテリー又は充電池発電機用に、水素又は軽水素の扱い易さを、目的とした水気化吸収合成物質又は発電機用又は水素  軽水素吸収合成物質構造を、持った装置。
【請求項５】
本発明の省エネルギー水発電機は、市販されてる真空装置のモーター部分を、レールモーターつまりモーターコイルを、持たない複数電磁石と、複数絶縁体  複数電磁石配線リレー電磁石スイッチ制御盤などを、メインとしたモーターであり、レール上に二本のれールを、使用するモーターなので、レールモーターと言う名前であり、このレールモーターは、モーターコイルを、持たないため電気使用量が、少ないモーターであり、ひとつひとつの電磁石は、絶縁体で、仕切られており電磁石反発と吸引作用  Ｓ磁極とＮ磁極の電磁石の特性を、フルに活用したモーターであり、電磁石切り替えは、リレースイッチで、スピーディに行われる省エネルギータイプのモーターである。尚このモーターつまりレールモーターを、使用した省エネルギータイプの発電機用レールモーター使用真空装置特徴を、持った装置
【請求項６】
本発明の省エネルギー水発電機は、通常の銅板電極を使用せず圧電素子内蔵銅板電極を、使用するため水素吸収体で気化酸素  気化水素が化学反応発電された場合発電される水素酸素陽電子電気と水素酸素陰電子電気を、素早く圧電素子磁気電気分割発電電気として電気供給出来る発電機用圧電素子磁気分割板内蔵銅板電気誘導装置特徴を、持った装置。
【請求項７】
本発明の省エネルギー水発電機は、通常の市販されてる超小型水中ポンプモーターでも使用可能であるが、省エネルギーを、目的とするためレールモーターつまり別名複数電磁石モーターの使用によって、モーターコイルの電気使用量を、少なくするため、レールモーターの水中ポンブモーター使用によって省エネルギーモーターが、可能になり力不足の場合レールモーターの電気量を大きくした省エネルギー水中ポンプレールモーター装置。
【請求項８】
本発明の省エネルギー水発電機は、通常市販されてる水位センサーとは、異なり弱電波の水浮き玉弱電波スイッチ切り替えで、水中ポンプレールモーター省エネルギーモーター波のであり、水浮き玉の弱電波  切除によって働く水中ポンプレールモーターの作動連絡出来る水位センサー装置特徴を、持った装置
【請求項９】
本発明の省エネルギー水発電機は  実用新案水発電機の真空装置に使用されてるレールモーター並びに  水中ポンプレールモーターに使用されてるレールモーター省エネルギー電動レールモーター仕切り便  などのレールモーターの内部構造上コイルのない複数電磁石と複数絶縁体を、持ち得た電磁石リレー制御スイッチ切り替え板を、備えた電磁石複数配線によって、電磁石のＳ極とＳ極の反発  Ｎ極とＮ極反発  Ｓ極とＮ極の結合の二つ間の電磁石磁気反発と磁気結合の作用を、電気磁気リレー制御を、可能にする事によってコイルなしモーターが、可能になりそれと同時に、モーターコイルを、不必要なため事実上電気の食わない発電機用電気磁気リレー制御省エネルギーモーター装置特徴を、持つ装置
【請求項１０】
本発明の省エネルギー水発電機実用新案水発電機に使用される二つ同じの機械式発電機に使用される振り子軸など歯車軸などの機械作動摩耗防止には、通常潤滑油が使用されておるのが、通常であり、オートグリス  オート潤滑油とは、別に無給油の電磁石反発軸又は電磁石反発歯車軸の使用によって、劣化のない半永久的な、機械式発電機用金属軸電磁石反発軸作動装置特徴を、持った装置。
【請求項１１】
本発明の省エネルギー水発電機  実用新案水発電機に使用される二台の同じ構造の機械式発電機に使用される全自動ゼンマイ巻き取り装置に使用されるモーターは、電気消費量の少ないレールモーターであり、レールモーター負荷に作動記憶電気回路スイッチは、レールモーターの負荷に状態の時大型ゼンマイ装置が、全自動大型ゼンマイ装置の作動時は、圧電素子軽水素内蔵接合ダイナモのダイナモ回転作動を、続けるため、このダイナモ回転作動補助に振り子軸電磁石接合反復作動エネルギーを、ダイナモ装置作動へエネルギー変化させるため、振り子装置の反復作動エネルギーは、ダイナモ回転作動発生電気エネルギーは、通常では、補助バッテリー充電率が、悪いため発電充電率を、軽水素炭素マグネシウムニッケルバッテリー電池の発明考案によって、充電時間を、短くして、さらに圧電素子電子電気磁気４分割装置の発明考案によって、つまり電気を、電気磁気分割する考え方の圧電素子体の電子内蔵備蓄の事実説明から、さらに、バッテリー電池の充電スピードは、今までの電気理論を、覆す結果を、もたらす超電導は電気抵抗を、冷却することで、電気抵抗ゼロの次元を、海外発明家のもとで、発見されたのは、言うまでもないだが、本発明は、最初から、電気の中の電気抵抗を、磁気電子電気つまり圧電子素子体として、簡単にとらえた事が、本発明の結果を、生む事になり電気を、中間陽電子磁気  中間陰電子磁気これらは、圧電素子磁気の比較的磁気力の弱い部分に集まる熱抵抗電子エネルギー体と考えられる。
そのため、圧電素子磁気電気４分割装置使用によって、ダイナモの電気発生充電スピードは今までよりさらに無駄なく充電出来る事になる。この事実を、もとに大型ゼンマイ全自動巻き取り装置の使用に対しての電気充電率の心配もなく、二つの大型ゼンマイ装置エネルギーを、ダイナモ回転作動エネルギーに変えても其の際省エネルギーレールモーターによって、再び効率の良いダイナモ作動回転エネルギーを、大型ゼンマイ装置の全自動巻きり作動によって発電効率を、無駄なく上げる事の出来る装置特徴を、持った装置。
【請求項１２】
本発明に記載される省エネルギー水発電機  実用新案水発電機は、ある一定の持続した電気エネルギーに対して、気化水素と気化酸素の水素吸収体物質瞬間吸収発電で、新たに最初の一定した電気量を、上回る発電電気量が水を、瞬間気化させる技術により真空装置によって可能になりマスコミの世界企業世界で古くは、３０年前以前から、知られている技術であり、水素吸収体発電は、おそらく海外技術とも言えるのであるが、テレビ公開の燃料電池車の水素吸収体能力を、踏まえていかにして水を、気化させるかが問題だと大学は、マスコミ報道していた  この点では、水気化は、気化水素気化酸素の融合体の事実しかならない事を、子供の頃からの自然界の雷と言う膨大な発電量は、世間一般の知る事実によって水が、気化すると気化水素と気化酸素に別れる事実を、一般学問として考えるべきでありこれらの事実を、踏まえて水を、気化させる問題点は、ある一定の電気エネルギーが、人口的に、発電させるためには、水素吸収体の他に充電効率の良いバッテリー又は超小型発電機が、必要視される其のため、一台の機械式発電機のダイナモ回転電気発生を、効率良く上げるため、一台の機械式発電機が、発生した電気エネルギーを、もう一台の機械式発電機の振り子作動によるダイナモ発電効果を、さらに、最初の機械式発電機の発電された電気エネルギーを、足す事によって二台目の機械式発電機の発電能力アップを、計る事によって二台目の機械式発電機のダイナモ発電を、電磁石反発作動と高速リレーレールモーター二台制御で二台目の機械式発電機の発電力を、上げる事になり再びこの電力を、最初の機械式発電機に発電力アップした機械式発電機の電力を、再び最初に発電している機械式発電気に二台目発電機の発電アップされた電気で、一番最初の機械式発電機は、発電力アップ電気を、取り入れる事で、一番最初の機械式発電機の電磁石反発又は高速リレーレールモーター制御でさらに、一番最初の機械式発電機は、最初に発電した振り子速度を、更に上回り最初に発電した時の電力を、更に上回って発電する事になるこの発電アップ電力は、二台目の機械式発電機がアップ電力を、取り入れる事で二回目の超高速発電力アップを、更に越える。この繰り返し電気増幅発電はダイナモ発電能力を、上限まで、二台それぞれの機械式発電機の振り子作動スピードと、レールモーターゼンマイ全自動巻き取りの作動が、繰り返される事で、圧電素子軽水素内蔵接合型ダイナモの能力分だけ、二連機械式発、電機は、水循環気化水素吸収体発電機の、別名水発電機を、作動させるための電力確保を、二連機械式発電機それぞれの圧電素子軽水素内蔵接合型ダイナモの機械寿命と大型ゼンマイ機械寿命が、続く限り発電し続ける理由は、機械寿命の観点から、二連振り子機械式発電機が、スイッチオンの状態では、この著作権発明機械寿命説明を、含んだ二連振り子機械発電式発電機装置の特徴を、持った装置。
【請求項１３】
本発明の省エネルギー発電機  実用新案水発電機に使用される二連振り子型機械式発電機のダイナモ  軽水素内蔵圧電素子接合ダイナモを、作動させるための歯車振り子装置のダイナモ作動エネルギー歯車振り子作動エネルギーの往復エネルギーを、片方回転作動エネルギーだけ使用するため、電磁石四つと絶縁体四つのレールモーターの電磁石の数を、減らして複数電磁石作動の超小型化を、目的とした、二連機械式発電機の歯車装置の複数電磁石使用の超小型回転体の電磁石歯車回転接合スイッチによって、二連振り子型機械式発電機の、軽水素内蔵圧電素子結合ダイナモを、振り子装置エネルギーで、作動させるための、超小型機能を、持ち得た歯車回転体スイッチ装置。
【手続補正２】
【補正対象書類名】明細書
【補正対象項目名】全文
【補正方法】変更
【補正の内容】
【考案の詳細な説明】
【技術分野】
【０００１】本発明は、次なる水を、瞬間気化させるため、今までの真空装置のモーター取り替えつまり電気の食わない複数電磁石絶縁体のレール移動装置を、レールモーターといい、通常のモーたーとは、違ってモーターコイルを、持ち得ない複数電磁石絶縁体二つのレール状の電磁石移動装置を、レールモーターと言います。このモーターは、直接電磁石反発吸引電磁石リレー制御技術を、構築した技術は、省エネルギーモーターの著作権考案発明の事実になる。
このモーター使用の真空装置は、水を、水中モーターこのモーターも、省エネルギーモーターのレールモーター水中ポンプで、やはり省エネルギータイプの水中ポンプで真空装置室水発電物質を、レールモーター水中ポンプで、省エネルギー真空装置室移動させて、電動レールモーター水仕切り便の著作権考案発明で、同じく通常の電動モーター仕切り便より電気の食わない電動レールモーター水仕切り便の著作権考案発明は、更に使用電源を、少なくした。水位センサープラスチック空気球装置は、弱電波の空気球の水発電物質が、水位センサー位置つまり弱電波発射に対しての電波磁気体の弱電波キャッチ切断は、空気球が、水位センサー位置に達した事の事実は水中ポンプ室の水位センサーは、レールモーター水中ポンプスイッチの全自動スイッチオンを、告げ全自動でレールモーター真空装置室まで、発電物質の水を、真空装置室の同じ水位センサー発電物質水の水位センサー水位置まで、レールモーター水中ポンプは水を、送り続ける真空装置室の水は、レールモーター真空装置室の水位センサー反応つまり水が、満水になった時点で、レールモーター真空装置室の電動レールモーター水仕切り便は、レールモーター真空装置室の水位センサープラスチック空気球同じく弱電波磁気キャッチ弱電波切断の事実から、レールモーター真空装置室の電動レールモーター水仕切り便装置で、水遮断して、すぐにレールモーター真空装置全自動スイッチ作動させて、水素吸収体物質が、気化水素吸収出来やすくするため、水を、液体から気体へ全自動高速変化させて、液体水素内蔵固形水素つまり液体マグネシウム内蔵炭素合成固形マグネシウムの著作権考案発明によって、液体水素つまり液体マグネシウムは、液体状のため、このままでは扱いずらくそのため、液体マグネシウムを、固形炭素マグネシウムの中に入れる技術の著作権考案発明によって、液体マグネシウム水素が、扱いやすくなったため、発電室では、液体マグネシウムを、固形炭素マグネシウムの中に内蔵された水素吸収体を、合成水素と言いましてこの合成水素は、気化水素と気化水素を、瞬間吸収して、気化酸素  気化水素  化学反応発電を、もたらす。この発電事実は、自然界の水気化空の雷は、空中に固形マグネシウム水素体  液体マグネシウム水素体は、事実上存在しないが、いずれにしても、水が、気化した状態気化酸素と気化水素の化学反応発電は、テレビ発表海外特許技術発明テレビ報道を、知る限りでは、発電能力が、気化水素気化酸素発電だけでは、ＮＨＫテレビ発表では、海外特許技術発明の事実説明公表結果は、発電量が、少なかった。
再び水発電機の合成炭素マグネシウム水素の水の気化酸素と気化水素物質瞬間変化は、発電室の合成炭素マグネシウム水素に、瞬間気化酸素  気化水素吸収化学反応発電を、瞬間的に行う。このさい発電誘導銅板圧電素子内蔵型を、使用すると磁気銅板電極化によって銅板電極のＮ極  Ｓ極に分ける事で合成炭素マグネシウム水素中で、気化水素気化酸素瞬間吸収発電する際  発電したばかりの熱抵抗発生電気を、スピード良く磁気分割電気誘導する事によって、熱抵抗電気送電を、少なくする事を、目的としている。合成炭素マグネシウム  瞬間水素吸収体  気化水素  気化酸素発電は、瞬間的に、水だけに変えてしまう。その結果発電処理水タンク室へ発電処理水を、スピード良く送れる事実は、合成炭素マグネシウムが、いかに、気化水素  気化酸素吸収スピードが、早いの説明になる。気化水素  気化酸素吸収スピードが早蹴れば早いほど、発電量は、上がると考えられる。再び発電処理水タンク室に水が、満水になると水位センサープラスチック空気球装置が、弱電波発信受信の妨げで弱電波キャッチ体スイッチが、働いてレールモーター水中ポンプの全自動スイッチオンになり、発電処理水タンク室の水は、再びレールモーター真空装置室の水位センサープラスチック空気球装置が、満水つまり弱電波発信弱電波磁気キャッチ体センサーが、作動するまで発電処理水タンク室のレールモーター水中ポンプは、水を真空装置室へ送り続ける。
レールモーター真空装置室の水位センサープラスチック空気球装置が、満水位置を、示すとレールモーター真空装置が、水位センサー全自動スイッチが、働きによって、全自動作動のレールモーター真空装置は、再び同じ作業つまりレールモーター真空装置の水を、レールモーター真空装置能力で、水を、一瞬にして、液体の水から気化水素  気化酸素に変える作業で、発電室の合成炭素液体固形マグネシウム水素吸収体に、液体の水から気化水素  気化酸素へ瞬間に変化させる従来からあった技術を、著作権考案発明として、最初に応用した技術は、燃料電池技術を、上回る事になる。つまりレールモーター真空装置によって、瞬間水気化現象によって、水素吸収体物質つまり固形水素  液体水素だけではなく水素吸収体物質の中で特に水素吸収能力が、上と思われる液体マグネシウムの合成に注目する  言わば合成炭素液体固形マグネシウム水素吸収体と言う扱い安い水素吸収体物質で、気化水素気化酸素を、一瞬に瞬間合成炭素液体固形マグネシウム水素吸収体物質によって気化水素及び気化酸素は、瞬間吸収化学反応発電を、再び水循環気化水素吸収体発電方法によって、幾度も繰り返す著作権考案発明の属する技術説明つまり簡単に言えば繰り返し発電が、考案の属する技術で、理解していただきたい重用点でもある。
リサイクル発電方法の考案の属する技術として、省エネルギーのレールモーターの著作権活用及び充電スピードの早い軽水素炭素マグネシウムニッケル充電池バッテリーの著作権考案発明を、初めとして圧電素子磁気電子電気４電子分割技術の著作権考案発明技術採用によって、これまでと違ったつまり、消費エネルギーを、いかに節約するかが、この実用新案の水発電機の考案の属する省エネルギー技術ポイントと言える。
簡単にしめくくると、水は真空装置によって、気化水素気化酸素に一瞬にして変化し一例としてニクロム線内蔵パネルで水が、液体から気体へ瞬間気化技術なども水が、気化水素気化酸素へ真空装置で、瞬間気化させる技術と同じ発電室では既に水素吸収体物質によって連続水気化水素吸収体物質化学反応発電行為が、高速スピードで行われる自然界説明とは、雷現象であり、ここでの説明は、水を、いかに高速スピードで、気化させる技術で水、気化物質と水素吸収体物質化学反応発電は燃料電池発電事実にもとずき、発電のみだけの説明は、ここの６行で、発電だけの著作権考案発明自然界説明、テレビ真空装置能力事実説明公開の応用によって水素吸収体物質発電事実化学説明は、事実確認上応用発明になると思われる。
新しい実用新案の考案の属する技術は、省エネルギー技術を、いかに利用したかが問題点であり水発電機の循環発電説明も、二連振り子型機械式発電機の著作権考案発明が、この燃料電池を、越えるつまり上回る技術は、二連振り子型機械式発電機の著作権考案発明の事実がすべての説明並びにその機械式発電機の装置の著作権考案発明それぞれが、機械式発電機の機械心臓部品つまり多くの機械心臓部品の著作権考案発明部品が、くみこまれての二連振り子型機械式発電機の通常ダイナモも、越えると思われる圧電素子内の軽水素  通常ダイナモの発生する生の電気熱抵抗電気力で、圧電素子内の軽水素圧縮軽水素電子融合電子反応発電は、電気抵抗自体が、力の電気として考えても過言でなくその力電気が、圧電素子軽水素発電反応を、もたらす事を、理解してほしい。圧電素子だからこそ出来た技術と言える。このニューダイナモ  圧電素子軽水素内蔵合成接合ダイナモを、備えた機械式発電機は、二つの機械式発電機の発電したエネルギーを、交互に電気エネルギー追加ダイナモ作動エネルギーによってダイナモが、通常回転発電を、上回るダイナモ回転作動力回転発電の繰り返しによって、ダイナモの最高発電力ぎりぎりまで、引き出す発電技術方法を、説明紹介したのであるが、圧電素子と言う他人の特許切れ物件を、応用した新しい著作権考案発明技術圧電素子応用は、電気すべてに、磁気電気電子４分割つまり、生の電気には、必ずある電気抵抗と言う、小学校の理科で恐らく習う電気のオームの法則でした。所が電気には、超電導技術これも、おそらく特許切れと思われる海外特許技術の超電導の言葉と言う財産言葉の発明に魅せられて、電気は、電磁石になるの一般常識と圧電素子は、電子圧縮内蔵と言う一般事実に基ずいて、電気が、磁気電子化する事実の説明上電磁石は、電気が、磁石の上では、北  ＮＯＲＴＨ  Ｎ極  南  ＳＯＵＴＨ  Ｓ極に別れ自然界の地球内部核は、熱集合体エネルギー核なのですが、圧電素子磁石に電気を、通した場合中間陽電子電気抵抗を、含んだ電気は、圧電素子の中間付近にエネルギーが、寄る又中間陰電子電気抵抗を、含んだ電気は、圧電素子の中間付近にエネルギーが、よるこの場合熱抵抗のない磁気陽電子  磁気陰電子は、言わば電気抵抗の少ない電子つまり、電気として考えられるのが、考案の属する技術分野の説明及び実用新案登録証全体を、良く読んで理解してほしい。
自然説明上ご理解いただけたと思いますので、電気の中から電気抵抗を、抜いた電気は、超電導電気とは、科学説明の最初の説明上を、越えた自然界人工圧電素子電磁石理論説明超電導を、説明するより電気の中から電気抵抗を、取り除く簡単な説明が、省エネルギー水発電機の説明する際バッテリーの一つの説明  充電池一つの説明からでも、過去の一般常識では、成り立たない事実さえ、圧電素子の応用利用で、科学の分野の常識を、変える事になる。軽水素内蔵圧電素子結合ダイナモの説明に戻ります  圧電素子内蔵は、通常水素より、軽水素を、使用する技術理由として、水素は、プルトニュウム陽電子核  プルトニューム陰電子核と、つまり莫大な熱エネルギー体と強く結び付いているのは本  教科書になどに書かれているとうりです。ですが、軽水素は、プルトニュームを、含まない水素の事を、言う逆にプルトニューム水素を、重水素という。この場合軽水素は、熱吸収エネルギー体つまり温度が、臨界高温でなければ電気つまり力エネルギーそして、放射熱エネルギーここで、電気エネルギーが、判ると思いますが、軽水素自体には、プルトニュームと言うエネルギーが、含まれないため、基の水素に戻ろうとする力エネルギーを、含んだ軽水素は、圧電素子に内蔵する事で、軽水素圧電子融合体になる。このため、通常ダイナモで、発電された電気は、軽水素圧電素子電気融合発電する事実になる。これら考案の技術は、圧電素子の物質能力と水素の中でも、軽水素能力を、理解しないと理解するのが、難しい。
本発明の水発電機は、二連振り子型機械式発電機においてもいかにダイナモ発電量を、多くして、バッテリー蓄電の超高速充電スピード技術が、なければ、発電量の乏しい機械式発電機としてか一般社会は、評価しないのが、事実になってしまう。ここでのバッテリー充電充電池充電技術は、電気  圧電素子磁気４分割技術の超電導技術より簡単な電気抵抗０技術今後電気分野の熱抵抗を、取る技術すべてに応用される新技術と思われる。さらに圧電素子技術は、電極板内蔵技術としも、活用される。この他レールモーターの電磁石応用利用などがある。水位センサーの電波受信体に、圧電素子磁気体応用利用などが、考えられる。
【背景技術】
【０００２】今までの水発電機は、真空装置に通常小型モーターのため、レールモーターより電気が、多くコイル付きの分だけ電気消費する並びに水中ポンプモーターも、コイルの多い分だけ電気消費量は、コイル付きモーターの分だけ電気消費が、多くなる。
この他機械式発電機の発電量アップに二連振り子型機械式発電機の技術応用で、機械式発電機の発電量アップを、計る。
この他機械式発電機などに積載されるバッテリーの中身を、水素ニッケルバッテリーから充電スピードのまだ早い軽水素バッテリー使用にする。
通常電気充電技術では、時間のかかる充電スピードを、圧電素子電気電子４分割技術によって電気から熱抵抗を、取る技術の構築でさらにこの事実から、電気充電のスピードアップ化が、期待される事になる。  さらに墫野和夫以外に機械劣化消耗で、止まらない水気化循環発電機は、墫野和夫の北海道庁承認著作権考案発明しかなく今までは本田技研  豊田自動車  ルノー  ＢＭＷの燃料電池発電つまり水素タンク酸素発電機の水素が、なければ発電出来ない発電機しかなかったのが、事実。
【考案が解決しょうとする課題】
【０００３】従来の技術は、水素タンクを、持ち得て  外気酸素  酸素タンクによる酸素と水素の化学発電方法の採用の特許認定と思われるこの場合水素タンクの水素ぎれによって、発電停止は、事実である。この水素と酸素を、気化水素と気化酸素の融合体物質を、レールモーター真空装置と言う電気コイルの持たない電磁石反発吸引の電磁石力応用技術の構築によって複数絶縁体  複数電磁石配線によって北海道庁承認著作権考案発明されてたレールモーターなどによって如何に発電する電気量を増やして発電電気消費を、少なくするかの問題点は、通常モーターのコイル水中ポンプモーターのコイルモーターの電気消費量の多きさより、コイルなしの電気消費量の少ないレールモーターの使用が、望まれる。
又機械式発電機は、二連振り子型機械式発電機の電気増幅発電の新しいタイプでありこの他ダイナモ発電量を、増やすため圧電素子軽水素内蔵接合ダイナモの物質電気融合発電技術の北海道道庁承認著作権考案発明によって新しい技術の応用又は、充電方法としても、圧電素子応用によって圧電素子磁気電気電子４分割充電方法によって、今までのスロー充電を、変える技術  電気を、磁気電気の考え型に基ずく電気磁気４電子圧電素子分割技術の構築によって、かなり速いスピード充電が、望める。これら技術は、さらに水素吸収体の物質を、液体水素内蔵固形水素の技術で、いままでの液体水素マグネシウム技術に匹敵する液体水素と固形水素の合成技術である。この他今までの技術で、解決しなければならないのは、水素タンクを、持つ発電機の発電コスト利益は、水素発生装置又は水素製造業者の利益だけ上がるだけで、消費者が、安い電気税を、国又は地方に決めてもらい税金の点からも、住み良い社会作りに貢献したいと考える次第です。
ちなみに電気税とは、石油税を、資源のかからない水発電機の車などの電気消費利用税の事を、言う。この税金の構築は、庶民生活を、楽にする事が、可能になる。
【課題を解決するための手段】
【０００４】本発明は水を、真空装置気化技術及び電熱線内蔵パネル水気化技術に対して省エネルギーを、目的としているため、水中ポンプモーターの省エネルギー化として、レールモーターの北海道庁承認著作権考案発明物件考案例を、基に特許説明したものであり、電気コイルが、ない分このレールモーターは、電気消費量が少ないのを、使用するのを、目的としている。
並びに、バッテリー充電など、各レールモーター及び電気使用全体に対して、圧電素子磁気電気電子４分割装置使用によって生の電気から、電気抵抗を、電気磁気分割方法で取り除く方法の構築から機械式発電機の更なる発電効率アップバッテリー充電方法に於いて、熱抵抗電気を、取り除く技術によって、さらに軽水素炭素マグネシウムバッテリーの北海道庁承認著作権考案発明物件に基ずいて、ニューバッテリーが、考案される。これら新技術の著作権考案発明それぞれによって発電消費電力を、如何に少なくする省エネルギー発電技術は、ブラック炭素シリコン軽水素ニッケルソーラーパネル  軽水素マグネシウムニッケルバッテリー自動車などの新しいソーラーバッテリー車の技術応用に対しても圧電素子磁気電気電子４分割充電方法技術の応用  コイルを、持たないレールモーターの電気自動車応用の考え方に見られるように如何に電気消費を、少なくして、発電量アップ技術は、これからは、軽水素の上の物質発見を、目指して頑張りたい。
【考案を実施するための最良の形態】
【０００５】図１の説明図は、省エネルギー水発電機の概略システム説明図であり、本発明水発電機の発電物質つまり発電に欠かせない水（１４）は、二連振り子型機械式発電機（１６）の発電された電気および、軽水素炭素マグネシウムニッケルバッテリー（４０，４１，４２，）の急速充電方法として、図１６の圧電素子磁気４電子分割装置（３９）は、通常電気を、圧電素子電磁石体に４電磁石分割配線ツマリ圧電素子電気電子磁気４分割プラス電極装置（２３７）ト圧電素子電気電子磁気４分割マイナス装置（２３８）これら圧電素子電磁気電磁石に流れる電気は、圧電素子電磁石電気抵抗上Ｎ極Ｓ極は、交じり気のない電子磁気電気だけが流れる。このため、この最初の電気の中に含まれている電気抵抗は、圧電素子磁気軽水素プラス中間電子誘導銅板電極部分プラス配線装置（２４６）圧電素子磁気軽水素マイナス中間電子誘導銅板電極部分マイナス配線装置（２４７）これら装置は、圧電素子の電子固形結合体の電子軽水素融合電子変換を、目的として、圧電素子の中央部分などに、軽水素を、入れる事で圧電素子の通常能力を、越える働きを、目的として軽水素の圧電水素内蔵の意味説明とします。その上で、最初の通常電気に含まれている通常電気電気抵抗つまり熱電気は、磁気４分割の弱い中央部分圧電素子磁気軽水素プラス中間電子誘導銅板電極部分プラス配線装置（２４６）圧電素子磁気軽水素マイナス中間電子誘導銅板電極部分マイナス配線装置（２４７）へ事実上最初の電気に含まれている電気抵抗電気は、流れる事を、文面上覚えていていただきたい。その上でこの圧電素子電気電子磁気４分割装置によって電気抵抗のない電気プラスマイナス電気が、軽水素炭素マグネシウムニッケル第一バッテリー（４０）軽水素マグネシウムニッケル第二バッテリー（４１）軽水素マグネシウムニッケル第三バッテリー（４２）これら非常電源もしくは二連振り子型機械式発電機（１６）機械部品だけの二つの機械式発電機の発電された電気エネルギーを、圧電素子軽水素ニッケル素子体接合第一ダイナモ（４３）圧電素子軽水素ニッケル素子体接合第二ダイナモ（６０）これら機械式発電機の二つの振り子作動装置（５０，６６，）及び大型レールモーターゼンマイ装置（４９，６５，）これら圧電素子軽水素ニッケル素子体接合第一ダイナモ（４３）圧電素子軽水素ニッケル素子体接合第二ダイナモ（６０）これらダイナモ装置は二台の機械式発電機の振り子装置（５０，６６，）によってダイナモ装置（４３，６０）を、片方作動回転ダイナモ発電を、大型レールモーターゼンマイ装置（４９，６５，）の全自動電気エネルギー複数磁石反発吸引リレー作動コイルなしモーター別名レールモーターによって大型ゼンマイ装置（４９，６５，）の作動エネルギーは、圧電素子軽水素ニッケル素子体接合第一第二ダイナモ装置（４３，６０，）の回転エネルギー増幅機械式発電方法によってダイナモ装置（４３，６０，）の最大発電エネルギー方法によって水発電機本体（３２）の機械作動エネルギー確保の説明とする。二連振り子型機械式発電機（１６）の詳しい説明は図３図４で、別途説明する。
本発明の水発電機（３２）は発電物質（１４）は、省エネルギーレールモーター真空装置（３）本体の持ち得る機械能力つまり、液体  特に水を、気化させる能力は、既に特許切れ物件のため、一般庶民の知識にある真空装置のモーターを、省エネルギーつまりコイルなしの複数電磁石の反発吸引リレー装置作動モーターを、略称レールモーター（３８）と言う。
今後レールモーターの略称名は、特に使用するので、覚えていてほしい。
省エネルギーレールモーター真空装置（３）の詳しい説明は、図２２の考案の実施の形態で、詳しく説明する事とする。
水発電機本体（３２）は、発電エネルギー物質水（１４）を、省エネルギーレールモーター真空装置（３）は、発電処理水タンク室（３４）の丸浮電波磁気読み込み式水位センサー（８）の水の満水を、を、示す丸浮が弱電波を、遮断するため、水位センサー（８）は反応を、示して発電処理水タンク室（３４）の水（１４）を、省エネルギーレールモーター水中ポンプ（１１）この水中ポンプは、コイルなし複数電磁石反発吸引リレー作動モーターを、使用するため、コイルなし水中ポンプは、通常コイル式水中ポンプより、コイルなしの分だけ電気消費量が、少なくこの省エネルギーレールモーター水中ポンプ（１１）の丸浮弱電波読み込み式水位センサー（８）の事実上の水（１４）が、省エネルギーレールモーター真空装置室（３５）へ一般社会水中ポンプと水位センサー事実（洗濯機の水位センサーなどの水送り水位センサー機能事実などからもわかるように、水（１４）は、省エネルギーレールモーター真空装置室（３５）つまり水気化室へ特許切れ物件説明上一般庶民でも、水が、移動した事実は、簡単な説明でも、分かる通りです。
省エネルギーレールモーター真空装置室（３５）へ送られた水は、真空装置（３５）と言う特許切れ物件つまり一般社会庶民でも知り得る真空装置知識  特に水（液体物質）（氷り固形物質）などを、一瞬にして水又は氷りを、液体から気体へ瞬間変化させる技術応用一般社会知識財産応用によって水（１４）は、省エネルギーレールモーター真空装置（３）の機械本体が、つまり真空装置自体特許認定前そして真空装置発明者の真空装置能力事実確認者の消す事の出来ない真空装置機械能力（３）によって水（１４）は、省エネルギーレールモーター真空装置室（３５）の空気エアーを、全部抜く真空装置（３）の真空装置機械能力作業によって自然界説明では、雲は、空気の少ない場所つまり気圧の少ない場所に集まるのも、小学校の学問でも、おそらく習う通りの自然界通常現象学問と墫野和夫は、説明します。
水（１４）は、省エネルギーレールモーター真空装置室（３５）の気圧を、つまり空気を、抜く学問自然界説明でも分かる通り水（１４）は、密封された部屋の水（１４）は、空気  つまり気圧を、空気を、抜く事実によって水は、自然界によっても同じ事実が、雲発生など同様に水（１４）は、瞬間気化事実を、示し  水素吸収体発電室  液体水素  固形水素  合成水素発電室（３７）に、省エネルギーレールモーター真空装置（３）は、省エネルギーレールモーター真空装置室（３５）の水（１４）を、一般庶民社会知識上液体から瞬間気化現象の事実確認から、水素吸収体  液体水素  固形水素のＮＨＫ２００１年２月１１日夜ＰＭ１９時３０分からのクローズアップ現代の放送事実本田技研株式会社の液体水素使用の燃料電池車  豊田自動車株式会社の固形水素使用の燃料電池車のいずれの水素吸収体に水素が、瞬間吸収されるが、この水素吸収体に酸素を、同時に吸収させる気化水素  気化酸素同時水素吸収体発電は、燃料電池車と言う電気自動車の技術事実によって、水素吸収体つまり、本田技研能力液体水素  豊田自動車株式会社の固形水素燃料電池車発電能力事実は、日本の一般社会に広く水素吸収体能力事実公表によって、日本の庶民に広く一般知識学問として、知れ渡ったのも事実でした。付け加えてのテレビ公開公表事実は、すでに海外特許切れらしい水素つまり水素タンク上の気化水素と気化酸素だけの気化水素  気化酸素融合発電つまり水素吸収体なしの発電技術は、発電機械の超大型化のテレビ公表公開事実および、水素吸収体発電より能力が、かなり落ちる事実を、墫野和夫を、含めた全国の２００１年２月１１日ＰＭ１９時３０分ＮＨＫ放送クローズアップ現代を、見た全国の理科  化学  工学の分野で、無害発電の実験事実を、知る人々同様水素吸収体の事実液体水素固形水素発電能力事実を、ＮＨＫテレビ放送事実によって水素吸収体（４）の考案の実施の形態に及ぶ事実説明として、見て読んで理解していただくとうれしく思います。ここで水素吸収体の液体水素  マグネシウム物質と豊田自動車の固形水素炭素マグネシウムの水素吸収能力は、テレビ公開事実によって豊田自動車の固形水素より本田技研の液体水素  液体マグネシウム水素吸収発電能力は、液体水素の方が発電能力が上の事実さえ、日本の庶民は、２００１年２月１１日夜ＰＭ１９時３０分の燃料電池技術事実説明上  液体水素の水素能力に注目して、固形水素  炭素マグネシウムの中に本田技研技術の液体水素  液体マグネシウムを、入れた水素吸収体これを、合成水素と略称名として、覚えてほしい。
水（１４）を、省エネルギーレールモーター真空装置（３）の装置作動能力は、一瞬にして省エネルギーレールモーター真空装置室（３５）の水（１４）を瞬間気化させる事実だけではなく水素吸収体の本田技研及び豊田自動車の発明は、水（１４）を、瞬間に気化させて、水素吸収体に瞬間吸収発電させる墫野和夫の北海道庁承認著作権考案発明の発電機の心臓部分の事実考案発明事実を、墫野和夫の実用新案文章を、読んでいただける方すべてに理解していただきたい。この部分が、水発電機の発明説明の心臓部分です。真空措置だけでは、ないにしても水（１４）が、瞬間気化する技術があれば、水素吸収体は、次なる人口化学現象の瞬間マジック現象を、ＮＨＫテレビ燃料電池事実水素吸収体事実説明は、次ぎなる水気化循環発電方法説明の方法事実は、機械式発電機（１６）の北海道庁承認著作権考案発明の事実が、まずこの小型機械式発電機（１６）の考案発明の事実が水発電機を、実用化させるための発明事実そして、高発電能力水素吸収体物質（４）の現代社会発明水素吸収体物質の出現は、水発電機次なる水（１４）つまり水気化循環発電の方法を、かなえる事実説明へ文書説明は、移ります。
水発電機（３２）の水（１４）発電物質が、真空装置（３）の機械能力事実によって、水（１４）は、瞬間気化するのは、理解願えたと思います。その上で水素吸収体（４）によって気化水素気化酸素は、一瞬にして水素吸収体合成水素（４）によって瞬間化学反応の自然現象発電の雷発電とは違った人工的水（１４）気化化学水素吸収体合成水素瞬間吸収発電事実説明まで、理解していただきたい。
確かにここまでの水素と酸素の化学反応発電方法説明は、本田技研自動車株式会社の燃料電池車発明事実と異なった発明事実  そして、豊田自動車株式会社の固形水素燃料電池車技術とは、異なった発明事実は、これから先も、世界で、誰もが夢の無害無給油の水（１４）循環発電方法の説明を、始めると、北海道庁承認著作権考案発明事実つまり真空装置及びニクロム電熱線収納金属パネルによって水（１４）は、同じく気化する事で、発電する事実を、墫野和夫が、実用新案の考案の実施の形態に於いて水発電機本体（３２）の本来の実用新案の発明説明上の水（１４）を、気化させて水素吸収体合成水素（４）発電事実は、機械劣化水素吸収体劣化スピードが、早まるため、同じ発電事実上敬遠しなければならない事実を、墫野和夫の実用新案文章を、読んでいただける人に高温温度劣化事実も、理解していただきたい。
確かに本田技研自動車の液体水素燃料電池車  豊田自動車固形水素燃料電池車それぞれは、水素タンクの水素放出量を、水素吸収体発電能力ギリギリまで、調整するのも確かに技術の一環であるが、水発電機本体（３２）の本体の発電物質つまり水（１４）の発電物質量の調整は、双方の燃料電池車発電技術に並ぶための技術として、付け加える事実とする。
本田技研自動車株式会社又は豊田自動車株式会社の燃料電池発電機の事実を、越える発明とは、水（１４）を、水位センサー（８）（１５）の電気スイッチ反応水中ポンプポンプ（１１）によって水（１４）は、発電物質の循環エネルギー体として発明システムの位置ずけたい。理由として水（１４）は、省エネルギーレールモーター真空装置（３）によって機械故障がなければと真空装置（３）を、作動させる電気エネルギーが、永久送電の事実立証が、成立つまり機械及び装置の劣化摩耗を、除いた永久送電システムがあれば、水素吸収体液体マグネシウムの劣化事実を、見るまで、発電事実は、続くものと北海道庁承認著作権考案発明者  墫野和夫は本田技研自動車の液体水素発明  ＮＨＫテレビ２００１年２月１１日夜ＰＭ１９時３０分クローズアップ現代における燃料電池車発電技術及び、液体水素つまり液体マグネシウムの水素吸収体の事実能力が、永久で有ることを、水発電機の発明者としては、信じてみたいまだ誰も液体マグネシウム（４）の時間においての水素吸収能力を、劣化が、少ないはずと信じたい。
その上で、この水発電機本体（３２）は、二連振り子型機械式発電機（１６）の発電能力が、水（１４）気化循環発電方法に欠かせない技術として理解していただきたい。ただし瞬間充電技術が、圧電素子磁気電気電子４分割技術が、考案された現代電気とは、磁気でもあり磁石でもある事実が、広く一般テレビマスコミ社会  新聞社会  発明協会社会  特許社会上  電気が、磁石電磁石の事実確認されていた事実及び電気は、磁気変化する事実確認されてた事実電気とは、電子変化する事実確認これらの事実は、電磁石の発明者の出現そして、圧電素子発明者出現の時代からすでに２５年以上すでに過ぎた事実でも、電気理論説明の見逃された新事実とは、圧電素子  磁気体応用技術によって、つまり電気抵抗とは熱の考え方が、正しく水素技術応用においても、プルトニュームが入っている水素は、電気と同じく  熱エネルギーのプルトニュームは、通常の水素社会では、扱いずらい存在なのも事実だが、この扱いずらいプルトニュームを、取り除いた軽水素は、今後一般社会を、安定の時代社会へ導くつまり、電気社会は、簡単に言うと熱エネルギー処理問題を、解決すると、実用新案などの著作権考案発明上  意味説明が、ガラッと変わる事実  科学時間  化学時間の説明の有り方次第では水発電機本体（３２）の発電説明上いかに電気消費を、少なくするかが、この電気を、使った電気発電方法の盲点になりやすいので、気おっけて下さい。
電気とは、磁気電気も、正しく電気とは、電子電気も、正しく電気とは、電磁石電気も、正しいの考え方に於いて、圧電素子軽水素内蔵磁気体に電気を、通した場合電気は、磁気分割の流れを、組織する事実は、磁石文化から圧電素子磁気の電気磁気想定は、磁石又は電磁石の電気磁気の流れから、電気は、磁気分割の事実が、分かると思います。
この事実が、実用新案の水発電機発明の水循環システムに二番目に大事とする最速充電方法電気学問理論上電気抵抗を、ゼロにする技術は、世界人間全体に、確かに大きな夢を、与えた事実ですが、電気から熱エネルギーつまり熱抵抗電気を、最初から電気内部の熱中間陽電子プラス電気  熱中間陰電子マイナス電気を、磁気電気として、考え貫く  ここに電気の本体の事実が、圧電素子の発明を、さらに細かく考える事すなわち磁気電子磁石分割化と言う魔法の様なマジックの様な電気の時間説明が、そこにあった事実を理解していただきたい。日本で最初の水素ニッケル電池は、急速充電では、３０分程で充電完了の事実も、同じく変え用の無い事実説明そして公開特許能力事実は、軽水素炭素液体マグネシウムバッテリー又は充電池の北海道庁承認著作権考案発明事実に基ずいて水素と軽水素の能力違いは、電気熱抵抗処理方法技術と水素から熱水素を、取り除いた軽水素の利用の有り方次第では、電気文化  家電電気文化が、すべて塗り変わる事実も、理解してほしい。
この省エネルギー発電充電技術方法が、有るため、補助電源バッテリー電気文化の新しい事実は古い今までの電気学問化学者は、実験しなくても、読んでいただくだけで理解していただけるものと、墫野和夫は、電気社会の盲点を、指摘したに過ぎないとも言えるのは圧電素子発明から、２５年以上電磁石発明から２５年以上の電気の説明になっていても、電気から熱抵抗電気を、取る技術は、平成の時代形を、変えて電気文化として、蘇る。
省エネルギー技術発明の説明を、理解していただけた所で、引き続き水発電機本体（３２）の水気化循環発電システムの技術発明の考案の実施の形態の続きを、説明する。
水（１４）は、省エネルギーレールモーター真空装置（３）の機械能力によって水（１４）は、省エネルギー水（１４）気化発電は、一瞬にして水素吸収体液体水素液体マグネシウム固形水素そして、合成水素（４）の液体マグネシウム本来の水素吸収能力の一例として、燃料電池の水素吸収体（４）の事実そして気化水素気化酸素融合体吸収発電としかなり得ない燃料電池の事実は、水発電機本体（３２）の北海道庁承認著作権考案発明の事実つまり水（１４）は、省エネルギーレールモーター真空装置（３）は、省エネルギーレールモーター真空装置室（３５）の丸浮電波磁気読み込み式第二水位センサー（１５）の満水弱電波遮断で、省エネルギーレールモーター真空装置（３）が自動電気スイッチによって真空装置（３）の全自動作動この事実は、省エネルギーレールモーター真空装置室（３５）の空気エアーゼロへ向かい空気量ゼロになった時点で、水（１４）気化事実は、真空装置（３）機械科学説明出来たと言える。
再び水（１４）瞬間気化技術は、水素吸収体液体マグネシウム内蔵の合成炭素固形水素（４）の水（１４）気化水素気化酸素融合体は、瞬間吸収発電する事実を、瞬時に迎えるそして、再び発電残水つまり水（１４）に変化する事実は、豊田自動車  本田技研自動車これらの燃料電池車とは、違い水素タンクもなく、ただ発電物質と言う水（１４）を、発電処理水タンク室（３４）の水（１４）が、満水になると、丸浮電波磁気読み込み式第一水位センサー（８）丸浮によって弱電波遮断によって再び省エネルギーレールモーター水中ポンプ（１１）の満水全自動丸浮電波磁気読み込み式第一水位センサー（８）の繰り返し満水電気スイッチ作動で、省エネルギーレールモーター水中ポンプ（１１）は、全自動第一水位センサー（８）の電気スイッチ作動で発電処理水タンク室（３４）の水（１４）を、省エネルギーレールモーター真空装置室（３５）へ水（１４）は、丸浮電波磁気読み込み式第二水位センサー（１５）の満水丸浮弱電波遮断  電波磁気読み込みスイッチが、満水つまり省エネルギーレールモーター真空装置室（３５）の水（１４）が満水状態を、示した時  同時に省エネルギーレールモーター真空装置（３）は、全自動水位センサー（１５）電気スイッチ作動によって水（１４）は、再び幾度もの省エネルギーレールモーター真空装置（３）によってこの水循環気化発電方法とは、水循環気化発電方法の繰り返し発電方法つまり省エネルギーレールモーター真空装置（３）の作動は、省エネルギーレールモーター真空装置室（３５）の水（１４）が満水を、示したのが、事実であるから、丸浮電波磁気読み込み式第二水位センサー（１５）作動は、電気スイッチ作動で、省エネルギーレールモーター真空装置（３）の作動は、水（１４）の液体物質から、発電気化酸素気化水素融合体物質へ瞬間変化する。
そして、それと同時に水素吸収体液体水素  固形水素  合成水素（４）へ気化水素気化酸素融合体物質は、合成水素（４）へ瞬間吸収発電されるそして、再び水（１４）になるこの繰り返し発電方法又はシステム発電方法を、水発電機本体（３２））の図１の考案の実施の形態の説明とする。通常説明に燃料電池車発電機の一例を、挙げて水素と酸素そして固形水素  液体水素の水素吸収体  気化酸素  気化水素融合発電方法の事実一例を、参考に実用新案考案の実施の形態を、分かりやすくしたものであり、墫野和夫が、書いた実用新案を、読む人すべてが良く理解していただけるように一例を、上げた実用新案登録願いの考案の実施の形態説明とする。【０００６】図２に示す様に水発電機本体（３２）の水発電機通常円形ガラス針メーター装置の考案の実施の形態説明に入る水発電機アンメーター（１９）は、水（１４）が、省エネルギーレールモーター真空装置（３）が、作動して水（１４）は、気化水素気化酸素融合体になって水素吸収体合成水素（４）に瞬間吸収発電してる瞬間だけ水発電機アンメーター（１９）は最高充電の針位置を、示して、他の装置が、電気消費している時は、水発電機アンメーター（１９）の針は電気消費を、示す水発電機ボルトメーター（２０）も、アンメーター（１９）同様の説明になる。
水発電機使用メーター（２１）は、外部電気送電に対して電気消費量を、通常市販の電気メーターを、使用する。この場合数字回転式の市販されている超小型電気メーターを、使用する。
丸浮電波磁気読み込み式第二水位センサーメーター（２２）は、丸浮電波磁気読み込み式第二水位センサー（２２）が、作動しているつまり電気消費している間だけこの丸浮電波磁気読み込み式第二水位センサーメーター（２２）の作動状況確認出来るこの場合数字カウント式の場合水位センサー作動回数明記のメーター使用の場合も有り得る。
省エネルギーレールモーター真空装置メーター（２３）は、水（１４）を、丸浮電波磁気読み込み式第二水位センサーメーター（２２）の作動が済むと同時に省エネルギーレールモーター真空装置メーター（２３）は、作動するメーターである。  省エネルギーレールモーター真空装置室温度センサーメーター（２４）この場合水発電機（３２）の水気化循環発電回数が、ある一定の回数までは、省エネルギーレールモーター水中ポンプ（１１）のコイルなしレールモーターのわずかな電気消費時発生する電気消費熱温度と決められた水量（１４）の瞬間気化水素吸収体合成水素（４）瞬間気化水素気化酸素発電時発生する熱は、少ない。
この場合水（１４）に足し水素を、した発電機は、必ず水素発電熱が、上回る事実上温度上昇になるため、水素吸収体劣化防止対策としてそして、発電の弱冠低下するため、理由として気化水素  気化酸素融合体（１４）水気化水素吸収体合成水素（４）瞬間発電前に再び温度水蒸気に、温度上昇は、１００パーセント発電を、させない事実さえも作り得てしまうおそれがあるため、水素足しの水循環発電方法などでは、冷却装置設置対策が、必要と考える。
丸浮電波磁気読み込み式第一水位センサーメーター（２５）は、丸浮電波磁気読み込み式第二水位センサーメーター（２２）同様同じ働きの説明になる。発電処理水室第一温度センサーメーター（２６）は、省エネルギーレールモーター真空装置室第二温度センサーメーター（２４）の説明同様  発電処理水室第一温度センサーメーターと同じ説明になる。
水発電機バッテリー充電量第一メーター（２７）水発電機バッテリー充電量第二メーター（２８）水発電機バッテリー充電量第三メーター（２９）それぞれのバッテリー充電量を、示すメーター装置であるが、このバッテリー充電方法は、圧電素子磁気電気電子４分割装置（３９）による電気熱再利用システム発電を、備えた充電方法のため、最速充電は、おそらく水素ニッケルバッテリーの１５分以下になる最速充電時間計算である。
二連振り子型機械式発電機発電メーター（３０）は、二連振り子型機械式発電機の発電量を、示すメーターである。省エネルギーレールモーター水中ポンプメーター（３１）は、ポンプ作動状況を、電気消費で、示したメーターである。発電された電気は、水発電機発電電気外部送電取り付け装置（１８）は、図２の位置に取り付けられる。水発電機真空装置作動補助電源コード口（３３）は、二連振り子型機械式発電機（１６）の故障及び圧電素子磁気電気電子４分割装置（３９）の故障時に使用される装置である。【０００７】図３  図４に示す様に水発電機本体（３２）の二連振り子型機械式発電機（１６）の説明図である二連振り子型機械式発電機（１６）は、二つの機械式発電機（１６）の圧電素子軽水素ニッケル素子体接合第一ダイナモ（４３）は図５に描かれている様に通常ダイナモに電気電子圧縮融合体圧電素子（９０）の内部に軽水素マグネシウム（８９）を、内蔵したダイナモ（４３）発電の圧縮電子軽水素電気電気ショック力融合発電を、目的とした新しいダイナモ（４３）の図５の説明図である。通常ダイナモ（４３）の生の発電エネルギー力を、つまり電気自体の力のエネルギー力で、電気電子圧縮融合体圧電素子（９０）に電気力圧縮融合体圧電素子（９０）内部の軽水素は、圧電素子発電融合（４３）の事実説明として、圧電素子体内の圧縮電子及び軽水素つまり発電反応の水素より速いつまり中間熱エネルギー体プルトニュームを、取り除いた水素を、軽水素と言う。この場合圧電素子体（９０）だからこそ成り立つ電気そして、電子の電気事実電気電子を、圧縮した素子体を、圧電素子体（９０）と言う。この圧電素子磁気体へ強い衝撃を与えると、磁気圧縮衝撃で、その衝撃磁気力の分だけ圧電素子体内（９０）に圧縮されている磁気電子電気エネルギーは、圧電素子体（９０）から磁気電気は、外へ出る特性を、利用した軽水素内蔵圧電素子体（９０）の電気力による磁気電気放電発電と言う図５の軽水素内蔵圧電素子結合第一ダイナモ（４３）は、機械式発電機（１６）の発電の方式の基礎となるダイナモ（４３）は、圧電素子圧縮電子エネルギーと軽水素電気融合発電の三つの磁気発電力要素を、取り入れた圧電素子軽水素ニッケル素子体接合第一第二ダイナモ（４３，６０，）の説明である。
圧電素子軽水素ニッケル素子体接合第一第二ダイナモ（４３，６０，）を、電気発電に変える  二つのシステム説明を、始める。まず最初に図９に示されている二連振り子型第一機械式発電機大型回転体全自動巻き取り式ゼンマイ装置（４７，４９，）は、ゼンマイ装置（４７，４９，）が、伸び切った時点で、回転体（２１０）は、図９の説明に基ずいて超小型レールモーターの略称を、回転体（２１０）として、これから作動方法の説明を、図９，図１０，に基ずいて説明する。
回転体軸装置（１９２）は、回転体内部軸作動第一電磁石（１８４）回転体内部軸作動第二電磁石（１８５）回転体内部軸作動第三電磁石（１８６）回転体内部軸作動第四電磁石（１８７）は、回転体内部軸作動電磁石第一絶縁体（１８０）回転体内部軸作動電磁石第二絶縁体（１８１）回転体内部軸作動電磁石第三絶縁体（１８２）回転体内部軸作動電磁石第四絶縁体（１８３）は、内部軸電磁石（１８４，１８５，１８６，１８７，）それぞれの電磁石能力を、保つため回転体内部軸作動電磁石絶縁体（１８０，１８１１８２，１８３，）それぞれを図９に示す様に電磁石それぞれが単独リレー反応電磁石とする。この二連振り子型機械式発電機第一回転体ゼンマイ装置（４７）二連振り子型機械式発電機第二回転体ゼンマイ装置（４９）は、全自動作動説明として、回転体作動装置超薄第一電磁石板（１７６）回転体作動装置超薄第二電磁石板（１７７）回転体作動装置超薄第三電磁石板（１７８）回転体作動装置超薄第四電磁石板（１７９）これら電磁石装置（１７６，１７７，１７８，１７９，）それぞれは、同じ能力の電磁石外部固定回転体装置部分（１７６，１７７，１７８，１７９，）は、回転体外部固定超薄電磁石第一絶縁体（１８８）回転体外部固定超薄電磁石第二絶縁体（１８９）回転体外部固定超薄電磁石第三絶縁体（１９０）回転体外部固定超薄電磁石第四絶縁体（１９１）これら複数絶縁体（１８８，１８９，１９０，１９１，）これら絶縁体によって回転体外部固定超薄電磁石（１７６，１７７，１７８，１７９，）は、それぞれの複数配線電磁石の役割を、示す。これらリレー役割を、示す電磁石作動回転体（１９２）の説明は、図９図１０によって、説明する。        二連振り子型第一機械式発電機回転体ゼンマイ全自動巻き取り装置（４７）そして二連振り子型第二機械式発電機回転体ゼンマイ全自動巻き取り装置（４９）は、回転体内部軸作動電磁石（１８４）は、電気リレー電磁石Ｓ極信号によって回転体外部固定超薄電磁石（１７６）は、同じＳ極電気リレー電磁石Ｓ信号を、おくられるため外側固定回転体電磁石（１７６，１７７，１７８，１７９，）は、電気リレー反発電磁石信号作動する。そのため、回転体軸装置（１９２）についずいして回転体内部軸作動第一電磁石から第四電磁石（１８４，１８５，１８６，１８７，）は、電気リレー反発電磁石信号作動する。この回転体超小型モーター（２１０）は、リレー電磁石反発作動移動回転モーター装置（２１０）になる。
回転体内部軸作動第一電磁石（１８４）は、回転体内部作動体第一電磁石プラス第一電気配線（２０１）回転体内部作動体第一電磁石マイナス第一電気配線（２０２）この二つの電気配線で、電気リレー反発電磁石信号作動する。再び回転体内部軸作動第二電磁石（１８５）は、回転体内部作動体第二電磁石プラス第二電気配線（２０３）回転体内部作動体第二電磁石マイナス第二電気配線（２０４）この二つの電気配線で電気リレー反発電磁石信号作動する。再び回転体内部軸作動第三電磁石（１８６）は、回転体内部作動体第三電磁石プラス第三電気配線（２０５）回転体内部作動体第三電磁石マイナス第三電気配線（２０６）は、二つの電気配線で、電気リレー反発電磁石信号作動する。そして回転体内部軸作動第四電磁石（１８７）は、回転体内部作動体第四電磁石プラス第四電気配線（２０７）回転体内部作動体第四電磁石マイナス第四電気配線（２０８）これら回転体内部軸すべての電磁石配線（２０１，２０２，２０３，２０４，２０５，２０６，２０７，２０８，）これらプラスマイナス複数配線で、電気リレー反発電磁石信号作動する。この回転体軸装置（１９２）を、回転作動させる回転体外部固定超薄電磁石第一電磁石板（１７６）は、回転体外部固定超薄第一電磁石プラス第一電気配線（１９３）回転体外部固定超薄第一電磁石マイナス第一電気配線（１９４）これら固定外部回転体は、リレー反発電磁石信号電磁石になる。
再び、回転体外部固定超薄電磁石第二電磁石板（１７７）は、回転体外部固定超薄第二電磁石プラス第二電気配線（１９５）回転体外部固定超薄第二電磁石マイナス第二電気配線（１９６）これら固定外部回転体電気配線は、リレー反発電磁石信号電磁石になる。三番目の回転体外部固定超薄電磁石第三電磁石板（１７８）は、回転体外部固定超薄第三電磁石プラス第三電気配線（１９７）そして回転体外部固定超薄第三電磁石マイナス第三電気配線（１９８）この二つの固定外部回転体電気配線によってリレー反発電磁石信号電磁石になる。最後の回転体四番目の回転体外部固定超薄電磁石第四電磁石板（１７９）は、そして回転体外部固定超薄第四電磁石プラス第四電気配線（１９９）回転体外部固定超薄第四電磁石マイナス第四電気配線（２００）これら、二つの固定外部回転体電気配線によってリレー反発電磁石信号電磁石になる。
これら説明によって、回転体軸装置（１９２）は、二連振り子型機械式発電機第一回転体ゼンマイ全自動巻き取り装置（４７）二連振り子型機械式発電機第二回転体ゼンマイ全自動巻き取り装置（４９）これらは、回転体は、リレー回転認識制御磁気体回路スイッチ（３４５）は、全自動で、大型ゼンマイを、全自動巻き取りする機能を、持ち得ているモーター回転磁気記憶回路スイッチである。そのため、図１２を、基に回転体認識回路スイッチ説明を、する。図１２の圧電素子４電子分割装置リレー回転認識制御回路スイッチ説明を、する。特許切れ圧電素子体に外部プラス電極配線（２１４）外部マイナス電極配線（２１５）を、通す事で、電気磁気４分割化によって、電気抵抗分の熱抵抗電気を、圧電素子電気電子４分割装置固形窒素及び冷却装置部分（２４５）によって磁気抵抗中間電子熱電気は、磁気抵抗中間電子電気熱プラス配線（３４６）と磁気抵抗中間電子電気熱マイナス配線（３４７）の二つの磁気抵抗電気に別れるこの電気を、再びリサイクル電気活用するためにプラスチック絶縁体カバー軽水素ニッケル内蔵合成ダイオード（２４８）へ、熱抵抗電気（３４６，３４７，）を、流してリサイクル熱抵抗電気発電として、再び電気熱リサイクル発電して、熱電気処理する方法を、取る。
圧電素子４分割装置（３９）に電気を、通す事で磁気電気分割した陽電子電気と陰電子電気のみを、使用した回転体は、リレー回転認識制御磁気体スイッチ（３４５）によって回転体軸装置（１９２）は熱抵抗のない電気だけで複数電磁石反発省エネルギー作動する。それを説明した図９図１０図１１図１２である。回転体軸装置（１９２）は、図１２に書かれている圧電素子４磁気電子分割リレー装置（２２０）は電気磁気体時間差リレー装置（２２０）は、磁気体の電気の流れるスピードを、利用したリレー装置（２２０）の説明である。電気は、各リレー磁気体装置（２２１）それぞれの複数配線を、圧電素子リレー第一ブラス配線（２２２）圧電素子リレー第一マイナス配線（２２３）それぞれに電気抵抗の取り除いた電気を、通す事になる。圧電素子リレー第二プラス配線（２２４）圧電素子リレー第二マイナス配線（２２５）同じく電気抵抗の取り除いた電気を、通す。圧電素子リレー第三プラス配線（２２６）圧電素子リレー第三マイナス配線（２２７）同じく電気抵抗の取り除いた電気を、通す。そして圧電素子リレー第四プラス配線（２２８）同じく電気抵抗の取り除いた電気を、通す。そして圧電素子リレー第四マイナス配線（２２９）は、同じく電気抵抗の取り除いた電気を、通す。そして圧電素子リレー第五プラス配線（２３０）圧電素子リレー第五マイナス配線（２３１）は、同じく電気抵抗の取り除いた電気だけを、通す。
各配線の電気は圧電素子リレー磁気体装置（２２１）へ送られ電気の微妙な時間差のリレー装置になる。これらリレー装置を、流れる電気は、回転体軸装置（１９２）は、リレー回数認識回路スイッチ（３４５）すなわちリレー回路に流れたリレー電気のある一定回数だけ電気が流れると電気抵抗体スイッチは、磁気記憶する
そして、二連振り子型機械式発電機第一回転体全自動ゼンマイ巻き取り装置（４７）二連振り子型機械式発電機第二回転体全自動ゼンマイ巻き取り装置（４９）のスイッチは、二連振り子第一機械式発電機連動歯車３（４８）は、電気スイッチ金属型歯車Ｎｏ１（３４８）は、電気スイッチ金属歯車電気配線Ｎｏ１（３４９）によって電気スイッチ金属歯車Ｎｏ１（３４８）は、スイッチ歯車になる。並びにスイッチ歯車の合い方の電気スイッチ金属型歯車ナンバー２（３５０）は、同じく電気スイッチ金属歯車電気配線Ｎｏ２（３５１）を、持ち得る事で電気スイッチ金属歯車Ｎｏ１と電気（３４８）スイッチ金属型歯車Ｎｏ２（３５０）は、連動スイッチになる。このスイッチ機能を、持ち得た二連振り子型機械式発電機第一回転体全自動ゼンマイ巻き取り装置（４７）を、全自動させる説明の上で、圧電素子軽水素ニッケル素子体接合第一ダイナモ（４３）及び圧電素子軽水素ニッケル素子体接合第二ダイナモ（６０）これら装置を、作動させるシステムを、図３図４図５図９図１０図１１図１２図３１図３３の説明図を、基に説明する。二つ目のダイナモ作動方法として図１図３図４図５図６図９図１０図１２図１３図１４図１５図１６図１７図１９図３１図３３を、使って二連振り子型機械式発電機（１６）の作動して発電する事実を、説明する。
二連振り子型機械式発電機（１６）の圧電素子軽水素ニッケル素子体接合第一ダイナモ（４３）圧電素子軽水素ニッケル素子体接合第二ダイナモ（６０）は、二連機械式発電機（１６）の軽水素マグネシウムニッケル第一充電池（５５）軽水素マグネシウムニッケル第二充電池（６４）これら充電池は、市販されている水素ニッケル充電池は、３０分程で充電完了する。このバッテリー能力を、越えた軽水素マグネシウムニッケル充電池（５５，６４，）の構造説明は図図１５に書かれている圧電素子磁気電気４分割装置（３９）説明は、図１６を、持って説明になる。
まず最初に電気の中から電気抵抗つまり熱電気だけを、取り除く説明に入る。電気は、電子変化磁気変化磁石変化音変化電波変化画像変化など、さまざまな形に変化する事を、視野に、入れていてください。この場合電気の磁気変化に注目して図１６の説明を、します。
圧電素子は、圧縮電子集合体であり、圧縮電子磁気集合体でもある事実は、特許切れと言う作品  電子ライターなどに使用されている人口で作られた石の特性を、まず磁気磁石電子集合体である事実を、理解してほしい。図１６にある通常電気（まだ熱抵抗電気が、含まれている生の電気  発電発生電気を、言う）圧電素子電気電子４分割装置プラス電気配線部分（２４２）圧電素子電気電子４分割装置マイナス電気配線部分（２４３）これら配線によって、生電気は、圧電素子４分割装置（３９）の中央部分の磁気力の弱い部分プラスマイナス部分へ生電気は、導かれる。尚圧電素子の電子発生力能力を、高めるため、圧電素子内部に、軽水素を、内蔵した圧電素子４分割装置（３９）を、使用する。この場合気化水素より熱エネルギー体のない軽水素は、電池充電スピードでも、熱抵抗電気のない分電気の流れが速く無理なく電気通過又は電気エネルギー発電融合事実は、電気プラス電子分子電気マイナス電子分子それぞれの結合に於いて熱抵抗電気分子（中間電子）属に言う中間子は、ほとんどの物質には、最初から存在している事実は、確かである事を、確認して於いてください。問題は、電気中から中間磁気電子電気プラスマイナスを、人口的に取り除く技術の超電導技術によって電気スピードが上がる事実を、確認して於いてください。軽水素は、人口的に作られた水素のため、熱エネルギー体（プルトニューム）を、人工的に取り除くと軽水素は、水素になろうと言う力を、水素以上に持ち得てしまう。これが、電気スピードを、速める技術電気融合充電のスピード化にどうしても必要な圧電素子軽水素電気融合スピード技術電気とは、スピードを、速める技術においては、熱抵抗電気又は熱エネルギーを、取り除くか高速変化させる方法いずれかがあれば、不可能が、可能に書き変わる説明は、超電導技術の発見発明で、ほとんど説明が、つくと思われます。そのため、これらの電気特性を、活用する技術の構築のまず最初の圧電素子軽水素内蔵技術は、圧電素子磁気電子軽水素電子融合発電の事実を、この場合軽水素自体電子つまり電気分子電子の集合体この説明を、簡単に言うと軽水素が、燃焼する時の熱エネルギーを、電気エネルギー換算した場合の考え方に基ずいて軽水素の圧電素子内蔵においての、軽水素融合発電とは、圧電素子のみより、軽水素の方が圧電素子電気発生エネルギーより軽水素電気変換換算エネルギーの方が上のため、通常圧電素子の電子発生より、軽水素内蔵圧電素子体の電子発生が、上回る事実は、物質の電気変化能力説明にあると言える。この事実を、踏まえて圧電素子４電子分割装置（３９）内に取り込まれる通常電気は、圧電素子軽水素磁気分割する事実は、電気は、磁気瞬間変化で、一般科学上説明が、付くそのため圧電素子軽水素４電子分割装置（３９）を、圧電素子電気電子４分割装置固形窒素及び冷却装置部分（２４５）によって圧電素子軽水素４電子分割装置（３９）を、冷却する技術は、さらに磁気電気分割を、熱抵抗体電気エネルギー分割の事実へさらに電気の世界の熱抵抗体電気取り除き技術の電気分野の革命である事実を、ここに告げる。
電気を、ある一定温度まで、冷やすと電気抵抗は、ゼロになる。だがこの電気を、使用した場合、電気使用時は、電気抵抗が、電気装置の構造によっては再び発生する。つまり電気から熱抵抗電気を、最初から取り除いた場合そして、その電気使用の差は、熱抵抗の内電気の方が、熱抵抗の発生が遅いと考えられる。したがって生の電気は、磁気冷却分割技術  圧電素子磁気電気電子４分割装置（５４，６３，）によって４つの磁気電気分割  圧電素子磁気電気電子４分割プラス電極配線（２３７）圧電素子磁気電気電子４分割マイナス電極配線（２３８）の磁気スピード電気それぞれと、圧電素子磁気軽水素プラス中間電子誘導銅板電極部分プラス配線装置（２４６）属に簡単に言うと中間陽電子電気配線とも言う。圧電素子磁気軽水素マイナス中間電子誘導銅板電極部分マイナス配線装置（２４７）属に簡単に言うと中間陰電子電気配線とも言う。通常の生の電気（２４２，２４３，）を、圧電素子磁気電気電子４分割装置（５４，６３）によって事実上磁気電気の強くて速い（２３７，２３８，）事実上磁気電気の弱くて遅い（２４６，２４７，）に別ける事が、出来るのが事実説明である。図１６追加説明として、事実上磁気電気の弱くて遅い（２４６，２４７，）つまり熱抵抗電気と位置ずけて、この電気（２４６，２４７）を、熱抵抗電気リサイクル発電再利用システム化によって再び図１６の説明を、する。
圧電素子磁気軽水素プラス中間電子誘導銅板電極部分プラス配線装置（２４６）圧電素子磁気軽水素マイナス中間電子誘導銅板電極部分マイナス配線装置（２４７）これら熱抵抗磁気電気は、ソーラパネル発電応用技術によるプラスチック絶縁カバー付き軽水素内蔵ニッケル液体ダイオード装置（２４８）によって、熱抵抗電気（２４６，２４７，）を、再びリサイクル熱抵抗電気発電する。発電された電気は、圧電素子電気電子磁気４分割装置中間電子リサイクル電気軽水素液体合成ダイオード圧電素子磁気電気再処理プラス電気配線（２４９）圧電素子電気電子磁気４磁気分割装置中間電子リサイクル電気軽水素液体合成ダイオード圧電素子磁気電気再処理マイナス電気配線（２５０）これら装置は、電気熱処理発電として、プラスチック絶縁カバー液体ダイオードニッケル軽水素内蔵液体タイオード（２４８）は、液体ダイオード能力と軽水素融合発電能力つまり  ソーラーパネル発電応用技術によって熱電気は、リサイクル発電方法として、再び発電された電気は、再利用される事になる。再利用電気に関しても圧電素子電気電子磁気４分割装置（５４，６３，）によって圧電素子電気電子磁気４分割して、スピード電気充電に備える。取り合えず図１５図１６の説明を、終える。
スピード充電方法が、確立したため、二連振り子式第一機械式発電機第一振り子装置（５０）は、図３図４の二連振り子式第二機械式発電機第二振り子装置（６６）のレールモーター説明を、図７図８図１１に従ってレールモーター（３８）の説明を、始める。
このレールモーター（３８）の特徴は、コイルなしモーターで有りモーター作動方法として、複数電磁石反発リレー制御作動もしくは、複数電磁石吸引リレー制御作動を、図７図８図１１の図に基ずいて説明する。レールモーター回転軸（１６４）を、作動させるためには、レールモーター固定第一電磁石（１００）レールモーター固定第二電磁石（１０１）レールモーター固定第三電磁石（１０２）レールモーター固定第四電磁石（１０３）レールモーター固定第五電磁石（１０４）レールモーター固定第六電磁石（１０５）レールモーター固定第七電磁石（１０６）レールモーター固定第八電磁石（１０７）これらレールモーター複数電磁石装置（１００，１０１，１０２，１０３，１０４，１０５，１０６，１０７，）は、電磁石装置になるための複数配線  レールモーター固定第一電磁石プラス配線（１１６）レールモーター固定第一電磁石マイナス配線（１１７）レールモーター固定第二電磁石プラス配線（１１８）レールモーター固定第二電磁石マイナス配線（１１９）レールモーター固定第三電磁石プラス配線（１２０）レールモーター固定第三電磁石マイナス配線（１２１）レールモーター固定第四電磁石プラス配線（１２２）レールモーター固定第四電磁石マイナス配線（１２３）レールモーター固定第五電磁石プラス配線（１２４）レールモーター固定第五電磁石マイナス配線（１２５）レールモーター固定第六電磁石プラス配線（１２６）レールモーター固定第六電磁石マイナス配線（１２７）レールモーター固定第七電磁石プラス配線（１２８）レールモーター固定第七電磁石マイナス配線（１２９）レールモーター固定第八電磁石プラス配線（１３０）レールモーター固定第八電磁石マイナス配線（１３１）これら複数電磁石配線は、各複数電磁石（１００，１０１，１０２，１０３，１０４，１０５，１０６，１０７，）の永久電磁石化と図１２のリレー装置によって作動するレールモーター軸（３８）を、作動させるため複数電磁石それぞれを、単独それぞれの電磁石にするため、複数絶縁体それぞれを、持ち得る事で単独絶縁体が、可能になる。そのためのレールモーター外周固定電磁石第一絶縁体（１３２）レールモーター外周固定電磁石第二絶縁体（１３３）レールモーター外周固定電磁石第三絶縁体（１３４）レールモーター外周固定電磁石第四絶縁体（１３５）レールモーター外周固定電磁石第五絶縁体（１３６）レールモーター外周固定電磁石第六絶縁体（１３７）レールモーター外周固定電磁石第七絶縁体（１３８）レールモーター外周固定電磁石第八絶縁体（１３９）これら複数絶縁体によって、複数の電磁石体（１００，１０１，１０２，１０３，１０４，１０５，１０６，１０７，）それぞれの単独電磁石機能と連結する事で、レールモーター軸（３８）に接合になってる複数電磁石  レールモーター内側作動用複数第一電磁石軸装置（１０８）レールモーター内側作動用複数第二電磁石軸装置（１０９）レールモーター内側作動用複数第三電磁石軸装置（１１０）レールモーター内側作動用複数第四電磁石軸装置（１１１）レールモーター内側作動用複数第五電磁石軸装置（１１２）レールモーター内側作動用複数第六電磁石軸装置（１１３）レールモーター内側作動用複数第��電磁石軸装置（１１４）レールモーター内側作動用複数第八電磁石軸装置（１１５）これらレールモーター内側作動用複数電磁石装置（１０８，１０９，１１０，１１１，１１２，１１３，１１４，１１５，）これら装置は、レールモーター固定第一電磁石（１００，１０１，１０２，１０３，１０４，１０５，１０６，１０７，）これらレールモーター固定電磁石それぞれの電磁石反発移動エネルギーで、レールモーター（３８）は、回転作動する。この場合図１２のリレー装置  リレー磁気体回路認識回路（３４５）は、一般市場に販売されているリレー装置でも同じ作動は、します。つまり、レールモーター（３８）が、コイルがないため電気消費量が、少なく  尚且つ圧電素子磁気電気電子４分割装置（３９）に生の電気を、通して熱抵抗電気を、取り除く装置  なんども繰り返しますが電気は、磁石変化する  この電気磁気変化特性を、応用した技術を、圧電素子体に電気を、通す技術を、活用する事で、電気電子磁気分割する現象に、於いて電気磁気の強い  圧電素子４電気電子分割陽電子プラス磁気電極装置部分（２１６）圧電素子体４電気電子分割陰電子マイナス磁気電極装置部分（２１７）これら装置部分から、熱抵抗磁気電気電子の含まない電気だけを、取る事が、出来る装置である。そのため、図１２の説明及び図７図８の説明によってレールモーター（３８）の作動状況説明  省エネルギーレールモーター水中ポンプ（１１）図２０図２３図２４の水中ポンプのモーターつまりレールモーター（３８）作動方法説明並びに省エネルギーレールモーター真空装置（３）つまり図２２の真空装置に使用されるレールモーター（３８）のレールモーター（３８）作動状況説明として最後に省エネルギーレールモーター電動仕切り便（３６）図２７のレールモーター（３８）の作動説明それぞれの省エネルギーレールモーター（３８）の説明によってコイルなしレールモーター（３８）の省エネルギーの説明  圧電素子体磁気電気電子４分割装置（３９）の使用説明によってリレー磁気体認識回路装置（３４５）図１２の説明によってレールモーター（３８）は、リレー作動（３４５）する省エネルギーモーターである事を、わかっていただけたと思います。
図３の振り子装置（５０）（６６）は、図５の圧電素子軽水素ニッケル素子体接合第一ダイナモ（４３）を、作動させる二つ目の方法説明を、始める。
図３の二連振り子型機械式発電機第一振り子装置（５０）二連振り子型機械式発電機第二振り子装置（６６）は、レールモーター振り子軸電磁石スイッチ接合装置（２３２）は、二連振り子機械式発電機振り子装置（５０，６６，）は、片方作動時のみつまりレールモーター振り子軸歯車装置歯車部分（２３３）を、作動させるための二連振り子型機械式発電機振り子装置（５０，６６，）は、レールモーター（３８）の機能を、持ち得た二連振り子型機械式発電機振り子装置（５０，６６，）それぞれに組み込まれておる振り子装置（５０，６６，）であり二連振り子型機械式発電機振り子レールモーター装置側左側作動電磁石反発装置（７０）及び二連振り子型機械式発電機振り子レールモーター装置側右側作動電磁石反発装置（７１）これら二連振り子型機械式発電機振り子装置（５０，６６，）は、二連振り子型機械式発電機左側振り子電磁石反発固定装置側（５６）二連振り子型機械式発電機右側振り子電磁石反発固定装置側（５７）これら装置の決められた位置つまり二連振り子型機械式発電機振り子装置（５０，６６，）に対して付属される二連機械式発電機固定レールモーター装置（６９）の決められた振り子振り角度レールモーター装置位置（６９）によって又同じ位置時間  二連振り子型機械式発電機左側振り子電磁石反発固定装置側（５６）は、二連振り子型機械式発電機振り子レールモーター装置側左側作動電磁石反発装置（７０）これら装置の電磁石反発作動で、二連振り子型機械式発電機振り子装置（５０，６６，）は、電磁石反発作動力とレールモーター（６９）往復作動運動を、同じ振り子装置（５０，６６，）は、左から右そして、二連振り子型機械式発電機振り子レールモーター装置側右側作動電磁石反発装置（７１）は、二連振り子型機械式発電機右側振り子電磁石反発固定装置側（５７）によって電磁石反発作動して、同じ時間  二連機械式発電機固定レールモーター装置（６９）の作動によって二連振り子型機械式発電機振り子装置（５０，６６，）は、右から左へ電磁石反発全自動移動する。この交互の運動を、全自動で、繰り返す事によって図５の圧電素子軽水素ニッケル素子体接合ダイナモ（４３，６０，）を、二連振り子型機械式発電機連動歯車（４５，４６，４８，５１）によって、連続回転作動させる事が、出来る連動歯車装置（４５，４６，４８，５１，６５，）である。これら圧電素子軽水素ニッケル素子体接合ダイナモ（４３，６０，）で発電された電気は、軽水素マグネシウムニッケル第一充電池（５５）軽水素マグネシウムニッケル第二充電池（６４）へ急速充電方法として、圧電素子磁気電気電子４分割装置中間熱抵抗電気冷却リサイクル電気使用陽電子磁気電気陰電子磁気電気のみ使用装置（５４，６３，）によって更に急速充電は、熱抵抗電気を、取り除いた電気は、電気充電の邪魔する要因が、ないため急速充電される。
この説明は、図１２で行った通りである。
圧電素子軽水素ニッケル素子体接合ダイナモ（４３，６０，）の回転作動によって発電された電気エネルギーは、二連振り子型機械式発電機電気電子変換装置（５２，６７，）この装置に電気が、通る事で、電気電子変換時に対して電気電子増幅された電気を、再び二連振り子型機械式発電機振り子装置（５０，６６，）の速度増幅を、計って圧電素子軽水素ニッケル素子体接合ダイナモ（４３，６０，）の回転スピードを、上げて圧電素子軽水素ニッケル素子体接合ダイナモ（４３，６０，）の発電電力量を、上げる此の際二連振り子型第一機械式発電機（１６）二連振り子型第二機械式発電機（５９）は、片方の第一機械式発電機（１６）の発電された電気エネルギーで、第二機械式発電機（５９）へ電気エネルギー増幅振り子作動システム方法として、二連振り子型機械式発電機第一振り子装置（５０）で、作られた電気エネルギーは、二連振り子型機械式発電気第二振り子装置（６６）へ電気増幅作動する電気エネルギーを、二連振り子型第一機械式発電機（１６）から、二連振り子型第二機械式発電機（５９）へ増幅電気エネルギーを、送るこの際二連振り子型第二機械式発電機（５９）は、電気増幅作動発電する。再び二連振り子型第二機械式発電機（５９）で、電気エネルギー増幅発電された発電エネルギーは、再び二連振り子型第一機械式発電機（１６）へ更に増幅された電気エネルギーを、得る事で二連振り子型機械式第一発電機（１６）は、更に発電力アップするこのシステムの繰り返し発電で二連第一機械式発電機（１６）及び二連第二機械式発電機（５９）の機械が持ち得る最大圧電素子軽水素ニッケル素子体接合ダイナモ（４３，６０，）装置それぞれの持ち得る最大発電量まで発電量を、引き出せる二連振り子型機械式発電機（１６，５９，）それぞれの発電装置である。
此の場合図６の追加説明を、する。二連機械式発電機連動歯車装置（５３）を、円滑に作動させるため、ノーグリス化の方法として電磁石反発軸電磁石内蔵装置（９７）の様に電磁石反発軸内蔵型歯車軸装置（９８）これら装置は、電磁石反発軸方法のノーグリス化として、電磁石反発軸磁石（圧電素子磁石軽水素マグネシウム素子体補給用充電池歯車（９９）に見るように作動回転回数の激しい金属摩耗の戦いに対して対応した二連機械式発電機連動歯車装置（５３）と言える。その上で図１３図１４の電磁石スイッチ接合歯車軸作動振り子軸歯車装置（４４）は、自動巻き時計型振り子装置とは違った構造を、持つ装置  つまり振り子装置（５０，６６，）の作動エネルギーを、歯車連動エネルギーに変える技術とは、片方向の振り子作動エネルギーを、歯車に伝える方法としてレールモーター振り子軸電磁石スイッチ接合装置（２３２）を、従えてレールモーター振り子軸絶縁体部分（２３４）は、二連振り子型機械式発電機振り子装置（５０，６６，）振り角度の未使用部分にあたる。図１７の説明として電磁石スイッチ接合歯車軸作動振り子軸歯車装置（４４）は、二連振り子型機械式発電機レールモーター振り子軸プラス配線装置（２５２）二連振り子型機械式発電機レールモーター振り子軸マイナス配線装置（２５３）それぞれのレールモーター配線装置説明になる。
図１９は、二連振り子型機械式発電機電気電子変換装置（５２）の電気電子変換の説明図であり既に特許切れ物件で、電子レンジ応用などの説明などを、考えると分かりやすい。この、電気電子変換装置があれば機械式発電機一台でも、増幅発電が、可能になる。【０００８】図２２に書かれている真空装置（３）は、通常真空装置のモーターを、レールモーター（３８）に変える事でコイルなしモーター省エネルギー電気消費能力モーターつまりレールモーター（３８）に変える事で真空装置（３）は、省エネルギーレールモーター真空装置（３）に書き変わるこの他真空装置に、省エネルギーレールモーター電動仕切り便装置（３６）は、スクリュウ便にレールモーター（３８）を、取り付けただけの装置である。
特許切れ真空装置（３）の概略説明としてある仕切られた部屋の空気を、抜くだけの装置にしか過ぎず  この真空装置（３）水発電機本体（３２）応用は、真空装置（３）の応用の極一部の応用にしか過ぎず真空装置（３）自体簡単に作られている装置と言える。レールモーター真空装置エアー吸引口（２６９）は、真空装置作動時ここからエアー吸引になる。エアーは、レールモーター真空装置フアン装置（２９４）によってエアー吸引される。
レールモーター（３８）は、レールモーター真空装置留め金装置（２８０）によってレールモーター（３８）は、固定される。吸引されたエアーは、省エネルギーレールモーター電動仕切り便（３６）は、省エネルギーレールモーター真空装置（３）によって吸引されたエアーは、省エネルギーレールモーター電動仕切り便（３６）によってエアーの出し入れが、全自動作動になる。
ここまでの省エネルギーレールモーター真空装置（３）の全自動機械作動説明になる。
レールモーター（３８）の説明にあたっては（０００７）に書かれてる通りである。重複説明のため（０００７）を、読んで下さい。【０００９】図２０図２１図２３図２４に示されてる省エネルギーレールモーター水中モーターの説明に入る。
省エネルギーレールモーター水中ポンプ（１１）に使用されるレールモーター（３８）は（０００７）に記載されている説明の重複説明のため、（０００７）を、読んで下さい。
図２１に示されている丸浮き電波磁気読み込み水位センサー（８）は、発電処理水タンク金属網装置（２５７）によって丸浮き電波磁気読み込み水位センサー（８）の丸浮きは、同位置を、保てる。
発電処理水タンク室（３４）は、水位センサー電波発射装置本体（２６７）は、この装置は、形態波各種無線波いずれの電波発射装置  つまり市販されてる安い装置で良いちなみにこの電波発射装置それぞれは、特許切れと思われる。発射された電波は、発電処理水水位センサー電波キャッチ磁気体電波センサー確認装置（２６２）によって満水時丸浮き装置（８）の電波遮り現象は、発電処理水水位センサー電波キャッチ磁気体電波センサー確認装置（２６２）によって水満水の知らせを、丸浮き電波磁気読み込み水位センサー（８）によって感知するシステム説明になる。
図２３図２４は、水満水の続きの説明に入る。発電処理水タンク室（３４）の丸浮き電波磁気読み込み水位センサー（８）の働きによって省エネルギーレールモーター水中ポンプ（１１）は、省エネルギーのため、レールモーター（３８）の使用によってコイルなしの分電気消費量は、少なくなり圧電素子磁気電気電子４分割装置（３９）によって熱抵抗電気は、取り除かれ再利用電気として再び電気使用になるシステムを、活用している。丸浮き電波磁気読み込み水位センサー（８）の働きによって省エネルギーレールモーター水中ポンプ（１１）は、全自動作動する。水（１４）は、発電処理水水中ポンプ給水穴装置（２６１）によって水（１４）は、給水され吸水された水（１４）は、レールモーター水中ポンプ水排出口（３０１）から流れ省エネルギーレールモーター真空装置室（３５）へ水（１４）を、送る事の出来るシステム装置の説明である。【０００１０】図２５図２６図３０に示した図の説明に入る。  図２５は合成水素（４）固形水素（４）液体水素（４）に於いて合成水素の説明図である。固形水素（３０４）とは液体水素（４）つまり液体マグネシウム（４）に炭素を、混ぜて固めた水素吸収体（４）を、言う。又固形水素（４）の中に液体マグネシウム（３０３）を、入れた水素吸収体を、合成水素と言う。
図２６に示した図は、固形水素  液体水素  合成水素発電残水処理穴空き金属パネル（３０５）は穴空き圧電素子合わせ穴空きアルミニウムパネル（３０７）の構造になっており発電時磁気分割電気誘引を、目的としている。固形水素液体水素合成水素発電残水処理穴空き金属パネル止めボルト穴装置（３０６）の装置システム説明になる。
図３０は、固形水素  液体水素  合成水素発電残水処理穴空き金属パネル止めボルト穴装置（３０６）を、従えて発電室固形水素  液体水素  合成水素室  上ぶた金具装置（３３４）は合成水素（４）つまり固形水素液体水素  合成水素発電室水素吸収物質おさえ金具止めボルト穴装置（３３３）に合成水素（４）が収まる構造システムになっている。【０００１１】図２８に示した図の説明に入る。水発電機振動防止ゴム（１３）は水発電機本体ささえゴムハガネ内蔵装置（３２３）構造及び水発電機ハガネ振動吸収体（３２０）構造を、持ち得た装置である。水発電機本体支えゴム二つ合わせ装置ボルト止め装置部分（３２４）を、介して水発電機本体支えゴムハガネ内蔵下部装置（３２６）からなる構造を、有した構造内容説明である。【０００１２】図２９に示した図の説明に入る。この図は銅板電極（６）内に圧電素子磁気体内蔵銅板電極（３２８）は、発電時の磁気発電電気分割を、目的としている。この大型銅板平板電極（３３１）は大型銅板平板電極止めボルト穴装置（３３２）からなる構造を有した装置説明である。【０００１３】図１８に示した図の説明に入る。この図は温度センサーを、示した図であり市販されている温度センサーでもある。クリスタルガラス管封入型温度計センサー（２５５）は、サーミスター装置（２５４）を、備えた温度センサー（２５５）であり温度センサープラス配線（３５３）温度センサーマイナス配線（３５４）の二つの配線で作動する温度センサー（２５５）であり、温度センサー止め金装置（３５２）で、止まっている。
【考案の効果】
【０００１４】本発明の水発電機に係わるレールモーターなどの著作権考案発明によって水発電機の真空装置水中ポンプ電動仕切り便機械式発電機の省エネルギー化を、目的とした発電機効果を、そくして二連振り子型機械式発電機の著作権考案発明作品は、今まで以上の機械式発電効果を、上げる事が、確実になった。
並びに圧電素子磁気電気電子４分割装置の著作権考案発明は、水発電機に欠かせない機械式発電機のバッテリー装置の急速充電システムの構築を、計る事が、出来たためバッテリー充電技術だけの発電機開発に拍車を、かける事になる。並びにバッテリーにおいての軽水素ニッケルバッテリー又は充電池の著作権考案発明技術これらの数多くの著作権考案発明技術の構築で、水発電機の消費電力を、抑えた発電機の開発が、出来たと言える。
この水発電機を、日本の弱者庶民と共同で発電効率の良い水発電機売電事業が、近付いたと言える。
【図面の簡単な説明】
【００１５】
【図１】    本考案に係わる水発電機本体の発電システム構造における発電システム説明図である。
【図２】    本考案に係わる水発電機本体の発電システム管理説明図である。
【図３】    本考案に係わる機械式発電機の内部構造説明図である。
【図４】    本考案に係わる二連振り子型機械式発電機の内部構造説明図である。
【図５】    本考案に係わる軽水素内蔵型圧電素子体接合ダイナモの内部構造説明図である。
【図６】    本考案に係わる電磁石反発軸の構造説明図である。
【図７】    本考案に係わるレールモーター表図の説明図である。
【図８】    本考案に係わるレールモーター裏面図の説明図である。
【図９】    本考案に係わるレールモーター回転体の説明図である。
【図１０】    本考案に係わるレールモーター回転体の内部説明図である。
【図１１】    本考案に係わるレールモーター組み立て装置説明図である。
【図１２】    本考案に係わる圧電素子磁気電気電子４分割装置リレー装置の説明図である。
【図１３】    本考案に係わる電磁石スイッチ接合歯車軸作動振り子装置の第一説明図である。
【図１４】    本考案に係わる電磁石スイッチ接合歯車軸作動振り子装置の第二説明図である。
【図１５】    本考案に係わる圧電素子磁気電気電子４分割装置付き軽水素ニッケル充電池の説明図である。
【図１６】    本考案に係わる圧電素子磁気電気電子４分割装置リサイクル再利用電気装置の説明図である。
【図１７】    本考案に係わる電磁石スイッチ接合歯車軸作動振り子装置の第三説明図である。
【図１８】    本考案に係わる温度センサーの説明図である。
【図１９】    本考案に係わる電気電子変換装置の説明図である。
【図２０】    本考案に係わる丸浮き電波磁気読み込み式水位センサーの第一説明図である。
【図２１】    本考案に係わる丸浮き電波磁気読み込み式水位センサーの第二説明図である。
【図２２】    本考案に係わる省エネルギーレールモーター真空装置の説明図である。
【図２３】    本考案に係わる丸浮き電波磁気読み込み式水位センサーの第三説明図である。
【図２４】    本考案に係わる発電処理水水中ポンプの説明図である。
【図２５】    本考案に係わる水素吸収体合成水素の説明図である。
【図２６】    本考案に係わる合成水素穴空き金属パネル発電装置の説明図である。
【図２７】    本考案に係わる省エネルギーレールモーター電動仕切り便装置の説明図である。
【図２８】    本考案に係わる水発電機振動吸収ゴムの説明図である。
【図２９】    本考案に係わる圧電素子内蔵板銅板電極装置の説明図である。
【図３０】    本考案に係わる合成水素穴空き金属パネル発電装置の説明図である。
【図３１】    本考案に係わる軽水素炭素マグネシウムニッケルバッテリー装置の第一説明図である。
【図３２】    本考案に係わる軽水素炭素マグネシウムニッケルバッテリー装置の第二説明図である。
【図３３】    本考案に係わる歯車駆動スイッチの説明図である。
【符号の説明】
【０００１６】１……水発電機第一温度センサー
２……真空装置室仕切り壁
３……省エネルギーレールモーター真空装置
４……固形水素  液体水素  合成水素
５……水発電機発電室第二温度センサー
６……銅板プラス電極
７……銅板マイナス電極
８……丸浮き電波磁気読み込み式水位センサー
９……水発電機発電残水室第三温度センサー
１０……水発電機電動仕切り弁室
１１……省エネルギーレールモーター水中ポンプ
１２……水送り管
１３……振動防止ゴム
１４……水
１５……丸浮き電波磁気読み込み式水位センサー
１６……二連振り子型機械式発電機
１７……始動スイッチ  （鍵）
１８……発電電気外部送電取り付け装置
１９……アンメーター
２０……ボルトメーター
２１……発電使用メーター
２２……丸浮き電波磁気読み込み式第二水位センサーメーター
２３……省エネルギーレールモーター真空装置作動メーター
２４……省エネルギーレールモーター真空装置室第二温度センサーメーター
２５……丸浮き電波磁気読み込み式第一水位センサーメーター
２６……発電処理水室第一温度センサーメーター
２７……バッテリー充電量第一メーター
２８……バッテリー充電量第二メーター
２９……バッテリー充電量第三メーター
３０……二連振り子型機械式発電機メーター
３１……水発電機補助メーター１
３２……水発電機本体
３３……真空装置作動補助電源コード口
３４……発電処理水タンク室
３５……省エネルギーレールモーター真空装置室
３６……省エネルギーレールモーター電動仕切り弁
３７……水素吸収体発電室  （別略名称  液体水素  固形水素  合成水素発電室）
３８……レールモーター
３９……圧電素子磁気電気電子４分割装置
４０……軽水素炭素マグネシウムニッケル第一バッテリー
４１……軽水素炭素マグネシウムニッケル第二バッテリー
４２……軽水素炭素マグネシウムニッケル第三バッテリー
４３……軽水素内蔵圧電素子接合ダイナモ
４４……電磁石スイッチ接合歯車軸作動振り子軸歯車装置
４５……二連振り子型機械式発電機連動歯車１
４６……二連振り子型機械式発電機連動歯車２
４７……二連振り子型機械式発電機第一大型ゼンマイ全自動巻き取り装置
４８……二連振り子型機械式発電機連動歯車３
４９……二連振り子型機械式発電機第二大型ゼンマイ全自動巻き取り装置
５０……二連振り子型機械式発電機第一振り子装置
５１……二連振り子型機械式発電機連動歯車４
５２……二連振り子型機械式発電機第一電気電子変換装置
５３……二連振り子型第一機械式発電機電磁石スイッチ接合歯車軸作動振り子軸歯車装置
５４……二連振り子型第一機械式発電機圧電素子磁気電気電子４分割装置  中間電子電気  陽電子磁気電気  陰電子磁気電気のみ使用装置
５５……軽水素炭素マグネシウムニッケル第一充電池
５６……二連振り子型機械式発電機左側振り子電磁石反発固定装置側
５７……二連振り子型機械式発電機右側振り子電磁石反発固定装置側
５８……リレー装置  （別名称  全自動レールモーター制御装置）
５９……二連振り子型第二機械式発電機
６０……圧電素子軽水素ニッケル素子体接合第二ダイナモ
６１……二連振り子型第二機械式発電機電磁石スイッチ接合歯車軸作動振り子軸歯車装置
６２……二連振り子型第二機械式発電機連動歯車３
６３……二連振り子型第二機械式発電機圧電素子磁気電気電子４分割装置
６４……軽水素炭素マグネシウムニッケル第二充電池
６５……二連振り子型機械式発電機連動歯車５
６６……二連振り子型機械式発電機第二振り子装置
６７……二連振り子型機械式発電機第二電気電子変換装置
６８……二連振り子型機械式発電機振り子レール  モーター作動側装置
６９……二連機械式発電機固定レール  モーター装置
７０……二連振り子型機械式発電機振り子レールモーター装置側左側作動電磁石反発装置
７１……二連振り子型機械式発電機振り子レールモーター装置側左側作動電磁石反発装置
７２……二連振り子型機械式発電機プラス第一電気配線
７３……二連振り子型機械式発電機マイナス第一電気配線
７４……二連振り子型機械式発電機電磁石固定装置左側プラス第二電気配線
７５……二連振り子型機械式発電機電磁石固定装置左側マイナス第二電気配線
７６……二連振り子型機械式発電機圧電素子軽水素内蔵接合ダイナモ電気電子変換装置プラス第三電気配線
７７……二連振り子型機械式発電機圧電素子軽水素内蔵接合ダイナモ電気電子変換装置マイナス第三電気配線
７８……二連振り子型機械式発電機第二大型ゼンマイ装置全自動レールモーター巻き戻し振り子作動歯車プラス第四電気配線
７９……二連振り子型機械式発電機第二大型ゼンマイ装置全自動レールモーター巻き戻し振り子作動歯車マイナス第四電気配線
８０……二連振り子型機械式発電機第二大型ゼンマイ全自動作動装置巻き取り全自動読み込み読み取り装置
８１……二連振り子型機械式発電機電磁石固定装置右側プラス第五電気配線
８２……二連振り子型機械式発電機電磁石固定装置右側マイナス第五電気配線
８３……二連振り子型機械式発電機振り子装置軸プラス第六電気配線
８４……二連振り子型機械式発電機振り子装置軸マイナス第六電気配線
８５……二連振り子型機械式発電機圧電素子軽水素内蔵接合ダイナモプラス第七電気配線
８６……二連振り子型機械式発電機圧電素子軽水素内蔵接合ダイナモマイナス第七電気配線
８７……二連振り子型機械式発電機第一大型ゼンマイ装置全自動巻き取りレールモーター振り子歯車作動プラス第八電気配線
８８……二連振り子型機械式発電機第一大型ゼンマイ装置全自動巻き取りレールモーター振り子歯車作動マイナス第八電気配線
８９……圧電素子軽水素内蔵マグネシウム  （ダイナモ装置）
９０……圧縮電気電子融合体圧電素子
９１……圧電素子軽水素炭素マグネシウム内蔵陽電子電極
９２……圧電素子軽水素炭素マグネシウム内蔵陰電子電極
９３……圧電素子軽水素内蔵炭素マグネシウム接合ダイナモ止めボルト装置
９４……圧電素子軽水素内蔵炭素マグネシウムダイナモ端子発電装置
９５……圧電素子軽水素内蔵炭素マグネシウム接合ダイナモ軸装置
９６……電磁石反発軸内蔵型歯車装置歯車部分
９７……電磁石反発軸電磁石内蔵装置
９８……電磁石反発軸内蔵型歯車軸装置
９９……電磁石反発軸圧電素子磁石軽水素マグネシウム素子体補給用歯車充電池
１００…‥レール  モーター固定第一電磁石
１０１…‥レール  モーター固定第二電磁石
１０２…‥レール  モーター固定第三電磁石
１０３…‥レール  モーター固定第四電磁石
１０４…‥レール  モーター固定第五電磁石
１０５…‥レール  モーター固定第六電磁石
１０６…‥レール  モーター固定第七電磁石
１０７…‥レール  モーター固定第八電磁石
１０８…‥レール  モーター内側作動用複数第一電磁石軸装置
１０９…‥レール  モーター内側作動用複数第二電磁石軸装置
１１０…‥レール  モーター内側作動用複数第三電磁石軸装置
１１１…‥レール  モーター内側作動用複数第四電磁石軸装置
１１２…‥レール  モーター内側作動用複数第五電磁石軸装置
１１３…‥レール  モーター内側作動用複数第六電磁石軸装置
１１４…‥レール  モーター内側作動用複数第七電磁石軸装置
１１５…‥レール  モーター内側作動用複数第八電磁石軸装置
１１６…‥レール  モーター固定第一電磁石プラス配線
１１７…‥レール  モーター固定第一電磁石マイナス配線
１１８…‥レール  モーター固定第二電磁石プラス配線
１１９…‥レール  モーター固定第二電磁石マイナス配線
１２０…‥レール  モーター固定第三電磁石プラス配線
１２１…‥レール  モーター固定第三電磁石マイナス配線
１２２…‥レール  モーター固定第四電磁石プラス配線
１２３…‥レール  モーター固定第四電磁石マイナス配線
１２４…‥レール  モーター固定第五電磁石プラス配線
１２５…‥レール  モーター固定第五電磁石マイナス配線
１２６…‥レール  モーター固定第六電磁石プラス配線
１２７…‥レール  モーター固定第六電磁石マイナス配線
１２８…‥レール  モーター固定第七電磁石プラス配線
１２９…‥レール  モーター固定第七電磁石マイナス配線
１３０…‥レール  モーター固定第八電磁石プラス配線
１３１…‥レール  モーター固定第八電磁石マイナス配線
１３２…‥レール  モーター外周固定電磁石第一絶縁体
１３３…‥レール  モーター外周固定電磁石第二絶縁体
１３４…‥レール  モーター外周固定電磁石第三絶縁体
１３５…‥レール  モーター外周固定電磁石第四絶縁体
１３６…‥レール  モーター外周固定電磁石第五絶縁体
１３７…‥レール  モーター外周固定電磁石第六絶縁体
１３８…‥レール  モーター外周固定電磁石第七絶縁体
１３９…‥レール  モーター外周固定電磁石第八絶縁体
１４０…‥レール  モーター内側作動電磁石第一絶縁体
１４１…‥レール  モーター内側作動電磁石第二絶縁体
１４２…‥レール  モーター内側作動電磁石第三絶縁体
１４３…‥レール  モーター内側作動電磁石第四絶縁体
１４４…‥レール  モーター内側作動電磁石第五絶縁体
１４５…‥レール  モーター内側作動電磁石第六絶縁体
１４６…‥レール  モーター内側作動電磁石第七絶縁体
１４７…‥レール  モーター内側作動電磁石第八絶縁体
１４８…‥レール  モーター内側作動用電磁石第九プラス配線
１４９…‥レール  モーター内側作動用電磁石第九マイナス配線
１５０…‥レール  モーター内側作動用電磁石第十プラス配線
１５１…‥レール  モーター内側作動用電磁石第十マイナス配線
１５２…‥レール  モーター内側作動用電磁石第十一プラス配線
１５３…‥レール  モーター内側作動用電磁石第十一マイナス配線
１５４…‥レール  モーター内側作動用電磁石第十二プラス配線
１５５…‥レール  モーター内側作動用電磁石第十二マイナス配線
１５６…‥レール  モーター内側作動用電磁石第十三プラス配線
１５７…‥レール  モーター内側作動用電磁石第十三マイナス配線
１５８…‥レール  モーター内側作動用電磁石第十四プラス配線
１５９…‥レール  モーター内側作動用電磁石第十四マイナス配線
１６０…‥レール  モーター内側作動用電磁石第十五プラス配線
１６１…‥レール  モーター内側作動用電磁石第十五マイナス配線
１６２…‥レール  モーター内側作動用電磁石第十六プラス配線
１６３…‥レール  モーター内側作動用電磁石第十六マイナス配線
１６４…‥レール  モーター回転軸
１６５…‥レール  モーター回転軸おさえ板装置
１６６…‥レール  モーター軸  電磁石電源  超小型自動充電池（別名超小型二連振り子型機械式発電機）
１６７…‥レール  モーター軸おさえ板  ボルト止め装置
１６８…‥レールモーター外周電磁石第一おさえ板装置
１６９…‥レールモーター外周電磁石第二おさえ板装置
１７０…‥レールモーター外周電磁石第三おさえ板装置
１７１…‥レールモーター外周電磁石第四おさえ板装置
１７２…‥レールモーター外周電磁石第五おさえ板装置
１７３…‥レールモーター外周電磁石第六おさえ板装置
１７４…‥レールモーター外周電磁石第七おさえ板装置
１７５…‥レールモーター外周電磁石第八おさえ板装置
１７６…‥回転体作動装置超うす第一電磁石板
１７７…‥回転体作動装置超うす第二電磁石板
１７８…‥回転体作動装置超うす第三電磁石板
１７９…‥回転体作動装置超うす第四電磁石板
１８０…‥回転体内部軸作動電磁石第一絶縁体
１８１…‥回転体内部軸作動電磁石第二絶縁体
１８２…‥回転体内部軸作動電磁石第三絶縁体
１８３…‥回転体内部軸作動電磁石第四絶縁体
１８４…‥回転体内部軸作動第一電磁石
１８５…‥回転体内部軸作動第二電磁石
１８６…‥回転体内部軸作動第三電磁石
１８７…‥回転体内部軸作動第四電磁石
１８８…‥回転体外部固定超うす電磁石第一絶縁体
１８９…‥回転体外部固定超うす電磁石第二絶縁体
１９０…‥回転体外部固定超うす電磁石第三絶縁体
１９１…‥回転体外部固定超うす電磁石第四絶縁体
１９２…‥回転体軸装置
１９３…‥回転体外部固定超うす第一電磁石プラス第一電気配線
１９４…‥回転体外部固定超うす第一電磁石マイナス第一電気配線
１９５…‥回転体外部固定超うす第二電磁石プラス第二電気配線
１９６…‥回転体外部固定超うす第二電磁石マイナス第二電気配線
１９７…‥回転体外部固定超うす第三電磁石プラス第三電気配線
１９８…‥回転体外部固定超うす第三電磁石マイナス第三電気配線
１９９…‥回転体外部固定超うす第四電磁石プラス第四電気配線
２００…‥回転体外部固定超うす第四電磁石マイナス第四電気配線
２０１…‥回転体内部作動体第一電磁石プラス第一電気配線
２０２…‥回転体内部作動体第一電磁石マイナス第一電気配線
２０３…‥回転体内部作動体第二電磁石プラス第二電気配線
２０４…‥回転体内部作動体第二電磁石マイナス第二電気配線
２０５…‥回転体内部作動体第三電磁石プラス第三電気配線
２０６…‥回転体内部作動体第三電磁石マイナス第三電気配線
２０７…‥回転体内部作動体第四電磁石プラス第四電気配線
２０８…‥回転体内部作動体第四電磁石マイナス第四電気配線
２０９…‥回転体大型スプリング内蔵部分
２１０…‥回転体
２１１…‥レールモーター軸おさえ装置
２１２…‥レールモーター軸おさえ作動維持装置
２１３…‥レールモーター回転軸脱落防止装置
２１４…‥圧電素子磁気電気電子４分割装置外部電気プラス電極配線（リレー装置）
２１５…‥圧電素子磁気電気電子４分割装置外部電気マイナス電極配線（リレー装置）
２１６…‥圧電素子磁気電気電子４分割装置陽電子プラス磁気電極装置部分（リレー装置）
２１７…‥圧電素子磁気電気電子４分割装置陰電子マイナス磁気電極装置部分（リレー装置）
２１８…‥圧電素子陽電子銅板誘導プラス配線（リレー装置）
２１９…‥圧電素子陰電子銅板誘導マイナス配線（リレー装置）
２２０…‥圧電素子磁気電気電子４分割リレー装置
２２１…‥各リレー磁気体装置
２２２…‥圧電素子リレー第一プラス電気配線
２２３…‥圧電素子リレー第一マイナス電気配線
２２４…‥圧電素子リレー第二プラス電気配線
２２５…‥圧電素子リレー第二マイナス電気配線
２２６…‥圧電素子リレー第三プラス電気配線
２２７…‥圧電素子リレー第三マイナス電気配線
２２８…‥圧電素子リレー第四プラス電気配線
２２９…‥圧電素子リレー第四マイナス電気配線
２３０…‥圧電素子リレー第五プラス電気配線
２３１…‥圧電素子リレー第五マイナス電気配線
２３２…‥レールモーター振り子軸電磁石スイッチ接合装置
２３３…‥レールモーター振り子軸歯車装置
２３４…‥レールモーター振り子軸絶縁体部分
２３５…‥軽水素炭素マグネシウムニッケル充電池  圧電素子磁気電気電子４分割充電装置プラス複数電気配線コード
２３６…‥軽水素炭素マグネシウムニッケル充電池  圧電素子磁気電気電子４分割充電装置マイナス複数電気配線コード
２３７…‥圧電素子磁気電気電子４分割プラス電極電気配線
２３８…‥圧電素子磁気電気電子４分割マイナス電極電気配線
２３９…‥軽水素炭素マグネシウムニッケル充電池側プラス電極
２４０…‥軽水素炭素マグネシウムニッケル充電池側マイナス電極
２４１…‥軽水素炭素マグネシウムニッケル充電池外側アルミニューム金属絶縁体
２４２…‥圧電素子磁気電気電子４分割装置プラス電気配線部分
２４３…‥圧電素子磁気電気電子４分割装置マイナス電気配線部分
２４４…‥圧電素子磁気電気電子４分割装置軽水素部分
２４５…‥圧電素子磁気電気電子４分割装置固形窒素及び冷却装置部分
２４６…‥圧電素子磁気軽水素プラス中間電子誘導銅板電極プラス電気配線装置
２４７…‥圧電素子磁気軽水素マイナス中間電子誘導銅板電極マイナス電気配線装置
２４８…‥プラスチック絶縁カバー液体ダイオード軽水素内蔵液体ダイオード
２４９…‥圧電素子磁気電気電子４分割装置中間電子リサイクル電気軽水素液体合成ダイオード圧電素子磁気電気再処理プラス電気配線
２５０…‥圧電素子磁気電気電子４分割装置中間電子リサイクル電気軽水素液体合成ダイオード圧電素子磁気電気処理マイナス電気配線
２５１…‥圧電素子磁気電気電子４分割装置外周絶縁体カバー
２５２…‥二連振り子型機械式発電機レールモーター振り子軸プラス電気配線装置
２５３…‥二連振り子型機械式発電機レールモーター振り子軸マイナス電気配線装置
２５４…‥サーミスター装置
２５５…‥クリスタルガラス型温度計センサー
２５６…‥電気電子変換マグネトロン装置（機械式発電機）
２５７…‥発電処理水タンク金属網装置
２５８…‥水位センサー電波センサー切り替えスイッチプラスチック球
２５９…‥発電処理水吸入口
２６０…‥発電処理水  水中ポンプ止めボルト
２６１…‥発電処理水  水中ポンプ給水穴装置
２６２…‥発電処理水  水位センサー電波キャッチ磁気体電波センサー確認装置
２６３…‥水位センサー電波キャッチ体磁気読み込み装置プラス配線
２６４…‥水位センサー電波キャッチ体磁気読み込み装置マイナス配線
２６５…‥水位センサー電波発射装置プラス配線
２６６…‥水位センサー電波発射装置マイナス配線
２６７…‥水位センサー電波発射装置本体
２６８…‥水位センサー水発電機発電処理水タンク室止めボルト装置
２６９…‥レール  モーター真空装置エアー吸入口
２７０…‥レール  モーター真空装置作動第一電磁石
２７１…‥レール  モーター真空装置作動第二電磁石
２７２…‥レール  モーター真空装置作動第三電磁石
２７３…‥レール  モーター真空装置作動第四電磁石
２７４…‥レール  モーター真空装置固定第五電磁石
２７５…‥レール  モーター真空装置固定第六電磁石
２７６…‥レール  モーター真空装置固定第七電磁石
２７７…‥レール  モーター真空装置固定第八電磁石
２７８…‥レール  モーター電動仕切り弁プラス電気配線
２７９…‥レール  モーター電動仕切り弁マイナス電気配線
２８０…‥レール  モーター真空装置レールモーター穴あき止め金具装置
２８１…‥レール  モーター真空装置止め金具装置
２８２…‥レール  モーター真空装置レール  モーター電動仕切り弁装置
２８３…‥レール  モーター真空装置エアー排出口
２８４…‥レール  モーター真空装置モーターファン軸
２８５…‥レール  モーター第一絶縁体金属
２８６…‥レール  モーター第二絶縁体金属
２８７…‥レール  モーター第三絶縁体金属
２８８…‥レール  モータースイッチプラス複数配線
２８９…‥レール  モータースイッチマイナス複数配線
２９０…‥レール  モーター第四絶縁体金属
２９１…‥レール  モーター第五絶縁体金属
２９２…‥レール  モーター第六絶縁体金属
２９３…‥レール  モーターリレー制御装置（作動制御装置）
２９４…‥レール  モーター真空装置エアー吸引プロペラファン装置
２９５…‥レール  モーター水中ポンププラス配線
２９６…‥レール  モーター水中ポンプマイナス配線
２９７…‥レール  モーター水中ポンプ
２９８…‥レール  モーター水取り込みプロペラレールモーター軸
２９９…‥レール  モーター絶縁体金属枠固定レール  モーター側
３００…‥レール  モーター絶縁体金属枠作動レール  モーター側
３０１…‥レール  モーター水中ポンプ水排出口
３０２…‥レールモーター水中ポンプリレー制御装置
３０３…‥液体マグネシウム水素
３０４…‥固定炭素マグネシウム水素
３０５…‥固形液体合成水素発電残水処理穴あき金属パネル
３０６…‥固形液体合成水素発電残水処理穴あき金属パネル止めボルト穴装置
３０７…‥穴あき圧電素子合わせ穴空きアルミニュームパネル
３０８…‥固形液体合成水素発電残水処理穴あきアルミニュームパネル装置
３０９…‥発電残水送り官（水発電機上部取り付け部分）
３１０…‥発電残水送り官電動仕切り弁取り付け部分
３１１…‥発電残水送り官電動仕切り弁取り付け金具装置
３１２…‥発電残水送り官電動仕切り弁水仕切り装置溝部分
３１３…‥発電残水送り官電動仕切り弁水仕切り装置
３１４…‥発電残水送り官電動仕切り弁  水通過穴装置
３１５…‥発電残水送り官電動仕切り弁  下部取り付け部分装置
３１６…‥電動仕切り弁レールモーター作動側レールモーター
３１７…‥発電残水送り官電動仕切り弁スクリュー軸
３１８…‥発電残水送り官スクリューレールモーター本体
３１９…‥発電残水送り官電動仕切り弁止め金装置
３２０…‥振動吸収鋼装置
３２１…‥レール  モーター電動仕切り弁  プラス電気配線装置
３２２…‥レール  モーター電動仕切り弁  マイナス電気配線装置
３２３…‥水発電機本体支えゴム鋼内蔵装置
３２４…‥水発電機本体支えゴム二つ合わせ装置ボルト止め装置部分
３２５…‥水発電機本体水送り官口
３２６…‥水発電機本体支えゴム鋼内蔵下部装置
３２７…‥水発電機合わせ振動吸収ゴム  ゴム合わせ接合部分
３２８…‥圧電素子磁気体内蔵大型銅板電極
３２９…‥圧電素子陽電子磁気プラス電極銅板電極板
３３０…‥圧電素子陰電子磁気マイナス電極銅板電極板
３３１…‥固形水素  液体水素  合成水素大型銅板平板電極
３３２…‥固形水素  液体水素  合成水素発電銅板圧電素子磁気体内蔵銅板大型電極止めボルト穴装置
３３３…‥固形水素  液体水素  合成水素発電室水素吸収物質おさえ金具止めボルト穴装置
３３４…‥発電室固形水素  液体水素  合成水素室上ぶた金具止め装置
３３５…‥軽水素炭素マグネシウムニッケルバッテリー上ぶた止め金具装置
３３６…‥軽水素炭素マグネシウムニッケルバッテリー軽水素補給口
３３７…‥軽水素炭素マグネシウムニッケルバッテリープラス電極
３３８…‥軽水素炭素マグネシウムニッケルバッテリーマイナス電極
３３９…‥軽水素炭素マグネシウムニッケルバッテリー綿ロープ手持ち装置
３４０…‥軽水素炭素マグネシウムニッケルバッテリー外部１００Ｖ用電気供給口
３４１…‥圧電素子磁気電気電子４分割充電装置マイナス電極
３４２…‥圧電素子磁気電気電子４分割充電装置プラス電極
３４３…‥軽水素炭素マグネシウムニッケルバッテリー銅板固形水素  液体水素  合成水素  銅板おさえ板装置
３４４…‥軽水素炭素マグネシウムニッケルバッテリーアダプタ本体
３４５…‥リレー磁気体認識回路装置
３４６…‥磁気抵抗中間熱電気電子プラス電気配線
３４７…‥磁気抵抗中間熱電気電子マイナス電気配線
３４８…‥電気スイッチ金属型歯車Ｎｏ１
３４９…‥電気スイッチ金属歯車電気配線Ｎｏ１
３５０…‥電気スイッチ金属歯車Ｎｏ２
３５１…‥電気スイッチ金属歯車電気配線Ｎｏ２
３５２…‥温度センサー止め金装置
３５３…‥温度センサープラス配線
３５４…‥温度センサーマイナス配線
【手続補正３】
【補正対象書類名】図面
【補正対象項目名】全図
【補正方法】変更
【補正の内容】
【図１】
0003145903.tif 000016
【図２】
0003145903.tif 000017
【図３】
0003145903.tif 000018
【図４】
0003145903.tif 000019
【図５】
0003145903.tif 000020
【図６】
0003145903.tif 000021
【図７】
0003145903.tif 000022
【図８】
0003145903.tif 000023
【図９】
0003145903.tif 000024
【図１０】
0003145903.tif 000025
【図１１】
0003145903.tif 000026
【図１２】
0003145903.tif 000027
【図１３】
0003145903.tif 000028
【図１４】
0003145903.tif 000029
【図１５】
0003145903.tif 000030
【図１６】
0003145903.tif 000031
【図１７】
0003145903.tif 000032
【図１８】
0003145903.tif 000033
【図１９】
0003145903.tif 000034
【図２０】
0003145903.tif 000035
【図２１】
0003145903.tif 000036
【図２２】
0003145903.tif 000037
【図２３】
0003145903.tif 000038
【図２４】
0003145903.tif 000039
【図２５】
0003145903.tif 000040
【図２６】
0003145903.tif 000041
【図２７】
0003145903.tif 000042
【図２８】
0003145903.tif 000043
【図２９】
0003145903.tif 000044
【図３０】
0003145903.tif 000045
【図３１】
0003145903.tif 000046
【図３２】
0003145903.tif 000047
【図３３】
0003145903.tif 000048
【手続補正書】
【提出日】平成17年12月2日(2005.12.2)
【手続補正１】
【補正対象書類名】実用新案登録請求の範囲
【補正対象項目名】全文
【補正方法】変更
【補正の内容】
【実用新案登録請求の範囲】
【請求項１】
水発電機とは、機械式発電機つまり、ダイナモを、振り子ゼンマイ装置の電磁石反発及びレールモーター別名複数電磁石反発と複数絶縁体を、使用したリレー装置モーターの発明によって、尚且つ充電スピードの速い軽水素炭素マグネシュウムニッケルバッテリー軽水素炭素マグネシウムニッケルバッテリーの略説明として、水素ニッケル電池は、一般家庭  日立電機  マブチモーターなどで、既に水素ニッケル電池は、使用されており充電スピードの早い水素ニッケル電池は、最近の一般庶民なら、皆さん知っての通りの技術であり、水素は、軽水素  つまりプルトニウームを、取り除いた水素を、軽水素と言いまして、プルトニウームを、多く含んだ水素を、重水素と言いまして、通常水素の三種類に、別れます。水素の中から、プルトニウーム分子を、取り除く事によって、軽水素は、分子活動の早い水素が、出来る。理由として、プルトニウームは、水爆で、知っての通り、熱エネルギー集合体のため、軽水素が、発電する場合、この熱エネルギー集合体は、水素とニッケルの科学反応充電スピードの妨げつまり、電気配線が、熱くなると、電気が、流れにくくなる現象を、見ても分かる通り水素に、プルトニウームが、必要なのは、水素を、燃焼させたり、爆発させたりする時、たくさんの熱エネルギーが、必要と、される場合だけに、プルトウーム要り水素は、必要視されるものと、考えたい。
電気の流れには、熱抵抗電気は、本来邪魔な、存在であり、まずこの熱抵抗電気を、取り除く考えかたから、通常水素のプルトニウームを、取り除く技術こそが、電気の流れを、良くして、水素分子の結合上、プルトニウームを、取り外された軽水素は、水素分子結合の、活動が、良いため、事実説明上  軽水素ニッケルバッテリー軽水素炭素マグネシウームバッテリーは、充電スピードの早いバッテリー説明になり、マグネシウームを、扱いやすくするため、炭素マグネシウームの合成を、使用して、軽水素吸収を、良くするため、この  軽水素炭素ニッケルバッテリーに考えられた充電スピードの早い説明とするそして軽水素炭素マグネシウムニッケルバッテリーの急速充電化を、実現させる電気圧電素子電子分子結合体の電気電子磁気４分割化によって、電気から、中間陽電子磁気及び中間陰電子磁気の、熱電気抵抗取り除き方法は、公開特許公報（Ａ）特開２００４−３０４９９２でも、説明していますが、改めて説明します。圧電素子とは、１００円電子ライターの、火花は、実は、電子放電が、事実であり圧電素子とは、電磁石なのも事実なのを、この実用新案を、読む方々へ、まずこの事は、誰でも事実確認出来ます。この事実を、踏まえて、電気は、磁石化する、事実は、通常鉄にコイルを、巻いて電気を、流し続けると電磁石になる事実も、視野に於いて考えてください。つまり、電気とコイルと鉄で、電磁石Ｎ極  Ｓ極に、変化する事に注目してください。電磁石の強さは、鉄の密度つまり鉄が硬くて重い鋼鉄の方が電磁石の引き付け反発は、強くなり電気消費の分電磁石吸引度も、高くなるのは、一般庶民でも知っての通りです。つまり電気は、磁石のＮ  Ｓに、置き換える事実証明は圧電素子は、科学合成電子集合体磁石つまり、人工的に作り上げた磁石であり、低学年の学校の理科の本ではコイルを、巻いた電磁石は、やがて永久磁石化したと言う表現が、用いられる。
その上で圧電素子に、配線を、コイル上に巻くのではなく、電気を、流す事によって、圧電素子磁石の磁気化の最も強いＮ極を、陽電子プラス極となずけてＳ極を、陰電子マイナス極となずけます。こうする事によって圧電素子磁石の磁気の強いスピードの早い電気は、圧電素子磁石体の磁石構成上スピードの遅い電気は、圧電素子磁石の中央部分を、流れる事になる。つまり、熱抵抗電気は、スピードの遅い分  圧電素子磁石の中央部分に圧電素子磁石構造の磁石の強弱の変える事の出来ない事実から、電気は、磁気磁石分割の圧電素子磁石強弱分別判断に、基ずいて圧電素子磁石の、中央部を、磁気化の弱い電気抵抗の、集まる部分を、電子のプラスを、陽電子電気と言い電子のマイナスを、陰電子電気と言いまして、電子の熱集合部分を、中間電子と言う。この場合圧電素子磁石を、磁石四分割上に、均等区別した、圧電素子磁石に、流れる電気を、磁石強度区別化した場合、圧電素子陽電子磁気電気これは、磁石力のプラス電気の早くて強い磁気電気を、示します。もう一つの陰電子磁気電気これは、磁石力のマイナス電気の早くて強い磁気電気を、示します。
中間陽電子磁気とは、圧電素子磁石を、四分割にした場合磁石力の弱い部分に流れる電気を、中間陽電子磁気電気として、略称中間陽電子とします。もう一つの中間陰電子磁気電気これは、磁石力のマイナス電気の早くて強い磁気電気を、示します。圧電素子磁石に電気を流すと電気は、圧電素子磁気体に沿って流れます。圧電素子にただ電気を、流すと圧電素子は、電気の抵抗エネルギーで、熱を、おびてしまうため、対策として冷却物質で、囲んだ圧電素子体を、電気の磁気分割つまり、圧電素子磁気四分割化と言う表現方法を、用いる。これらの説明から、圧電素子磁気電気説明が、成り立ち電気抵抗を、取り除いた電気使用の事を、電気抵抗を、取り除いた電気だけ軽水素炭素マグネシウムニッケルバッテリーに、充電する技術の構築から、ダイナモ圧電素子内蔵軽水素装置の略説明を、する。ダイナモ中心部に圧電素子を、内蔵して更に圧電素子磁石中心部に軽水素を、入れた新しい考案のダイナモの説明を、始めます。通常水素に、熱エネルギー圧縮エネルギー打撃エネルギーそして電気エネルギーを、加える事で、水素分子は、活発に動いてプルトニウームと結合している水素分子の活発な活動から、エネルギーを、発生させるこれは、水素の分子構造エネルギーを、説明してもわかりずらいため、水爆は、水素を、莫大な圧縮エネルギーで、圧縮すると水爆は、出来ます。つまり水素本来の持ち得ている水素能力とは、外部からの何らかのエネルギーを、加えると水素分子エネルギーは、加えられたエネルギー分だけ、水素分子のエネルギー活動を、してしまう事実は、水素が、危険物質と言う、一般庶民の知り得ている学問から、圧電素子中心部の軽水素は、通常水素より水素分子活動が、活発になりダイナモ中心部の圧電素子磁石分子は、高圧縮磁石のため、分子は、固定してます。所が、圧電素子中心部の軽水素は、水素分子活動が、活発なため、皆さんが知っての通り電子ライターの原理を、このダイナモ中心部圧電素子軽水素内蔵のこのダイナモが、作動して、エネルギー力のある電気によって圧電素子の磁気体の固定分子へ強い電気エネルギーが、加わるため、圧電素子磁気固定分子は、鉄打撃でわなく、電気エネルギー打撃を、受ける事で、電子エネルギーを、新たに発生させるこの時に、圧電素子磁石中心部の軽水素は、水素分子が、活発なため、新たに新しい電子増幅エネルギーを、発生させる事実となる。この事を、ダイナモ内の圧電素子軽水素電気磁気融合発電と言う文書解説とする。このため、新しいダイナモは、通常ダイナモより、より多くの電気を、発電出来る事が見込める事になる。
これは、軽水素と言うプルトニウームを、取り除いた水素特質つまり、水素分子の活動が、活発な、軽水素を、生かした発想そして、圧電素子磁石の持ち得た事実能力によって、この新しいダイナモは、発明考案された事実説明を、水素分子の力と言うエネルギーを、理解していただきたい。但し軽水素圧縮技術説明は、圧電素子内蔵圧縮軽水素試験などで、別途説明を、得たいこの場合危険性が、少なくもう少し発電アップが、事実のはずなのはエネルギーと言う力の力学上本来危険で、危ない水素より軽水素の上手で安全な使い方が正しい発想考案として付け加えておきたいのは、これを、読まれるより多くの人に理解していただきたく、ここに書き添える事にしました。このダイナモの技術を、加えた全自動巻取りゼンマイ装置動力とレールモーター２００１年５月１８日発明考案作品北海道庁発明考案著作権郵便物受理証明書付きに於いて、レールモーターは、企業側の発明証明特許提出より、一年以上発明考案が、早い事を、ここの文章で、はっきり断言し書き示します。
その上で、このレールモーターを、使用した全自動振り子方動力を、使用したダイナモ作動装置そして、このレールモーター図７（３８）図３（６８，６９，）は、補助電池を、使用しておるためレールモーター作動には、軽水素電池の急速充電出来る少し大きめの充電池を、使用する事で、更に新しいダイナモは、機械だけの構造つまり、液体マグネシウーム固形水素などの科学物質発電とは異なった発電方法の方式の特徴は、二台のニューダイナモ発電装置のレールモーター電力供給作動増幅によって、二台のそれぞれのニューダイナモ装置の発電された電気エネルギーに、発電した電気エネルギーを、足していく事で、レールモーター振り子装置スピード増幅によって、ニューダイナモ装置の発電力アップしたダイナモ発電装置効果によって図５（４３，６０，）は、次なるレールモーター真空装置図２２（３）レールモーター水中ポンプ図２４水位センサー図２０温度センサー図１８これら装置を、作動させるための電気エネルギー発電装置すなわちニューダイナモ連続全自動発電装置を、機械式発電機と言いましてこの機械式発電機二台の発電機の連続発電装置を、二連振り子式機械式発電機図３説明（１６）を、名称とした上で、この二台の機械式発電機つまり二連振り子型機械式発電機の発電エネルギー力によって水発電機図１（３２）の各全自動電気装置作動電気エネルギーの確保に対しての略説名とする。
実用新案省エネルギー水発電機にどうしても必要な発明公開特許公報（Ａ）特開２００４−３０４９９２は、提出の時墫野和夫のミスによって、特開２００４−３０４９９３の請求項１と２を、だぶつせたため、この電気抵抗を、減らして電気を、長持ちさせ電気製品に無理を、かけない電気装置のあり方が、本当の発明の名称です。既に特開２００４−３０４９９２の手続き補正を、完了しているため、実用新案省エネルギー水発電機を、より良く理解して、いただけるかと  確信しています。特開２００４−３０４９９２の発明考案日は、２００２年９月であり、北海道庁郵便物  著作権発明考案文章図面付きの書面受理書は、実在してます。発明考案にての実用新案省エネルギー水発電機の誕生考案理由を、良く理解していただけるように説明文として書き添えます。圧電素子電気電子磁気４分割装置の意味が理解していただけた所でこの装置を、使用した充電機関は、この圧電素子電気電子磁気４分割装置は、電気抵抗つまり圧電素子磁石内の磁気の弱い部分の磁気力の弱い部分すなわち電気抵抗の多い部分の電気を、リサイクル電気として、使用してこの場合磁気力の強い部分の電気使用つまり電気磁気スピードの早いプラス陽電子電気  マイナス陰電子電気だけを、電気使用するこの装置の発明考案が、あるので、電気の急速充電技術は、軽水素マグネシウムニッケルバッテリー  つまり水素より軽水素の方が、充電スピードが、早いのは、水素分子構造の中に高温温度の場合核融合と言う熱エネルギー発生これは、通常水素又は重水素のみは、熱エネルギー発生を、生むため、原子力の形で、発電する事実だが、通常水素発電の際は通常バッテリー充電は、一日程充電時間が、必要なのは、充電時電気エネルギーが、熱変換して、オバー熱放出してしまう結果だけ、墫野和夫及び庶民は、見て来たこれを、解決してくれる充電物質それは、現在知られている水素ニッケル充電池又はバッテリーの水素ニッケル充電池充電の１５分を、上回る技術は、軽水素つまり充電時電気分子と水素分子結合の際、エネルギー放出の少ないプルトニウームなしの軽水素の充電電気分子が、プルトニウーム中間子と結合しても、熱エネルギーしか残念ながら熱エネルギーしか放出しないこれを、理解していただいた上で、プルトニウーム中間子のない水素  つまり軽水素は、水素分子の活動が、活発の分だけ電気分子結合が、スムーズムに、行われるため、電気充電スピードも、分子抵抗の少ない分水素に対しての軽水素の方が、充電スピードが、早くなる理由説明とする。この装置によって機械式発電機の補助電源急速充電技術スピードアップは、省エネルギー水発電機の補助電源バッテリーの急速充電技術すらも、クリアーしてくれる新しいどうしても省エネルギー水発電機に必要な新しい充電技術と言える。
これら技術を、集めてすべての新技術を、応用してこそ省エネルギー水発電機が、どの様にして発電するかの説明を、請求項の１として、改めて文書解説します。この発電機は、水を、真空装置で水を、液体から低温気体変化この場合水蒸気とは、分子結合状態が、異なり狭い部屋での空気圧縮などの力を、加えた場合又は熱エネルギーを、加えない限り短い時間数秒から一分単位のこの時間は水が、気化したのであってただ気体化したのではなく、真空装置と言う装置によって狭い部屋の空気だけを、抜き続けると水の入っていた部屋の気圧が、ゼロになるため、水の分子は、液体から気体になるこの場合軽い気体化酸素と軽い気体化水素の融合体になる。これは、一般ではいろいろな形で表現しているこれを、水分子と表現した場合Ｈ２Ｏつまり水素の二つの分子と酸素一つの分子の表現つまり気化した水気体化分子結合状態を、示します。
Ｈ２Ｏは、水ですが、沸騰水のヤカン又は湯沸かし器の中のお湯は、まだＨ２Ｏの表現のままです何故なら、水もお湯も、液体この事を、Ｈ２Ｏと言います。所が水蒸気は、すでに、水滴は、Ｈ２Ｏの表現が、正しい何故なら水の状態液体を、示します。水蒸気つまり水が、液体のＨ２Ｏの姿が気体化した状態これは、Ｈ２とＯの融合気化物質になります。
真空装置を、使用した水を、液体から気体へ変化させる場合低温つまりプラス１度から沸点の前まの温度又は  氷りなどのマイナス固形物質でも水を、気体化させる事が出来る技術  つまり水蒸気とは、水の粒の考えたは、間違えでして水の気体化粒子の考え方が、正しく、冬の川に見える水蒸気は、水の気体化粒子が集まった所への温度の違いの水蒸気の光り反射で区別して見えるだけで、夏場の水蒸気温度と、回りの温度が、同じ場合水蒸気は、見えません。つまり水蒸気とは水が気体化した事を、言うのであって、決して水滴の集まりでは、なく  水滴の集まりならば、又は水滴の表現に対しては、雨となって地表に落ちます。ここで、理解していただきたいのは、水は気体化した状態では、水素が二つのＨ２そして酸素のＯが一つの水気体化物質の水素と酸素の融合体の表現が、正しいとはずです。水素Ｈ２と酸素Ｏの同時に吹き付ける速度と言う力を、与えるとわずかでしょが、発電します。つまり水素吸収体なしの発電も、可能な事実説明は、２００１年２月１１日夜ＰＭ１９時３０分のＮＨＫクローズアップ現代の放送事実説明で、納得していただきたい。
つまり、水素Ｈ２と酸素Ｏが、あれば気体化物質ならば水素吸収体のマグネシウームつまり液体マグネシウーム又は固形水素吸収体つまり固形水素は、酸素水素の気体化物質ならば水素吸収体を、使用した発電装置では、必ず発電する事実にしかならないのを、理解していただきたい。この他  雷発電に対しても発電する前は、気体化水素と酸素の融合体が、雲と言う表現で有りましてこれは、水素と酸素の融合体と言う言葉の置き換えを、使う事になります。水素だけの発電は、日本の大阪市で、現在行われている技術説明に、対して水素内の陽子つまりと中間子の活動を、活発化させて熱エネルギーを、発生させてタービンを、作動させてダイナモを、回転させて発電する技術なのですが、雷自然界の現象を、発電技術として、説明するならば、雷は、春夏秋冬いつでも発生するため、水素と酸素の発電は、温度に、変わりなく発電する事実説明は、自然界の現象に有ります。そして雷は、夜又は日中いつでも時間を、選ばない事実とは、雷発電は、光りの力によって、発電しているのではないない事実。つまり磁波と引力の力と言うエネルギーが、重なって雷が、発生する事実を、自然界の中の力のエネルギーを、水素と酸素に加える事で雷と言う発電現象になる事実は水素と酸素の発電は、温度変化では、ないとここで、説明が、成り立ちます。
ここで、燃料電池車の発電方法は、水素と酸素の融合発電では、なく  水素吸収体へ、つまり液体マグネシウーム又は固形水素へ、水素と酸素が、同時に吸収された場合発電します。
この場合水素吸収体が、有る場合の発電と、ない場合の発電力では、発電力のパワーを、見て分かると思いますが、簡単説明として、２００１年同じく２月１１日夜ＰＭ１９時３０分のＮＨＫクローズアップ現代を、見た方なら、水素吸収体を、使用した発電方法では、莫大なエネルギーを、得ることの出来る事実確認は、出来ます。付け加えるならば液体マグネシウームに水素と酸素が、同時吸収された場合発電するの説明なのだからに対して水素と酸素の科学反応発電事実を、理解していただきたい。水発電機図１（３２）の発電方法の技術説明は、燃料電池は、水素タンクを、持って酸素と科学反応但し水素吸収体と酸素吸収の同時発電とは、違っている点とは水を、気体化させた酸素と水素の、気体化融合体物質吸収発電方法は別の発明考案である事を、理解していただきたい。この発電方法を、可能にしたのは、水素吸収体の水素分子と酸素分子を、マグネシウームと言う物質の電気発電物質質量の説明の上で、水素の持ち得たエネルギーを、酸素だけで、電気エネルギーを、温度に関係なく引き出す方法とは、水が、すべて気体化する場合の熱エネルギー換算して良いと考えられる。
但し、別雷発電自然界方法として、水素酸素の融合体発電に対しても、別に水素タンクは、要らないの事実つまり、水が、気体化した状態ならば、発電する事実を、自然界の方からでも理解していただきたい。これを、水気体化発電方法の説明として追加する。
つまり、この水発電機の請求項１の説明に於いて水を真空装置で気体化させる技術だけではなく、水を、電熱線などで、沸騰気化させた場合も同じ水気体化発電方法と考えます。
この軽水素などを、いれた水気体化物質の取り扱い方法又は水に水素を、多く足した場合のＨ３Ｏ  Ｈ４Ｏなどの取り扱いに於いてなどでは真空装置使用時間が、わずかでも短くなる事実は、水素と酸素の科学反応発電に於いて水素吸収時間が早くなる事実説明である場合いずれにしても水を、気体化させる一般に知られている技術を、応用した考案事実の証明であり実用新案考案の請求項１の発電技術のポイントつまり水を、気化させる技術を、踏まえて真空装置を、使用した低温水気体変化技術である事を、理解していただきたい。
その上で、改めて省エネルギー水発電機の説明を、始めます。
この水発電機図１（３２）は、二連振り子式機械式発電機図１から図３（１６）のレールモーター図７から図８（３８）の複数絶縁体接合電磁石の吸引反発力の応用を、二つのレール状に複数電磁石を、並べたコイル配線を、持たない電気消費の少ないモーターこれは、企業名ブラシレスモーターの往復作動リレー制御切り替えによって又は電磁石反発作動によって二連振り子装置（５０，６６）を、全自動ゼンマイ巻き取り装置（４７，４９）の連動連結歯車の作動エネルギー及び軽水素炭素マグネシウムニッケル充電池図１５（５５，６４）のエネルギーで、軽水素内蔵圧電素子結合ダイナモを、回転作動させて機械だけの部品連動作動方式によって発電出来る機械式発電機図１図３図４（１６）の発電機能力及び軽水素炭素マグネシウムニッケルバッテリー図１５（４０，４１，４２）の充電スピードの早い理由としてプルトニウームなしの軽水素は、軽水素分子構造の動き又は分子活動が、活発化になり、プルトニウームがはずれてない軽水素分子構造は、充電スピードを、上げる新しいバッテリーのため、水発電機図１（３２）を作動させる。まず手初めに水気体化室図１省エネルギーレールモーター真空装置室（３５）へ水（１４）を、省エネルギーレールモーター水中ポンプ図１図２０図２３図２４（１１）によって水（１４）を、丸浮き電波磁気読み込み式水位センサー図２０図２１（８）の電波遮断電気スイッチ反応によって、省エネルギーレールモーター水中ポンプ図１図２０図２３図２４（１１）は、電気作動して水（１４）を、省エネルギーレールモーター真空装置室図１（３５）へ水（１４）を、移動させるこれは発電エネルギー物質にあたり、他の技術とは、違う考案発明でもあるこの水発電機実用新案の、重要な説明でも有る事を、理解していただきたい。但しまだ水（１４）は、省エネルギーレールモーター真空装置室図１（３５）の中に於いてこのままでは、ただの水（１４）図１であるが、丸浮き電波磁気読み込み式水位センサー図１（１５）は、水図１（１４）は、満水になると、電波遮断スイッチによって、水図１（１４）は、発電物質でもあるが、低温のため、エネルギー変化した状態ではない。つまり水図１（１４）は、液体マグネシウム又は液体マグネシウム内蔵の固形水素又は豊田自動車の固形水素これら水素吸収体図１（４，３７）に、水図１（１４）を、吸収させるため、液体から気体へ変化させる必要がある。それも、瞬間に、水図１（１４）を、液体から気体へ変化させる必要になる。つまり水素２酸素Ｏの発電前の水素と酸素の気体融合物質を、真空装置図１（１５）によって低温において、温度変化技術では、水蒸気変化のとらわれ方になるが、真空装置図１図２２は、沸騰温度の変化で、水蒸気変化させる技術とは、違って尚自然界に於ける水、自然蒸発現象を、主旨としない技術応用とは、水素吸収体液体マグネシウム図１（４，３７）に、どれだけ早く真空装置図１図２２（３）の気圧を、ゼロにする技術によって水図１（１４）を、低温の状態では水図１（１４）は、水蒸気に瞬間時なった説明より水（１４）は、水素Ｈ２酸素Ｏ２の気体化した状態であり、燃料電池発電は、水素Ｈ２に、外気酸素Ｏを、取り入れた状態つまりＨ２Ｏの水素と酸素の気体化融合を、時間的考え方では、水になる前  つまり水素吸収体液体マグネシウムなどに、液体マグネシウム分子に水素Ｈ２分子酸素Ｏ分子この場合外気酸素Ｏ分子を、強制状態強制吸収発電を、発電物質  液体マグネシウム分子一体化発電方法  発電説明に於いて、水素Ｈ２と酸素Ｏが、強制融合発電は、わずかでも、発電が認められていて海外の特許認定は、２００１年１月１１日ＮＨＫ夜ＰＭ１９時３０分からのクローズアップ現代の豊田自動車燃料電池発電方法  本田技研自動車株式会社燃料電池発電方法の前に、水素タンクと酸素タンクの強制発電方法が、あった事実を、知り得た結果気体水素  気体酸素の強制融合ならば、発電する事実によって水つまり、水蒸気ではなく、雨と言う水つまり、自然界水に、なる事実説明は、テレビ情報説明で、成り立ちます。水素と酸素が、本来持ち得た低温発電技術は、水素Ｈ分子又はＨ２分子と酸素Ｏ分子の融合だけでは、分子結合発電の答えは、今だ自然界の雷発電つまり、水素Ｈ２分子と酸素Ｏ分子結合発電は他の力によって発電と言うなんらかの分子一体化発電つまり違う力すなわちエネルギーが、加わらなければ、雷発電の説明さえ成り立たないだけではなく。液体マグネシウム水素吸収体に水素Ｈ２は、水素タンク内のＨ２と水が、真空装置瞬間低温気体化した水素Ｈ２と酸素Ｏの気体融合物質の水素Ｈ２は、まぎれもなく水素Ｈ２分子状態のまだ力と言うエネルギーが加わわらない状態を、水素  酸素瞬間気体化状態と言います。ここで水素は変化を、する時、エネルギーを、発生させる事実確認を、この文書説明で、確認していただきたい。
通常水素は、エネルギーを、加えなければ、エネルギー発生しない。ところが、軽水素は水素分子から、プルトニウム分子  学校学問では、中間子と言いますが、プルトニューム分子を水素から強制的にはずすと軽水素になり軽水素分子は、他の分子と結合しやすくなる。そのため、液体マグネシウムつまり水素吸収体に、水素と酸素が、同時吸収される時、通常の酸素と水素の強制吸収発電する発電力より、液体マグネシウム水素吸収体発電の方が、発電力が、アップする事実説明とは、水素分子から、プルトニウム分子を、はずして酸素分子とを、結び付ける結果事実上すばらしい、燃料電池発電の説明を、付け加えた上で、水発電機の、真空装置によって、水を、低温状態によって、液体から気体へ瞬間変化させる技術は、水素と酸素を、液体マグネシウムつまり水素吸収体に吸収しやすくする技術を、水が、液体から気体変化は、雷発電前の水蒸気つまり、水蒸気は、まぎれもなく発電物質であり気化水素と気化水素は、気体の水素と酸素の融合体であり、液体マグネシウム水素吸収体によって分子説明上水素Ｈ２と酸素Ｏの集合体であるのが、事実のため水（１４）は、真空装置図１（３）によって、低温瞬間気体化した場合、発電する事実説明になる。
水蒸気は、水ではなく水蒸気の雲は、雷発電によって、雨という自然界の水物質になる事実までの、気体水素と気体酸素の発電理由の違いを、理解していただきたい。
水（１４）は、省エネルギーレールモーター真空装置図１（３）図２２（３）を、作動させて水素吸収体発電室図１（３７）の固形水素液体マグネシウム合成水素図１（３）に、水（１４）を、気体水素と気体酸素の低温気化物質化する事で、水素吸収体液体マグネシウム（４）などへ気体水素気体酸素の融合気体物質は，気体のため液体マグネシウムへ瞬間吸収発電となる省エネルギーレールモーター真空装置室図１（３５）で、水（１４）が、気体水素と気体酸素の融合体になってから、水素吸収体発電室図１（３７）までの距離は、短いため、発電ロスが、少ない。燃料電池発電同様に、気体水素と気体酸素が、融合液体マグネシウム発電は、水素酸素の融合発電より、はるかに越えた発電力を、得る事が、出来る水発電機図１（３２）は、再び、水（１４）のみを、気体水素と気体酸素の融合体は、水素吸収体によって発電する事によって、水（１４）に再び発電行為によって、水（１４）の姿にもどる。水（１４）は、発電処理水タンク室図１（３４）へ送られる。発電処理水タンク室図１（３４）の丸浮き電波磁気読み込み式水位センサー図１（８）が、満水を、示すと省エネルギーレールモーター水中ポンプ（１１）が作動して、再び水（１４）を、省エネルギーレールモーター真空装置室（３５）へ水（１４）を、移動させて、省エネルギーレールモーター真空装置室図１（３５）の丸浮き電波磁気読み込み式水位センサー図１（１５）は、満水反応つまり、電波遮断によって省エネルギーレールモーター図１（３）のスイッチ作動する事で、水（１４）を、再び気体水素と気体酸素に変える事で、水素吸収体つまり固形水素豊田自動車テレビ公開作品  液体水素マグネシウム本田技研自動車テレビ公開作品図１（４，３７）に、気体水素と気体酸素の融合吸収連続発電は、補助電源バッテリー図１（４０、４１，４２）の電源又は２連振り子式機械式発電機図１（１６）の発電エネルギーを、補助電源使用として水瞬間気化連続発電出来る装置。
【請求項２】
本考案は、省エネルギー水発電機  実用新案水発電機は、充電スピードを速めるため市販されている水素ニッケルバッテリーより、バッテリー充電の速い軽水素つまり熱電気別名中間陽電子中間陰電子の少ない水素を、使用する事によって炭素マグネシウムの軽水素安定を、計りより熱抵抗の少ないバッテリー軽水素炭素マグネシウムニッケルバッテリー装置によって、機械式発電機の性能を、高めてより発電充電効率のよいバッテリーを、備えた水発電機用に使用される二つの機械式発電機装置の能力特徴を、持った装置を、特徴とする請求項１記載の水を、瞬間気化して発電する発電機能を、備えた水発電機装置。
【請求項３】
本考案の省エネルギー水発電機は、軽水素炭素マグネシウムニッケルバッテリー装置の充電スピードを、上げる為に、圧電素子四電子分割つまり陽電子磁気電気  陰電子磁気電気の熱抵抗の少ない磁気電気を使用する事で、軽水素炭素マグネシウムバッテリーの充電スピードを、速める事が出来て圧電素子冷却中間陽電子磁気電気及び圧電素子冷却陰中間陰電子磁気電気は、リサイクル電気として、活用出来る装置を、備えた水循環気化水素吸収体発電バッテリー電池装置特徴を、持った装置を、特徴とする請求項１記載の水を、瞬間気化して発電する発電機能を、備えた水発電機装置。
【請求項４】
本考案の省エネルギー水発電機は、実用新案水発電機は、水素吸収体つまり固形水素炭素と、マグネシウムの合成物質の中に液体マグネシウムを、入れて水素吸収体が、扱い易くするため、液体水素の水素吸収率の良さを、充分に活用するためバッテリー又は充電池発電機用に、水素又は軽水素の扱い易さを、目的とした水気化吸収合成物質又は発電機用又は水素  軽水素吸収合成物質構造を、持った発電装置を、特徴とする請求項１記載の水を、瞬間気化して発電する発電機能を、備えた水発電機装置。
【請求項５】
本考案の省エネルギー水発電機は、市販されてる真空装置のモーター部分を、レールモーターつまりモーターコイルを、持たない複数電磁石と、複数絶縁体複数電磁石配線リレー電磁石スイッチ制御盤などを、メインとしたモーターであり、レール上に二本のれールを、使用するモーターなので、レールモーターと言う名前であり、このレールモーターは、モーターコイルを、持たないため電気使用量が、少ないモーターであり、ひとつひとつの電磁石は、絶縁体で、仕切られており電磁石反発と吸引作用Ｓ磁極とＮ磁極の電磁石の特性を、フルに活用したモーターであり、電磁石切り替えは、リレースイッチで、スピーディに行われる省エネルギータイプのモーターである。尚このモーターつまりレールモーターを、使用した省エネルギータイプの発電機用レールモーター使用真空装置特徴を、持った装置を、特徴とする請求項１記載の水を、瞬間気化して発電する発電機能を、備えた装置。
【請求項６】
本考案の省エネルギー水発電機は、通常の銅板電極を使用せず圧電素子内蔵銅板電極を、使用するため水素吸収体で気化酸素気化水素が化学反応発電された場合発電される水素酸素陽電子電気と水素酸素陰電子電気を、素早く圧電素子磁気電気分割発電電気として電気供給出来る発電機用圧電素子磁気分割板内蔵銅板電気誘導装置特徴を、持った装置のため、最初から電気を、発電供給する次点から、電気抵抗を、電気自体から取り除く工夫を、特徴とする請求項１記載の水を、瞬間気化して発電する発電機能を、備えた水発電機装置。
【請求項７】
本考案の省エネルギー水発電機は、通常の市販されてる超小型水中ポンプモーターでも使用可能であるが、省エネルギーを、目的とするためレールモーターつまり別名複数電磁石モーターの使用によってモーターコイルなしの電気使用量を、少なくするためレールモーターの水中ポンプモーター使用によって省エネルギーモーターが、可能になり力不足の場合レールモーターの電気量を大きくした省エネルギー水中ポンプレールモーター装置で、あるためコイルなしモーターは、コイルのない分  電気消費が少ない電磁石直接作動方法装置の特徴とする請求項１記載の水を、瞬間気化して発電する発電機能を、備えた水発電機装置。
【請求項８】
本考案の省エネルギー水発電機は、通常市販されてる水位センサーとは、異なり弱電波の水浮き玉弱電波スイッチ切り替えで、水中ポンプレールモーター省エネルギーモーター作動電波反応切り替えスイッチ方法であり、水浮き玉の弱電波切除によって働く水中ポンプレールモーターの作動連絡出来る水位センサー装置特徴を、持った装置を、特徴とする請求項１記載の水を、瞬間気化して発電する発電機能を、備えた水発電機装置。
【請求項９】
本考案の省エネルギー水発電機は実用新案水発電機の真空装置に使用されてるレールモーター並びに水中ポンプレールモーターに使用されてるレールモーター省エネルギー電動レールモーター仕切り便などのレールモーターの内部構造上コイルのない複数電磁石と複数絶縁体を、持ち得た電磁石リレー制御スイッチ切り替え板を、備えた電磁石複数配線によって、電磁石のＳ極とＳ極の反発  Ｎ極とＮ極反発  Ｓ極とＮ極の結合の二つ間の電磁石磁気反発と磁気結合の作用を、電気磁気リレー制御を、可能にする事によってコイルなしモーターが、可能になりそれと同時に、モーターコイルを、不必要な事実のため電気消費の少ない発電機用電気磁気リレー制御省エネルギーモーター装置特徴を、持つ装置を、特徴とする請求項１記載の水を、瞬間気化して発電する発電機能を、備えた水発電機装置。
【請求項１０】
本考案の省エネルギー水発電機実用新案水発電機に使用される二つ同じの機械式発電機に使用される振り子軸など歯車軸などの機械作動摩耗防止には、通常潤滑油が使用されておるのが、通常であり、オートグリスオート潤滑油とは、別に無給油の電磁石反発軸又は電磁石反発歯車軸の使用によって、劣化消耗の少ない機械式発電機用金属軸電磁石反発軸作動装置特徴を、持った装置を、特徴とする請求項１記載の水を、瞬間気化して発電する発電機能を、備えた水発電機装置。
【請求項１１】
本考案の省エネルギー水発電機  実用新案水発電機に使用される二台の同じ構造の機械式発電機に使用される全自動ゼンマイ巻き取り装置に使用されるモーターは、電気消費量の少ないレールモーターであり、レールモーター負荷に作動記憶電気回路スイッチは、レールモーターの負荷に状態の時大型ゼンマイ装置が、全自動大型ゼンマイ装置の作動時は、圧電素子軽水素内蔵接合ダイナモのダイナモ回転作動を、続けるため、このダイナモ回転作動補助に振り子軸電磁石接合反復作動エネルギーを、ダイナモ装置作動へエネルギー変化させるため、振り子装置の反復作動エネルギーは、ダイナモ回転作動発生電気エネルギーは、通常では、補助バッテリー充電率が、悪いため発電充電率を、軽水素炭素マグネシウムニッケルバッテリー電池の発明考案によって、充電時間を、短くして、さらに圧電素子電子電気磁気４分割装置の発明考案によって、つまり電気を、電気磁気分割する考え方の圧電素子体の電子内蔵備蓄の事実説明から、さらに、バッテリー電池の充電スピードは、今までの電気理論を、覆す結果を、もたらす超電導は電気抵抗を、冷却することで、電気抵抗ゼロの次元を、海外発明家のもとで、発見されたのは、言うまでもないだが、本考案は、最初から、電気の中の電気抵抗を、磁気電子電気つまり圧電子素子体として、簡単にとらえた事が、本考案の結果を、生む事になり電気を、中間陽電子磁気  中間陰電子磁気これらは、圧電素子磁気の比較的磁気力の弱い部分に集まる熱抵抗電子エネルギー体と考えられる。そのため、圧電素子磁気電気４分割装置使用によって、ダイナモの電気発生充電スピードは今までよりさらに無駄なく充電出来る事になる。この事実を、もとに大型ゼンマイ全自動巻き取り装置の使用に対しての電気充電率の心配もなく、二つの大型ゼンマイ装置エネルギーを、ダイナモ回転作動エネルギーに変えても其の際省エネルギーレールモーターによって、再び効率の良いダイナモ作動回転エネルギーを、大型ゼンマイ装置の全自動巻きり作動によって発電効率を、無駄なく効率良く上げる事の出来る装置特徴を、持った装置を、特徴とする請求項１記載の水を、瞬間気化して発電する発電機能を、備えた水発電機装置
【請求項１２】
本考案に記載される省エネルギー水発電機  実用新案水発電機は、ある一定の持続した電気エネルギーに対して、気化水素と気化酸素の水素吸収体物質瞬間吸収発電で、新たに最初の一定した電気量を、上回る発電電気量が水を、瞬間気化させる技術により真空装置によって可能になりマスコミの世界企業世界で古くは、３０年前以前から、知られている技術であり、水素吸収体発電は、おそらく海外技術とも言えるのであるが、テレビ公開の燃料電池車の水素吸収体能力を、踏まえていかにして水を、気化させるかが問題だと大学は、マスコミ報道していた  この点では、水気化は、気化水素気化酸素の融合体の事実しかならない事を、子供の頃からの自然界の雷と言う膨大な発電量は、世間一般の知る事実によって水が、気化すると気化水素と気化酸素に別れる事実を、一般学問として考えるべきでありこれらの事実を、踏まえて水を、気化させる問題点は、ある一定の電気エネルギーが、人口的に、発電させるためには、水素吸収体の他に充電効率の良いバッテリー又は超小型発電機が、必要視される其のため、一台の機械式発電機のダイナモ回転電気発生を、効率良く上げるため、一台の機械式発電機が、発生した電気エネルギーを、もう一台の機械式発電機の振り子作動によるダイナモ発電効果を、さらに、最初の機械式発電機の発電された電気エネルギーを、足す事によって二台目の機械式発電機の発電能力アップを、計る事によって二台目の機械式発電機のダイナモ発電を、電磁石反発作動と高速リレーレールモーター二台制御で二台目の機械式発電機の発電力を、上げる事になり再びこの電力を、最初の機械式発電機に発電力アップした機械式発電機の電力を、再び最初に発電している機械式発電気に二台目発電機の発電アップされた電気で、一番最初の機械式発電機は、発電力アップ電気を、取り入れる事で、一番最初の機械式発電機の電磁石反発又は高速リレーレールモーター制御でさらに、一番最初の機械式発電機は、最初に発電した振り子速度を、更に上回り最初に発電した時の電力を、更に上回って発電する事になるこの発電アップ電力は、二台目の機械式発電機がアップ電力を、取り入れる事で二回目の超高速発電力アップを、更に越える。この繰り返し電気増幅発電はダイナモ発電能力を、上限まで、二台それぞれの機械式発電機の振り子作動スピードと、レールモーターゼンマイ全自動巻き取りの作動が、繰り返される事で、圧電素子軽水素内蔵接合型ダイナモの能力分だけ、二連機械式発、電機は、水循環気化水素吸収体発電機の、別名水発電機を、作動させるための電力確保を、二連機械式発電機それぞれの圧電素子軽水素内蔵接合型ダイナモの機械寿命と大型ゼンマイ機械能力によって連続発電する理由は、機械能力の観点から、二連振り子機械式発電機が、スイッチオンの状態では、この著作権発明機械寿命説明を、含んだ二連振り子機械発電式発電機装置の特徴を、持った装置を、特徴とする請求項１記載の水を、瞬間気化して発電する発電機能を、備えた水発電機装置。
【請求項１３】
本考案の省エネルギー発電機  実用新案水発電機に使用される二連振り子型機械式発電機のダイナモ  軽水素内蔵圧電素子結合ダイナモを、作動させるための歯車振り子装置のダイナモ作動エネルギー歯車振り子作動エネルギーの往復エネルギーを、片方回転作動エネルギーだけ使用するため、電磁石四つと絶縁体四つのレールモーターの電磁石の数を、減らして複数電磁石作動の超小型化を、目的とした、二連機械式発電機の歯車装置の複数電磁石使用の超小型回転体の電磁石歯車回転接合スイッチによって、二連振り子型機械式発電機の、軽水素内蔵圧電素子結合ダイナモを、振り子装置エネルギーで、作動させるための、超小型発電機能を、持ち得た歯車回転体スイッチ装置を、特徴とする請求項１記載の水を、瞬間気化して発電する発電機能を、備えた水発電機装置。
【手続補正書】
【提出日】平成18年4月4日(2006.4.4)
【手続補正１】
【補正対象書類名】実用新案登録請求の範囲
【補正対象項目名】全文
【補正方法】変更
【補正の内容】
【実用新案登録請求の範囲】
【請求項１】
本考案の省エネルギー水発電機とは、特開２００３ー３２８９２５の改良型機械式発電機つまり、ダイナモ図の５に示すように通常ダイナモの内部に圧電素子を、取り込み尚且つ軽水素を、圧電素子中央部に取り込むのであるが、軽水素の安定を、計るためマグネシウムを、圧電素子の中央部分に取り込む  このダイナモの意味とする事はダイナモ発電力アップに電気反応の一番早い圧電素子と軽水素が、組み合わせ考案作品として使用される又ダイナモの振り子ゼンマイ装置の電磁石反発及びレールモーター企業特許提出名ブラシレスモーターの複数電磁石反発と複数絶縁体を、使用したリレー装置モーターの発明によって、省エネルギー機械式発電機は、少ない電気消費で、新たなる機械式発電機の作動が可能になる又この機械式発電機は、二台の機械式発電機の組み合わせて使用する事で、最速の機械式発電機ダイナモ発電機の最高発電能力を、目指しているレールモーターつまり企業特許提出名ブラシレスモーターと圧電素子と軽水素及びマグネシウムの組み合わせダイナモを、使用した機械式発電機は、二台の機械式発電機の発電した電気を、パワーアップ追加作動力として、機械のみの電磁石反発振り子作動とレールモーター作動力の応用で、特開２００３ー３２８９２５より新しいダイナモの圧電素子と軽水素とマグネシウムの組み合わせダイナモの発電力アップと二台の機械式発電機の使用組み合わせによって、省エネルギー機械式発電機は、更なる発電力アップを、望める事になる。その上で尚且つ軽水素と炭素とマグネシウムの組み合わせバッテリー構造は、特に水素ニッケル電池より、電気反応の早い軽水素を、使用する事で、軽水素炭素マグネシウムニッケルバッテリーは、水素ニッケルバッテリーよりも、更に充電スピードの早いバッテリーを、得る事になる。そして機械式発電機は、軽水素炭素マグネシウムニッケルバッテリー又は充電池によって持続可能な機械式発電機に、更に近付ける。そして、特開２００４ー３０４９９２の発明応用技術とは、バッテリー及び充電時にどうしても、電気抵抗が、発生する。つまり電気抵抗熱を、今回は、取り除く技術応用活用で、電気の流れを、圧電素子磁気４分割化によって、特開２００４ー３０４９９２の特許説明に書かれている通り  通常電気から、圧電素子中間陽電子電気つまり圧電素子のプラス磁気力の弱い部分に、プラス配線を用いた圧電素子磁気体の内部電気磁気構造上プラス電気抵抗の集まり安い圧電素子磁気に用いた圧電素子磁気４分割配線のプラス配線の内リサイクル圧電素子磁気配線を、言う。この構造は、圧電素子中間陰電子電気配線の二つのマイナス配線の内圧電素子マイナス中間陰電子は、マイナス電気の中間陰電子電気配線として活用される。これら中間陽電子配線中間陰電子配線は、圧電素子磁気抵抗の弱い部分を、電気が通るため、圧電素子磁気抵抗の弱い分だけ電気抵抗は、集中的に圧電素子磁気抵抗の弱い部分だけに、集まる理由として、電気は、鉄とコイルと電気の組み合わせで、電磁石になる特性利用がこの圧電素子特開２００４ー３０４９９２の追加特許請求項補充説明とする。その上で、圧電素子の磁気力には、電気スピードの早い磁気電気しか集まらないのは磁気力電気分割として考える事によって、特開２��０４ー３０４９９２の請求項説明を、納得していただけた上で、軽水素炭素マグネシウムニッケルバッテリーの充電スピードアップを、電気磁気科学上理解して納得出来たと思いますので、請求項１の物品の組み合わせの説明の続きを、続けます。
特開２００４ー３０４９９２の通常電気の圧電素子磁気４分割方式によって、電気の中の電気抵抗になりやすい電気分子つまり電気磁気分子の電気抵抗中間電子電気つまり熱抵抗電気を、取り除く事で、軽水素炭素マグネシウムニッケルバッテリーの更なる最速充電時間を、可能にしたのは言うまでもない。この理由によって省エネルギー機械式発電機は、最速の最高ダイナモ能力発電力時間を、最短の時間で、機械式のみのダイナモ発電を、可能にする。
これら物品の組み合わせ考案によって、レールモーター応用使用つまり、ブラシレスモーターの真空装置組み合わせ応用技術によって、更なる省エネルギー真空装置使用によって特開２００３ー３２８９２５の説明と同じく水（１４）を、レールモーター発明応用使用による水中ポンプ（１１）は、レールモーター応用使用のため、電気消費の少ない水中ポンプ（１１）は、丸浮き電波磁気読み込み式水位センサー（８）の作動によって全自動で、水（１４）は、省エネルギーレールモーター真空装置室（３５）へ全自動水位センサー循環作動で、水（１４）を、省エネルギー真空装置室（３５）へ水（１４）を、送る。真空装置室（３５）の水（１４）は、真空装置室丸浮き電波磁気読み込み式水位センサー（１５）の作動で、省エネルギーレールモーター真空装置（３）を、循環全自動作動させる事になる。真空装置室（３５）の水（１４）は、省エネルギーレールモーター真空装置（３）の作動で、水（１４）は、液体から気体へ瞬間低温変化又は常温変化する事実はすでに、真空装置特許切れに基ずいて食品の全自動乾燥特許切れ技術を、見ても多くの人が真空装置能力の事実を踏まえて、気化した水（１４）は、固形水素これは、日本の豊田自動車の燃料電池車等の気化水素気化酸素の融合発電吸収材として、豊田自動車の特許物件としては、ＮＨＫテレビ放送事実から有名である。この他本田技研自動車の燃料電池車の液体水素つまりマグネシウムの気化水素吸収事実は、同じくＮＨＫテレビ放送事実に基ずいて言うまでもない、気化水素と気化酸素の融合体は、水素吸収体によって水素と酸素同時瞬間吸収によって、全自動瞬間  水（１４）気化吸収発電する事実に至る。その上で合成水素とは、固形炭素等の内部にマグネシウムを、内蔵させた物質を、合成水素と言う。ただし合成水素は、液体水素を、発電物質使用上扱いやすい物質変化応用を、求めた結果の考案であり固形炭素は、マグネシウムが、漏れない無数の穴空きが、望ましい。理由として、水素と酸素同時融合吸収発電能力は、固形水素つまり、豊田特許より、本田技研マグネシウム水素吸収体発電物質の方が、発電能力は、水素の吸収率の良い液体水素の方が発電力が、上なのは覚えていていただきたい。ただし液体水素つまりマグネシウムの取り扱いを、簡単にするため、考案された固形水素と液体水素の組合わせ考案作品を、合成水素となずけて説明する。その結果気化した水は、水素と酸素になって水素吸収体つまり固形水素液体水素合成水素に瞬間吸収発電される。発電した電気は、圧電素子磁気板内蔵銅版電極（６）（７）の特開２００４ー３０４９９２の特許応用によって、発電された電気の有り方を、無駄のない電気つまり最終説明この発電のさい再び気化した水素と酸素は、再び水（１４）になるこれを、再び丸浮き電波磁気読み込み式水位センサー（８）の反応で水（１４）は、再び省エネルギーレールモーター水中ポンプ（１１）で、水（１４）を、省エネルギーレールモーター真空装置室（３５）へ水（１４）を、再び、水（１４）を、真空装置室へ水（１４）を、移動させる。省エネルギーレールモーター真空装置室（３５）の水（１４）は、真空装置室丸浮き電波磁気読み込み式水位センサー（１５）が、水（１４）が、���水に成る事を、示すと水位センサー（１５）の反応で、省エネルギーレールモーター真空装置（３）の全自動作動する。水（１４）は、再び液体から気体へ瞬間気化させる。この時水（１４）は、水素吸収体つまり固形水素液体水素マグネシウム合成水素へ水常温気化吸収瞬間発電出来る水気化循環吸収発電の全自動循環発電システムを、省エネルギー水気化発電機と言う。
【手続補正２】
【補正対象書類名】明細書
【補正対象項目名】０００１
【補正方法】追加
【補正の内容】
【０００１】水発電機とは、機械式発電機つまり、ダイナモを、振り子ゼンマイ装置の電磁石反発及びレールモーター別名複数電磁石反発と複数絶縁体を、使用したリレー装置モーターの発明によって、尚且つ充電スピードの速い軽水素炭素マグネシュウムニッケルバッテリー軽水素炭素マグネシウムニッケルバッテリーの略説明として、水素ニッケル電池は、一般家庭  日立電機  マブチモーターなどで、既に水素ニッケル電池は、使用されており充電スピードの早い水素ニッケル電池は、最近の一般庶民なら、皆さん知っての通りの技術であり、水素は、軽水素  つまりプルトニウームを、取り除いた水素を、軽水素と言いまして、プルトニウームを、多く含んだ水素を、重水素と言いまして、通常水素の三種類に、別れます。水素の中から、プルトニウーム分子を、取り除く事によって、軽水素は、分子活動の早い水素が、出来る。理由として、プルトニウームは、水爆で、知っての通り、熱エネルギー集合体のため、軽水素が、発電する場合、この熱エネルギー集合体は、水素とニッケルの科学反応充電スピードの妨げつまり、電気配線が、熱くなると、電気が、流れにくくなる現象を、見ても分かる通り水素に、プルトニウームが、必要なのは、水素を、燃焼させたり、爆発させたりする時、たくさんの熱エネルギーが、必要と、される場合だけに、プルトウーム要り水素は、必要視されるものと、考えたい。
電気の流れには、熱抵抗電気は、本来邪魔な、存在であり、まずこの熱抵抗電気を、取り除く考えかたから、通常水素のプルトニウームを、取り除く技術こそが、電気の流れを、良くして、水素分子の結合上、プルトニウームを、取り外された軽水素は、水素分子結合の、活動が、良いため、事実説明上  軽水素ニッケルバッテリー軽水素炭素マグネシウームバッテリーは、充電スピードの早いバッテリー説明になり、マグネシウームを、扱いやすくするため、炭素マグネシウームの合成を、使用して、軽水素吸収を、良くするため、この  軽水素炭素ニッケルバッテリーに考えられた充電スピードの早い説明とするそして軽水素炭素マグネシウムニッケルバッテリーの急速充電化を、実現させる電気圧電素子電子分子結合体の電気電子磁気４分割化によって、電気から、中間陽電子磁気及び中間陰電子磁気の、熱電気抵抗取り除き方法は、公開特許公報（Ａ）特開２００４ー３０４９９２でも、説明していますが、改めて説明します。圧電素子とは、１００円電子ライターの、火花は、実は、電子放電が、事実であり圧電素子とは、電磁石なのも事実なのを、この実用新案を、読む方々へ、まずこの事は、誰でも事実確認出来ます。この事実を、踏まえて、電気は、磁石化する、事実は、通常鉄にコイルを、巻いて電気を、流し続けると電磁石になる事実も、視野に於いて考えてください。つまり、電気とコイルと鉄で、電磁石Ｎ極  Ｓ極に、変化する事に注目してください。電磁石の強さは、鉄の密度つまり鉄が硬くて重い鋼鉄の方が電磁石の引き付け反発は、強くなり電気消費の分電磁石吸引度も、高くなるのは、一般庶民でも知っての通りです。つまり電気は、磁石のＮ  Ｓに、置き換える事実証明は圧電素子は、科学合成電子集合体磁石つまり、人工的に作り上げた磁石であり、低学年の学校の理科の本ではコイルを、巻いた電磁石は、やがて永久磁石化したと言う表現が、用いられる。
その上で圧電素子に、配線を、コイル上に巻くのではなく、電気を、流す事によって、圧電素子磁石の磁気化の最も強いＮ極を、陽電子プラス極となずけてＳ極を、陰電子マイナス極となずけます。こうする事によって圧電素子磁石の磁気の強いスピードの早い電気は、圧電素子磁石体の磁石構成上スピードの遅い電気は、圧電素子磁石の中央部分を、流れる事になる。つまり、熱抵抗電気は、スピードの遅い分  圧電素子磁石の中央部分に圧電素子磁石構造の磁石の強弱の変える事の出来ない事実から、電気は、磁気磁石分割の圧電素子磁石強弱分別判断に、基ずいて圧電素子磁石の、中央部を、磁気化の弱い電気抵抗の、集まる部分を、電子のプラスを、陽電子電気と言い電子のマイナスを、陰電子電気と言いまして、電子の熱集合部分を、中間電子と言う。この場合圧電素子磁石を、磁石四分割上に、均等区別した、圧電素子磁石に、流れる電気を、磁石強度区別化した場合、圧電素子陽電子磁気電気これは、磁石力のプラス電気の早くて強い磁気電気を、示します。もう一つの陰電子磁気電気これは、磁石力のマイナス電気の早くて強い磁気電気を、示します。
中間陽電子磁気とは、圧電素子磁石を、四分割にした場合磁石力の弱い部分に流れる電気を、中間陽電子磁気電気として、略称中間陽電子とします。もう一つの中間陰電子磁気電気これは、磁石力のマイナス電気の早くて強い磁気電気を、示します。圧電素子磁石に電気を流すと電気は、圧電素子磁気体に沿って流れます。圧電素子にただ電気を、流すと圧電素子は、電気の抵抗エネルギーで、熱を、おびてしまうため、対策として冷却物質で、囲んだ圧電素子体を、電気の磁気分割つまり、圧電素子磁気四分割化と言う表現方法を、用いる。これらの説明から、圧電素子磁気電気説明が、成り立ち電気抵抗を、取り除いた電気使用の事を、電気抵抗を、取り除いた電気だけ軽水素炭素マグネシウムニッケルバッテリーに、充電する技術の構築から、ダイナモ圧電素子内蔵軽水素装置の略説明を、する。ダイナモ中心部に圧電素子を、内蔵して更に圧電素子磁石中心部に軽水素を、入れた新しい考案のダイナモの説明を、始めます。通常水素に、熱エネルギー圧縮エネルギー打撃エネルギーそして電気エネルギーを、加える事で、水素分子は、活発に動いてプルトニウームと結合している水素分子の活発な活動から、エネルギーを、発生させるこれは、水素の分子構造エネルギーを、説明してもわかりずらいため、水爆は、水素を、莫大な圧縮エネルギーで、圧縮すると水爆は、出来ます。つまり水素本来の持ち得ている水素能力とは、外部からの何らかのエネルギーを、加えると水素分子エネルギーは、加えられたエネルギー分だけ、水素分子のエネルギー活動を、してしまう事実は、水素が、危険物質と言う、一般庶民の知り得ている学問から、圧電素子中心部の軽水素は、通常水素より水素分子活動が、活発になりダイナモ中心部の圧電素子磁石分子は、高圧縮磁石のため、分子は、固定してます。所が、圧電素子中心部の軽水素は、水素分子活動が、活発なため、皆さんが知っての通り電子ライターの原理を、このダイナモ中心部圧電素子軽水素内蔵のこのダイナモが、作動して、エネルギー力のある電気によって圧電素子の磁気体の固定分子へ強い電気エネルギーが、加わるため、圧電素子磁気固定分子は、鉄打撃でわなく、電気エネルギー打撃を、受ける事で、電子エネルギーを、新たに発生させるこの時に、圧電素子磁石中心部の軽水素は、水素分子が、活発なため、新たに新しい電子増幅エネルギーを、発生させる事実となる。この事を、ダイナモ内の圧電素子軽水素電気磁気融合発電と言う文書解説とする。このため、新しいダイナモは、通常ダイナモより、より多くの電気を、発電出来る事が見込める事になる。
これは、軽水素と言うプルトニウームを、取り除いた水素特質つまり、水素分子の活動が、活発な、軽水素を、生かした発想そして、圧電素子磁石の持ち得た事実能力によって、この新しいダイナモは、発明考案された事実説明を、水素分子の力と言うエネルギーを、理解していただきたい。但し軽水素圧縮技術説明は、圧電素子内蔵圧縮軽水素試験などで、別途説明を、得たい  この場合危険性が、少なくもう少し発電アップが、事実のはずなのはエネルギーと言う力の力学上本来危険で、危ない水素より軽水素の上手で安全な使い方が正しい発想考案として付け加えておきたいのは、これを、読まれるより多くの人に理解していただきたく、ここに書き添える事にしました。このダイナモの技術を、加えた全自動巻取りゼンマイ装置動力とレールモーター２００１年５月１８日発明考案作品北海道庁発明考案著作権郵便物受理証明書付きに於いて、レールモーターは、企業側の発明証明特許提出より、一年以上発明考案が、早い事を、ここの文章で、はっきり断言し書き示します。
その上で、このレールモーターを、使用した全自動振り子方動力を、使用したダイナモ作動装置そして、このレールモーター図７（３８）図３（６８，６９，）は、補助電池を、使用しておるためレールモーター作動には、軽水素電池の急速充電出来る少し大きめの充電池を、使用する事で、更に新しいダイナモは、機械だけの構造つまり、液体マグネシウーム固形水素などの科学物質発電とは異なった発電方法の方式の特徴は、二台のニューダイナモ発電装置のレールモーター電力供給作動増幅によって、二台のそれぞれのニューダイナモ装置の発電された電気エネルギーに、発電した電気エネルギーを、足していく事で、レールモーター振り子装置スピード増幅によって、ニューダイナモ装置の発電力アップしたダイナモ発電装置効果によって図５（４３，６０，）は、次なるレールモーター真空装置図２２（３）レールモーター水中ポンプ図２４  水位センサー図２０温度センサー図１８これら装置を、作動させるための電気エネルギー発電装置すなわちニューダイナモ連続全自動発電装置を、機械式発電機と言いましてこの機械式発電機二台の発電機の連続発電装置を、二連振り子式機械式発電機図３説明（１６）を、名称とした上で、この二台の機械式発電機つまり二連振り子型機械式発電機の発電エネルギー力によって水発電機図１（３２）の各全自動電気装置作動電気エネルギーの確保に対しての略説名とする。
実用新案省エネルギー水発電機にどうしても必要な発明公開特許公報（Ａ）特開２００４ー３０４９９２は、提出の時墫野和夫のミスによって、特開２００４ー３０４９９３の請求項１と２を、だぶつせたため、この電気抵抗を、減らして電気を、長持ちさせ電気製品に無理を、かけない電気装置のあり方が、本当の発明の名称です。既に特開２００４ー３０４９９２の手続き補正を、完了しているため、実用新案省エネルギー水発電機を、より良く理解して、いただけるかと確信しています。特開２００４ー３０４９９２の発明考案日は、２００２年９月であり、北海道庁郵便物著作権発明考案文章図面付きの書面受理書は、実在してます。発明考案にての実用新案省エネルギー水発電機の誕生考案理由を、良く理解していただけるように説明文として書き添えます。圧電素子電気電子磁気４分割装置の意味が、理解していただけた所で、この装置を、使用した充電機関は、この圧電素子電気電子磁気４分割装置は、電気抵抗つまり圧電素子磁石内の磁気の弱い部分の磁気力の弱い部分すなわち電気抵抗の多い部分の電気を、リサイクル電気として、使用してこの場合磁気力の強い部分の電気使用つまり電気磁気スピードの早いプラス陽電子電気  マイナス陰電子電気だけを、電気使用するこの装置の発明考案が、あるので、電気の急速充電技術は、軽水素マグネシウムニッケルバッテリー  つまり水素より軽水素の方が、充電スピードが、早いのは、水素分子構造の中に高温温度の場合核融合と言う熱エネルギー発生これは、通常水素又は重水素のみは、熱エネルギー発生を、生むため、原子力の形で、発電する事実だが、通常水素発電の際は通常バッテリー充電は、一日程充電時間が、必要なのは、充電時電気エネルギーが、熱変換  して、オバー熱放出してしまう結果だけ、墫野和夫及び庶民は、見て来たこれを、解決してくれる充電物質それは、現在知られている水素ニッケル充電池又はバッテリーの水素ニッケル充電池充電の１５分を、上回る技術は、軽水素つまり充電時電気分子と水素分子結合の際、エネルギー放出の少ないプルトニウームなしの軽水素の充電電気分子が、プルトニウーム中間子と結合しても、熱エネルギーしか残念ながら熱エネルギーしか放出しないこれを、理解していただいた上で、プルトニウーム中間子のない水素  つまり軽水素は、水素分子の活動が、活発の分だけ電気分子結合が、スムーズムに、行われるため、電気充電スピードも、分子抵抗の少ない分水素に対しての軽水素の方が、充電スピードが、早くなる理由説明とする。この装置によって機械式発電機の補助電源急速充電技術スピードアップは、省エネルギー水発電機の補助電源バッテリーの急速充電技術すらも、クリアーしてくれる新しいどうしても省エネルギー水発電機に必要な新しい充電技術と言える。
これら技術を、集めてすべての新技術を、応用してこそ省エネルギー水発電機が、どの様にして発電するかの説明を、請求項の１として、改めて文書解説します。この発電機は、水を、真空装置で水を、液体から低温気体変化この場合水蒸気とは、分子結合状態が、異なり狭い部屋での空気圧縮などの力を、加えた場合又は熱エネルギーを、加えない限り短い時間数秒から一分単位のこの時間は水が、気化したのであってただ気体化したのではなく、真空装置と言う装置によって狭い部屋の空気だけを、抜き続けると水の入っていた部屋の気圧が、ゼロになるため、水の分子は、液体から気体になるこの場合軽い気体化酸素と軽い気体化水素の融合体になる。これは、一般ではいろいろな形で表現しているこれを、水分子と表現した場合Ｈ２Ｏつまり水素の二つの分子と酸素一つの分子の表現つまり気化した水気体化分子結合状態を、示します。
Ｈ２Ｏは、水ですが、沸騰水のヤカン又は湯沸かし器の中のお湯は、まだＨ２Ｏの表現のままです何故なら、水もお湯も、液体この事を、Ｈ２Ｏと言います。所が水蒸気は、すでに、水滴は、Ｈ２Ｏの表現が、正しい何故なら水の状態液体を、示します。水蒸気つまり水が、液体のＨ２Ｏの姿が気体化した状態これは、Ｈ２とＯの融合気化物質になります。真空装置を、使用した水を、液体から気体へ変化させる場合低温つまりプラス１度から沸点の前まの温度又は  氷りなどのマイナス固形物質でも水を、気体化させる事が出来る技術  つまり水蒸気とは、水の粒の考えたは、間違えでして水の気体化粒子の考え方が、正しく、冬の川に見える水蒸気は、水の気体化粒子が集まった所への温度の違いの水蒸気の光り反射で区別して見えるだけで、夏場の水蒸気温度と、回りの温度が、同じ場合水蒸気は、見えません。つまり水蒸気とは水が気体化した事を、言うのであって、決して水滴の集まりでは、なく  水滴の集まりならば、又は水滴の表現に対しては、雨となって地表に落ちます。ここで、理解していただきたいのは、水は気体化した状態では、水素が二つのＨ２そして酸素のＯが一つの水気体化物質の水素と酸素の融合体の表現が、正しいとはずです。水素Ｈ２と酸素Ｏの同時に吹き付ける速度と言う力を、与えるとわずかでしょが、発電します。つまり水素吸収体なしの発電も、可能な事実説明は、２００１年２月１１日夜ＰＭ１９時３０分のＮＨＫクローズアップ現代の放送事実説明で、納得していただきたい。
つまり、水素Ｈ２と酸素Ｏが、あれば気体化物質ならば水素吸収体のマグネシウームつまり液体マグネシウーム又は固形水素吸収体つまり固形水素は、酸素水素の気体化物質ならば水素吸収体を、使用した発電装置では、必ず発電する事実にしかならないのを、理解していただきたい。この他  雷発電に対しても発電する前は、気体化水素と酸素の融合体が、雲と言う表現で有りましてこれは、水素と酸素の融合体と言う言葉の置き換えを、使う事になります。水素だけの発電は、日本の大阪市で、現在行われている技術説明に、対して水素内の陽子つまりと中間子の活動を、活発化させて熱エネルギーを、発生させてタービンを、作動させてダイナモを、回転させて発電する技術なのですが、雷自然界の現象を、発電技術として、説明するならば、雷は、春夏秋冬いつでも発生するため、水素と酸素の発電は、温度に、変わりなく発電する事実説明は、自然界の現象に有ります。そして雷は、夜又は日中いつでも時間を、選ばない事実とは、雷発電は、光りの力によって、発電しているのではないない事実。つまり磁波と引力の力と言うエネルギーが、重なって雷が、発生する事実を、自然界の中の力のエネルギーを、水素と酸素に加える事で雷と言う発電現象になる事実は水素と酸素の発電は、温度変化では、ないとここで、説明が、成り立ちます。
ここで、燃料電池車の発電方法は、水素と酸素の融合発電では、なく  水素吸収体へ、つまり液体マグネシウーム又は固形水素へ、水素と酸素が、同時に吸収された場合発電します。
この場合水素吸収体が、有る場合の発電と、ない場合の発電力では、発電力のパワーを、見て分かると思いますが、簡単説明として、２００１年同じく２月１１日夜ＰＭ１９時３０分のＮＨＫクローズアップ現代を、見た方なら、水素吸収体を、使用した発電方法では、莫大なエネルギーを、得ることの出来る事実確認は、出来ます。付け加えるならば液体マグネシウームに水素と酸素が、同時吸収された場合発電するの説明なのだからに対して水素と酸素の科学反応発電事実を、理解していただきたい。水発電機図１（３２）の発電方法の技術説明は、燃料電池は、水素タンクを、持って酸素と科学反応但し水素吸収体と酸素吸収の同時発電とは、違っている点とは水を、気体化させた酸素と水素の、気体化融合体物質吸収発電方法は別の発明考案である事を、理解していただきたい。この発電方法を、可能にしたのは、水素吸収体の水素分子と酸素分子を、マグネシウームと言う物質の電気発電物質質量の説明の上で、水素の持ち得たエネルギーを、酸素だけで、電気エネルギーを、温度に関係なく引き出す方法とは、水が、すべて気体化する場合の熱エネルギー換算して良いと考えられる。
但し、別雷発電自然界方法として、水素酸素の融合体発電に対しても、別に水素タンクは、要らないの事実つまり、水が、気体化した状態ならば、発電する事実を、自然界の方からでも理解していただきたい。これを、水気体化発電方法の説明として追加する。
つまり、この水発電機の請求項１の説明に於いて水を真空装置で気体化させる技術だけではなく、水を、電熱線などで、沸騰気化させた場合も同じ水気体化発電方法と考えます。
この軽水素などを、いれた水気体化物質の取り扱い方法又は水に水素を、多く足した場合のＨ３Ｏ  Ｈ４Ｏなどの取り扱いに於いてなどでは真空装置使用時間が、わずかでも短くなる事実は、水素と酸素の科学反応発電に於いて水素吸収時間が早くなる事実説明である場合いずれにしても水を、気体化させる一般に知られている技術を、応用した考案事実の証明であり実用新案考案の請求項１の発電技術のポイントつまり水を、気化させる技術を、踏まえて真空装置を、使用した低温  水  気体変化技術である事を、理解していただきたい。その上で、改めて省エネルギー水発電機の説明を、始めます。
この水発電機図１（３２）は、二連振り子式機械式発電機図１から図３（１６）のレールモーター図７から図８（３８）の複数絶縁体接合電磁石の吸引反発力の応用を、二つのレール状に複数電磁石を、並べたコイル配線を、持たない電気消費の少ないモーターこれは、企業名ブラシレスモーターの往復作動リレー制御切り替えによって又は電磁石反発作動によって二連振り子装置（５０，６６）を、全自動ゼンマイ巻き取り装置（４７，４９）の連動連結歯車の作動エネルギー及び軽水素炭素マグネシウムニッケル充電池図１５（５５，６４）のエネルギーで、軽水素内蔵圧電素子結合ダイナモを、回転作動させて機械だけの部品連動作動方式によって発電出来る機械式発電機図１図３図４（１６）の発電機能力及び軽水素炭素マグネシウムニッケルバッテリー図１５（４０，４１，４２）の充電スピードの早い理由としてプルトニウームなしの軽水素は、軽水素分子構造の動き又は分子活動が、活発化になり、プルトニウームがはずれてない軽水素分子構造は、充電スピードを、上げる新しいバッテリーのため、水発電機図１（３２）を作動させる。まず手初めに水気体化室図１省エネルギーレールモーター真空装置室（３５）へ水（１４）を、省エネルギーレールモーター水中ポンプ図１図２０図２３図２４（１１）によって水（１４）を、丸浮き電波磁気読み込み式水位センサー図２０図２１（８）の電波遮断電気スイッチ反応によって、省エネルギーレールモーター水中ポンプ図１図２０図２３図２４（１１）は、電気作動して水（１４）を、省エネルギーレールモーター真空装置室図１（３５）へ水（１４）を、移動させるこれは発電エネルギー物質にあたり、他の技術とは、違う考案発明でもあるこの水発電機実用新案の、重要な説明でも有る事を、埋解していただきたい。但しまだ水（１４）は、省エネルギーレールモーター真空装置室図１（３５）の中に於いてこのままでは、ただの水（１４）図１であるが、丸浮き電波磁気読み込み式水位センサー図１（１５）は、水図１（１４）は、満水になると、電波遮断スイッチによって、水図１（１４）は、発電物質でもあるが、低温のため、エネルギー変化した状態ではない。つまり水図１（１４）は、液体マグネシウム又は液体マグネシウム内蔵の固形水素又は豊田自動車の固形水素これら水素吸収体  図１（４，３７）に、水図１（１４）を、吸収させるため、液体から気体へ変化させる必要がある。それも、瞬間に、水図１（１４）を、液体から気体へ変化させる必要になる。つまり水素２  酸素Ｏの発電前の水素と酸素の気体融合物質を、真空装置図１（１５）によって低温において、温度変化技術では、水蒸気変化のとらわれ方になるが、真空装置図１図２２は、沸騰温度の変化で、水蒸気変化させる技術とは、違って尚自然界に於ける水、自然蒸発現象を、主旨としない技術応用とは、水素吸収体液体マグネシウム図１（４，３７）に、どれだけ早く真空装置図１図２２（３）の気圧を、ゼロにする技術によって水図１（１４）を、低温の状態では水図１（１４）は、水蒸気に瞬間時なった説明より水（１４）は、水素Ｈ２  酸素Ｏ２の気体化した状態であり、燃料電池発電は、水素Ｈ２に、外気酸素Ｏを、取り入れた状態つまりＨ２Ｏの水素と酸素の気体化融合を、時間的考え方では、水になる前  つまり水素吸収体液体マグネシウムなどに、液体マグネシウム分子に水素Ｈ２分子酸素Ｏ分子この場合外気酸素Ｏ分子を、強制状態強制吸収発電を、発電物質  液体マグネシウム分子一体化発電方法  発電説明に於いて、水素Ｈ２  と酸素Ｏが、強制融合発電は、わずかでも、発電が認められていて海外の特許認定は、２００１年１月１１日ＮＨＫ夜ＰＭ１９時３０分からのクローズアップ現代の豊田自動車燃料電池発電方法  本田技研自動車株式会社燃料電池発電方法の前に、水素タンクと酸素タンクの強制発電方法が、あった事実を、知り得た結果気体水素  気体酸素の強制融合ならば、発電する事実によって水つまり、水蒸気ではなく、雨と言う水つまり、自然界水に、なる事実説明は、テレビ情報説明で、成り立ちます。水素と酸素が、本来持ち得た低温発電技術は、水素Ｈ分子又はＨ２分子と酸素Ｏ分子の融合だけでは、分子結合発電の答えは、今だ自然界の雷発電つまり、水素Ｈ２分子と酸素Ｏ分子結合発電は他の力によって発電と言うなんらかの分子一体化発電つまり違う力すなわちエネルギーが、加わらなければ、雷発電の説明さえ成り立たないだけではなく。液体マグネシウム水素吸収体に水素Ｈ２は、水素タンク内のＨ２と水が、真空装置瞬間低温気体化した水素Ｈ２と酸素Ｏの気体融合物質の水素Ｈ２は、まぎれもなく水素Ｈ２分子状態のまだ力と言うエネルギーが加わわらない状態を、水素  酸素瞬間気体化状態と言います。ここで水素は変化を、する時、エネルギーを、発生させる事実確認を、この文書説明で、確認していただきたい。
通常水素は、エネルギーを、加えなければ、エネルギー発生しない。ところが、軽水素は水素分子から、プルトニウム分子  学校学問では、中間子と言いますが、プルトニューム分子を水素から強制的にはずすと軽水素になり軽水素分子は、他の分子と結合しやすくなる。そのため、液体マグネシウムつまり水素吸収体に、水素と酸素が、同時吸収される時、通常の酸素と水素の強制吸収発電する発電力より、液体マグネシウム水素吸収体発電の方が、発電力が、アップする事実説明とは、水素分子から、プルトニウム分子を、はずして酸素分子とを、結び付ける結果  事実上すばらしい、燃料電池発電の説明を、付け加えた上で、水発電機の、真空装置によって、水を、低温状態によって、液体から気体へ瞬間変化させる技術は、水素と酸素を、液体マグネシウムつまり水素吸収体に吸収しやすくする技術を、水が、液体から気体変化は、雷発電前の水蒸気つまり、水蒸気は、まぎれもなく発電物質であり気化水素と気化水素は、気体の水素と酸素の融合体であり、液体マグネシウム水素吸収体によって分子説明上水素Ｈ２と酸素Ｏの集合体であるのが、事実のため水（１４）は、真空装置図１（３）によって、低温瞬間気体化した場合、発電する事実説明になる。水蒸気は、水ではなく水蒸気の雲は、雷発電によって、雨という自然界の水物質になる事実までの、気体水素と気体酸素の発電理由の違いを、理解していただきたい。
水（１４）は、省エネルギーレールモーター真空装置図１（３）図２２（３）を、作動させて水素吸収体発電室図１（３７）の固形水素液体マグネシウム合成水素図１（３）に、水（１４）を、気体水素と気体酸素の低温気化物質化する事で、水素吸収体液体マグネシウム（４）などへ気体水素気体酸素の融合気体物質は，気体のため液体マグネシウムへ瞬間吸収発電となる省エネルギーレールモーター真空装置室図１（３５）で、水（１４）が、気体水素と気体酸素の融合体になってから、水素吸収体発電室図１（３７）までの距離は、短いため、発電ロスが、少ない。燃料電池発電同様に、気体水素と気体酸素が、融合液体マグネシウム発電は、水素酸素の融合発電より、はるかに越えた発電力を、得る事が、出来る水発電機図１（３２）は、再び、水（１４）のみを、気体水素と気体酸素の融合体は、水素吸収体によって発電する事によって、水（１４）に再び発電行為によって、水（１４）の姿にもどる。水（１４）は、発電処理水タンク室図１（３４）へ送られる。発電処理水タンク室図１（３４）の丸浮き電波磁気読み込み式水位センサー図１（８）が、満水を、示すと省エネルギーレールモーター水中ポンプ（１１）が作動して、再び水（１４）を、省エネルギーレールモーター真空装置室（３５）へ水（１４）を、移動させて、省エネルギーレールモーター真空装置室図１（３５）の丸浮き電波磁気読み込み式水位センサー図１（１５）は、満水反応つまり、電波遮断によって省エネルギーレールモーター図１（３）のスイッチ作動する事で、水（１４）を、再び気体水素と気体酸素に変える事で、水素吸収体つまり固形水素豊田自動車テレビ公開作品  液体水素マグネシウム本田技研自動車テレビ公開作品図１（４，３７）に、気体水素と気体酸素の融合吸収連続発電は、補助電源バッテリー図１（４０、４１，４２）の電源又は２連振り子式機械式発電機図１（１６）の発電エネルギーを、補助電源使用として水瞬間気化連続発電出来る装置。
【手続補正書】
【提出日】平成18年7月4日(2006.7.4)
【手続補正１】
【補正対象書類名】実用新案登録請求の範囲
【補正対象項目名】全文
【補正方法】変更
【補正の内容】
【実用新案登録請求の範囲】
【請求項１】
本考案の省エネルギー水発電機は、水を発電物質とし此の水を、省エネルギーレールモーター真空装置 図1(3) 図22(3)この真空装置は、通常真空装置の通常モーターを、レールモーターと取り替えた真空装置を、作動させて水素吸収体発電室 図1へ省エネルギー水中ポンプ此のポンプは、通常モーターポンプと違うレールモーター使用の水中ポンプを、使用して水中ポンプ室の水位センサーの反応作動で省エネルギーレールモーター真空装置室へ二連振り子型機械式発電機の電源及びバッテリーの電源及び家庭電源それぞれの電気を、使用して、水を省エネルギーレールモーター真空装置室ヘ発電物質の水として省エネルギーレールモーター水中ポンプで、水を送りこの事によって送られた水は、レールモーター構造の真空装置で、水を、真空装置機械作動によって、液体の水から低温気化した水気化物質を、水素吸収体発電室 図1(37)の固形水素(トヨタ特許)液体マグネシウム(本田技研工業株式会社特許)又は合成水素とは固形水素の中に液体マグネシウムを、入れた発電物質それぞれは、省エネルギーレールモーター真空装置で液体の水を、瞬間気化した低温水気化物質を、水素吸収体いずれかにモーター送りの水気化融合物質を、瞬間的に水素吸収体に低温水気化物質を、当てる事で水素吸収体それぞれは、水素と酸素の科学反応発電を、水素吸収体物質の構造上の特性から、気化水素を、吸収するのと同時に気化酸素吸収するため、かなりの発電を行い、これらの発電された電気は、圧電素子を、形状とした物質に発電した電気を、通す事で、磁気の強い部分の電気だけを、バッテリーに充電したり、発電の電気として使用する事が出来て此の発電の結果水だけが、残り再び省エネルギー水中ポンプ室つまり発電処理タンク室(34)へ水が溜まり丸浮き電波磁気読み込み式水位センサー(15)この装置は、水位センサーの改良型であり、丸浮きが弱電波遮断する事による電波の途切れを、スイッチにした水位センサーであり普通の電波発信装置が、使用される。水位センサースイッチにおいて水(14)発電物質は、発電処理水タンク室(34)の水(14)を、再び省エネルギーレールモーター真空装置(3)で水(14)を、常温気化物質に瞬間気化させて、液体マグネシウムに低温水気化物質を、瞬間吸収発電を、繰り返して二連振り子機械式発電機(16)の電力軽水素炭素マグネシウムニッケルバッテリー(343)の電力そして家庭電源配線の電力などで、水(14)液体物質を、低温水気化発電物質に真空装置を使用して低温又は常温水気化発電物質を作り上げて、水素吸収体の液体マグネシウムに瞬間吸収を、連続して発電出来る装置。
【請求項２】
本考案は、省エネルギー水発電機 実用新案水発電機は、充電スピードを、速めるため、市販されている水素ニッケルバッテリーよりバッテリー充電の早い軽水素つまり熱電気の発生の少ない中間陽電子中間陰電子の少ない水素を、使用する事によって炭素マグネシウムの軽水素組み合わせで充電安定を、図りより良い熱抵抗の少ないバッテリー軽水素炭素マグネシウムニッケルバッテリーつまり軽水素と炭素とマグネシウムとニッケルの組み合わせによるバッテリー装置によって機械式発電機の性能を、高めてより発電充電効率の良いバッテリーを、備えた水発電機用に使用される二つの機械式発電機装置の能力特徴を、持った装置を、特徴とする請求項1記載の水を、低温又は常温瞬間気化して発電する発電機能を、省備えたエネルギー水発電機装置。
【請求項３】
本考案の省エネルギー水発電機は、軽水素炭素マグネシウムニッケルバッテリー装置の充電スピードを、上げるために圧電素子と固形窒素つまり冷却物質を、組み合わせた装置を、圧電素子磁気4電子磁気分割つまり、圧電素子陽電子磁気電気と圧電素子陰電子磁気電気の熱抵抗の少ない圧電素子磁気電気つまり圧電素子磁力の強い部分の電気使用この事が、熱抵抗の少ない磁気電気を、使用する事で、軽水素炭素マグネシウムバッテリーの充電スピードを、速める事が出来て圧電素子冷却中間陽電子磁気電気及び圧電素子冷却中間陰電子磁気は、リサイクル電気として活用出来る装置を、備えた圧電素子磁気4電子分割装置充電装置特徴を、持った装置を、特徴とする請求項1記載の水を、低温又は常温瞬間気化して液体マグネシウムを、使用して発電する発電機能を、備えた省エネルギー水発電機装置。
【請求項４】
本考案の省エネルギー水発電機は、実用新案水発電機は、水素吸収体つまり固形水素又は炭素とマグネシウムを、組み合わせた合成水素又は炭素とマグネシウムを、組み合わせ合成した中に液体マグネシウムを、入れて水素と酸素が、同時吸収しやすくさせた水素吸収体であり、扱い易くするため又液体マグネシウム水素吸収体の水素吸収率の良さを、充分に活用するため常温気化水素と常温気化酸素の融合吸収発電物質を、備え持った発電機装置を、特徴とする請求項１記載の水を、常温瞬間気化して発電する発電機能を、備えた省エネルギー水発電機装置。
【請求項５】
本考案の省エネルギー水発電機は、市販されている真空装置のモーター部分を、レールモーターつまりモーターコイルを、持たない複数電磁石と複数絶縁体と複数電磁石配線とリレー電磁石スイッチ制御盤を、組み合わせたレールモーター装置であり、レール上に二本のレールを、電磁石を、使用するコイルなしモーターを、レールモーターとなずける事になり、このレールモーターは、モーターコイルを、持たないのが特徴であり電気消費量が、少ないモーターであり、一つ一つの電磁石は絶縁体で、仕切られた構造を、持って電磁石反発又は吸引作用 S磁極とN磁極の電磁石の特性を、フルに活用したモーターであり電磁石切り換えは、リレースイッチで、スピーデイに行われる省エネルギータイプのモーター事実である。
尚 レールモーター使用の省エネルギータイプの発電機用レールモーター使用真空装置特徴を、持った装置を、特徴とする請求項1記載の水を常温瞬間気化して発電する発電機能を、備えた省エネルギーレールモーター真空装置。
【請求項６】
本考案の省エネルギー水発電機は、通常の銅版電極を、使用せず圧電素子内蔵銅板電極を、使用する事になり此の場合銅板電極の中に圧電素子を、入れた構造の電極板であり、この事から、水素吸収体の液体マグネシウムなどで、常温気化水素 常温気化酸素融合物質が、科学反応発電された場合発電される電気名称として、圧電素子陽電子電気と圧電素子陰電子電気を、素早くスピーデイに圧電素子磁気電気4電子分割発電電気として電気供給出来る発電気供給出来る発電機用圧電素子磁気4電子分割板内蔵銅板電気誘導装置特徴を、持った装置のため最初から電気を、発電供給する時点から発電電気の中から電気抵抗を、電気自体から電気熱電気抵抗を、取り除く工夫特徴とする請求項1記載の水を、瞬間常温気化して発電する発電機能を、備えた省エネルギー水発電機装置。
【請求項７】
本考案の省エネルギー水発電機は、通常の市販されている超小型水中ポンプモーターの改良型として省エネルギーを、目的としたレールモーターを、水中ポンプの構造とした水中ポンプレールモーター使用によって省エネルギーレールモーターが、可能になり力不足の場合の対処は、電気量を、アップする事で力ずよいモーター実現する事が出来て、電気使用量が、少ない理由としてコイルなしモーターのため、電気消費が、少ないコイルなしレールモーター水中ポンプ電磁石直接作動方法装置の特徴とする請求項1記載の水を、瞬間常温気化して発電する発電機能を、備えた省エネルギー水発電機。
【請求項８】
本考案の省エネルギーの水発電機は、通常市販されている水位センサーとは異なり弱電波反応の丸浮き電波磁気読み込み式水位センサーこの装置は、通常弱電波発射装置と電波磁気読み込み通常装置の組み合わせとこの弱電波遮断装置として、丸浮き装置つまり水に浮く装置で、弱電波遮断出来る装置の組み合わせで、電気遮断スイッチ水位センサーによって省エネルギーレールモーター水中ポンプ作動連絡できる水位センサー装置特徴を、持った装置を、特徴とする請求項1記載の水を、瞬間常温気化して発電する発電機能を、備えた省エネルギー水発電機装置。
【請求項９】
本考案の省エネルギー水発電機は、真空装置に使用されているレールモーター並びに省エネルギーレールモーター水中ポンプに使用されている装置又省エネルギー電動レールモーター仕切り弁装置などのレールモーターの内部構造説明として、コイルのない複数電磁石と複数絶縁体構造の組み合わせ及び電磁石リレー制御スイッチ切り換え板を、備えた電磁石複数配線によって電磁石のS極とS極の反発 N極とN極反発 S極とN極の結合の二つ間の電磁石磁気反発と磁気結合の作用を、電気磁気リレー制御を、可能にする事によってコイルなしモーターが、可能にした装置構造の有り方でありそれと同時にモーターコイルを、レーモーターは、持たないため電気消費の少ない発電機用電気磁力リレー制御省エネルギーレールモーター装置特徴を、持つ装置を特徴とする請求項1記載の水を、瞬間常温気化して発電する発電機能を、備えた省エネルギー水発電機装置。
【請求項１０】
本考案の省エネルギー水発電機に使用される二つの同じ機械式発電機に使用される振り子軸など歯車軸などの機械作動摩耗防止には、通常は、ミシン油などの潤滑油の使用が、通常であり、オートグリス オート潤滑油とは別に無給油の電磁石反発軸又は電磁石歯車反発軸は、電磁石構造を、持ち得た電磁石反発軸と電磁石歯車反発軸の使用によって金属劣化消耗の少ない機械式発電機用電磁石反発軸作動特徴を、持った装置を特徴とする請求項1記載の水を、瞬間常温気化して発電する発電機能を、備えた省エネルギー水発電機装置。
【請求項１１】
本考案の省エネルギー水発電機に使用される二台の同じ構造を、持つ機械式発電機に使用される全自動ゼンマイ巻き取り装置に使用されるモーターは、電気消費の少ないレールモーターが使用される此の場合レールモーターに規定以上の負荷がかかった場合レールモーター作動記憶電気回路スイッチは、レールモーターの負荷の状態の時大型ゼンマイ装置の作動がレールモーターによって出来るレールモーターと大型ゼンマイ装置と磁気記憶位置が、取り付けられた装置の組み合わせで全自動レールモーターゼンマイ巻き取り作動によって発電効率を、大型ゼンマイ装置によって無駄なく効率良く上げる事の出来る装置特徴を、持った装置を、特徴とする請求項1記載の水を、瞬間常温気化して発電する発電機能を、備えた省エネルギー水発電機装置。
【請求項１２】
本考案の省エネルギー水発電機装置に使用される二連振り子型機械式発電機の発電機発電能力を、アップするための工夫考案として、ダイナモの改良が、求められ通常ダイナモの中央部分に圧電素子を内蔵してさらに、圧電素子の中央部分に軽水素を、内蔵させた圧電素子構造を、持ち得た新しいタイプのダイナモ装置によつて二連振り子型機械式発電機の発電効率を、上げる事を目的とした二連振り子機械式発電機ダイナモの特徴を、持った装置を、特徴とする請求項1記載の水を、瞬間常温気化して発電する発電機能を、備えた省エネルギー水発電機装置。
【請求項１３】
本考案の省エネルギー水発電機に使用される二連振り子型機械式発電機の部品構造説明であるが、機械式発電機の作動用超小型レールモーターを、回転体として此の装置を、作動させるために、電磁石4つの構造と絶縁体4つの構造からなる複数電磁石配線構造を、持ち得た超小型回転体接合スイッチによって二連振り子型機械式発電機の軽水素内蔵圧電素子結合ダイナモを、レールモーター振り子装置エネルギーで、作動させるための超小型ダイナモ発電機能を、持ち得た歯車回転体スイッチ装置を、特徴とする請求項1記載の 水を、瞬間常温気化して発電する発電機能を、備えた省エネルギー水発電機。
【手続補正２】
【補正対象書類名】明細書
【補正対象項目名】００１４
【補正方法】変更
【補正の内容】
【００１４】
本発明の水発電機に係わるレールモーターなどの著作権考案発明によって水発電機の真空装置水中ポンプ電動仕切り弁機械式発電機の省エネルギー化を、目的とした発電機効果を、そくして二連振り子型機械式発電機の著作権考案発明作品は、今まで以上の機械式発電効果を、上げる事が、確実になった。
並びに圧電素子磁気電子素子４分割装置の著作権考案発明は、水発電機に欠かせない機械式発電機のバッテリー装置の急速充電システムの構築を、計る事が、出来たためバッテリー充電技術だけの発電機開発に拍車を、かける事になる。並びにバッテリーにおいて軽水素ニッケルバッテリー又は充電池の著作権考案技術によって、これらの数多くの著作権考案発明の構築で、水発電機の消費電力を、抑えた発電機の開発が、出来たと言える。
この水発電機を、日本の弱者庶民と共同で発電効率の良い水発電機事業ができる事が望ましい。
［考案の詳細な説明］
本考案の省エネルギー水発電機は、二連振り子型機械式発電機を使用する理由として、機械式発電機だけで、少しでも大きな電力を、発生させる無害無給油の発電機を、作り出す事が、必要視される理由として、特開2003-328925の無害無給油発電機が、発電する事実を、理解出来ない人のため、機械式発電機だけでも、充分に発電可能な技術考案があり、もう少し真空装置を、使用する事によって水は、低温気化又は常温気化してしまう事実理解と、液体マグネシウム又は固形水素(豊田自動車特許NHKクローズアップ現代確認済み)特に水素吸収率の良い液体マグネシウムは、(本田技研工業株式会社NHKクローズアップ現代確認済み)これらは、無害無給油発電機は、正確には、特許切れ海外の水素と酸素の化学反応発電が、最初の様である。NHKクローズアップ現代を、見ての説明。ただし水素と酸素の化学反応発電機だけでは、あまり発電力が、望めず長い間敬遠され、皆さんも大阪市の水素高温水素プルトニューム沸騰水タービン又は油圧タービン超大型ダイナモ発電方法が、広く知られている。ただしこの場合わずかだが、放射能物質を、排出する事も知られている。そして原子力より、放射能廃棄物の量が、少なく原子力より放射能廃棄物処理費用は、少なく済むのも事実である。  問題は放射能廃棄物ゼロの無害無給油発電機であって、発電力が、燃料電池と同じ又はそれを、越える無害無給油の発電機開発の事情説明として、水力発電機の海外特許料金支払いそして、原子力発電機の莫大な企業利益これらは、発電利益として国民利益として、利益還元されず今だ原子力発電機事業は、特許切れにもかかわらず国の発電事業地方の発電事業として、企業は、一切特許切れに対しても発明財産権の主張によって今の原子力発電事実の現状説明としておく。  まず売電事業は、全世界の売電利益を、個人又は企業が、得た事実つまり今の日本は、海外売電利益で、世界市場を、統括しておれる事実の説明を、しておく。所がいくら時代が、変わっても国の借金と地方の借金は、増えて行く事実は、2006年6月16日昼12時50分52秒マスコミ報道を、見て聞いた事実は、この先も国と地方の借金返済の見込みがないため、改めて墫野和夫自身が北海道庁総合企画部広報広聴課の北海道民財産つまり著作権考案発明財産北海道庁提出の郵便物受理証明書の実在を、特願2006-140535などで、早期特許特願公開を、しますので、最初の発明事実を、良く確認して下さい。このままでは、日本の弱者庶民の生活自立は、国地方だけの力では、無理と墫野和夫は、判断しました。その結果特開2003-328925の発電力アップの無害無給油発電機を、実用新案として、広く世界に公開します。実用新案理由として、日本の特許庁の黒字経営にも有りながら、審査請求料金8万円ほどから一気に二倍ほどの16万になったため、現在の建設業の所得月20万から28万バブル当時は、最低35万以上50万近くの所得があった事もあるが、現在の建設業季節土木作業員の賃金事情でもある。そのため、止む終えず知的財産提出料金の安い実用新案提出にしました。
省エネルギー水発電機の売電利益 海外売電利益などで、日本の国地方の借金全額返済活動を、まず先に行う事を、個人活動の趣旨として、この発明財産の所有権は、国又は地方の財産にせず、日本の弱者庶民の永遠の生活権樹立のための日本弱者庶民一人一人の財団の財産とする事を、目的として、墫野和夫が、個人活動して行く事になる。
この文章によって、省エネルギー水発電機が、実際上実用新案登録商標又は特開2003-328925が、特許認定になっても、まず第一目標を、日本の国又は地方の借金全額返済活動を、第一条件として、広く国民に考案の詳細の説明に書き入れる事実として、墫野和夫が、ウソを、つくと詐欺行為になる事を、墫野和夫自身確信する。 個人活動の事情説明とする。
省エネルギー水発電機の著作権考案の詳細な説明として、この発電機の特徴は、二連振り子機械式発電機だけでも、通常一つダイナモ発電機より多い発電量が、望める二連機械式発電機は、通常ダイナモと異なり、通常ダイナモの中央部分に圧電素子を、内蔵して圧電素子の中央部分に軽水素マグネシウムを、内蔵してまず圧電素子の能力アップ理由から説明する。
圧電素子は、電子磁気集合体である。この場合水素電池は、温度を、足したりすると水素独自の水素分子活動が、活発になり古い水素電池など又は水銀電池は、電気残量の場合によって蓄電する。これは、電気分子が、熱エネルギー反応して、発電する事実説明で有る。この事から、軽水素に及んでは、水素反応より、早いと考える理由として、電気抵抗は、電気の流れを、妨げる事実説明から、通常水素は、プルトニューム分子を、持ち得ており熱抵抗の説明上プルトニュームは、有る一定の高温を、加えない限り分子分解しないそのため、電気の流れが軽水素だけの時より、遅くなる事実上の電気分子説明である。これら事実から、軽水素の方電気の流れが良く磁気などとも結び付きやすくなるのも事実そのため、圧電素子単独の電子発生は、軽水素の瞬間電子発生に対して軽水素の最大の能力を磁気軽水素分子、引き出す事となります。この場合軽水素分子は、磁気プラス分子と磁気マイナス分子に圧電素子を、作動する事によって圧電素子の外へ電子ライターの作動状態の鉄芯の力のエネルギーを、加える事で、圧電素子の外に圧電素子磁気電子と軽水素磁気分子電子が、外に出る。
たいていの物質は、プラス分子とマイナス分子から、成り立っている事実に於いて軽水素は、プラス磁気分子とマイナス磁気分子になるのは、圧電素子中央に内蔵した時点で、軽水素は磁気化したと言える。この説明で納得いただけたと思います。軽水素内蔵圧電素子ダイナモは、ダイナモを、作動させて電気を、発生する時 電気圧力は、圧電素子軽水素内蔵素子体を、生の電気の力は、圧電素子に鉄柱を、打撃した時 磁気圧力移動で、電気が、磁気電子として外へ出たのは言うまでもないが、それと同じく大きい電気エネルギーの力を、圧電素子に加えると、必然的に軽水素内蔵圧電素子の磁気電子放出が、連続してダイナモが回転している間、ダイナモ劣化消耗まで、発電を続ける事が可能である。注意書きとして、乱れた磁波は、電波障害と人体への障害があるが、磁波を、圧電素子磁気などに電波又は電気を、通して正しい磁気の流れにする事によって奇麗な映像が、見れたり、人体では、体の体調管理修正は、早めのリフレッシュ人体DNA磁気能力開発は、人体の肩こりなどから説明が、付く。
軽水素内蔵圧電素子ダイナモの能力説明が、分かった人は、二連振り子型機械式発電機の発電能力の予測がつきましたか、その上で二連振り子型機械式発電機のダイナモを、振り子ゼンマイ装置の電磁石反発及びレールモーター別名複数電磁石反発と複数絶縁体を、使用したレールモーターリレー装置の発明によって電気消費の少ないモーター使用によって電気エネルギーの少ない消費モーター作動の実現と充電スピードの早い軽水素炭素マグネシウムニッケルバッテリーの著作権考案発明は、2006年6月末以降早期特願公開文章に炭素軽水素ニッケルバッテリーの北海道庁郵便物受理証明書によって発明日の日付説明が、特開を、見る人達に分かる様に説明されている。水素ニッケルバッテリーより、軽水素マグネシウムニッケルバッテリー事実上、 軽水素ニッケルバッテリーの方が、充電の妨げがない分バッテリーとしては、軽水素ニッケルバッテリーの方が、充電しやすく電気の取り出し能率が、良い場合もあると記載する。又軽水素炭素マグネシウムニッケルバッテリーの略説明として、水素ニッケル電池は、一般家庭 日立電気  マブチモーターなどで、既に水素ニッケル電池は、使用されており充電スピードの早い水素ニッケル電池は、最近の一般庶民なら皆さん知っての通りの技術であり水素は、軽水素つまりプルトニュームを、取り除いた水素を、軽水素と言います。プルトニュームを、多く含んだ水素を、重水素と言います。この他の水素を、通常水素と言いまして三種類に別れます。水素の中からプルトニューム分子を、取り除く事によって軽水素は、分子活動の早い水素が、出来る。理由としてプルトニュームは、水爆で知っての通り原子核を、持ち得た熱集合体のため、軽水素が、発電する場合は、軽水素分子だけのため、重水素を、含んだ水素より、充電スピードが、早い。理由は、分子結合の在り方を、小学校又は中学校の理科の教科書に書かれている分子結合の一つの理由である。原子核を、持つと分子が、結合を強めるため水素分子移動が、遅くなるこれは、通常水素であり常温の条件では原子スピードは、分子スピードより遅いのが、事実この説明は原子と分子結合上の説明から成り立つ其の事を、踏まえて重水素が、発電する場合この熱エネルギー集合体は、水素とニッケルの化学反応充電スピードを、妨げてしまう事になり電気配線が熱くなると電気が、流れにくくなる現象を、引き起こす事になる。この事は、水素を、燃焼させたり爆発させたりする時にたくさんの熱エネルギーが、必要とされる場合だけに、プルトニューム水素は、必要視されるものと考えたい。電気の流れには、熱抵抗電気は、必ずある事が、広く知られている。本来熱抵抗電気は、邪魔な存在でありまずこの熱抵抗電気を、取り除く考え方から通常水素のプルトニュームを、取り除く技術こそが、電気の流れを、妨げなく電気を、流す技術は、通常水素の水素分子結合上プルトニュームを、取り外された軽水素は、水素分子の活動が、原子核を外す事によって軽水素分子スピードは、早くなる。
この事実から、軽水素ニッケルバッテリー 軽水素炭素マグネシウムバッテリーは、充電スピードの早いバッテリー説明になりマグネシウムを、扱いやすくするため、炭素マグネシウムの合成を、使用して軽水素吸収を、良くするための考案である。これらは、軽水素炭素ニッケルバッテリーの急速充電化を、実現させる電気 圧電素子磁気電気4分割によって電気から中間陽電子磁気電気及び中間陰電子磁気電気の熱抵抗取り除き方法は、公開特許公報(A)特開2004-304992で、説明の通りですが、改めて説明します。圧電素子とは、100円電子ライターの石が、圧電素子体と言います。したがって圧電素子の火花は、電子放電事実であり圧電素子は、人工磁石でもある。この事実を、踏まえて電気は、磁石化する事実は、通常鉄にコイルを、巻いて電気を流し続けると電磁石になる事実も視野に於いて考えて於いて下さい。つまり電気とコイルと鉄で、電磁石のN極 S極に変化する事に注目して下さい。
電磁石の強さは、鉄の密度つまり鉄が、硬くて重い鋼鉄の方が磁石の引き付け反発は強くなり電気消費の分 電磁石吸引度も強くなるのは、一般庶民でも知っての通りです。つまり電気は、磁石のNとSに置き換える事実証明は、圧電素子は、化学合成電子集合体磁石であり、人工的に作り上げた磁石であり低学年の学校の理科の教科書では、コイルを、巻いた鉄に電気を、流し続けると鉄は、やがて永久磁石化したと言う表現が、用いれられる。その上で、圧電素子にコイル配線を、巻くのではなく電気を、流す事によって圧電素子磁石の吸引反発を、強める。圧電素子電磁石の磁気が強く磁気スピードの早い電気は圧電素子磁石の磁気スピードが、早く電気は、圧電素子磁石体の磁石構成上の 磁石力の弱く遅い電気は、圧電素子磁石の中央部分を、流れる事になる。つまり熱抵抗電気は、スピードの遅い分圧電素子磁石構造の磁石の強弱の変える事の出来ない事実から電気は圧電素子磁気電気4分割方式によつて圧電素子磁石強弱分割判断に基ずいて圧電素子磁石の中央部を、磁気化の弱い電気抵抗が強く電気抵抗が、集まる部分である。この電子部分のプラスを、陽電子電気と言い反対のマイナス電子を、陰電子電気と言います。圧電素子磁気の中央部つまり磁気の弱い熱集合磁石部分を、圧電素子中間磁気電子これを、中間電子とも言う。この場合圧電素子磁石を、圧電素子磁気4電子分割上に均等区別した圧電素子磁石に流れる電気を、磁石強弱区別化した場合圧電素子陽電子磁気電気これは、磁石力のプラス電気の早くて強い磁気電気を、示します。もう一つの陰電子磁気電気これは、磁石力のマイナス電気の早くて強い磁気電気を、示します。磁気熱抵抗電子の熱集合部分を、中間電子と言う。この場合圧電素子磁石を、圧電素子磁気4分割して、均等に区別した圧電素子磁石は、陽電子圧電素子磁気電気これは磁石力のプラス電気の磁気力の強くて早い強い磁気電気を、示しもう一つの陰電子圧電素子磁気電気は、磁石力のマイナス電気の磁気力の強くて早い磁気電気を、示します。中間陽電子磁気とは、圧電素子磁石を4分割にした場合磁石力の弱い部分に流れる電気を、中間陽電子磁気電気として略称中間陽電子とします。もう一つの中間陰電子磁気電気これは磁石力のマイナス電気の弱い磁気電気と遅い電気を、示しますこれは、中間陽電子も遅くて弱い電気を、示します。圧電素子磁石に電気を、流すと電気は、圧電素子磁気磁石体に沿って流れます。圧電素子にただ電気を、流し続けると圧電素子は電気の抵抗電気で、熱を、おびてしまうため対策として冷却物質で圧電素子体を、囲む電気の圧電素子磁気分割は、圧電素子磁気4分割化と言う表現方法を、用いる。これらを、総まとめして圧電素子磁気電気4分割方法と言います。これらの説明から圧電素子磁気電気4分割説明が、成り立ち電気抵抗の取り除いた電気だけ軽水素炭素マグネシウムニッケルバッテリーに急速充電する充電技術は、熱抵抗磁気電気を、とり除いた電気を充電した場合熱抵抗の発生が少ないため、スムーズムに電気充電出来る結果は、明らかである。これらの新技術を、踏まえてダイナモの圧電素子軽水素内蔵装置の略説明を、する。ダイナモ中心部に圧電素子を、内蔵して圧電素子磁石中央部分に軽水素を、内蔵した新しいダイナモ考案���説明を、始める。
通常水素又は軽水素に熱エネルギー 又は水素圧縮エネルギーそして水素打撃エネルギーそして電子エネルギーを、それぞれ別々にエネルギー追加する事で、水素分子 軽水素分子は、活発に動いて プルトニューム原子核と結合している軽水素分子などは、水素原子核融合前温度でも、活発な水素分子活動をするため、この時通常水素又は軽水素は、エネルギー発生する。この事は、通常水素においては、水素原子核と強く結び付いている水素プラス分子と水素マイナス分子が、分子活動するため、エネルギー発生状態になると言う。一例として水爆は水素を、莫大な圧縮エネルギーで、圧縮する事で、出来ます。つまり水素本来の持ち得ている水素能力とは外部からのなんらかのエネルギーを、加えたエネルギー分だけ水素分子のエネルギー活動を、してしまう水素分子エネルギー事実であり、水素には、もう一つの特徴は、水素原子核のエネルギー発生条件は、水素プルトニューム核融合温度に達すると自然に水素の持ち得ている水素原子核エネルギー発生事実は、現代では、誰もが知り得ている事実であり水素は、どうしても、重水素つまりプルトニューム入り水素は、危険物質しかならない理由として其の扱いが、難しいためどうしても、プルトニューム水素を、通常水素から取り除くと軽水素だけになる。この軽水素を、圧縮しても、水爆にはならない。原子核を、持たない水素は、回りから加えられた力を、電気変換しやすい状態にしてしまう特徴を、持ち得て入る。これは、原子核を取り巻く分子のエネルギー変換しやすい事実である。
圧電素子中心部の軽水素は、通常水素より水素分子活動が、活発になりダイナモ中心部の圧電素子磁石分子は、高圧縮磁石のため、圧電素子磁石分子は、固定してます。所が圧電素子中心部の軽水素は、軽水素分子が活発になるため皆さんが知っての通り電子ライターの原理によって、ダイナモ中心部圧電素子軽水素内蔵部分へダイナモが作動して生の電気エネルギー力のある電気によってダイナモ内蔵圧電素子の軽水素内蔵磁気体の固定分子へ強い電気エネルギーが、加わるため圧電素子磁気固定分子は、鉄柱心打撃でなくても電気エネルギー打撃を、受ける事で、ダイナモ内蔵軽水素圧電素子は、電子エネルギーを、放出する事になる。この時ダイナモ軽水素圧電素子磁石中心部の軽水素は、軽水素分子が、活発になるため新たに新しい電子増幅エネルギーを、発生させる事になり此の事を、ダイナモ内の圧電素子軽水素電気磁気融合発電と言い磁気発電は磁力が、強くなればなるほど電気発生は、大きくなる。つまりダイナモ軽水素内蔵圧電素子の磁力が、ダイナモの発電される電気で圧電素子磁力は、最高圧電素子電磁石現象を、起こす事となって、通常ダイナモより大きい電気発生が、出来る事を、理解していただけたと思います。これは軽水素と言うプルトニュームを、取り除いた水素特有のエネルギー反応の説明を、水素にエネルギーを、加える事で、水素分子は活発になり軽水素分子は水素原子核より数段活発にわずかなエネルギーで、軽水素分子はエネルギー反応する事実は、水素原子核と結び付いて入る状態の安定水素原子核軽水素分子安定保持エネルギー説明に対し水素は、燃焼しても莫大なエネルギーがある事を理解していただきたい。通常水素は、重水素つまりプルトニュームを、持ち得ているため危険物質なのは、誰でもわかる通りである。所が軽水素は、重水水素を取り除いてるためガソリン程の爆発力と考える。つまり軽水素をいくら圧縮つまり高圧縮かけても水爆にならない事実も、われわれ庶民は、一般知識として覚えておかなければならない。ただし温度には、すぐ反応するため、冷却設備の整った運搬方法が、とり扱いに対して望ましい。
この新しいダイナモ技術を加えた全自動巻き取りゼンマイ装置動力とレールモーター2001年5月18ニチ発明考案作品北海道庁発明考案作品北海道庁郵便物受理証明書付きに於いて墫野和夫のレールモーターの先発明は、2005年10月頃特許庁ないで墫野和夫が、ブラシレスモーターつまり墫野和夫のレールモーターと同じモーターを、調べた結果墫野和夫のレールモーターが、先発明の事実確認は、この頃しました。その上でこのレールモーター図7(38)、図3(68,69,)は補助電池を使用しているため機械式発電機レールモーター作動には軽水素電池の急速充電出来る少し大きめの充電池を使用する事で、更に新しいダイナモは、機械だけの構造を、持った機械式発電機を、使用した発電機の液体マグネシウム又は固形水素(トヨタ特許)などの科学発電物質発電方法とは、異なった発電方式の特徴は、二台のニューダイナモ発電装置を、備えた機械式発電機レールモーター振り子作動電力供給作動増幅によって、二台のそれぞれのニューダイナモ装置の発電した電気エネルギーを、足していく事でレールモーター振り子装置スピード増幅によってニューダイナモ装置の発電力アップしたダイナモ発電装置効果によって図5(43,60,)は次ぎなるレールモーター真空装置図22(3)レールモーター水中ポンプ図24 水位センサー図20 温度センサー図18これら装置を、作動させるための電気エネルギー発電装置が、ニューダイナモ連続全自動発電装置を、使用した機械式発電機である。この機械式発電機は、二台の機械式発電機のダイナモ発電エネルギーによって連続機械ダイナモ発電が、出来る事となる。そして二連振り子機械式発電装置を、二連振り子型機械式発電機図3の説明(16)を、名称とした上でこの荷台の機械式発電機つまり二連振り子型機械式発電機の発電エネルギー力によって水発電機図1(32)の各全自動電気装置作動電気エネルギーの確保に対しての略説明とする。実用新案省エネルギー水発電機にどうしても必要な発明公開特許公報(A)特開2004-304992は、提出の時墫野和夫のミスによって特開2004-304993の請求項1と2を、ダブって提出したためこの電気抵抗を減らして電気を、長持ちさせ電気製品に無理をかけない電気装置の有り方が本当の発明の名称です。既に特開2004-304992の手続き補正を、完了しているため実用新案省エネルギー水発電機を、より良く理解していただけるかと確信してます。特開2004-304992の発明考案日は、2002年9月であり、北海道庁郵便物著作権発明考案文章図面付きの書面受理書は、実在してます。発明考案作品の実用新案省エネルギー水発電機の誕生考案理由を、良く理解していただける様に説明文として書き添えます。圧電素子電気磁気4電子分割の意味が、理解していただけた所で、この装置を使用した充電機関は、圧電素子電気磁気4電子分割装置が、電気抵抗つまり圧電素子磁石内の磁気の弱い部分すなわち電気抵抗の集まりやすい場所部分の電気を、リサイクル電気として使用する。又圧電素子磁気力の強い圧電素子磁気電気の電気使用は、圧電素子電気磁気スピードの早いプラス陽電子電気と言いますそして圧電素子磁気電子のマイナス陰電子電気だけを、電気使用するこの装置の墫野和夫の発明考案が、有る事から、電気の急速充電技術は、軽水素マグネシウムニッケルバッテリー新技術考案によって水素より軽水素の方が、充電スピードが、早いのは明らかである。そして水素分子構造の中に原子核は高温度の場合、核融合温度に達した温度の場合に核融合熱エネルギーが、発生します重水素つまりプルトニューム水素のみが、多くの熱エネルギー発生の原子核を、持ち得る通常水素と重水素の特徴である。水素関係バッテリー以外の通常バッテリー充電にはほぼ一日充電時間が、必要とされる。充電時通常電気の熱抵抗電気によってバッテリー内に熱溜まりを、起こすため、急速充電が、出来ない理由の一つなのである。熱溜まり充電を、解決してくれるのは、現在の技術では、水素ニッケル充電池で有りましてこの技術はマキタモーターの水素ニッケル充電池しかないと思われるこれを越えた充電池は、軽水素ニッケル充電池が、充電スピードを、越えるはずである。これら技術を集めた省エネルギー発電機が、どの様にして発電するかの説明を始めます。省エネルギー水発電機は、水をレールモーター使用の真空装置で、低温常温水を、液体から低温常温気化水に真空装置で、瞬間気化する技術使用で、水は、狭い部屋の空気を、真空装置で、抜き続けると水は、人工気圧変化で、気化酸素と気化水素の低温常温物質が出来る。海外特許NHKクローズアップ現代の放送で、水素と酸素が、合わさると発電する事実は、既に海外特許切れで有ります。そして燃料電池発電は、水素吸収体つまり液体マグネシウムの気化水素と気化酸素の同時吸収が、なし得た水素吸収体液体マグネシウムの発明は、水を、低温常温瞬間気化した物質を、水素吸収体つまり液体マグネシウムの気化水素と気化酸素の瞬間吸収事実は、水を、省エネルギー真空装置で、液体から水を、低温常温瞬間気化出来る技術の応用によって発電可能なのを、水素吸収体液体マグネシウムの気化水素と気化酸素同時吸収発電の燃料電池車のNHKのクローズアップ現代で、水循環連続発電機の実用化の確信が、出来ました。一番簡単な実験方法として、ヤカンつまり湯沸かし機の水蒸気の当たる部分に液体水素つまりマグネシウムを、銅版電極付きで、高温水蒸気でも、液体マグネシウムは、必ず気化水素と気化酸素の融合物質を、瞬間吸収する事実が、明らかのは、水滴以外の気化水素と気化酸素は、瞬間吸収発電を、液体マグネシウムが、行う事実は、水が、低温常温気化した事にあると言える。確かに燃料電池車の冷却装置は、気化水素と酸素の無駄のない発電と水素吸収体の液体マグネシウム又は固形水素の劣化防止そして、燃料電池発電機自体が、温度上昇し続ける恐れがあるため、燃料電池車では、冷却装置が、付いてるのは、この事と墫野和夫は、考えるのである。
尚且つ特許庁が、説明不足と言われたため、水の気化物質説明を、します。水は、科学記号では、H20と書きますこれは、水素二つに酸素一つの意味ですが、沸騰水のヤカン又は湯沸かし器の中のお湯は、まだ科学記号の表現では、H2Oです。所が湯沸かし器の蒸気は、Hの高温気化水素とOの高温酸素の表現が、正しいと思われる。水蒸気が、冷えると水になったり水滴になります。所が真空装置で、低温1度から1O度位の水を、液体から気化した場合一分以内では、べて水滴になりません。水は真空装置で、低温気化したのに、尚且つ低温の一度から10度にもかかわらずすべて水滴にならないのは、水が、気化した場合気化水素H2に酸素Oがすべてに対してH2の条件にならずHの水素のままの条件が、50パーセント以上なのが隠せない事実なのは、誰もが知り得る一般常識である。 確かに自然の中で雷がなった大雨は、天空で、球磁波プラス気化水素酸素と地球磁波マイナス気化水素酸素は、雷と言うスパーク発電を、行う事で、大雨になります。この他気温の低い空気が、暖かい水蒸気に振れると雨と言う水になります。ここで問題なのは水が、気化した物質を、水蒸気と表現しますが、水の粒が、大地から空へ上って入るのではありません。水蒸気とは、水の気化した物質水素Hつまり気化水素は、水の粒ではなく確かに気化した水素と気化した酸素が、上昇する様を、水蒸気と言う。そしてこの水蒸気が、小さな粒になりだすと靄そして霧そして霧雨の雨と言う水の粒と言う表現をします。つまり水蒸気ならば雨の表現がなければ、つまり水蒸気自体雨の粒で、ない限りこの場合湿度の低い条件の水蒸気でも、液体マグネシウムは、発電可能と思われます。又真空装置を使用した場合真空装置を、使用した水を液体から気体へ変化させる場合低温つまりプラス１度から沸点前までの温度の水又は氷りなどのマイナス固形物質でも水を、気化させる事ができる技術つまり水が、気化したの表現と水蒸気とは、水の気化した気化物質の分子質量が、異なるだけではなく水蒸気では、水蒸気の水球ならば、空から地上に落ちます。これは、既に水蒸気ではなく別の霧、靄、雨、雪、雹などの水蒸気とは、水ではないと言い切ります。水蒸気が、水とか水球ならば地上にすぐ落ちてしまう事実発生しかならない。そのため、水蒸気は気化水素と気化酸素が、分散した状態で、空へ上がるこの場合水素は、酸素より軽いため高温の場合は、気化水素と気化酸素が、分散した状態になる。
又水蒸気が、気温零度以下の場合(靄もや)の状態で、空へ上がって行くが、上へ幾程に気圧が、上がるため靄も分散してしまう事実が、本当である。このため水を真空装置で、気化した場合低温常温気化のため、気化水素分子と気化酸素分子が、分散した状態のため、水にもどりずらい、沸騰点を、一度越えた気化水素と気化酸素は、急に冷やすと水に戻り安い。ならば水蒸気になって分散した気化水素と気化酸素が、水になる条件は、気化水素がたくさん集中してH2の条件がそろって酸素が加わる事で、水つまり雨などになる。これは科学記号の条件説明とします。そして2001年2月11日夜PM19時30分のNHKクローズアップ現代を、見た方なら水素吸収体つまり液体マグネシウムホンダ技研工業の発明特許又は固形水素トヨタ自動車の発明特許が、この世の中は、水素吸収体が、発明考案されたてから、実際に燃料電池車の高速運転だけではなく、燃料電池発電の莫大な発電量が、発生する事も、テレビ社会は、事実報道したため、水素吸収体などの液体マグネシウム発電は、原子力発電を越えるプラス利益になる事は、世界中で理解しているはずです。燃料電池発電を、理解していただいた上で、水素と酸素の科学反応事実を理解していただきたい。したがって水発電機図1(32)の発電方法の技術説明は、燃料電池においては水素タンクが、必ず必要になり酸素と科学反応を行うために水素吸収体液体マグネシウムなどの水素と酸素の同時吸収発電方法は、皆さんが知っての通りですが、水発電機の違う点は、水素タンクはなく発電物質として水のみを使用する点が、違います。又発電物質の水をそのまま使わず、水を、真空装置で低温気化させて気化酸素と気化水素の水気化低温常温融合体を作って、水素吸収体液体マグネシウム固形水素などに気化水素と気化酸素の分散融合した物質を、液体水素液体マグネシウムでね瞬間吸収発電させる燃料電池発電方法とは、異なる水を使っての発電方法である。つまりこの水発電機の請求項でもわかる様に水を、真空装置で、低温常温水気化させる技術だけではなく、この他 水を、電熱線などで高温沸騰気化させた場合でも、水素吸収体は水気化物質のつまり沸騰蒸気でも水素吸収体の液体マグネシウムは、気化した水素と酸素を同時吸収して水素吸収体液体マグネシウム化学発電は、行われる。この場合温度が、水沸騰温度まで温度を、上げるため、水素吸収体温度劣化が、行われるため水素吸収体の交換時期は、早くなると考えるべきである。特開2003-328925又は実願2004-007250は、機械式発電機とは別の水素吸収体液体マグネシウム発電方法の技術内容つまり水を、瞬間低温常温気化しても、水素吸収体つまり液体又は固形マグネシウム化学発電はならないと言う人に別説明を、付け加えます。新たな水発電機説明として説明します。通常の水に水素を足して、水素吸収体の液体又は、固形マグネシウムの気化水素吸収率を上げて、水を真空装置で低温常温気化した時、酸素が、発生します。この酸素と多めに入れた水素の水素吸収体つまり液体又は固形マグネシウム発電方法が、考えられます。この方法ならば、燃料電池の発電原理説明と同じ考え方に近い発想だと気づいていただけたでしょうか。この方法を、使用した場合水だけで発電する状態より、温度が、少し上がると考えられます。
改めて省エネルギー水発電機の説明を始めます。省エネルギー水発電機図1(32)は、二連振り子型機械式発電機図1から図3(16)のレールモーター図7から図8(38)の複数絶縁体接合電磁石の吸引反発リレー作動方法の応用を、二つのレール状に複数電磁石を、並べたコイル配線を、持たない電気消費の少ないモーターこれは、企業モーター名ブラシレスモーター本田技研工業のパンフレットに書かれているのを、見た方はすぐに気づくと思われます。このモーターは、レールモーターとして引用して行きます。このレールモーターの往復作動リレー制御切り換えによって又は電磁石反発作動によって二連振り子装置(50,66,)を、全自動ゼンマイ巻き取り装置(47,49,)の連動連結歯車の作動エネルギー及び軽水素炭素マグネシウムニッケル充電池図15(55,64,)のエネルギーで軽水素内蔵圧電素子結合ダイナモを、回転作動させて機械だけの部品連動作動方式によって発電出来る機械式発電機図1図3図4(16)の発電機能力及び軽水素炭素マグネシウムニッケルバッテリー図15(40,41,42,)の充電スピードの早い理由としてプルトニュームなしの軽水素は軽水素分子構造の動き又は軽水素分子活動が、活発になりプルトニウム分子がない軽水素分子構造は充電スピードを、上げる新しいバッテリーのため水発電機図1(32)を作動させる。まず手初めに水を、真空装置水気化室図1 省エネルギーレールモーター真空装置室(35)へ水(14)を、省エネルギーレールモーター水中ポンプ図1,図20,図23,図24,(11)は、電気作動して水(14)を、丸浮き電波磁気読み込み式水位センサー図20,図21(8)の電波遮断電気スイッチ反応によって省エネルギーレールモーター水中ポンプ図1,図20,図23,図24,(11)は電気作動して水(14)を、省エネルギーレールモーター真空装置室図1(35)へ水(14)を移動させる技術は、燃料電池発電機技術とは異なる著作権考案発明技術とも言える従って省エネルギー水発電機実用新案の重要な説明である事を、読んでいただける方に理解してもらいたい。尚省エネルギー水発電機の水(14)は省エネルギーレールモーター真空装置室図1(35)へ移動しただけではただの水(14)であり図1である水(14)図1であるが、丸浮き電波磁気読み込み式水位センサー図1(15)は水図1(15)は図1の水(14)は満水になると丸浮きが、電波遮断してポンプスイッチが、入って水が止まり真空装置のスイッチが、全自動で入る事で水図1(14)は発電物質でもあるが、常温のまま水常温気化変化する事になる。つまり水図1(14)は、常温気化つまり液体物質から気化物質に変化して初めて水素吸収体の液体マグネシウム又は固形水素又は合成水素などに瞬間吸収発電出来る事となる。そのため水図1(14)は液体マグネシウム又は液体水素内蔵固形水素又は豊田自動車の固形水素特許これら水素吸収体図1(4,37,)に水図1(14)を、吸収させるため、水を液体から瞬間常温気化変化させる必要がある。それも瞬間に水図1(14)を、液体から気体変化した瞬間に水素吸収体へ連続瞬間吸収発電を、機械システム構造上この部分が、発電機の命運を、分けた説明理解していただきたい部分であり燃料電池は、あらかじめ水素タンクを、持つて酸素との液体マグネシウム水素吸収体瞬間吸収発電は、水素吸収体の発電能力と発明が、水素と酸素の化学反応発電の時代を、変えた発明でもあったと言える。
つまり水素H2酸素Oの発電前の水素と酸素の水気化発電融合物質を、真空装置図1(15)によって低温常温において温度変化技術では、水蒸気変化のとらえかたになるが真空装置図1図22は、沸騰温度の変化で、水蒸気変化させる技術とは違って尚自然界における水の自然蒸発現象を、趣旨としない技術応用とは、水素吸収体の液体まぐねしうむ図1(4,37,)にどれだけ早く真空装置図1,図22(3)の気圧を、ゼロにする技術によって水図1(14)を低温の状態では水図1(14)は水蒸気に瞬間時なった説明より水(14)は水素H2 酸素0の気体化した状態であり燃料電池発電は、水素Hに外気酸素0を、取り入れた状態つまりH20の水素と酸素の気体化融合水素吸収体物質発電となりますその上で時間的考え方では、水になる前つまり水素吸収体液体マグネシウムなどに液体マグネシウム分子に水素H2と酸素0が、水素吸収体発電出来る事は、今までの説明で、理解いただけたと思います。海外特許切れでは、水素Hと酸素Oの強制水素酸素打撃発電は、わずかながら発電が認められて海外人特許認定がありました。
現在特許切れで、この事は2001年1月11日NHK夜PM19時30分からのクローズアップ現代の豊田自動車燃料電池発電方法と本田技研自動車株式会社燃料電池発電方法が、発表されたため、水素タンク水素と酸素の水素吸収体強制吸引発電方法の事実を、知り得る結果であったが、水素タンクの水素が、なくなると発電しない事実も同時に知り得る事となる。その結果気化水素と気化酸素の水素吸収体強制融合発電出来る事実も、確認する事となる。この事から、燃料電池発電は水だけを、残す事に注目したのが、墫野和夫の発想です。つまり水をもう一度水素吸収体の液体マグネシウム又は固形水素発電物質の瞬間水発電物質変化方法として他の企業とは異なった考案として水を、瞬間低温常温気化変化水素吸収体液体マグネシウム又は固形水素合成水素などに、瞬間に水を、気化して発電物質に変えて水素吸収体瞬間吸収連続発電方法が、考える事となる。2001年2月11日前に既に真空装置と水の関係の知識情報が、墫野和夫自身にあったため、水を、気化物質に変えて連続発電は、すぐにその日テレビを、見て分かりました。水が、水素H2と酸素0の集合体は、小学又は中学の学問でもわかります。問題は水を、気化物質水素Ｈと気化物質酸素Ｏに変える技術が、燃料電池発電を、越えた無害無給油連続水発電技術は、水を発電物質に変える連続発電技術が、世の中を、変える技術と言う事を、墫野和夫は確信してます。水素と酸素が、本来持ち得た低温常温発電技術は、水素Ｈ2分子と酸素Ｏ分子の融合発電は、自然界においても、いつでも雷発電するのではなくただの水となり大地に集中豪雨の力エネルギーに変わってしまう事もある。雷の場合磁波つまり地球のマグマ地波地球磁力電気水素分子酸素分子誘発発電としか考えられない事実は、雷の多い年は、ラジオ電波の乱れなどが多い事実でもある。この自然界事実は、水蒸気の気化水素Ｈと気化酸素Ｏは、自然界事実においても水蒸気発電は、必ずあり得るが事実である事が自然証明されておりそのため、水を真空装置低温常温水気化した場合、水素吸収体つまり液体マグネシウム又は固形水素又は合成水素瞬間水気化発電は、成立するが、自然自体が、世界中の人達に発電事実を、伝える事となる事を、墫野和夫は願います。
雷発電の場合は、水素Ｈ2と酸素Ｏだけでは、成り立ちません。この場合他の力が、気化水素Ｈ2と気化酸素Ｏに他の力が、加わる事で雷が発生する。雷は、夜でも発生するため他の力とは、光りエネルギーではない事実も説明追加しておきます。いずれにしてもマグマ地波がすへてを、語ってくれる日が、近い日に雷発電が、発電機になる発表も近いと思われます。
この発電機も、未発表として、北海道庁広報広聴課に有ります。つまり墫野和夫が、広く世界中に伝えたいのは燃料電池発電方法より実用性のある省エネルギー水発電機の事実を、理解していただきたい。液体マグネシウム水素吸収体に水素Ｈは、水素タンク内のＨが、真空装置瞬間低温常温水気化物質した水素Ｈは、まぎれもなく水素Ｈ分子の分散状態である。
まだ水素吸収体と言う水素と酸素の融合吸収力と言う力が、加わらない状態でありこの状態を、気化水素 気化酸素分散融合状態と言います。ここで水素は、変化をする時エネルギーを、発生させる事実確認を、この文書説明で、確認していただきたい。通常水素はエネルギーを、加えなければエネルギー発生しない。所が軽水素は、水素分子からプルトニューム分子つまり原子核を、持ち得たプルトニューム分子学校学問では、中間子を持ち得たプルトニューム分子を、水素から強制的にはずすと軽水素になりもう一つを、重水素と言います。軽水素分子は、他の分子と結合しやすくなる。そのため液体マグネシウムつまり水素吸収体に水素と酸素が同時吸収される時、通常の酸素と水素の強制吸収発電する発電力より液体マグネシウム水素吸収体発電の方が発電力アップする事実説明とは水素分子からプルトニューム分子を、はずして酸素分子とを、結び付ける結果 事実上すばらしい燃料電池発電の説明を付け加えた上で、水発電機の真空装置によって水を、低温常温状態によって液体から気体へ瞬間変化させる技術は水気化水素と水気化酸素を、液体マグネシウムつまり水素吸収体に水気化水素と水気化酸素を、瞬間吸収しやすくする技術がこの世の中で、水素吸収体液体マグネシウム発明と言う行為によって、水気化水素と水気化酸素は、水素吸収体瞬間発電出来る発電物質つまり水が、液体から気化変化は雷発電前の水蒸気つまり地上に絶対落ちない水蒸気こそが、まぎれもない水気化発電物質であり気化水素と気化酸素は、気体の水素と気体の酸素の融合体であり液体マグネシウム水素吸収体によって水素分子 酸素分子説明上 水素Ｈ2ト酸素Ｏの集合体であるのが事実なため、水（14)は真空装置図1(3)によって低温瞬間気体化した場合、発電する事実説明になる。水蒸気は、水ではなく水蒸気の雲は、雷発電によって雨と言う自然界の水物質になる事実までの気体水素と気体酸素の発電理由の違いを、理解していただきい。従って水(14)は省エネルギーレールモーター真空装置 図1 (3)図22 (3)を作動させて、水素吸収体発電室図1 (37)の固形水素 液体マグネシウム 合成水素図1 (3)に水(14)を、気体水素と気体酸素の融合気体物質は、気体のため液体マグネシウムへ瞬間吸収発電になる。 尚省エネルギーレールモーター真空装置室図1 (35)で水(14)が、気体水素と気体酸素の融合体になってから、水素吸収体発電室 図1 (37)までの距離は短いため発電ロスが少ない。 燃料電池発電同様に気体水素と気体酸素の融合水素吸収体液体マグネシウム発電は、水素と酸素の融合発電によって燃料系発電機を、遥に越えた発電力を、得る事が出来る水発電機 図1 (32)は、再び水(14)のみを、気体水素と気体酸素の融合体は、水素吸収体によって発電する事によって水(14)に再び発電行為によって水(14)の姿にもどる。尚 水(14)は発電処理水タンク室 図1(34)へ送られる。発電処理水タンク室 図1(34)の丸浮き電波磁気読み込み式水位センサー図1(8)が満水を、示すと省エネルギーレールモーター水中ポンプ(11)が作動して再び水(14)を、省エネルギーレールモーター真空装置室(35)へ水(14)を、移動させて省エネルギーレールモーター真空装置室 図1(35)の丸浮き電波磁気読み込み式水位センサー図1(15)は満水反応つまり電波遮断によって省エネルギーレールモーター���1(3)のスイッチ作動する事で、水(14)を再び気体水素と気体酸素に変える事で、水素吸収体つまり固形水素トヨタ自動車テレビ公開作品 液体マグネシウム本田技研自動車株式会社テレビ公開作品 図1(4,37,)に気体水素と気体酸素の融合吸収連続発電は、補助電源バッテリー図1(40,41,42,)の電源または二連振り子式機械式発電機 図1 (16)の発電エネルギーを、補助電源使用発電として水低温常温瞬間気化連続発電出来る省エネルギー水発電機考案の詳細な説明である。
省エネルギー水発電機  実願2004-007250は、北海道庁発明原本郵便物受理書を、北海道庁総合企画部広報広聴課が、墫野和夫が、簡単な発明説明文章又は略図に元ずいて発明の年月日おおやけの発明時間説明が、墫野和夫の直筆で書かれ墫野和夫の押し印鑑証明した発明原本5000件以上の物件の一部は、特許庁に提出済みです。日本の特許庁又は企業の考え方で、特許認定が、なってない発明作品を、すぐに商品化して先に利益を得てしまうやり方が、公の場では、当たり前になってます。発明詐欺横領の法律が、明確に書かれていない日本の特許法 一例として187条は、特許番号 実用新案番号 知的所有財産番号の明記する事で、人個人それぞれの個人財産権 発明財産権を守る方法の観点から公開義務が、正しいはずしいては、誰がどれだけ利益を、上げて国税を正しく払っているかの確認するのに庶民賃金の下がりつつある現在に於いて発明作品商品利益の調べるのに何処の海外特許すらもわからないため、どの国で、莫大な利益を、上げて海外援助金の最高に出してる国は、個人利益又は企業利益などが、税金又は知的財産利益が明確にわかりずらい現状がある。2005年国会で、郵便局の民営化 道路公団などの民営化が、事実確定の現在明確になったのは、国そして地方の借金返済は、国民一人一人の税金から支払う手段しかないのは、国が会社を持たない事実確定そして、新しく国が借金返済のため国が、特許切れに対して文部省などと連携して国又は地方の借金返済の方法手段として特許切れ財産を、書き換えて新しい国営事業の確立の話すらしない。  これら国の事実に速急対処しなければならないのが、国民である。
そのため、発明の重要性は、アメリカ合衆国特許庁の発明主義この国は、発明の事実が、確認そして、一番最初の発明者に特許認定する国である。  日本の特許庁の特許法とは、発明の保護は、特許法第一条に書かれている。発明の重要性が、おそらく特許法に明確に書かれていないため、特許提出の先の者が、特許認定と定めた日本国特許庁の言い分のため、ひとつ一つ特許返還裁判とは、別に発明財産返還裁判を、日本の企業 日本の特許庁に発明財産利益賠償裁判は、日本の賠償裁判は、賠償額に対して裁判費用を、積まなければ裁判出来ない事実を、行く年又は長年の間、大学の法学部又は大学の名誉法学部教授又は最高裁判官ならび、法務省全体で、金のある者を守る法律を、書いて行っている事実が、墫野和夫は、悲しく残念です。少なくても、特許法187条は、知的財産番号公開義務は、税金の明確な支払いが、分かりやすくするのが、国の借金と地方の借金が、国民一人一人の税金で支払うしかない事実を、受けて 実願2004-007250の発明証明は、北海道庁広報広聴課に個人情報として有ります。すべて公開出来ないのは、特許法30条のためです。ですが発明財産権は、特許法を、どう書いても個人の発明財産権を、奪えないのが事実と信じます。
実願2004-007250は、実用新案技術評価書代金は、既に支払い済みです。実用新案は、特許庁の言い分は、無審査のため実用新案認定になりやすいそして、現在少なくても日本の特許庁電子図書館にないため、実用新案認定は、手続補正が、済み次第 実用新案になるのは確実実願2004-007250は、墫野和夫個人が、発電機海外売電事業を、日本の弱者庶民財団つまり日本の企業を入れない会社を、作って日本の国の全借金返済 日本の地方の全借金返済を、実用新案認定次第 日本の特許庁長官又は日本の特許庁全職員の協力を、これから公開される実用新案2004-007250に墫野和夫の著作権考案発明財産の使用意志を、伝える事とする。
2006年6月25日(日曜日)PM20時57分58秒東京都足立区の仕事現場の男子寮内で、書いて広く日本の庶民一人一人に実用新案個人活動 日本の弱者庶民一人一人の生活を、守る理由から墫野和夫の意志として書いて伝える。
【手続補正書】
【提出日】平成18年8月8日(2006.8.8)
【手続補正１】
【補正対象書類名】実用新案登録請求の範囲
【補正対象項目名】全文
【補正方法】変更
【補正の内容】
【実用新案登録請求の範囲】
【請求項１】
本考案の省エネルギー水発電機は水を発電物質とし、この水を省エネルギーレールモーター真空装置とは図7 図8に掲げた、複数電磁石の組み合わせと複数絶縁体の組合わせ及び複数配線を、用いて電磁石リレー制御反発で作動出来るモーターを主体とした省エネルギー真空装置図1(3)図22(3)この真空装置は、複数電磁石と複数配線を主体としたレールモーターリレー制御真空装置を、作動させて水素吸収体発電室つまり液体マグネシウム又は水素吸収体固形水素の設置及び取り付けられている発電室 図1へ省エネルギー水中ポンプ此のポンプは、複数電磁石と複数配線などから構成されているレールモーター水中ポンプは水中ポンプ室の水位センサーの反応作動で省エネルギーレールモーター真空装置室へ二連振り子型機械式発電機の電源及びバッテリーの電源及び家庭電源それぞれの電気を使用して、水を省エネルギーレールモーター真空装置室ヘ発電物質の水として省エネルギーレールモーター水中ポンプで、水を送りこの事によって送られた水は、レールモーター構造の真空装置で、水を、真空装置機械作動によって、液体の水から低温気化した水気化物質を、水素吸収体発電室 図1(37)のトヨタ特許固形水素 本田技研工業株式会社液体マグネシウム特許又は合成水素とは固形水素の中に液体マグネシウムを、入れた発電物質それぞれは、省エネルギーレールモーター真空装置で液体の水を、瞬間気化した低温水気化物質を、水素吸収体いずれかにモーター送りの水気化融合物質を、瞬間的に水素吸収体に低温水気化物質を、当てる事で水素吸収体それぞれは、水素と酸素の科学反応発電を、水素吸収体物質の構造上の特性から、気化水素を、吸収するのと同時に気化酸素吸収するため、かなりの発電を行い、これらの発電された電気は、圧電素子を、形状とした物質に発電した電気を、通す事で、磁気の強い部分の電気だけを、バッテリーに充電したり、発電の電気として使用する事が出来て此の発電の結果水だけが、残り再び省エネルギー水中ポンプ室つまり発電処理タンク室(34)へ水が溜まり丸浮き電波磁気読み込み式水位センサー(15)この装置は、水位センサーの改良型であり、丸浮きが弱電波遮断する事による電波の途切れを、スイッチにした水位センサーであり普通の電波発信装置が、使用される。水位センサースイッチにおいて水(14)発電物質は、発電処理水タンク室(34)の水(14)を、再び省エネルギーレールモーター真空装置(3)で水(14)を、常温気化物質に瞬間気化させて、液体マグネシウムに低温水気化物質を、瞬間吸収発電を、繰り返して二連振り子機械式発電機すなわち二つのダイナモそれぞれを、作動させる事の出来る機械構造のダイナモ発電機(16)の電力軽水素炭素マグネシウムニッケルバッテリーとは軽水素を、主体とした液体マグネシウムとニッケルを、構造とした急速充電可能なバッテリー(343)の電力そして家庭電源配線の電力補給などで、水(14)液体物質を、低温水気化発電物質に真空装置を使用して低温又は常温水気化発電物質を作り上げて、水素吸収体の液体マグネシウムに瞬間吸収を、連続して発電出来るこれら発電システム構成構造組み合わせからなる省エネルギー水発電機。
【請求項２】
本考案は、省エネルギー水発電機の充電装置の軽水素炭素マグネシウムの実用新案形状構造などの組み合わせ説明に入る事とする軽水素とは、水素から重水素を、取り除いた水素であり、軽水素を、バッテリーの中で安定させるため、液体マグネシウムを、安定させるため炭素と液体マグネシウムを、混合合成させて軽水素を、吸収しやすくするその上でニッケル金属を、何層にも間をあけて炭素液体マグネシウムが、ニッケル接触して軽水素とニッケル充電が、もっとも良い状態で充電率を、上げるためにバッテリー構造構成からなる省エネルギー水発電機。
【請求項３】
本考案の省エネルギー水発電機は、軽水素炭素マグネシウムニッケルバッテリー装置の充電スピードを、更に充電スピードアップするための装置形状と構造又は組み合わせ説明を始める事とする。尚 圧電素子が、熱溜まりお越しずらくさせるため、圧電素子全体を、冷却装置で、覆う事として電気取り入れ電気配線を、圧電素子の磁気の弱い中央部分にプラス配線とマイナス配線それぞれを、取り付けて電気の磁気化を、計り圧電素子の磁気力の一番強い、圧電素子のN極とS極それぞれに圧電素子磁気変換電気が、一番取り入れやすい圧電素子磁気力の強い場所へプラスマイナスそれぞれの電気配線を、取り付けた電気抵抗を、圧電素子磁気分割してこれら電気抵抗を、少なくした電気で、作動する省エネルギー水発電機。
【請求項４】
本考案の省エネルギー水発電機は、実用新案水発電機は、水素吸収体つまり固形水素の構造としては、炭素と液体マグネシウムの合成からなる又この他液体マグネシウム水素吸収体これらは、発電物質であり、実用新案で、使用する発電物質は、中央部分を、液体マグネシウムとして、これを、固定するために、炭素と液体マグネシウム水素吸収体つまり固形水素で、液体マグネシウム水素吸収体と炭素を、合成した物質の小さな穴からつまり液体マグネシウムが、漏れない構造の固形水素つまり、固形水素吸収体で、液体マグネシウム水素吸収体を、囲って気化水素と気化酸素の瞬間吸収を、より良くするため、水素吸収体構造として2001年5月末頃考案された合成水素吸収体これを、簡単に命名すると合成水素の名前に成りこの瞬間酸素水素吸収体物質構造からなる省エネルギー水発電機。
【請求項５】
本考案の省エネルギー水発電機は、真空装置のモーター部分を、電気消費の少ないレールモーターと交換した省エネルギーレールモーター真空装置は、圧電素子電磁石又は電磁石を、図の7又は図の8図で、説明する様に複数電磁石配列を、複数絶縁体で一つ一つが、電磁石になる様に構造形成されすなわち電磁石一つ一つに、プラス配線マイナス配線が、取り付けられた構造に成ります又図の7と図の8で、示した様にこのレールモーターの構造特徴は、二組の複数電磁石円形モーターの構造からなり、これら電磁石は、リレー装置で電磁石反発連続作動出来る構造を、備えたレールモーター使用の真空装置を、使用設置した省エネルギー水発電機。
【請求項６】
本考案の省エネルギー水発電機は、通常の銅板電極を、使用せず圧電素子内蔵銅板電極を、使用する事として構造として、図の1に示した(4)固形水素 液体マグネシウム 合成水素室の底に小さな穴空きの圧電素子薄板を敷く構造として、圧電素子のＮ極と圧電素子Ｓ極それぞれが、銅板電極で、覆われる又は囲う構造として、水素吸収体水素酸素瞬間吸収発電された際、圧電素子磁気電気分離を、行う構造からなる省エネルギー水発電機。
【請求項７】
本考案の省エネルギー水発電機は、超小型水中ポンプのモーター部分を、電気消費の少ないレールモーターと取り替えた超小型水中ポンプの構造説明を始める尚図7と図8と図11に書かれているレールモーターは、圧電素子電磁石又は電磁石の複数電磁石を、円形上に並べて電磁石それぞれを絶縁体で区切る事で、一つ一つの電磁石が出来る構造としてそれぞれの電磁石は、プラス配線とマイナス配線のそれぞれ一本ずつの電磁石配線として、図7 又は図8に書かれている様に二つの複数電磁石レール円形は、それぞれが、絶縁体で、仕切られおり電磁石の反発Ｎ極とＮ極又はＳ極とＳ極電磁石反発作動を電気リレー装置で行う事で、二組の円形レール型複数電磁石は、電磁石反発作動し続けるモーターになり此のレールモーター構造装置を、取り付けた水中ポンプからなる省エネルギー水発電機。
【請求項８】
本考案の省エネルギーの水発電機は、電波スイッチ式水位センサーを使用する事の構造説明として、図1と図20と図21と図23に書かれている(34)発電処理水タンク室の水が、満水位置になると、穴空き四角柱の中を、水の量によって移動できる丸浮きつまり水に浮くピンポン玉が、発電処理水タンク室の規定量水に達すると今まで、弱電波が、流れていた場所の弱電波が途切れる事で、電波電気反応スイッチ又は 一例として電波スイッチングトランジスターが、全自動作動して(11)省エネルギーレールモーター水中ポンプが、薄いプラスチック球形体が、浮いて弱電波を、遮断する事で、スイッチングトランジスター内のスイッチグ素子が、電波入力の有無によって(11)水中ポンプスイッチ電流を、オン オフに出来るスイッチ構造からなる省エネルギー水発電機。
【請求項９】
本考案の省エネルギー水発電機は、真空装置に使用されているレールモーター並びに省エネルギーレールモーター水中ポンプに使用されている装置又省エネルギー電動レールモーター仕切り弁装置などのレールモーターの内部構造説明として、コイルのない複数電磁石構造又は圧電素子電磁石構造からなり複数絶縁体構造の組み合わせで、一つ一つの電磁石配線としてプラス配線とマイナス配線の構造及び電磁石電気リレー制御スイッチ切り換え板を備えた電磁石複数配線によって電磁石のS極とS極の反発 N極とN極反発 S極とＳ極の電磁石磁気反発の作用を、電気磁石リレー制御を、可能にする事によってコイルなしの分電気リレー制御レールモーターは、何処のモーターよりも、電気を、あまり消費しないコイルなし構造のレールモーター言い換えれば熱たまりしずらい構造を、したレールモーター装置を、多くの箇所で省エネルギーモーターとして使用した省エネルギー水発電機。
【請求項１０】
本考案の省エネルギー水発電機に使用される二つの同じ機械式発電機に使用される振り子軸など歯車軸などの機械作動摩耗防止には、今まではミシン油の潤滑油の使用がほとんどであり、オートグリス オート潤滑油とは別に無給油の電磁石反発軸又は電磁石歯車反発軸は、電磁石構造又は圧電素子電磁石構造を、電気配線によって持ち得た電磁石反発軸と電磁石歯車反発軸の使用によって金属劣化摩耗の少ない機械式発電機用電磁石反発軸作動特徴を、持った装置を特徴とする請求項1記載の水を、瞬間常温気化して発電する発電機能を、備えた省エネルギー水発電機装置。
【請求項１１】
本考案の省エネルギー水発電機装置に使用される二連振り子型機械式発電機の発電機発電能力を、アップするための工夫考案として、ダイナモの改良が、求められ通常ダイナモの中央部分に圧電素子を内蔵してさらに、圧電素子の中央部分に軽水素を、内蔵させた圧電素子軽水素構造を、持ち得た新しいタイプのダイナモ装置によって二連振り子型機械式発電機の発電効率を、上げる事を目的とした二連振り子機械式発電機圧電素子軽水素内蔵ダイナモ装置組み合わせ特徴を持った装置を、特徴とする請求項1記載の水を、瞬間常温気化して発電する発電機能を、備えた省エネルギー水発電機装置。
【手続補正書】
【提出日】平成18年11月22日(2006.11.22)
【手続補正１】
【補正対象書類名】実用新案登録請求の範囲
【補正対象項目名】全文
【補正方法】変更
【補正の内容】
【実用新案登録請求の範囲】
【請求項１】
本考案の省エネルギー水発電機は水を実用新案物品考案発電物質とし、この水つまり飲料水の中の不純物を取り除いた物質の構造として真水を、省エネルギー水発電機で真空装置を使用して気化水素と気化酸素になる前の真水を、実用新案請求項の考案として真水を、発電物質実用新案請求項１として真水を、考案項目物質の形状構成とする発電物質。
【請求項２】
本考案の省エネルギー水発電機に使用されるモーターは、一般に使用されているモーターとは異なり図7図8図11に示されているレールモーター構造内容は、複数の電磁石又はコイル付き電磁石又は圧電素子電磁石又はコイル付き圧電素子電磁石これらいずれかを、複数電磁石として使用し複数絶縁体を、使用して二列の円形の電磁石配列体リレー装置によってレールモーター構造上の複数電磁石を、作動させる事によってモーター化したコイルなしのため電気消費の少ない省エネルギーレールモーター装置。
【請求項３】
本考案の省エネルギー水発電機に使用される真空装置は、一般に使用される真空装置とはモーターが異なり省エネルギーレールモーターを、構造構成とするため、つまりコイルがないレールモーターのため電気熱溜まりの少ないレールモーターを、真空装置構造に対して請求項2レールモーターの構造構成とした省エネルギーレールモーター真空装置。
【請求項４】
本考案の省エネルギー水発電機に使用されている水中ポンプモーターは、一般に使用されている水中ポンプモーターとは異なり電気消費の少ないレールモーターつまり 請求項2のレールモーター構造使用の水中ポンプモーター構造に使用した省エネルギー水中レールモーターポンプ装置。
【請求項５】
本考案の省エネルギー水発電機に使用されている電動仕切り弁モーターは、一般に知られているモーターを、使用しない変わりに電気消費の少ないレールモーターつまり請求項2のレールモーター構造を使用した電動仕切り弁レールモーター構造構成内容とした省エネルギー電動レールモーターを仕切り弁装置とした電動仕切り弁装置。
【請求項６】
本考案の省エネルギー水発電機に使用されている合成水素(37)は気化水素気化酸素瞬間吸収発電合成素子体であり合成水素の形状は、中心部に液体マグネシウムつまり本田技研の燃料電池車の液体マグネシウムを、使用して此のままでは扱いずらいため、炭素と液体マグネシウムを、練り合わせて作った炭素液体マグネシウムを、固形水素吸収体としてこの物質を、液体マグネシウムを、包むような構造にして小さな穴を、炭素液体マグネシウムにあけて、中央部分の液体マグネシウムを、吸収しやすい構造にした水素吸収体物質(4)の図30の合成水素化合物質酸素水素瞬間吸収発電物質装置。
【請求項７】
本考案の省エネルギー水発電機に使用されている圧電素子板内蔵銅板電極(6)(7)は、合成水素(4)が、瞬間発電した電気を、圧電素子磁石電極を、左右に連なった構造にした上に銅板を、かぶせた圧電素子板内蔵銅板電極装置。
【請求項８】
本考案の省エネルギー水発電機に使用されている二連振り子式機械式発電機(16)は、二組又は二つの機械式発電機を、使用した発電機であり、複数の歯車装置とゼンマイ装置そして圧電素子の中に軽水素を、入れた圧電素子と一般に知られているダイナモを、組み合わせたニュー考案ダイナモそしてこれらを、作動させるレールモーター振り子装置ニューダイナモで発電した電気を、増幅させる電気電子返還装置これら機械だけで、発電した電気を、急速充電できる軽水素炭素マグネシウムニッケル充電池これら発電した電気から、電気抵抗を、取り除いて電気抵抗なしの電気充電できる圧電素子磁気電気電子4分割装置これら装置を、組み合わせる事で、発電出来る機械だけの発電機これを、二連機械式発電機装置の装置組み合わせによって発電効率を、上げた発電機装置。
【請求項９】
本考案の省エネルギー水発電機に使用されている軽水素炭素マグネシウムニッケルバッテリー(41,42,43,)は、一般に知られている水素ニッケル電池より充電スピードを早くしたバッテリー、水素の変わりに軽水素を使用して、炭素と液体マグネシウムの合成物質にニッケル金属を、バッテリー電極とした軽水素炭素マグネシウムバッテリーであり並びに軽水素を、バッテリー液としてニッケル金属をバッテリー充電電極を特徴としたバッテリー装置。
【請求項１０】
本考案の省エネルギー水発電機に使用されているニューダイナモ(43)は、一般に知られているダイナモの中央部分もしくは、ダイナモの横に圧電素子を、接合又は内蔵して圧電素子の中央部分に軽水素液体マグネシウムを、ダイナモ構造に加えたニューダイナモ装置によってダイナモ発電電力が、増幅出来るダイナモ装置。
【請求項１１】
本考案の省エネルギー水発電機に使用されている二連振り子式機械式発電機の構造に使用されている歯車の構造説明として歯車軸の摩耗を、防ぐ意味から歯車軸を、電磁石を使用し電磁石反発軸とした図6の説明図に書かれている電磁石反発を主体とした電磁石構造である歯車軸装置。
【請求項１２】
本考案の省エネルギー水発電機に使用されている圧電素子4電子分割装置は、図12,図15,図16,に使用されている圧電素子を、構造の主体とし圧電素子中央部分に一般電気配線を、通して磁気の強い部分の電気と磁気の弱い部分の電気に分ける事で、電気抵抗の強弱を、区別した装置として使用出来る装置であり電気抵抗を、取り除いた電気を使用出来る電気社会では、電気社会理想の最高の電気抵抗なしの電気発生装置。
【請求項１３】
本考案の省エネルギー水発電機に使用されている機械式発電機つまり機械部品とダイナモ装置だけで発電する発電機に使用されている電気を、増幅する装置は、一般家庭で、使用されている電子レンジの部品の一つであり、電気を、マグネトロン装置の官で電気を、電子化してその電子を、一度増幅させて増幅された電子を、もとの電気に戻す事が出来る装置 此の場合電気は、弱い電気から強い電気に変換出来る装置。
【請求項１４】
本考案の省エネルギー水発電機に使用されている機械式発電機に組み込まれているレールモーター振り子装置は、請求項2のレールモーター構造を踏まえた装置であり、ダイナモを、発電作動させる役目として発電歯車連動作動させるために小さな電気エネルギーで、振り子作動の補助出来るレールモーター振り子補助装置。
【請求項１５】
本考案の省エネルギー水発電機に使用されている機械式発電機水位センサーは、丸浮きと弱電波感応式センサーを使用しているのが特徴であり、一般に知られている 弱電波発射装置又は小さな電気量で作動する携帯波  無線波を、使用して電波送信し又電波受信装置を、使用する事で電波遮断スイッチ丸浮きはプラスチック丸浮きによって弱電波遮断水位センサースイッチ出来る丸浮き水位センサー装置。
【請求項１６】
本考案の省エネルギー水発電機に使用されているアルミニューム鉄合金金属板は、現在の発電機には、使用されておらず、雨などの錆止め対策又軽量対策として、鉄とアルミニュームの合金板を、使用した発電機パネル装置。
【請求項１７】
本考案の省エネルギー水発電機に使用されている軽水素炭素マグネシウムニッケル充電池は、水素ニッケル充電池より充電スピードを、速めた軽水素ニッケル充電池であり、軽水素の安定に、炭素とマグネシウムの合成物質を、使用した充電池であり、更に充電スピードを、上げるため、請求項12に書かれている圧電素子磁気電気4分割装置を、軽水素炭素マグネシウムニッケル充電池に取り付けた充電池装置。
【請求項１８】
本考案の省エネルギー水発電機に使用されている真空装置作動補助電源コード口は、省エネルギー水発電機に使用されている二連振り子型機械式発電機が、故障した場合を、想定して省エネルギー水発電機が、補助バッテリーに電気がないのを、想定して、家庭電気でも、省エネルギー水発電機が、作動できる様に外部から電気が、接続出来る様にした真空装置作動補助電源コード口装置。
【請求項１９】
本考案の省エネルギー水発電機に使用されている超小型回転体つまり回転体作動装置 超小型レールモーターは、軽量化をはかるため、アルニューム金属又はマグネシウムとアルミニュームの合金又は軽金属などを、超小型モーターの軽量圧電素子磁石又は圧は、圧電素子電磁石を、使用しモーターカバーは、プラスチックなどを、使用し超軽量の回転体であり、超小型軽量の省エネルギー回転体装置は、超小型モーターの消費電力を一般の超小型モーターのコイルありモーターとは、異なり、複数圧電素子電磁石と複数絶縁体を使用しリレー制御装置によって回転体作動出来る超小型回転体モーター装置。
【請求項２０】
本考案の省エネルギー水発電機に使用されているプラスチック絶縁カバー使用の軽水素内蔵液体ダイオード装置は、圧電素子磁気電気4電子分割装置から熱抵抗電気が、リサイクル電気として流れてくる電気を、再び熱エネルギーを、液体ダイオード軽水素に電気を通す原理つまり、ソラーパネル発電原理を活用して、熱抵抗電気の熱エネルギーを再電気化して再びリサイクル電気として電気を、再利用出来るプラスチック絶縁カバー付きの、軽水素内蔵し液体ダイオード構造である熱抵抗電気を、熱エネルギーを、再電気化し電気のリサイクルが、出来るプラスチック絶縁カバー軽水素内蔵液体ダイオード装置。
【請求項２１】
本考案の省エネルギー水発電機は、水を、真空装置によって気化酸素発電物質と気化水素発電物質の融合体を、作り出して、液体マグネシウム又は合成水素つまり酸素と水素の瞬間吸収体発電するためには、請求項1,請求項2,請求項3,請求項4,請求項5,請求項6,請求項7,請求項8,請求項9,請求項10,請求項11,請求項12,請求項13,請求項14,請求15,請求項16,請求項17,請求項18,請求項19,請求項20,これらすべての装置を、すべて一度に使用して、初めて省エネルギー水発電機が、発電機機能として働く事が出来る省エネルギー水発電機装置。
【手続補正２】
【補正対象書類名】図面
【補正対象項目名】全図
【補正方法】変更
【補正の内容】
【図１】
0003145903.tif 000049
【図２】
0003145903.tif 000050
【図３】
0003145903.tif 000051
【図４】
0003145903.tif 000052
【図５】
0003145903.tif 000053
【図６】
0003145903.tif 000054
【図７】
0003145903.tif 000055
【図８】
0003145903.tif 000056
【図９】
0003145903.tif 000057
【図１０】
0003145903.tif 000058
【図１１】
0003145903.tif 000059
【図１２】
0003145903.tif 000060
【図１３】
0003145903.tif 000061
【図１４】
0003145903.tif 000062
【図１５】
0003145903.tif 000063
【図１６】
0003145903.tif 000064
【図１７】
0003145903.tif 000065
【図１８】
0003145903.tif 000066
【図１９】
0003145903.tif 000067
【図２０】
0003145903.tif 000068
【図２１】
0003145903.tif 000069
【図２２】
0003145903.tif 000070
【図２３】
0003145903.tif 000071
【図２４】
0003145903.tif 000072
【図２５】
0003145903.tif 000073
【図２６】
0003145903.tif 000074
【図２７】
0003145903.tif 000075
【図２８】
0003145903.tif 000076
【図２９】
0003145903.tif 000077
【図３０】
0003145903.tif 000078
【図３１】
0003145903.tif 000079
【図３２】
0003145903.tif 000080
【図３３】
0003145903.tif 000081
【手続補正書】
【提出日】平成18年11月27日(2006.11.27)
【手続補正１】
【補正対象書類名】明細書
【補正対象項目名】０００２
【補正方法】変更
【補正の内容】
【０００２】
今迄の水発電機は、真空装置に通常小型モーターのため、レールモーターより電気消費が、多いい理由としてコイル配線が二本のため、電気熱だまりが、起こりやすくなるため電気消費は複数コイル配線より電気熱が、溜まりやすくなる分電気消費が多くなる。
この一般の水中ポンプモーターも、コイルの巻数が、長い分だけ電気消費は、多くなる。
これらモーターの電気消費を少なくするため、圧電素子電磁石コイルなしリレー制御レー ルモーターもしくは、一般電磁石コイル有りリレー制御レールモーターによって、まず第一にモーターの電気熱溜まりの少ないモーターを使用して、尚且つ電気の中の電気抵抗を取り除き、電気製品に無理をかけない装置特開2004−304992の発明装置を使用する事で、モーターは、電気抵抗のない電気を、使用する事になるつまり超電導と同じ形に最終結果なるため、モーターはなおさらスムーズムに回転する事になり電気消費が、少なくなる。
この他機械式発電機などに積載されるバッテリーの充電物質を、水素ニッケルバッテリーから、充電スピードがまだ早い軽水素ニッケルバッテリー使用になる。
通常電気充電技術では時間が、かかり過ぎるため、圧電素子磁気電気4分割技術によって電気から熱抵抗電気つまり中間電子電気を取り除く技術の発明事実から、電気充電技術のスピードアップが期待出来る。
さらに墫野和夫以外に無害無給油 水エネルギー循環発電機は、墫野和夫の北海道庁郵便消印承認著作権考案発明しかなく、今迄は燃料電池発電の本田技研 豊田自動車 ルノーBMW の燃料電池発電、つまり水素タンク酸素発電の水素タンク水素給油方式の水素補充がなければ、発電出来ない金のかかる発電機しかなかった。
本考案の省エネルギー水発電機は、二連振り子型機械式発電機を使用する理由として、機械式発電機だけで、少しでも大きな電力を、発生させる無害無給油の発電機を、作り出す事が、必要視される理由として、特開2003−328925の無害無給油発電機が、発電する事実を、理解出来ない人のため、機械式発電機だけでも、充分に発電可能な技術考案があり、もう少し真空装置を、使用する事によって水は、低温気化又は常温気化してしまう事実理解と、液体マグネシウム又は固形水素(豊田自動車特許NHKクローズアップ現代確認済み)特に水素吸収率の良い液体マグネシウムは、(本田技研工業株式会社NHKクローズアップ現代確認済み)これらは、無害無給油発電機は、正確には、特許切れ海外の水素と酸素の化学反応発電が、最初の様である。NHKクローズアップ現代を、見ての説明。ただし水素と酸素の化学反応発電機だけでは、あまり発電力が、望めず長い間敬遠され、皆さんも大阪市の水素高温水素プルトニューム沸騰水タービン又は油圧タービン超大型ダイナモ発電方法が、広く知られている。ただしこの場合わずかだが、放射能物質を、排出する事も知られている。そして原子力より、放射能廃棄物の量が、少なく原子力より放射能廃棄物処理費用は、少なく済むのも事実である。  問題は放射能廃棄物ゼロの無害無給油発電機であって、発電力が、燃料電池と同じ又はそれを、越える無害無給油の発電機開発の事情説明として、水力発電機の海外特許料金支払いそして、原子力発電機の莫大な企業利益これらは、発電利益として国民利益として、利益還元されず今だ原子力発電機事業は、特許切れにもかかわらず国の発電事業地方の発電事業として、企業は、一切特許切れに対しても発明財産権の主張によって今の原子力発電事実の現状説明としておく。   まず売電事業は、全世界の売電利益を、個人又は企業が、得た事実つまり今の日本は、海外売電利益で、世界市場を、統括しておれる事実の説明をしておく。所がいくら時代が、変わっても国の借金と地方の借金は、増えて行く事実は、2006年6月16日昼12時50分52秒マスコミ報道を、見て聞いた事実は、この先も国と地方の借金返済の見込みがないため、改めて墫野和夫自身が北海道庁総合企画部広報広聴課の北海道民財産つまり著作権考案発明財産北海道庁提出の郵便物受理証明書の実在を、特願2006−140535などで、早期特許特願公開を、しますので、最初の発明事実を、良く確認して下さい。このままでは、日本の弱者庶民の生活自立は、国地方だけの力では、無理と墫野和夫は、判断しました。その結果特開2003−328925の発電力アップの無害無給油発電機を、実用新案として、広く世界に公開します。実用新案理由として、日本の特許庁の黒字経営にも有りながら、審査請求料金8万円ほどから一気に二倍ほどの16万になったため、現在の建設業の所得月16万から18万バブル当時は、最低35万以上50万近くの所得があった事もあるが、
現在の建設業季節土木作業員の賃金事情でもある。そのため、止む終えず知的財産提出料金の安い実用新案提出にしました。
省エネルギー水発電機の売電利益 海外売電利益などで、日本の国地方の借金全額返済活動を、まず先に行う事を、個人活動の趣旨として、この発明財産の所有権は、国又は地方の財産にせず、日本の弱者庶民の永遠の生活権樹立のための日本弱者庶民一人一人の財団の財産とする事を、目的として、墫野和夫が、個人活動して行く事になる。
この文章によって、省エネルギー水発電機が、実際上実用新案登録商標又は特開2003−328925が特許認定になっても、まず第一目標を日本の国又は地方の借金全額返済活動を、第一条件として、広く国民に考案の詳細の説明に書き入れる事実として、墫野和夫が、ウソを、つくと詐欺行為になる事を、墫野和夫自身確信する。 個人活動の事情説明とする。
省エネルギー水発電機の著作権考案の詳細な説明として、この発電機の特徴は、二連振り子機械式発電機だけでも、通常一つダイナモ発電機より多い発電量が、望める二連機械式発電機は、通常ダイナモと異なり、通常ダイナモの中央部分に圧電素子を、内蔵して圧電素子の中央部分に軽水素マグネシウムを、内蔵してまず圧電素子の能力アップ理由から説明する。
圧電素子は、電子磁気集合体である。この場合水素電池は、温度を、足したりすると水素独自の水素分子活動が、活発になり古い水素電池など又は水銀電池は、電気残量の場合によって蓄電する。これは、電気分子が、熱エネルギー反応して、発電する事実説明で有る。この事から、軽水素に及んでは、水素反応より、早いと考える理由として、電気抵抗は、電気の流れを、妨げる事実説明から、通常水素は、プルトニューム分子を、持ち得ており熱抵抗の説明上プルトニュームは、有る一定の高温を、加えない限り分子分解しないそのため、電気の流れが軽水素だけの時より、遅くなる事実上の電気分子説明である。これら事実から、軽水素の方電気の流れが良く磁気などとも結び付きやすくなるのも事実そのため、圧電素子単独の電子発生は、軽水素の瞬間電子発生に対して軽水素の最大の能力を磁気軽水素分子、引き出す事となります。この場合軽水素分子は、磁気プラス分子と磁気マイナス分子に圧電素子を作動する事によって圧電素子の外へ電子ライターの作動状態の鉄芯の力のエネルギーを、加える事で、圧電素子の外に圧電素子磁気電子と軽水素磁気分子電子が、外に出る。
たいていの物質は、プラス分子とマイナス分子から、成り立っている事実に於いて軽水素プラス磁気分子とマイナス磁気分子になるのは、圧電素子中央に内蔵した時点で、軽水素は磁気化したと言える。この説明で納得いただけたと思います。軽水素内蔵圧電素子ダイナモは、ダイナモを、作動させて電気を、発生する時 電気圧力は、圧電素子軽水素内蔵素子体を、生の電気の力は、圧電素子に鉄柱を、打撃した時 磁気圧力移動で、電気が、磁気電子として外へ出たのは言うまでもないが、それと同じく大きい電気エネルギーの力を、圧電素子に加えると、必然的に軽水素内蔵圧電素子の磁気電子放出が、連続してダイナモが回転している間、ダイナモ劣化消耗まで、発電を続ける事が可能である。 注意書きとして、乱れた磁波は、電波障害と人体への障害があるが、磁波を、圧電素子磁気などに電波又は電気を、通して正しい磁気の流れにする事によって奇麗な映像が、見れたり、人体では、体の体調管理修正は、早めのリフレッシュ人体DNA磁気能力開発は、人体の肩こりなどから説明が付く。
軽水素内蔵圧電素子ダイナモの能力説明が、分かった人は、二連振り子型機械式発電機の発電能力の予測がつきましたか、その上で二連振り子型機械式発電機のダイナモを、振り子ゼンマイ装置の電磁石反発及びレールモーター別名複数電磁石反発と複数絶縁体を、使用したレールモーターリレー装置の発明によって電気消費の少ないモーター使用によって電気エネルギーの少ない消費モーター作動の実現と充電スピードの早い軽水素炭素マグネシウムニッケルバッテリーの著作権考案発明は、2006年6月末以降早期特願公開文章に炭素軽水素ニッケルバッテリーの北海道庁郵便物受理証明書によって発明日の日付説明が、特開を、見る人達に分かる様に説明されている。水素ニッケルバッテリーより、軽水素マグネシウムニッケルバッテリー事実上、 軽水素ニッケルバッテリーの方が、充電の妨げがない分バッテリーとしては、軽水素ニッケルバッテリーの方が、充電しやすく電気の取り出し能率が、良い場合もあると記載する。又軽水素炭素マグネシウムニッケルバッテリーの略説
明として水素ニッケル電池は、松下電器産業(株) 日立電気(株) (株)マキタは既に水素ニッケル電池は使用されており充電スピードの早い水素ニッケル電池は最近の一般庶民なら皆さん知っての通りの技術であり、水素は軽水素つまりプルトニュームを取り除いた水素を、軽水素と言います。プルトニュームを多く含んだ水素を重水素と言います。この他 のこの他の水素を、通常水素と言いまして三種類に別れます。水素の中からプルトニューム分子を取り除く事によって、軽水素は分子活動の早い水素が出来る。理由としてプルトニュームは、水爆で知っての通り原子核を持ち得た熱集合体のため、軽水素が発電する場合は、軽水素分子だけのため、重水素を含んだ水素より充電スピードが早い。  理由は、分子結合の在り方を、小学校又は中学校の理科の教科書に書かれている分子構造の一つの理由である。原子核を、持つと分子が、結合を強めるため水素分子移動が、遅くなるこれは、通常水素であり常温の条件では原子スピードは、分子スピードより遅いのが、事実この説明は原子と分子結合上の説明から成り立つ其の事を、踏まえて重水素が、発電する場合この熱エネルギー集合体は、水素とニッケルの化学反応充電スピードを、妨げてしまう事になり電気配線が熱くなると電気が、流れにくくなる現象を、引き起こす事になる。この事は、水素を、燃焼させたり爆発させたりする時にたくさんの熱エネルギーが必要とされる場合だけに、プルトニューム水素は必要視されるものと考えたい。電気の流れには、熱抵抗電気は、必ずある事が、広く知られている。本来熱抵抗電気は、邪魔な存在でありまずこの熱抵抗電気を、取り除く考え方から通常水素のプルトニュームを、取り除く技術こそが、電気の流れを、妨げなく電気を流す技術は、通常水素の水素分子結合上プルトニュームを取り外された軽水素は、水素分子の活動が、原子核を外す事によって軽水素分子スピードは早くなる。
この事実から、軽水素ニッケルバッテリー 軽水素炭素マグネシウムバッテリーは、充電スピードの早いバッテリー説明になりマグネシウムを扱いやすくするため、炭素マグネシウムの合成を、使用して軽水素吸収を良くするための考案である。これらは、軽水素炭素ニッケルバッテリーの急速充電化を、実現させる電気 圧電素子磁気電気4分割によって電気から中間陽電子磁気電気及び中間陰電子磁気電気の熱抵抗取り除き方法は、公開特許公報(A)特開2004−304992で説明の通りですが改めて説明します。 圧電素子とは、100円電子ライターの石が、圧電素子体と言います。したがって圧電素子の火花は、電子放電事実であり圧電素子は、人工磁石でもある。この事実を、踏まえて電気は、磁石化する事実は、通常鉄にコイルを、巻いて電気を流し続けると電磁石になる事実も視野に於いて考えて於いて下さい。  つまり電気とコイルと鉄で、電磁石のN極 S極に変化する事に注目して下さい。
電磁石の強さは鉄の密度つまり鉄が、硬くて重い鋼鉄の方が磁石の引き付け反発は強くなり電気消費の分 電磁石吸引度も強くなるのは一般庶民でも知っての通りです。つまり電気は、磁石のNとSに置き換える事実証明は圧電素子は化学合成電子集合体磁石であり、人工的に作り上げた磁石であり低学年の学校の理科の教科書では、コイルを巻いた鉄に電気を流し続けると鉄は、やがて永久磁石化したと言う表現が用いれられる。 その上で圧電素子にコイル配線を巻くのではなく電気を流す事によって、圧電素子磁石の吸引反発を強める。圧電素子電磁石の磁気が強く磁気スピードの早い電気は圧電素子磁石の磁気スピードが早く電気は、圧電素子磁石体の磁石構成上の 磁石力の弱く遅い電気は、圧電素
子磁石の中央部分を流れる事になる。つまり熱抵抗電気は、スピードの遅い分圧電素子磁石構造の磁石の強弱の変える事の出来ない事実から電気は圧電素子磁気電気4分割方式によって圧電素子磁石強弱分割判断に基づいて圧電素子磁石の中央部を、磁気化の弱い電気抵抗が強く電気抵抗が集まる部分である。この電子部分のプラスを、陽電子電気と言い反対のマイナス電子を、陰電子電気と言います。圧電素子磁気の中央部つまり磁気の弱い熱集合磁石部分を、圧電素子中間磁気電子これを、中間電子とも言う。この場合圧電素子磁石を、圧電素子磁気4電子分割上に均等区別した圧電素子磁石に流れる電気を、磁石強弱区別化した場合圧電素子陽電子磁気電気、これは磁石力のプラス電気の早くて強い磁気電気を、示します。もう一つの陰電子磁気電気これは、磁石力のマイナス電気の早くて強い磁気電気を、示します。磁気熱抵抗電子の熱集合部分を、中間電子と言う。この場合圧電素子磁石を、圧電素子磁気4分割して、均等に区別した圧電素子磁石は、陽電子圧電素子磁気電気これは磁石力のプラス電気の磁気力の強くて早い強い磁気電気を、示しもう一つの陰電子圧電素子磁気電気は、磁石力のマイナス電気の磁気力の強くて早い磁気電気を示します。中間陽電子磁気とは、圧電素子磁石を4分割にした場合磁石力の弱い部分に流れる電気を、中間陽電子磁気電気として略称中間陽電子とします。もう一つの中間陰電子磁気電気これは磁石力のマイナス電気の弱い磁気電気と遅い電気を、示しますこれは、中間陽電子も遅くて弱い電気を示します。圧電素子磁石に電気を流すと電気は、圧電素子磁気磁石体に沿って流れます。圧電素子にただ電気を流し続けると圧電素子は電気の抵抗電気で、熱をおびてしまうため対策として冷却物質で圧電素子体を、囲む電気の圧電素子磁気分割は、圧電素子磁気4分割化と言う表現方法を用いる。これらを、総まとめして圧電素子磁気電気4分割方法と言います。これらの説明から圧電素子磁気電気4分割説明が、成り立ち電気抵抗の取り除いた電気だけ軽水素炭素マグネシウムニッケルバッテリーに急速充電する充電技術は、熱抵抗磁気電気を、とり除いた電気を充電した場合熱抵抗の発生が少ないため、スムーズムに電気充電出来る結果は明らかである。これらの新技術を、踏まえてダイナモの圧電素子軽水素内蔵装置の略説明をする。ダイナモ中心部に圧電素子を、内蔵して圧電素子磁石中央部分に軽水素を、内蔵した新しいダイナモ考案の説明を、始める。
通常水素又は軽水素に熱エネルギー 又は水素圧縮エネルギーそして水素打撃エネルギーそして電子エネルギーを、それぞれ別々にエネルギー追加する事で、水素分子 軽水素分子は、活発に動いて プルトニューム原子核と結合している軽水素分子などは、水素原子核融合前温度でも、活発な水素分子活動をするため、この時通常水素又は軽水素は、エネルギー発生する。この事は、通常水素においては、水素原子核と強く結び付いている水素プラス分子と水素マイナス分子が、分子活動するため、エネルギー発生状態になると言う。一例として水爆は水素を、莫大な圧縮エネルギーで、圧縮する事で、出来ます。つまり水素本来の持ち得ている水素能力とは外部からのなんらかのエネルギーを、加えたエネルギー分だけ水素分子のエネルギー活動をしてしまう水素分子エネルギー事実であり、水素にはもう一つの特徴は水素原子核のエネルギー発生条件は、水素プルトニューム核融合温度に達すると自然に水素の持ち得ている水素原子核エネルギー発生事実は現代では、誰もが知り得ている事実であり水素は、どうしても重水素つまりプルトニューム入り水素は、危険物質しかならない理由として其の扱いが、難しいためどうしても、プルトニューム水素を、通常水素から取り除くと軽水素だけになる。この軽水素を圧縮しても水爆にはならない。原子核を、持たない水素は回りから加えられた力を、電気変換しやすい状態にしてしまう特徴を、 持ち得て入る。これは原子核を取り巻く分子のエネルギー変換しやすい事実である。
圧電素子中心部の軽水素は通常水素より水素分子活動が活発になり、ダイナモ中心部の圧電素子磁石分子は、高圧縮磁石のため、圧電素子磁石分子は、固定してます。所が圧電素子中心部の軽水素は、軽水素分子が活発になるため皆さんが知っての通り電子ライターの原理によって、ダイナモ中心部圧電素子軽水素内蔵部分へダイナモが作動して生の電気エネルギー力のある電気によってダイナモ内蔵圧電素子の軽水素内蔵磁気体の固定分子へ強い電気エネルギーが、加わるため圧電素子磁気固定分子は、鉄柱心打撃でなくても電気エネルギー打撃を受ける事で、ダイナモ内蔵軽水素圧電素子は、電子エネルギーを放出する事になる。この時ダイナモ軽水素圧電素子磁石中心部の軽水素は、軽水素分子が、活発になるため新たに新しい電子増幅エネルギーを、発生させる事になり此の事を、ダイナモ内の圧電素子軽水素電気磁気融合発電と言い磁気発電は磁力が、強くなればなるほど電気発生は大きくなる。つまりダイナモ軽水素内蔵圧電素子の磁力が、ダイナモの発電される電気で圧電素子磁力は、最高圧電素子電磁石現象を起こす事となって、通常ダイナモより大きい電気発生が、出来る事を、理解していただけたと思います。これは軽水素と言うプルトニュームを、取り除いた水素特有のエネルギー反応の説明を、水素にエネルギーを加える事で、水素分子は活発になり軽水素分子は水素原子核より数段活発にわずかなエネルギーで、軽水素分子はエネルギー反応する事実は、水素原子核と結び付いて入る状態の安定水素原子核軽水素分子安定保持エネルギー説明に対し水素は、燃焼しても莫大なエネルギーがある事を理解していただきたい。通常水素は重水素つまりプルトニュームを、持ち得ているため危険物質なのは、誰でもわかる通りである。所が軽水素は重水水素を取り除いてるためガソリン程の爆発力と考える。つまり軽水素をいくら圧縮つまり高圧縮かけても水爆にならない事実もわれわれ庶民は、一般知識として覚えておかなければならない。ただし温度には、すぐ反応するため、冷却設備の整った運搬方法が、とり扱いに対して望ましい。
又、水素圧縮燃料電池より軽水素圧縮燃料電池の方が、安全で高速充電能力としては、軽水素の方が水素より優れているのは、明白であり説明上試験なしでも事実になってしまう。
この新しいダイナモ技術を加えた全自動巻き取りゼンマイ装置動力とレールモーター2001年5月18日発明考案作品北海道庁発明考案作品北海道庁郵便物受理証明書付きに於いて墫野和夫のレールモーターの先発明は、2005年10月頃特許庁ないで墫野和夫が、ブラシレスモーターつまり墫野和夫のレールモーターと同じモーターを、調べた結果墫野和夫のレールモーターが、先発明の事実確認は、この頃しました。その上でこのレールモーター図7(38)図3(68,69,)は補助電池を使用しているため機械式発電機レールモーター作動には軽水素電池の急速充電出来る少し大きめの充電池を使用する事で、更に新しいダイナモは、機械だけの構造を、持った機械式発電機を、使用した発電機の液体マグネシウム又は固形水素(トヨタ特許)などの科学発電物質発電方法とは異なった発電方式の特徴は、二台のニューダイナモ発電装置を、備えた機械式発電機レールモーター振り子作動電力供給作動増幅によって、二台のそれぞれのニューダイナモ装置の発電した電気エネルギーを足していく事で、レールモーター振り子装置スピード増幅によってニューダイナモ装置の発電力アップしたダイナモ発電装置効果によって図5(43,60,)は次ぎなるレールモーター真空装置図22(3)レールモーター水中ポンプ図24 水位センサー図20 温度センサー図18これら装置を、作動させるための電気エネルギー発電装置が、ニューダイナモ連続全自動発電装置を、使用した機械式発電機である。この機械式発電機は、二台の機械式発電機のダイナモ発電エネルギーによって連続機械ダイナモ発電が、出来る事となる。そして二連振り子機械式発電装置を、二連振り子型機械式発電機図3の説明(16)を、名称とした上でこの荷台の機械式発電機つまり二連振り子型機械式発電機の発電エネルギー力によって水発電機図1(32)の各全自動電気装置作動電気エネルギーの確保に対しての略説明とする。実用新案省エネルギー水発電機にどうしても必要な発明公開特許公報(A)特開2004−304992は、提出の時墫野和夫のミスによって特開2004−304993の請求項1と2を、ダブって提出したためこの電気抵抗を減らして電気を、長持ちさせ電気製品に無理をかけない電気装置の有り方が本当の発明の名称です。既に特開2004−304992の手続き補正を、完了しているため実用新案省エネルギー水発電機を、より良く理解していただけるかと確信してます。特開2004−304992の発明考案日は、2002年9月であり、北海道庁郵便物著作権発明考案文章図面付きの書面受理書は実在してます。発明考案作品の実用新案省エネルギー水発電機の誕生考案理由を、良く理解していただける様に説明文として書き添えます。圧電素子電気磁気4電子分割の意味が、理解していただけた所で、この装置を使用した充電機関は、圧電素子電気磁気4電子分割装置が、電気抵抗つまり圧電素子磁石内の磁気の弱い部分すなわち電気抵抗の集まりやすい場所部分の電気を、リサイクル電気として使用する。又圧電素子磁気力の強い圧電素子磁気電気の電気使用は、圧電素子電気磁気スピードの早いプラス陽電子電気と言いますそして圧電素子磁気電子のマイナス陰電子電気だけを、電気使用するこの装置の墫野和夫の発明考案が有る事から、電気の急速充電技術は、軽水素マグネシウムニッケルバッテリー新技術考案によって水素より軽水素の方が、充���スピードが、早いのは明らかである。そして水素分子構造の中に原子核は高温度の場合、核融合温度に達した温度の場合に核融合熱エネルギーが、発生します重水素つまりプルトニューム水素のみが、多くの熱エネルギー発生の原子核を持ち得る通常水素と重水素の特徴である。水素関係バッテリー以外の通常バッテリー充電にはほぼ一日充電時間が、必要とされる。充電時通常電気の熱抵抗電気によってバッテリー内に熱溜まりを起こすため、急速充電が出来ない理由の一つなのである。熱溜まり充電を解決してくれるのは、現在の技術では水素ニッケル充電池で有りましてこの技術はマキタモーターの水素ニッケル充電池しかないと思われるこれを越えた充電池は、軽水素ニッケル充電池が、充電スピードを越えるはずである。これら技術を集めた省エネルギー発電機が、どの様にして発電するかの説明を始めます。省エネルギー水発電機は水をレールモーター使用の真空装置で、低温常温水を液体から低温常温気化水に真空装置で、瞬間気化する技術使用で、水は狭い部屋の空気を、真空装置で抜き続けると、水は人工気圧変化で気化酸素と気化水素の低温常温物質が出来る。海外特許NHKクローズアップ現代の放送で、水素と酸素が、合わさると発電する事実は既に海外特許切れで有ります。そして燃料電池発電は水素吸収体つまり液体マグネシウムの気化水素と気化酸素の同時吸収が、なし得た水素吸収体液体マグネシウムの発明は、水を、低温常温瞬間気化した物質を、水素吸収体つまり液体マグネシウムの気化水素と気化酸素の瞬間吸収事実は、水を省エネルギー真空装置で、液体から水を低温常温瞬間気化出来る技術の応用によって、発電可能なのを水素吸収体液体マグネシウムの気化水素と気化酸素同時吸収発電の燃料電池車のNHKのクローズアップ現代で、水循環連続発電機の実用化の確信が出来ました。一番簡単な実験方法として、ヤカンつまり湯沸かし機の水蒸気の当たる部分に液体水素つまりマグネシウムを、銅版電極付きで、高温水蒸気でも、液体マグネシウムは、必ず気化水素と気化酸素の融合物質を、瞬間吸収する事実が、明らかのは水滴以外の気化水素と気化酸素は瞬間吸収発電を、液体マグネシウムが行う事実は、水が低温常温気化した事にあると言える。確かに燃料電池車の冷却装置は、気化水素と酸素の無駄のない発電と水素吸収体の液体マグネシウム又は固形水素の劣化防止、そして燃料電池発電機自体が温度上昇し続ける恐れがあるため、燃料電池車では、冷却装置が、付いてるのは、この事と墫野和夫は、考えるのである。
尚且つ特許庁が説明不足と言われたため、水の気化物質説明をします。水は科学記号では、H20と書きますこれは、水素二つに酸素一つの意味ですが、沸騰水のヤカン又は湯沸かし器の中のお湯は、まだ科学記号の表現では、H2Oです。所が湯沸かし器の蒸気は、Hの高温気化水素とOの高温酸素の表現が、正しいと思われる。水蒸気が、冷えると水になったり水滴になります。所が真空装置で、低温1度から1O度位の水を、液体から気化した場合一分以内ではすべて水滴になりません。水は真空装置で、低温気化したのに、尚且つ低温の一度から10度にもかかわらずすべて水滴にならないのは、水が気化した場合気化水素H2に酸素Oがすべてに対してH2の条件にならずHの水素のままの条件が、50パーセント以上なのが隠せない事実なのは誰もが知り得る一般常識である。 確かに自然の中で雷がなった大雨は、天空で、地球磁波プラス気化水素酸素と地球磁波マイナス気化水素酸素は、雷と言うスパーク発電を、行う事で大雨になります。この他気温の低い空気が暖かい水蒸気に触れると、雨と言う水になります。ここで問題なのは水が気化した物質を水蒸気と表現しますが、水の粒が大地から空へ上って入るのではありません。水蒸気とは、水の気化した物質水素Hつまり気化水素は、水の粒ではなく確かに気化した水素と気化した酸素が、上昇する様を、水蒸気と言う。そしてこの水蒸気が、小さな粒になりだすと靄そして霧そして霧雨の雨と言う水の粒と言う表現をします。つまり水蒸気ならば雨の表現がなければ、つまり水蒸気自体雨の粒で、ない限りこの場合湿度の低い条件の水蒸気でも、液体マグネシウムは、発電可能と思われます。又真空装置を使用した場合真空装置を、使用した水を液体から気体へ変化させる場合低温つまりプラス１度から沸点前までの温度の水又は氷りなどのマイナス固形物質でも水を、気化させる事ができる技術つまり水が、気化したの表現と水蒸気とは、水の気化した気化物質の分子質量が、異なるだけではなく水蒸気では、水蒸気の水球ならば、空から地上に落ちます。これは、既に水蒸気ではなく別の霧、靄、雨、雪、雹などの水蒸気とは、水ではないと言い切ります。水蒸気が、水とか水球ならば地上にすぐ落ちてしまう事実発生しかならない。そのため、水蒸気は気化水素と気化酸素が、分散した状態で、空へ上がるこの場合水素は、酸素より軽いため高温の場合は、気化水素と気化酸素が、分散した状態になる。
又水蒸気が、気温零度以下の場合(靄もや)の状態で、空へ上がって行くが、上へ幾程に気圧が、上がるため靄も分散してしまう事実が、本当である。このため水を真空装置で、気化した場合低温常温気化のため、気化水素分子と気化酸素分子が、分散した状態のため、水にもどりずらい、沸騰点を、一度越えた気化水素と気化酸素は、急に冷やすと水に戻り安い。ならば水蒸気になって分散した気化水素と気化酸素が、水になる条件は、気化水素がたくさん集中してH2の条件がそろって酸素が加わる事で、水つまり雨などになる。これは科学記号の条件説明とします。そして2001年2月11日夜PM19時30分のNHKクローズアップ現代を、見た方なら水素吸収体つまり液体マグネシウムホンダ技研工業の発明特許又は固形水素トヨタ自動車の発明特許が、この世の中は水素吸収体が、発明考案されたてから、実際に燃料電池車の高速運転だけではなく、燃料電池発電の莫大な発電量が、発生する事も、テレビ社会は、事実報道したため、水素吸収体などの液体マグネシウム発電は、原子力発電を越えるプラス利益になる事は、世界中で理解しているはずです。燃料電池発電を、理解していただいた上で、水素と酸素の科学反応事実を理解していただきたい。したがって水発電機図1(32)の発電方法の技術説明は、燃料電池においては水素タンクが、必ず必要になり酸素と科学反応を行うために水素吸収体液体マグネシウムなどの水素と酸素の同時吸収発電方法は、皆さんが知っての通りですが、水発電機の違う点は、水素タンクはなく発電物質として水のみを使用する点が、違います。又発電物質の水をそのまま使わず、水を、真空装置で低温気化させて気化酸素と気化水素の水気化低温常温融合体を作って、水素吸収体液体マグネシウム固形水素などに気化水素と気化酸素の分散融合した物質を、液体水素液体マグネシウムでね瞬間吸収発電させる燃料電池発電方法とは、異なる水を使っての発電方法である。つまりこの水発電機の請求項でもわかる様に水を、真空装置で、低温常温水気化させる技術だけではなく、この他 水を、電熱線などで高温沸騰気化させた場合でも、水素吸収体は水気化物質のつまり沸騰蒸気でも水素吸収体の液体マグネシウムは、気化した水素と酸素を同時吸収して水素吸収体液体マグネシウム化学発電は、行われる。この場合温度が、水沸騰温度まで温度を、上げるため、水素吸収体温度劣化が、行われるため水素吸収体の交換時期は、早くなると考えるべきである。特開2003−328925又は実願2004−007250は、機械式発電機とは別の水素吸収体液体マグネシウム発電方法の技術内容、つまり水を瞬間低温常温気化しても水素吸収体つまり液体又は固形マグネシウム化学発電はならないと言う人に、別説明を付け加えます。新たな水発電機説明として説明します。通常の水に水素を足して、水素吸収体の液体又は、固形マグネシウムの気化水素吸収率を上げて、水を真空装置で低温常温気化した時、酸素が、発生します。この酸素と多めに入れた水素の水素吸収体つまり液体又は固形マグネシウム発電方法が、考えられます。この方法ならば、燃料電池の発電原理説明と同じ考え方に近い発想だと気づいていただけたでしょうか。この方法を、使用した場合水だけで発電する状態より、温度が、少し上がると考えられます。
改めて省エネルギー水発電機の説明を始めます。省エネルギー水発電機図1(32)は、二連振り子型機械式発電機図1から図3(16)のレールモーター図7から図8(38)の複数絶縁体接合電磁石の吸引反発リレー作動方法の応用を、二つのレール状に複数電磁石を並べた、コイル配線を持たない電気消費の少ないモーター、これは企業モーター名ブラシレスモーター本田技研工業のパンフレットに書かれているのを、見た方はすぐに気づくと思われます。このモーターは、レールモーターとして引用して行きます。このレールモーターの往復作動リレー制御切り換えによって又は電磁石反発作動によって二連振り子装置(50,66,)を、全自動ゼンマイ巻き取り装置(47,49,)の連動連結歯車の作動エネルギー及び軽水素炭素マグネシウムニッケル充電池図15(55,64,)のエネルギーで軽水素内蔵圧電素子結合ダイナモを、回転作動させて機械だけの部品連動作動方式によって発電出来る機械式発電機図1図3図4(16の発電機能力及び軽水素炭素マグネシウムニッケルバッテリー図15(40,41,42,)の充電スピードの早い理由としてプルトニュームなしの軽水素は軽水素分子構造の動き又は軽水素分子活動が、活発になりプルトニウム分子がない軽水素分子構造は充電スピードを上げる。
新しいバッテリーのため水発電機図1(32)を作動させる。まず手初めに水を、真空装置水気化室図1 省エネルギーレールモーター真空装置室(35)へ水(14)を、省エネルギーレールモーター水中ポンプ図1,図20,図23,図24,(11)は、電気作動して水(14)を、丸浮き電波磁気読み込み式水位センサー図20,図21(8)の電波遮断電気スイッチ反応によって省エネルギーレールモーター水中ポンプ図1,図20,図23,図24,(11)は電気作動して水(14)を、省エネルギーレールモーター真空装置室図1(35)へ水(14)を移動させる技術は、燃料電池発電機技術とは異なる著作権考案発明技術とも言える従って省エネルギー水発電機実用新案の重要な説明である事を、読んでいただける方に理解してもらいたい。尚省エネルギー水発電機の水(14)は省エネルギーレールモーター真空装置室図1(35)へ移動しただけではただの水(14)であり図1である水(14)図1であるが、丸浮き電波磁気読み込み式水位センサー図1(15)は水図1(15)は図1の水(14)は満水になると丸浮きが、電波遮断してポンプスイッチが、入って水が止まり真空装置のスイッチが、全自動で入る事で水図1(14)は発電物質でもあるが、常温のまま水常温気化変化する事になる。つまり水図1(14)は、常温気化つまり液体物質から気化物質に変化して初めて水素吸収体の液体マグネシウム又は固形水素又は合成水素などに瞬間吸収発電出来る事となる。そのため水図1(14)は液体マグネシウム又は液体水素内蔵固形水素又は豊田自動車の固形水素特許これら水素吸収体図1(4,37,)に水図1(14)を、吸収させるため、水を液体から瞬間常温気化変化させる必要がある。それも瞬間に水図1(14)を、液体から気体変化した瞬間に水素吸収体へ連続瞬間吸収発電を、機械システム構造上この部分が、発電機の命運を、分けた説明理解していただきたい部分であり燃料電池は、あらかじめ水素タンクを、持って酸素との液体マグネシウム水素吸収体瞬間吸収発電は、水素吸収体の発電能力と発明が、水素と酸素の化学反応発電の時代を、変えた発明でもあったと言える。つまり水素H2酸素Oの発電前の水素と酸素の水気化発電融合物質を、真空装置図1(15)によって低温常温において温度変化技術では、水蒸気変化のとらえかたになるが真空装置図1図22は、沸騰温度の変化で、水蒸気変化させる技術とは違って尚自然界における水の自然蒸発現象を、趣旨としない技術応用とは、水素吸収体の液体マグネシウム図1(4,37,)にどれだけ早く真空装置図1,図22(3)の気圧をゼロにする技術によって水 図1(14)を低温の状態では水図1(14)は水蒸気に瞬間時なった説明より水(14)は水素H2 酸素0の気体化した状態であり燃料電池発電は、水素Hに外気酸素0を、取り入れた状態つまりH20の水素と酸素の気体化融合水素吸収体物質発電となりますその上で時間的考え方では、水になる前つまり水素吸収体液体マグネシウムなどに液体マグネシウム分子に水素H2と酸素0が、水素吸収体発電出来る事は、今までの説明で理解いただけたと思います。海外特許切れでは、水素Hと酸素Oの強制水素酸素打撃発電は、わずかながら発電が認められて海外人特許認定がありました。現在特許切れで、この事は2001年1月11日NHK夜PM19時30分からのクローズアップ現代の豊田自動車燃料電池発電方法と本田技研自動車株式会社燃料電池発電方法が、発表されたため、水素タンク水素と酸素の水素吸収体強制吸引発電方法��事実を、知り得る結果であったが、水素タンクの水素が、なくなると発電しない事実も同時に知り得る事となる。その結果気化水素と気化酸素の水素吸収体強制融合発電出来る事実も確認する事となる。この事から、燃料電池発電は水だけを、残す事に注目したのが墫野和夫の発想です。つまり水をもう一度水素吸収体の液体マグネシウム又は固形水素発電物質の瞬間水発電物質変化方法として他の企業とは異なった考案として水を、瞬間低温常温気化変化水素吸収体液体マグネシウム又は固形水素合成水素などに瞬間に水を、気化して発電物質に変えて水素吸収体瞬間吸収連続発電方法が考える事となる。2001年2月11日前に既に真空装置と水の関係の知識情報が、墫野和夫自身にあったため、水を、気化物質に変えて連続発電は、すぐにその日テレビを、見て分かりました。水が水素H2と酸素0の集合体は、小学又は中学の学問でもわかります。問題は水を気化物質水素Ｈと気化物質酸素Ｏに変える技術が、燃料電池発電を越えた無害無給油連続水発電技術は、水を発電物質に変える連続発電技術が、世の中を変える技術と言う事を、墫野和夫は確信してます。水素と酸素が、本来持ち得た低温常温発電技術は、水素Ｈ2分子と酸素Ｏ分子の融合発電は、自然界においても、いつでも雷発電するのではなくただの水となり大地に集中豪雨の力エネルギーに変わってしまう事もある。雷の場合磁波つまり地球のマグマ地波地球磁力電気水素分子酸素分子誘発発電としか考えられない事実は、雷の多い年は、ラジオ電波の乱れなどが多い事実でもある。この自然界事実は、水蒸気の気化水素Ｈと気化酸素Ｏは、自然界事実においても水蒸気発電は必ずあり得るが事実である事が自然証明されておりそのため、水を真空装置低温常温水気化した場合、水素吸収体つまり液体マグネシウム又は固形水素又は合成水素瞬間水気化発電は、成立するが、自然自体が、世界中の人達に発電事実を、伝える事となる事を、墫野和夫は願います。
雷発電の場合は、水素Ｈ2と酸素Ｏだけでは、成り立ちません。この場合他の力が、気化水素Ｈ2と気化酸素Ｏに他の力が、加わる事で雷が発生する。雷は、夜でも発生するため他の力とは、光りエネルギーではない事実も説明追加しておきます。いずれにしてもマグマ地波がすべてを、語ってくれる日が、近い日に雷発電が、発電機になる発表も近いと思われます。
この発電機も未発表として北海道庁広報広聴課に有ります。つまり墫野和夫が広く世界中に伝えたいのは燃料電池発電方法より実用性のある省エネルギー水発電機の事実を、理解していただきたい。液体マグネシウム水素吸収体に水素Ｈは、水素タンク内のＨが、真空装置瞬間低温常温水気化物質した水素Ｈは、まぎれもなく水素Ｈ分子の分散状態である。
まだ水素吸収体と言う水素と酸素の融合吸収力と言う力が、加わらない状態でありこの状態を、気化水素 気化酸素分散融合状態と言います。ここで水素は、変化をする時エネルギーを、発生させる事実確認を、この文書説明で、確認していただきたい。通常水素はエネルギーを、加えなければエネルギー発生しない。所が軽水素は、水素分子からプルトニューム分子つまり原子核を、持ち得たプルトニューム分子学校学問では、中間子を持ち得たプルトニューム分子を、水素から強制的にはずすと軽水素になりもう一つを、重水素と言います。軽水素分子は他の分子と結合しやすくなる。そのため液体マグネシウムつまり水素吸収体に水素と酸素が同時吸収される時、通常の酸素と水素の強制吸収発電する発電力より液体マグネシウム水素吸収体発電の方が発電力アップする事実説明とは水素分子からプルトニューム分子を、はずして酸素分子とを、結び付ける結果 事実上すばらしい燃料電池発電の説明を付け加えた上で、水発電機の真空装置によって水を、低温常温状態によって液体から気体へ瞬間変化させる技術は水気化水素と水気化酸素を、液体マグネシウムつまり水素吸収体に水気化水素と水気化酸素を、瞬間吸収しやすくする技術がこの世の中で、水素吸収体液体マグネシウム発明と言う行為によって、水気化水素と水気化酸素は、水素吸収体瞬間発電出来る発電物質つまり水が、液体から気化変化は雷発電前の水蒸気つまり地上に絶対落ちない水蒸気こそが、まぎれもない水気化発電物質であり気化水素と気化酸素は、気体の水素と気体の酸素の融合体であり液体マグネシウム水素吸収体によって水素分子 酸素分子説明上 水素Ｈ2ト酸素Ｏの集合体であるのが事実なため、水（14)は真空装置図1(3)によって低温瞬間気体化した場合、発電する事実説明になる。水蒸気は、水ではなく水蒸気の雲は、雷発電によって雨と言う自然界の水物質になる事実までの気体水素と気体酸素の発電理由の違いを理解していただきい。従って水(14)は省エネルギーレールモーター真空装置 図1 (3)図22 (3)を作動させて、水素吸収体発電室図1 (37)の固形水素 液体マグネシウム 合成水素図1 (3)に水(14)を、気体水素と気体酸素の融合気体物質は、気体のため液体マグネシウムへ瞬間吸収発電になる。 尚省エネルギーレールモーター真空装置室図1 (35)で水(14)が、気体水素と気体酸素の融合体になってから、水素吸収体発電室 図1 (37までの距離は短いため発電ロスが少ない。 燃料電池発電同様に気体水素と気体酸素の融合水素吸収体液体マグネシウム発電は、水素と酸素の融合発電によって燃料系発電機を、遥に越えた発電力を得る事が出来る水発電機。 図1(32)は再び水(14)のみを、気体水素と気体酸素の融合体は、水素吸収体によって発電する事によって水(14)に再び発電行為によって水(14)の姿にもどる。尚 水(14)は発電処理水タンク室 図1(34)へ送られる。発電処理水タンク室 図1(34)の丸浮き電波磁気読み込み式水位センサー図1(8)が満水を、示すと省エネルギーレールモーター水中ポンプ(11)が作動して再び水(14)を、省エネルギーレールモーター真空装置室(35)へ水(14)を、移動させて省エネルギーレールモーター真空装置室 図1(35)の丸浮き電波磁気読み込み式水位センサー図1(15)は満水反応つまり電波遮断によって省エネルギーレールモーター図1(3)の��イッチ作動する事で、水(14)を再び気体水素と気体酸素に変える事で、水素吸収体つまり固形水素トヨタ自動車テレビ公開作品 液体マグネシウム本田技研自動車株式会社テレビ公開作品 図1(4,37,)に気体水素と気体酸素の融合吸収連続発電は、補助電源バッテリー図1(40,41,42,)の電源または二連振り子式機械式発電機 図1 (16)の発電エネルギーを、補助電源使用発電として水低温常温瞬間気化連続発電出来る省エネルギー水発電機考案の詳細な説明である。 
省エネルギー水発電機  実願2004−007250は、北海道庁発明原本郵便物受理書を、北海道庁総合企画部広報広聴課が、墫野和夫が、簡単な発明説明文章又は略図に元ずいて発明の年月日おおやけの発明時間説明が、墫野和夫の直筆で書かれ墫野和夫の押し印鑑証明した発明原本5000件以上の物件の一部は、特許庁に提出済みです。日本の特許庁又は企業の考え方で、特許認定が、なってない発明作品を、すぐに商品化して先に利益を得てしまうやり方が、公の場では、当たり前になってます。発明詐欺横領の法律が明確に書かれていない日本の特許法 一例として187条は、特許番号 実用新案番号 知的所有財産番号の明記する事で、人個人それぞれの個人財産権 発明財産権を守る方法の観点から公開義務が、正しいはず処が、誰がどれだけ利益を、上げて国税を正しく払っているかの確認するのに庶民賃金の下がりつつある現在に於いて発明作品商品利益の調べるのに何処の海外特許すらもわからないため、どの国で莫大な利益を、上げて海外援助金の最高に出してる国は、個人利益又は企業利益などが、税金又は知的財産利益が明確にわかりずらい現状がある。2005年国会で、郵便局の民営化 道路公団などの民営化が、事実確定の現在明確になったのは、国そして地方の借金返済は、国民一人一人の税金から支払う手段しかないのは、国が会社を持たない事実確定そして、新しく国が借金返済のため国が、特許切れに対して文部省などと連携して国又は地方の借金返済の方法手段として特許切れ財産を、書き換えて新しい国営事業の確立の話すらしない。  これら国の事実に速急対処しなければならないのが、国民である。
そのため、発明の重要性は、アメリカ合衆国特許庁の発明主義この国は、発明の事実が、確認そして、一番最初の発明者に特許認定する国である。  日本の特許庁の特許法とは、発明の保護は、特許法第一条に書かれている。発明の重要性が、おそらく特許法に明確に書かれていないため、特許提出の先の者が、特許認定と定めた日本国特許庁の言い分のため、ひとつづつ特許返還裁判とは、別に発明財産返還裁判を、日本の企業 日本の特許庁に発明財産利益賠償裁判は、日本の賠償裁判は、賠償額に対して裁判費用を、積まなければ裁判出来ない事実を、今まで又は長年の間、大学の法学部又は大学の名誉法学部教授又は最高裁判官ならび、法務省全体で金のある者を守る法律を、書いて行っている事実が、墫野和夫は、悲しく残念です。少なくても特許法187条は知的財産番号公開義務は、税金の明確な支払いが解りやすくするべきで、国の借金と地方の借金が、国民一人一人の税金で支払うしかない事実を、受けて 実願2004−007250の発明証明は、北海道庁広報広聴課に個人情報として有ります。すべて公開出来ないのは、特許法30条のためです。ですが発明財産権は、特許法を、どう書いても個人の発明財産権を奪えないのが事実と信じます。実願2004−007250は、実用新案技術評価書代金は、既に支払い済みです。実用新案は、特許庁の言い分は、無審査のため実用新案認定になりやすいそして、現在少なくても日本の特許庁電子図書館にないため、実用新案認定は、手続補正が、済み次第 実用新案になるのは確実実願2004−007250は、墫野和夫個人が、発電機海外売電事業を、日本の弱者庶民財団つまり日本の大企業を入れない会社を、作って日本の国の全借金返済日本の地方の全借金返済を、実用新案認定次第 日本の特許庁長官又は日本の特許庁全職員の協力を、これから公開される実用新案2004−007250に墫野和夫の著作権考案発明財産の事実を、発明原本と共に広く2006年6月25日(日曜日)PM20時57分58秒東京都足立区の仕事現場の男子寮内で、書いて広く日本の庶民一人一人に実用新案個人活動 日本の弱者庶民一人一人の生活を、発明財産及び発明考案アイデア財産によって守る理由から墫野和夫の意志として書いて伝える。
【手続補正書】
【提出日】平成19年2月16日(2007.2.16)
【手続補正１】
【補正対象書類名】実用新案登録請求の範囲
【補正対象項目名】全文
【補正方法】変更
【補正の内容】
【実用新案登録請求の範囲】
【請求項１】
本考案の省エネルギー水発電機（32)は水発電機図に掲げられている連続発電するための省エネルギー二連振り子型機械式発電機（16)などの省エネルギー装置を設けた水発電機装置(32)は、大きい電気を連続発電させるため絶対必要な発電物質水(14)を設け、発電処理水タンク室(34)を設け又は省エネルギーレールモーター真空装置室(35)を設けいずれかに発電物質として水を設け発電物質をセットし発電出来るシステム構造を、特徴とし最大の発電物質が水Ｈ2Ｏである事が燃料電池発電とは異なった特徴の省エネルギー水発電機装置全体の発電システムを支える発電物質の水構造を設けた省エネルギー水発電機装置。
【請求項２】
本考案の省エネルギー水発電機に設置されているモーターは、一般に使用されているモーターとは異なり省エネルギーレールモーター構造内容として複数円形配列の電磁石を設け又はコイル付き電磁石を設け又は圧電素子電磁石を設け又はコイル付き圧電素子電磁石を設けこれら いずれかが設けられ複数円形配列電磁石絶縁体を設けそれぞれを、完全絶縁するため複数円形配列絶縁体を設けて二列の複数円形配列の電磁石絶縁体を設け、連続作動させる技術としてリレー装置を設けインバーター装置を設け又圧電素子などの鋼物以外の電気体又は電子体及び磁気体などつまり電磁石電極切り替え装置を、設ける事によってレールモーター構造上の複数円形配列電磁石絶縁体を設け作動させる事が出来て、コイル巻数又はコイル巻長さの短いモーター構造設けた電気消費の少ない省エネルギーレールモーター装置を設ける事で、省エネルギー作動出来る水発電機装置の省エネルギー消費レールモーターを設けた水発電機連続発電に欠かせない新しい省エネルギー消費レールモーターシステム装置を水発電機装置すべてに設けた水発電機装置。
【請求項３】
本考案の省エネルギー水発電機に設置される真空装置は、一般に使用される真空装置モーターが異なり省エネルギーレールモーター構造は長いコイル巻線を、使用せず短いコイル巻数の少ない複数コイル磁石体それぞれを設けるか又はコイルなし圧電素子複数円形配列絶縁電磁石を設けるか短いコイル配線の複数円形配列圧電素子電磁石絶縁体を設けるか又は誰もが知り得る鋼鉄電磁石を、複数円形配列電磁石絶縁体を設けるかいずれかを設け、作動装置にリレー装置を設けインバーター装置を設けつまり電磁石切り替え装置を設けてるため、モーターブラシが必要としない電気熱溜まりと電気消費の少ないレールモーター構造を設け設置した省エネルギー真空装置構造装置に設ける事によって水(14)を、水常温気化発電物質瞬間気化出来る省エネルギーレールモーター真空装置構造(3)を設ける事によって水常温瞬間気化の合成水素瞬間吸収発電出来る最大の特徴の真空装置(3)を設けた省エネルギー水発電機装置。
【請求項４】
本考案の省エネルギー水発電機に設置されている水中ポンプモーターは、一般に使用されている水中ポンプモーター構造とは異なった構造であり、省エネルギーレルモーターつまり構造を、圧電素子複数円形配列絶縁電磁石を設け又は鋼鉄複数円形配列コイル巻絶縁電磁石を設け又は圧電素子コイル巻複数円形配列絶縁電磁石を設けいずれかの複数円形配列絶縁電磁石を設けて、これら複数円形配列絶縁電磁石を設け、完全単独絶縁電磁石にするため複数円形配列絶縁体を、設けた構造装置を作動させるため今までにないモーター作動方式の電磁石切り替え装置のインバーター装置を設け又はリレー装置を設けて設置作動出来る少ないコイル巻数構造モーターを設ける事によって複数円形配列絶縁電磁石電極切り換えの早い圧電素子構造したモーター軸移動装置であり、又複数円形配列絶縁電磁石を設けたブラシのない電気モーター作動装置を設置した省エネルギーレールモーター水中ポンプの構造説明を設けた水中ポンプであり、この水発電機発電物質移動装置のレールモーター構造の新技術を設けた水中ポンプを備えた装置で、水常温気化するための発電物質の水を発電室に送れる水中ポンプ装置(11)を備えた省エネルギー水発電機装置。
【請求項５】
本考案の省エネルギー水発電機に設置されている電動仕切り弁モーター装置は、一般に知られているモーターを、使用しない変わりに電気消費と熱溜まりの少ないモーター特徴としたコイルなし圧電素子複数円形配列電磁石絶縁体構造を設け又は短いコイル巻構造を設けた構造が特徴とした複数円形配列圧電素子電磁石絶縁体それぞれを複数円形配列電磁石絶縁体構造とし、これら電磁石を、複数円形配列電磁石絶縁体の構造を、設ける事で、単独のそれぞれの複数円形配列電磁石絶縁体が、レール状又は円形レール状に形を、形成したモーター軸構造とした二つの複数円形配列電磁石絶縁体モーター軸を、電磁石反発と吸引のいずれかの作動方法つまり外国名の呼び名インバーター装置を設け又はリレー装置を設ける事で、特殊レールモーター連続作動出来る省エネルギー電動レールモーターを設けた水発電機構造であり、省エネルギー電動レールモーター仕切り弁装置を、水発電機本体(32)に備える事で、発電物質の水(14)を省エネルギーレールモーター真空装置室(35)に設けて閉じ込めて、水気化連続発電出来る水発電機装置に絶対必要な発電物質の水(14)を、省エネルギーレールモーター真空装置室(35)へ移動出来た水(14)連続作動型スイッチ連動電動仕切り弁装置(36)で、水止め置き出来る省エネルギーレールモーター電動仕切り弁連続モータースイッチ連動作動装置(36)を設けた水発電機装置。
【請求項６】
本考案の省エネルギー水発電機に設置されている合成水素(37)は液体マグネシウムを、内部構造として設け外壁を液体マグネシウムと炭素の練り合わせ合成した物質として内側に液体マグネシウムを設け、合成水素（37)内部構造を特徴とした気化水素気化酸素瞬間吸収発電合成素子体であり合成水素の形状は、中心部に液体マグネシウムつまり本田技研の燃料電池車の液体マグネシウムを、使用しているだけでは、此のままでは扱いずらいため、炭素と液体マグネシウムを、練り合わせて作った炭素液体マグネシウムを、固形水素吸収体としてこの物質を、液体マグネシウムを、包むような構造にして小さな穴を、外壁の合成水素の 炭素液体マグネシウムにあけて、中央部分の液体マグネシウムを、吸収しやすい構造にした水素吸収体物質(4)つまり液体マグネシウム合成水素化合物質酸素水素瞬間吸収発電物質装置を設ける事によって、水発電機本体装置(32)は合成水素(37)つまり水瞬間気化融合物質発電し尚瞬間吸収発電物質の合成水素(37)を取り付ける事によって、省エネルギー二連振り子式機械式発電機の電気エネルギーで連続水瞬間常温気化融合物質発電して水常温気化連続発電出来る合成水素発電体(37)構造を設けて備えた水発電機装置。
【請求項７】
本考案の省エネルギー水発電機に設置されている圧電素子板内蔵銅板電極(6)(7)は、合成水素(4)が、瞬間発電した電気を瞬間電気分別の二電極電気発生移動出来る装置であり、圧電素子磁石（電子ライターの石）を銅板電極の内部構造として設けプラス電極とマイナス電極構造構成とした圧電素子体に銅板を、かぶせた構造を設けた構造を、特徴とした磁気瞬間電気分割の圧電素子板内蔵銅板電極装置を内部構造を設ける事によって発電した電気を磁気体誘導する事で無駄のない発電が出来る圧電素子板内蔵銅板電極装置を設けた水発電機装置。
【請求項８】
本考案の省エネルギー水発電機（32）に使用されている二連振り子式機械式発電機(16)は、二台の機械式発電機又は二つの機械式発電機を、使用した発電機であり、複数の歯車装置(ダイナモ回転エネルギー)を設けて、ゼンマイ装置(ダイナモ回転エネルギー)設け、そして圧電素子の中に軽水素を立て溝方式に入れた圧電素子を設けて一般に知られているダイナモ装置を、設けた中に軽水素内蔵圧電素子を、設けて組み合わせた新発想考案ダイナモ機械式発電機の新しい発電方法装置であり、そしてこれらを作動させるレールモーター振り子装置つまり複数円形配列電磁石設けて複数円形配列絶縁体を設ける事で、レールモーター振り子装置作動連動装置を設ける事によって発電出来る新発想ダイナモで発電した電気を、増幅させる電気電子変換装置を、設けてこれら機械式発電機新ダイナモ装置だけで発電した電気を、急速充電できる軽水素炭素マグネシウムニッケル充電池を設け、これら発電した電気から電気抵抗を、取り除いて電気抵抗なしの電気を、更に急速充電できる圧電素子磁気を構造とした圧電素子電気電子4分割装置を設けてこれら装置を、組み合わせる事で、発電出来る機械式発電機そして最大の特徴としてこれら機械部品だけの発電機構造つまり二連機械式発電機装置(16)の二つの機械式発電機装置組み合わせ相乗発電によって発電効率を、上げた機械式発電機装置によって発電された電気で合成水素水物質瞬間気化吸収発電し、これら水発電機装置を連続作動させる電気エネルギーを連続発生出来る構造を備えた省エネルギー二連振り子式機械式発電機(16)を設けた省エネルギー水発電機装置。
【請求項９】
本考案の省エネルギー水発電機に使用されている軽水素炭素マグネシウムニッケルバッテリー装置(40,41,42,)は、一般に知られている水素ニッケル電池より充電スピードを早くしたバッテリー内容物の水素の変わりに軽水素を設けて使用して、炭素と液体マグネシウムの合成物質を設けてニッケル金属を組み合わせたバッテリー電極とした軽水素炭素マグネシウムニッケルバッテリー装置であり並びに軽水素を、バッテリー液として設けてニッケル金属を組み合わせたバッテリー充電方式を特徴した機械式発電機と水発電機装置を、補助作動させるため設けた補助バッテリー装置の新技術軽水素ニッケルバッテリー(40,41,42,)つまり尚軽水素炭素液体合成マグネシウムニッケル急速充電補助電源バッテリー構造を設けて備えた水発電機装置。
【請求項１０】
本考案の省エネルギー水発電機に使用されているニューダイナモ装置(43)は、一般に知られているダイナモ装置の中央部分もしくは、ダイナモの横に圧電素子を、接合し設け又は内蔵し設けて圧電素子の中央部分に軽水素炭素液体マグネシウム合成物質を縦溝方式として設けダイナモ構造に設けて加えたニューダイナモ装置によってダイナモ発電電力が、増幅発電出来るそのためダイナモ装置によって二台の機械式発電機に設けられているダイナモ装置の発電された最大増幅電力で作動出来る省エネルギー水発電機に設けられている新しいダイナモ装置の軽水素液体炭素マグネシウム合成筒内蔵圧電素子接合ダイナモ装置(43)のニューダイナモ電気エネルギーで作動し増幅発電する事の出来る装置構造を(43)設けたニューダイナモ装置の最大増幅電力で連続作動出来る水発電機装置。
【請求項１１】
本考案の省エネルギー水発電機に使用されている二連振り子式機械式発電機の構造に使用されている歯車の構造説明として歯車軸の摩耗を、防ぐ意味から歯車軸を設け、電磁石を設け使用し電磁石反発軸を設ける事とした電磁石反発軸図に書かれている電磁石反発構造を圧電素子電磁石を主体電磁石構造として設けた電磁石構造である歯車軸装置を設けた機械式発電機の電磁石反発歯車装置(98)を補助発電構造装置として設けた装置によって連続作動発電出来る省エネルギー水発電機装置。
【請求項１２】
本考案の省エネルギー水発電機に使用されている圧電素子4電子磁気分割装置(220)は機械式発電機に設けられている急速充電装置つまり圧電素子構造を設けつまり圧電効果の大きなロシェル塩を設け・チタン酸バリウムなどを設けすべての圧電素子構造に必要な物質を設け主成分とした圧電素子の中央部分に一般電気配線を設けて通して磁気の強い部分の電気と磁気の弱い部分の電気それぞれに電気配線4分割に分ける事で、電気抵抗の強弱を、区別した装置として使用出来る磁気体装置であり圧電素子を設ける事で電気抵抗を、取り除いた電気を使用出来る事になり電気社会では、電気社会理想の最高の通常電気から電気抵抗取り除く事の出来る装置を設けて磁気抵抗なしの電気によってバッテリー急速充電を、可能にした装置を設けた機械式発電機を、補助発電機とした水発電機装置の補助電源すべての急速充電出来る圧電素子4電子磁気分割装置(220)を設けた水発電機装置。
【請求項１３】
本考案の省エネルギー水発電機に補助発電機として機械式発電機つまり機械部品として二つのダイナモ装置を設ける事によって発電する構造であり尚、発電機に使用されている電気を増幅する装置は、一般家庭に使用されている電子レンジの部品の一つであり、電気をマグネトロン装置(256)を設けた官で電気を、電子化してその電子を、一度増幅させて増幅された電子を、もとの電気に戻す事が出来る装置 此の場合電気は、弱い電気から強い電気に変換出来る装置とした電気電子変換電気増幅装置になり此の装置を設けた機械式発電機(16)は、増幅電気で、機械式発電機は振り子ダイナモ発電の加速発電を強めて増幅発電し、そのための振り子作動増幅エネルギー装置であり、これら装置を補助発電装置とした水発電機装置で有り、機械式発電機の相互作用発電つまり相乗効果発電出来る二連振り子型機械式発電機の構造に於いて、電気電子変換電気増幅装置(256)を設ける事で機械式発電機の増幅電気エネルギー電気が、取り出せる構造を設け、その増幅電気エネルギーで作動出来る水発電機装置。
【請求項１４】
本考案の省エネルギー水発電機に使用されている機械式発電機に組み込まれているレールモーター振り子装置(69)を設けて、請求項2のレールモーター構造を説明した装置であり、ダイナモを、発電作動させる役目として機械式発電機歯車構造を設けて連動作動させるために小さな電気エネルギーで、振り子作動の補助出来るレールモーター振り子補助装置は、複数の圧電素子電磁石又はコイル巻型鋼鉄電磁石を、レールモーターの構造として設けてこれら複数円形配列電磁石を、単独それぞれの電磁石として作動させるため、複数の絶縁体それぞれを複数電磁石に取り付け構造として設ける事で、二列の複数円形配列電磁石絶縁体は、一つの複数円形配列電磁石絶縁体をモーター軸として設けて電磁石反発又は電磁石吸引作動つまりリレー装置及びインバーター装置を電磁石磁極切り換え装置として設けて電磁石を、いち早く磁極変換出来る圧電素子電磁石システム装置を設ける事で、レールモーター軸の複数円形配列電磁石絶縁体連続作動が、出来る省エネルギーレールモーター装置(69)を設けた省エネルギー二連振り子型機械式発電機を設け外部からのエネルギー補給なしの増幅電気エネルギー発生作動する事が出来るレールモータ振り子作動装置構造(69)を設けた機械式発電機を設けた水発電機装置。
【請求項１５】
本考案の省エネルギー水発電機に使用されている機械式発電機水位センサーは、丸浮きと弱電波感応式センサー(8)を使用しているのが特徴であり、一般に知られている 弱電波発射装置を設け小さな電気量で作動する携帯波  無線波を、使用し設け電波送信し又電波受信装置すなわち磁気電波キャッチ体を設け水位センサー作動使用する事で電波遮断スイッチ丸浮き装置はプラスチック丸浮き装置を、設ける事によって弱電波遮断水位センサースイッチとして丸浮き移動スイッチ使用出来る丸浮き水位センサー装置によって水発電機(32)の発電物質の水(14)を、スイッチ移動出来る水中ポンプ全自動スイッチシステム装置を設け丸浮き弱電波磁気読み込み式水位センサースイッチを設ける事で、発電物質の水Ｈ2Ｏ（14）を水位センサースイッチ移動出来る構造を設けた水発電機装置。
【請求項１６】
本考案の省エネルギー水発電機に使用されているアルミニューム鉄合金金属板は、現在の発電機には、使用されておらず、雨などの錆止め対策又軽量対策として、アルミニュームとの合金板構造を設けて設置した発電機アルミニューム鉄合金パネル装置を設け錆び止めパネル構造装置として設け設置使用する水発電機装置。
【請求項１７】
本考案の省エネルギー水発電機に使用されている軽水素炭素液体マグネシウム合成ニッケル充電池(55,64,)は、水素ニッケル充電池より充電スピードを、速めた軽水素ニッケル充電池あり、軽水素の安定に、炭素とマグネシウムの合成物質を、設けて使用した充電池であり、更に充電スピードを、上げるため、請求項12に書かれている圧電素子磁気電気4分割装置を、軽水素炭素マグネシウムニッケル充電池に設けて取り付けた充電池装置を補助電源構造として設けた軽水素炭素液体マグネシウム合成ニッケル充電池構造(55,64)を、持つ補助電源機械式発電機を設ける事で連続発電出来る軽水素ニッケル充電池装置を設けた機械式発電機の省エネルギー発電機の充電池構造を、含めたシステム装置発電電気で連続作動出来る装置を設けた水発電機装置。
【請求項１８】
本考案の省エネルギー水発電機に使用されている真空装置作動補助電源コード口(33)は、省エネルギー水発電機に使用されている二連振り子型機械式発電機が、故障した場合を、想定して省エネルギー水発電機が、補助バッテリーに電気がないのを、想定して、家庭電気でも、省エネルギー水発電機が、作動できる様に水発電機補助作動装置を設け外部から電気が、接続出来る構造を設けた水発電機全体の補助電源を設け、緊急時対処処置のための、真空装置作動補助電源コード口装置(33)を設けた水発電機装置。
【請求項１９】
本考案の省エネルギー水発電機に使用されている超小型回転体(210)つまり回転体作動装置 超小型レールモーター装置でも有り、軽量化をはかるため、アルニューム金属を設け又はマグネシウムとアルミニュームの合金金属を設け又は軽金属などを設け、超小型モーターの軽量圧電素子磁石を設け又は圧電素子は、圧電素子電磁石を設け使用し、モーターカバーは、プラスチック構造などを設け、使用し超軽量の回転体構造であり、超小型軽量の省エネルギー回転体装置は、超小型モーターの消費電力を一般の超小型モーターのコイルありモーターとは、異なり、複数圧電素子電磁石と複数絶縁体を設け使用しリレー制御装置又はインバーター装置などの電磁石電極切り換え装置を設ける事によって回転体作動出来る超小型回転体モーター装置(210)これら装置を、設ける事で更なる省エネルギーモーター超小型回転体レールモーター構造を設けた水発電機装置。
【請求項２０】
本考案の省エネルギー水発電機に使用されているプラスチック絶縁カバー使用の軽水素内蔵液体ダイオード装置(248)は、圧電素子磁気電気4電子分割装置から熱抵抗電気が、リサイクル電気として流れてくる電気を、再び熱エネルギー抵抗電気を、液体ダイオード軽水素を設けて電気を通す原理つまり、ソラーパネル発電原理を活用して、熱抵抗電気の熱エネルギーを再電気化して再びリサイクル電気として電気を、再利用出来るプラスチック絶縁カバーを構造として設けて、軽水素を内蔵し設け液体ダイオード炭素合成を設けた構造である熱抵抗電気を、熱エネルギーを、再電気変換して電気のリサイクルが、出来るプラスチック絶縁カバー軽水素内蔵液体ダイオード装置を設けた圧電素子磁気電気4電子分割装置(簡単説明として熱抵抗電気取り除き装置)を設けた急速充電装置によって補助充電池又は補助バッテリー充電システム装置急速充電電気熱抵抗電気リサイクル再利用システムの電気再利用軽水素液体ダイオード炭素合成構造装置(248)を設けた水発電機装置。
【請求項２１】
本考案の省エネルギー水発電機は、水を、真空装置によって瞬間常温気化酸素発電物質と気化水素発電物質の融合体を、作り出して、液体マグネシウムを設けて又は合成水素を設けてつまり酸素と水素の瞬間吸収体発電するためには、請求項1,請求項2,請求項3,請求項4,請求項5,請求項6,請求項7,請求項8,請求項9,請求項10,請求項11,請求項12,請求項13,請求項14,請求15,請求項16,請求項17,請求項18,請求項19,請求項20,これらすべての省エネルギーレールモーター装置構造をそれぞれ設けて又軽水素ニッケル急速充電方法の充電池又はバッテリーをすべて一度に 設けて使用し作動して、初めて省エネルギー水発電機が、最小限電気消費発電機機能として働く事が出来る省エネルギー発電機として無害無給油連続作動発電して作動する事が出来る構造を設けた全体構造が揃った省エネルギー水発電機装置。
【手続補正書】
【提出日】平成19年5月9日(2007.5.9)
【手続補正１】
【補正対象書類名】実用新案登録請求の範囲
【補正対象項目名】全文
【補正方法】変更
【補正の内容】
【実用新案登録請求の範囲】
【請求項１】
本考案の省エネルギー水発電機（３２）は水発電機図に掲げられている連続発電するための省エネルギー二連振り子型機械式発電機（１６）などの省エネルギー装置を設けた水発電機装置（３２）は、大きい電気を連続発電させるため絶対必要な発電物質水（１４）を設け、発電処理水タンク室（３４）を設け又は省エネルギーレールモーター真空装置室（３５）を設けいずれかに発電物質として水を設け発電物質をセットし発電出来るシステム構造を、特徴とし最大の発電物質が水Ｈ２Ｏである事が燃料電池発電とは異なった特徴の省エネルギー水発電機装置全体の発電システムを支える発電物質の水構造を設けた装置で有り、本考案の最大の主旨として、燃料電池の改良型として、水が発電物質の主体である水発電機の水物質によって液体マグネシウムに水を真空装置で瞬間気化水素酸素融合物質瞬間吸収発電する発電エネルギーによって発電し電気エネルギー連続作動発電出来て連続発電電気供給出来る省エネルギー水発電機装置。
【請求項２】
本考案の省エネルギー水発電機に設置されているモーターは、一般に使用されていモーターとは異なり省エネルギーレールモーター構造内容として複数円形配列の電磁石を設け又はコイル付き電磁石を設け又は圧電素子電磁石を設け又はコイル付き圧電素子電磁石を設けこれらいずれかが設けられ複数円形配列電磁石絶縁体を設けそれぞれを、完全絶縁するため複数円形配列絶縁体を設けて二列の複数円形配列の電磁石絶縁体を設け、連続作動させる技術としてリレー装置を設けインバーター装置を設け又圧電素子などの鋼物以外の電気体又は電子体及び磁気体などつまり電磁石電極切り替え装置を、設ける事によってレールモーター構造上の複数円形配列電磁石絶縁体を設け作動させる事が出来きて、コイル巻数又はコイル巻長さの短いモーター構造設けた電気消費の少ない省エネルギーレールモーター装置を設ける事で、省エネルギー作動出来る水発電機装置の省エネルギー消費レールモーターを設けた水発電機連続発電に欠かせない新しい省エネルギー消費レールモーターシステム装置を水発電機装置すべてに設けた装置で有り、本考案の最大の主旨として、いかに消費電力を減らして水を、各レールモーター使用装置で、水を瞬間気化移動して気化水素酸素瞬間吸収体物質の合成水素水気化瞬間吸収発電を繰り返し発電出来る各レールモーター装置を、使用する事によって発電し電気エネルギー連続作動発電出来て連続発電電気供給出来る省エネルギー水発電機装置。
【請求項３】
本考案の省エネルギー水発電機に設置される真空装置は、一般に使用される真空装置モーターが異なり省エネルギーレールモーター構造は長いコイル巻線を、使用せず短いコイル巻数の少ない複数コイル磁石体それぞれを設けるか又はコイルなし圧電素子複数円形配列絶縁電磁石を設けるか短いコイル配線の複数円形配列圧電素子電磁石絶縁体を設けるか又は誰もが知り得る鋼鉄電磁石を、複数円形配列電磁石絶縁体を設けるかいずれかを設け、作動装置にリレー装置を設けインバーター装置を設けつまり電磁石切り替え装置を設けてるため、モーターブラシが必要としない電気熱溜まりと電気消費の少ないレールモーター構造を設け設置した省エネルギー真空装置構造装置に設ける事によって水（１４）を、水常温気化発電物質瞬間気化出来る省エネルギーレールモーター真空装置構造（３）を設ける事によって水常温瞬間気化の合成水素瞬間吸収発電出来る最大の特徴の真空装置（３）を設けた装置で有り、本考案の最大の主旨としていかに発電物資の水を、瞬間水素酸素吸収体の合成水素瞬間吸収発電出来る水を、瞬間的に省エネルギー装置のレールモーター使用の真空装置によって、水を瞬間に発電物質の気化水素と気化酸素の融合体を、作れる装置を備える事によって電気エネルギー作動出来て連続発電電気供給出来る省エネルギー水発電機装置。
【請求項４】
本考案の省エネルギー水発電機に設置されている水中ポンプモーターは、一般に使用されている水中ポンプモーター構造とは異なった構造であり、省エネルギーレルモーターつまり構造を、圧電素子複数円形配列絶縁電磁石を設け又は鋼鉄複数円形配列コイル巻絶縁電磁石を設け又は圧電素子コイル巻複数円形配列絶縁電磁石を設けいずれかの複数円形配列絶縁電磁石を設けて、これら複数円形配列絶縁電磁石を設け、完全単独絶縁電磁石にするため複数円形配列絶縁体を、設けた構造装置を作動させるため今までにないモーター作動方式の電磁石切り替え装置のインバーター装置を設け又はリレー装置を設けて設置作動出来る少ないコイル巻数構造モーターを設ける事によって複数円形配列絶縁電磁石電極切り換えの早い圧電素子構造したモーター軸移動装置であり、又複数円形配列絶縁電磁石を設けたブラシのない電気モーター作動装置を設置した省エネルギーレールモーター水中ポンプの構造説明を設けた水中ポンプであり、この水発電機発電物質移動装置のレールモーター構造の新技術を設けた水中ポンプを備えた装置で、水常温気化するための発電物質の水を発電室に送れる水中ポンプ装置（１１）を備えた装置で有り、本考案の最大の主旨としていかに発電物質の水を、電気消費の少ないレールモーター使用の水中ポンプによって水を瞬間気化出来るレールモーター使用の真空装置室へ水を、省エネルギー移動するための装置を備える事によって連続作動発電し又、電気エネルギー連続作動発電出来て連続発電電気供給出来る省エネルギー水発電機装置。
【請求項５】
本考案の省エネルギー水発電機に設置されている電動仕切り弁モーター装置は、一般に知られているモーターを、使用しない変わりに電気消費と熱溜まりの少ないモーター特徴としたコイルなし圧電素子複数円形配列電磁石絶縁体構造を設け又は短いコイル巻構造を設けた構造が特徴とした複数円形配列圧電素子電磁石絶縁体それぞれを複数円形配列電磁石絶縁体構造とし、これら電磁石を、複数円形配列電磁石絶縁体の構造を、設ける事で、単独のそれぞれの複数円形配列電磁石絶縁体が、レール状又は円形レール状に形を、形成したモーター軸構造とした二つの複数円形配列電磁石絶縁体モーター軸を、電磁石反発と吸引のいずれかの作動方法つまり外国名の呼び名インバーター装置を設け又はリレー装置を設ける事で、特殊レールモーター連続作動出来る省エネルギー電動レールモーターを設けた水発電機構造であり、省エネルギー電動レールモーター仕切り弁装置を、水発電機本体（３２）に備える事で、発電物質の水（１４）を省エネルギーレールモーター真空装置室（３５）に設けて閉じ込めて、水気化連続発電出来る水発電機装置に絶対必要な発電物質の水（１４）を、省エネルギーレールモーター真空装置室（３５）へ移動出来た水（１４）連続作動型スイッチ連動電動仕切り弁装置（３６）で、水止め置き出来る省エネルギーレールモーター電動仕切り弁連続モータースイッチ連動作動装置（３６）を設けた装置で有り本考案の最大の主旨としていかに発電物質の水を電気消費の少ないレールモーター使用の電動レールモーター仕切り弁装置によって水を、固定安定化する事によって水中ポンプ室及び真空ポンプ室に水を、固定安定化つまり水を移動する事を止める事の出来る装置を備える事によって発電し電気エネルギー連続作動発電出来て連続発電電気供給出来る省エネルギー水発電機装置。
【請求項６】
本考案の省エネルギー水発電機に設置されている合成水素（３７）は液体マグネシウムを、内部構造として設け外壁を液体マグネシウムと炭素の練り合わせ合成した物質として内側に液体マグネシウムを設け、合成水素（３７）内部構造を特徴とした気化水素気化酸素瞬間吸収発電合成素子体であり合成水素の形状は、中心部に液体マグネシウムつまり本田技研の燃料電池車の液体マグネシウムを、使用しているだけでは、此のままでは扱いずらいため、炭素と液体マグネシウムを、練り合わせて作った炭素液体マグネシウムを、固形水素吸収体としてこの物質を、液体マグネシウムを、包むような構造にして小さな穴を、外壁の合成水素の炭素液体マグネシウムにあけて、中央部分の液体マグネシウムを、吸収しやすい構造にした水素吸収体物質（４）つまり液体マグネシウム合成水素化合物質酸素水素瞬間吸収発電物質装置を設ける事によって、水発電機本体装置（３２）は合成水素（３７）つまり水瞬間気化融合物質発電し尚瞬間吸収発電物質の合成水素（３７）を取り付ける事によって、省エネルギー二連振り子式機械式発電機の電気エネルギーで連続水瞬間常温気化融合物質発電して水常温気化連続発電出来る合成水素発電体（３７）構造を設けて備えた装置で有り、本考案の最大の主旨としていかに省エネルギーレールモーター真空装置で、水を瞬間気化水素気化酸素融合体にした物質を、いかに他人の特許発明財産の液体マグネシウム水素酸素瞬間吸収体を最悪条件でも瞬間発電対応出来て水素酸素融合体の瞬間吸収率の良い条件を、つまり液体マグネシウムを内部構造として液体水素を、固定するための外壁炭素合成液体マグネシウム穴空き構造発電物質装置を備える事によって瞬間発電し電気エネルギー連続作動発電出来て連続した発電電気供給出来る省エネルギー水発電機装置。
【請求項７】
本考案の省エネルギー水発電機に設置されている圧電素子板内蔵銅板電極（６）（７）は、合成水素（４）が、瞬間発電した電気を瞬間電気分別の二電極電気発生移動出来る装置であり、圧電素子磁石（電子ライターの石）を銅板電極の内部構造として設けプラス電極とマイナス電極構造構成とした圧電素子体に銅板を、かぶせた構造を設けた構造を、特徴とした磁気瞬間電気分割の圧電素子板内蔵銅板電極装置を内部構造を設ける事によって発電した電気を磁気体誘導する事で無駄のない発電が出来る圧電素子板内蔵銅板電極装置を設けた装置で有り本考案の最大の主旨としていかに水発電機の合成水素が発電した電気を、いち早く無駄なく水発電機の圧電素子いた内蔵の銅板電極はプラス磁界とマイナス磁界を、人工的に作り得て合成水素で瞬間発電した電気を無駄なく瞬間電気誘導する役目の構造を持って備える事で瞬間発電し、電気エネルギー連続作動発電出来て連続発電電気供給出来る省エネルギー水発電機装置。
【請求項８】
本考案の省エネルギー水発電機（３２）に使用されている二連振り子式機械式発電機（１６）は、二台の機械式発電機又は二つの機械式発電機を、使用した発電機であり、複数の歯車装置（ダイナモ回転エネルギー）を設けて、ゼンマイ装置（ダイナモ回転エネルギー）設け、そして圧電素子の中に軽水素を立て溝方式に入れた圧電素子を設けて一般に知られているダイナモ装置を、設けた中に軽水素内蔵圧電素子を、設けて組み合わせた新発想考案ダイナモ機械式発電機の新しい発電方法装置であり、そしてこれらを作動させるレールモーター振り子装置つまり複数円形配列電磁石設けて複数円形配列絶縁体を設ける事で、レールモーター振り子装置作動連動装置を設ける事によって発電出来る新発想ダイナモで発電した電気を、増幅させる電気電子変換装置を、設けてこれら機械式発電機新ダイナモ装置だけで発電した電気を、急速充電できる軽水素炭素マグネシウムニッケル充電池を設け、これら発電した電気から電気抵抗を、取り除いて電気抵抗なしの電気を、更に急速充電できる圧電素子磁気を構造とした圧電素子電気電子４分割装置を設けてこれら装置を、組み合わせる事で、発電出来る機械式発電機そして最大の特徴としてこれら機械部品だけの発電機構造つまり二連機械式発電機装置（１６）の二つの機械式発電機装置組み合わせ相乗発電によって発電効率を、上げた機械式発電機装置によって発電された電気で合成水素水物質瞬間気化吸収発電し、これら水発電機装置を連続作動させる電気エネルギーを連続発生出来る構造を備えた省エネルギー二連振り子式機械式発電機（１６）を設けた装置で有り本考案の最大の主旨特徴とは連続発電作動無害無給油発電機の水発電機各装置を、電気作動させるためのもう一つの無害無給油発電機として機械部品の組み合わせ作動つまり機械式発電機を、一度に二つの機械式発電機同時作動使用する事によって二つの機械式発電機のダイナモ発電装置の相乗発電効果によって二つのダイナモ同志が相乗発電し続ける事で二つのダイナモ装置の最大発電力を水発電機本体に取り込む事によって、水発電機装置全体を、外部給油外部充電など、外部からエネルギーを取り入れる事が、一切必要としない二つの機械式発電機の同時連鎖作動発電された電気エネルギーで初めて水発電機本体電気エネルギー連続作動発電出来て連続発電電気供給出来る省エネルギー水発電機装置。
【請求項９】
本考案の省エネルギー水発電機に使用されている軽水素炭素マグネシウムニッケルバッテリー装置（４０，４１，４２，）は、一般に知られている水素ニッケル電池より充電スピードを早くしたバッテリー内容物の水素の変わりに軽水素を設けて使用して、炭素と液体マグネシウムの合成物質を設けてニッケル金属を組み合わせたバッテリー電極とした軽水素炭素マグネシウムニッケルバッテリー装置であり並びに軽水素を、バッテリー液として設けてニッケル金属を組み合わせたバッテリー充電方式を特徴した機械式発電機と水発電機装置を、補助作動させるため設けた補助バッテリー装置の新技術軽水素ニッケルバッテリー（４０，４１，４２，）つまり尚軽水素炭素液体合成マグネシウムニッケル急速充電補助電源バッテリー構造を設けて備えた装置で有り本考案最大の主旨のバッテリー装置の新技術として水素ニッケル充電池より更にスピード充電可能な最大の特徴とは軽水素を使用しているニッケル充電装置に軽水素急速充電安定物質として液体マグネシウムを、使用して軽水素固定剤として液体マグネシウム炭素を使用した更なる急速充電可能な軽水素炭素マグネシウムニッケルバッテリー装置によって機械式発電機作動出来る軽水素炭素マグネシウムニッケルバッテリー装置を、備える事によって連続発電し電気エネルギー連続作動発電出来て連続発電電気供給出来る省エネルギー水発電機装置。
【請求項１０】
本考案の省エネルギー水発電機に使用されているニューダイナモ装置（４３）は、一般に知られているダイナモ装置の中央部分もしくは、ダイナモの横に圧電素子を、接合し設け又は内蔵し設けて圧電素子の中央部分に軽水素炭素液体マグネシウム合成物質を縦溝方式として設けダイナモ構造に設けて加えたニューダイナモ装置によってダイナモ発電電力が、増幅発電出来るそのためダイナモ装置によって二台の機械式発電機に設けられているダイナモ装置の発電された最大増幅電力で作動出来る省エネルギー水発電機に設けられている新しいダイナモ装置の軽水素液体炭素マグネシウム合成筒内蔵圧電素子接合ダイナモ装置（４３）のニューダイナモ電気エネルギーで作動し増幅発電する事の出来る装置構造を（４３）設けたニューダイナモ装置の最大増幅電力で連続作動出来る装置で有り本考案の最大の主旨ニューダイナモ装置は今までのダイナモ装置の最大発電力を、越えるダイナモ装置として今までのダイナモ装置の内部中央部分に圧電素子を内蔵してダイナモが発電した電気エネルギーで、圧電素子本来の発電能力を、最大限に引き出した圧電素子内蔵ダイナモ装置を、備えた機械式発電機によって発電し電気エネルギー連続作動発電出来て連続発電電気供給出来る省エネルギー水発電機装置。
【請求項１１】
本考案の省エネルギー水発電機に使用されている二連振り子式機械式発電機の構造に使用されている歯車の構造説明として歯車軸の摩耗を、防ぐ意味から歯車軸を設け、電磁石を設け使用し電磁石反発軸を設ける事とした電磁石反発軸図に書かれている電磁石反発構造を圧電素子電磁石を主体電磁石構造として設けた電磁石構造である歯車軸装置を設けた機械式発電機の電磁石反発歯車装置（９８）を補助発電構造装置として設けた装置によって円滑な連続作動発電出来る装置で有り本考案の最大の主旨として電磁石反発軸装置よって，今まで給油式の歯車構造に対して無給油構造の電磁石反発軸装置を使用する事で、機械式発電機のより一層の円滑した歯車作動によって機械式発電機によって発電した電気エネルギーで連続作動発電出来て連続発電電気供給出来る省エネルギー水発電機装置。
【請求項１２】
本考案の省エネルギー水発電機に使用されている圧電素子４磁気電気分割装置（２２０）は機械式発電機に設けられている急速充電装置つまり圧電素子構造を設けつまり圧電効果の大きなロシェル塩を設け・チタン酸バリウムなどを設けすべての圧電素子構造に必要な物質を設け主成分とした圧電素子の中央部分に一般電気配線を設けて通して磁気の強い部分の電気と磁気の弱い部分の電気それぞれに電気配線４分割に分ける事で、電気抵抗の強弱を、区別した装置として使用出来る磁気体装置であり圧電素子を設ける事で電気抵抗を、取り除いた電気を使用出来る事になり電気社会では、電気社会理想の最高の通常電気から電気抵抗取り除く事の出来る装置を設けて磁気抵抗なしの電気によってバッテリー急速充電を、可能にした装置を設けた機械式発電機を、補助発電機とした水発電機装置の補助電源すべての急速充電出来る圧電素子４磁気電気分割装置（２２０）を設けた装置で有り本考案の最大の主旨として電気から電気抵抗を、取り除く装置つまり圧電素子電気４電子磁気分割装置によって電気抵抗の有る磁気電気と電気抵抗のない磁気電気に分ける装置の全面活用で、電気機械部品から、電気抵抗熱を、ほとんど取り除く事による新技術考案によってバッテリー及び充電池の軽水素ニッケル充電池より更に尚急速充電出来る新充電技術によって無駄のない機械式発電機作動発電エネルギーによって発電した電気エネルギーで、連続作動発電出来て連続発電電気供給出来る省エネルギー水発電機装置。
【請求項１３】
本考案の省エネルギー水発電機に補助発電機として機械式発電機つま機械  部品として二つのダイナモ装置を設ける事によって発電する構造であり尚、発電機に使用されている電気を増幅する装置は、一般家庭に使用されている電子レンジの部品の一つであり、電気をマグネトロン装置（２５６）を設けた官で電気を、電子化してその電子を、一度増幅させて増幅された電子を、もとの電気に戻す事が出来る装置此の場合電気は、弱い電気から強い電気に変換出来る装置とした電気電子変換電気増幅装置になり此の装置を設けた機械式発電機（１６）は、増幅電気で、機械式発電機は振り子ダイナモ発電の加速発電を強めて増幅発電し、そのための振り子作動増幅エネルギー装置であり、これら装置を補助発電装置とした水発電機装置で有り、機械式発電機の相互作用発電つまり相乗効果発電出来る二連振り子型機械式発電機の構造に於いて、電気電子変換電気増幅装置（２５６）を設ける事で機械式発電機の増幅電気エネルギー電気が、取り出せる構造を設け、その増幅電気エネルギーで作動出来る装置で有り本考案の最大の主旨として電気電子変換電気増幅装置によって小さい電気量でも、一度に大きい電気エネルギーを、用いる事で、機械式発電機の高速作動実現に欠かせない電気電子変換電気増幅装置によって機械式発電機の連続した円滑な連続作動発電によって発電した電気エネルギーで、連続作動発電出来て連続発電電気供給出来る省エネルギー水発電機装置。
【請求項１４】
本考案の省エネルギー水発電機に使用されている機械式発電機に組み込まれているレールモーター振り子装置（６９）を設けて、請求項２のレールモーター構造を説明した装置であり、ダイナモを、発電作動させる役目として機械式発電機歯車構造を設けて連動作動させるために小さな電気エネルギーで、振り子作動の補助出来るレールモーター振り子補助装置は、複数の圧電素子電磁石又はコイル巻型鋼鉄電磁石を、レールモーターの構造として設けてこれら複数円形配列電磁石を、単独それぞれの電磁石として作動させるため、複数の絶縁体それぞれを複数電磁石に取り付け構造として設ける事で、二列の複数円形配列電磁石絶縁体は、一つの複数円形配列電磁石絶縁体をモーター軸として設けて電磁石反発又は電磁石吸引作動つまりリレー装置及びインバーター装置を電磁石磁極切り換え装置として設けて電磁石を、いち早く磁極変換出来る圧電素子電磁石システム装置を設ける事で、レールモーター軸の複数円形配列電磁石絶縁体連続作動が、出来る省エネルギーレールモーター装置（６９）を設けた省エネルギー二連振り子型機械式発電機を設け外部からのエネルギー補給なしの増幅電気エネルギー発生作動する事が出来るレールモータ振り子作動装置構造（６９）を設けた機械式発電機を設けた装置で有り本考案の最大の主旨として機械式発電機に組み込まれているレールモーター振り子装置によって電気消費の少ない機械式発電機連続作動発電した電気エネルギーで、連続作動発電出来て連続発電電気供給出来る省エネルギー水発電機装置。
【請求項１５】
本考案の省エネルギー水発電機に使用されている機械式発電機水位センサーは、丸浮きと弱電波感応式センサー（８）を使用しているのが特徴であり、一般に知られている弱電波発射装置を設け小さな電気量で作動する携帯波  無線波を、使用し設け電波送信し又電波受信装置すなわち磁気電波キャッチ体を設け水位センサー作動使用する事で電波遮断スイッチ丸浮き装置はプラスチック丸浮き装置を、設ける事によって弱電波遮断水位センサースイッチとして丸浮き移動スイッチ使用出来る丸浮き水位センサー装置によって水発電機（３２）の発電物質の水（１４）を、スイッチ移動出来る水中ポンプ全自動スイッチシステム装置を設け丸浮き弱電波磁気読み込み式水位センサースイッチを設ける事で、発電物質の水Ｈ２Ｏ（１４）を水位センサースイッチ移動出来る構造を設けた装置で有り本考案最大の主旨として水位センサー丸浮き弱電波感応式センサーによってより円滑なレールモーター水中ポンプ連続作動によって連続した水発電機発電が、可能になり、発電した電気エネルギーで、連続作動発電出来て連続発電電気供給出来る省エネルギー水発電機装置。
【請求項１６】
本考案の省エネルギー水発電機に使用されているアルミニューム鉄合金金属板は、現在の発電機には、使用されておらず、雨などの錆止め対策又軽量対策として、アルミニュームとの合金板構造を設けて設置した発電機アルミニューム鉄合金パネル装置を設け錆び止めパネル構造装置として設け設置使用しする装置を備える事で、本考案の最大の主旨としてアルミニュウム鉄合金金属板を設ける事で、数多くの新しい技術考案の装置を、守るために錆止め合金発電機パネル材として考案したパネル材で、長い間連続発電出来る各装置を、保護した連続発電電気供給出来る省エネルギー水発電機装置。
【請求項１７】
本考案の省エネルギー水発電機に使用されている軽水素炭素液体マグネシウム合成ニッケル充電池（５５，６４，）は、水素ニッケル充電池より充電スピードを、速めた軽水素ニッケル充電池あり、軽水素の安定に、炭素とマグネシウムの合成物質を、設けて使用した充電池であり、更に充電スピードを、上げるため、請求項１２に書かれている圧電素子磁気電気４分割装置を、軽水素炭素マグネシウムニッケル充電池に設けて取り付けた充電池装置を補助電源構造として設けた軽水素炭素液体マグネシウム合成ニッケル充電池構造（５５，６４）を、持つ補助電源機械式発電機を設ける事で連続発電出来る軽水素ニッケル充電池装置を設けた機械式発電機の省エネルギー発電機の充電池構造を、含めたシステム装置発電電気で連続作動出来る装置を設けた装置で有り本考案の最大の主旨として軽水素炭素マグネシウムニッケル充電池によって機械式発電機の補助電源装置として機械式発電機連続作動発電に欠かせない軽水素炭素マグネシウムニッケル充電池によって機械式発電機連続発電電気供給する事で機械式発電機連続発電電気供給発電し、水発電機各発電装置に連続した電気供給する事によって水発電機本体が、連続発電電気供給出来る省エネルギー水発電機装置。
【請求項１８】
本考案の省エネルギー水発電機に使用されている真空装置作動補助電源コード口（３３）は、省エネルギー水発電機に使用されている二連振り子型機械式発電機が、故障した場合を、想定して省エネルギー水発電機が、補助バッテリーに電気がないのを、想定して、家庭電気でも、省エネルギー水発電機が、作動できる様に水発電機補助作動装置を設け外部から電気が、接続出来る構造を設けた水発電機全体の補助電源を設け、緊急時対処処置のための、真空装置作動補助電源コード口装置（３３）を設けた装置で有り本考案の最大の主旨として、機械式発電機故障第一対処方法に対して外部電気配線電気供給によって再び水発電機本体発電装置によって小さい電気エネルギー発電装置で大きい電気エネルギーを発電供給出来る装置によって連続発電電気供給出来る補助対策済みの省エネルギー水発電機装置。
【請求項１９】
本考案の省エネルギー水発電機に使用されている超小型回転体（２１０）つまり回転体作動装置超小型レールモーター装置でも有り、軽量化をはかるため、アルニューム金属を設け又はマグネシウムとアルミニュームの合金金属を設け又は軽金属などを設け、超小型モーターの軽量圧電素子磁石を設け又は圧電素子は、圧電素子電磁石を設け使用し、モーターカバーは、プラスチック構造などを設け、使用し超軽量の回転体構造であり、超小型軽量の省エネルギー回転体装置は、超小型モーターの消費電力を一般の超小型モーターのコイルありモーターとは、異なり、複数圧電素子電磁石と複数絶縁体を設け使用しリレー制御装置又はインバーター装置などの電磁石電極切り換え装置を設ける事によって回転体作動出来る超小型回転体モーター装置（２１０）これら装置を、設ける事で更なる省エネルギーモーター超小型回転体レールモーター構造を設ける装置によって本考案の最大の主旨として超小型回転体レールモーターによって水発電機装置全体に使用されている超小型回転体レールモーター装置によってより少ない電気消費によって、水発電機本体が、連続発電電気供給出来る超小型回転体レールモーター装置の水発電機各部分使用の装置によって電気消費を少なくして大きい電力を発電出来る装置を備えた省エネルギー水発電機装置。
【請求項２０】
本考案の省エネルギー水発電機に使用されているプラスチック絶縁カバー使用の軽水素内蔵液体ダイオード装置（２４８）は、圧電素子磁気電気４電子分割装置から熱抵抗電気が、リサイクル電気として流れてくる電気を、再び熱エネルギー抵抗電気を、液体ダイオード軽水素を設けて電気を通す原理つまり、ソラーパネル発電原理を活用して、熱抵抗電気の熱エネルギーを再電気化して再びリサイクル電気として電気を、再利用出来るプラスチック絶縁カバーを構造として設けて、軽水素を内蔵し設け液体ダイオード炭素合成を設けた構造である熱抵抗電気を、熱エネルギーを、再電気変換して電気のリサイクルが、出来るプラスチック絶縁カバー軽水素内蔵液体ダイオード装置を設けた圧電素子磁気電気４電子分割装置（簡単説明として熱抵抗電気取り除き装置）を設けた急速充電装置によって補助充電池又は補助バッテリー充電システム装置急速充電電気熱抵抗電気リサイクル再利用システムの電気再利用軽水素液体ダイオード炭素合成構造装置（２４８）を設ける事によって本考案最大の主旨としてプラスチック絶縁カバー使用の軽水素内蔵液体ダイオード装置によって圧電素子電気４電子分割装置によって通常電気が、電気抵抗の多く含んだ電気と電気抵抗を取り除いた電気に別けた場合電気抵抗を、多く含んだ電気処理に対して熱電気を、再び熱電気発電装置すなわちプラスチック絶縁カバー使用の軽水素内蔵液体ダイオード装置によって熱電気リサイクル可能にしたため、更なる発電率効果の有る水発電機本体全体による連続発電電気供給率が、発電アップした省エネルギー水発電機装置。
【請求項２１】
本考案の省エネルギー水発電機は、水を、真空装置によって瞬間常温気化酸素発電物質に瞬間的に変えて気化水素発電物質の融合体を、作り出して、水発電機本体に液体マグネシウムを設けて又は合成水素を設けてつまり酸素と水素の瞬間吸収体連続発電するためには、請求項１，請求項２，請求項３，請求項４，請求項５，請求項６，請求項７，請求項８，請求項９，請求項１０，請求項１１，請求項１２，請求項１３，請求項１４，請求１５，請求項１６，請求項１７，請求項１８，請求項１９，請求項２０，これらすべての省エネルギーレールモーター装置構造をそれぞれ水発電機に欠かせない水を発電物質として、発電物質の水をレールモーター構造の真空装置で、水を瞬間気化水素と気化酸素融合体を、作り出して合成水素つまり液体マグネシウム水素酸素瞬間吸収発電物質によって瞬間合成水素発電を行う事によって、燃料電池発電改良型にも拘わらず水発電機独特の発電効果が得られる尚水発電機連続発電は、機械式発電機の発電電気エネルギーを使用して合成水素つまり液体マグネシウム瞬間気化水素酸素融合体発電によって、再び発電後の水になった物質を水位センサーによってレールモーター水中ポンプが、全自動作動して発電後の水を、レールモーター真空装置室へ水を、水中ポンプによって移動して、レールモーター付きの電動モーター仕切り弁装置によって水中ポンプ移動した発電物質の水は、真空装置室で水を溜めおきする役目をして同じく真空装置室水位センサーの働きによって、レールモーター真空装置が、全自動作動して水を、液体の状態から気化水素気化酸素融合体の状態に瞬間的に真空装置で、気化水素気化酸素融合状態を、作り出して再び合成水素つまり液体マグネシウムによって瞬間気化水素気化酸素融合体発電を、再び連続して発電を行う発電システムを、水発電機と言う又軽水素ニッケル急速充電方法の充電池又はバッテリー又は充電池の急速充電は、圧電素子４磁気電気分割装置によって軽水素ニッケル充電より更に充電する電気に必ず含まれている電気抵抗を取り除く事で、更なる電気抵抗無しの充電方法の確立で、軽水素ニッケルバッテリーのみのつまり機械式発電機を、取り除いても連続発電出来る技術まで、近づきつつ有る水発電機技術は、進化しつつある又すべてこれらの新技術考案一度に設けて使用し作動して、初めて省エネルギー水発電機が、最小限電気消費発電機機能として働く事が出来る省エネルギー発電機として無害無給油連続作動発電して作動する事が出来る構造を設けた全体構造が揃った省エネルギー水発電機装置であり、本考案の水発電機最大の主旨目的とは、発電に使われる電気を、いかに電気消費を少なくして、発電する電気を、無駄なくスピード良く取り出す事によって始めて電気供給してこそが、発電機として役目を果たす事が、出来る水を発電物質とした二連振り子機械式発電機を、設け軽水素ニッケル充電方法を、設け圧電素子４磁気電気分割装置導入による更なる急速充電機装置を設け、消費電気の最小限モーター電気消費のレールモーターを設ける装置をそれぞれ備える事によって、無害無給油連続発電機の最高技術を、集めた省エネルギー水発電機装置。
【手続補正書】
【提出日】平成19年8月20日(2007.8.20)
【手続補正１】
【補正対象書類名】実用新案登録請求の範囲
【補正対象項目名】全文
【補正方法】変更
【補正の内容】
【実用新案登録請求の範囲】
【請求項１】
本考案の省エネルギー水発電機とは電気消費の少ない水発電機電気それぞれの機器のモーター構造に対して、特にDCブラシレスモーターつまり、レールモーターのすべてのモーター使用においての水発電機の発電システムは、作動真空装置及び水中ポンプ装置並びに電動仕切り弁装置此の他温度センサー装置及び水位センサー装置など、燃料電池発電に見られない電気機器つまり省エネルギーつまり電気消費の少ないレールモーターの多様化用途使用によって水発電機の初期作動又は連続作動に使用する発電電気消費量を、抑えた水発電機と言える。
並びに燃料電池発電機改良型としての発電機と言い換えれば、燃料電池発電機を無害無給油全自動連続作動発電機に変えた発電機の事を、省エネルギー電気消費の少ない水発電機と言い、水を発電物質とし、この発電物質の水を省エネルギー電気消費作動出来るレールモーター内蔵の真空装置によって、発電物質の水を発電室の液体マグネシウムに瞬間気化水素と気化酸素にしてから送る燃料電池発電とは異なる技術を考案さいようして、連続液体マグネシウム吸収発電出来る無害無給油の連続全自動発電機システムの事を、燃料電池発電機の連続発電無給油型とした全自動連続発電機のモーター及び発電装置の改良型としての省エネルギー電気消費の少ない発電機を水発電機と言います。
又、水発電機図に掲げられている二連振り子機械式発電機の発電方法とは、燃料電池発電方法などの水素と酸素の科学反応発電などを使用せず、機械構造だけの二つのダイナモ装置の相乗発電によってすなわちお互いのダイナモ発電した電気量を使用してお互いにダイナモ発電量を、高めて行く事を、二つのダイナモ装置の相乗発電と言う。
従って二連振り子装置の振り子運動に対して電磁石反発速度を、補助電源バッテリーなどの電気量を、使用して振り子電磁石反発作動が、最高速度までなるまで、電磁石反発電磁石力の電気力を、電気電子変換装置で電気を、増幅させて二連振り子装置の速度を、上げる事とし、振り子連動の歯車の回転力を、速める事によってダイナモ発電量を多くしていける発電システム構造であり、二連振り子機械式発電機のダイナモ発電作動とは、軽水素液体マグネシウム内蔵の圧電素子をダイナモ中心構造として更に圧電素子の中央部分に軽水素液体マグネシウムとした新ダイナモ発電装置のダイナモ発電に対してダイナモ増幅発電技術であります。
そのため新ダイナモ発電技術とは、新ダイナモの発電した生の電気をダイナモ中心部分の圧電素子へ新ダイナモが発電した電気つまり熱抵抗エネルギー及び静電気及び配線を、通る事の出来る生の電気等が、ダイナモ発電時発生電気として掲げられます。その内の静電気は、圧電素子を通る事で静電気が、圧電素子磁気に変化してから圧電素子磁気電気として、ダイナモ発電電気として再電気処理される。ダイナモ熱抵抗エネルギーは、圧電素子の中央部分の軽水素液体マグネシウムに熱抵抗電気エネルギーが入る事で、軽水素物質特有の熱エネルギーと結び付く特性つまり理由としては、水素から重水素つまりプルトニュームを、取り除いた水素を、軽水素と言います。この場合軽水素は、熱電気エネルギーから電気を回収して、再び圧電素子及び軽水素に生の電気通過を、終えてつまり圧電素子の圧力電気変換をスピード良く行う事が出来るため、通常のダイナモより発電率が上回る新ダイナモ装置である。
尚且つ二連振り子型機械式発電機の設置に於いて、水発電機を作動させる電気を確保する事によって、水発電機が成立します。その上で省エネルギー電気消費の少ないレールモーター真空装置によって作り出される発電物質の水が、瞬間気化した気化酸素物質と気化水素物質になります、つまり気化水素と気化酸素になり、液体マグネシウム瞬間連続吸収発電するための水発電機全体のシステムの補助発電の説明に於いて省エネルギー電気消費の少ない二連振り子型機械式発電機の簡単な新発想の圧電素子のダイナモ発電エネルギーの電気力によって圧電素子本来の発電熱エネルギーによる又は発電電気熱と結び付きやすい軽水素電気熱発電が、ダイナモ発電の電気が、圧電素子を通り軽水素を通る事で、圧電素子の磁気電子構造を電気誘発連動発電する事になる。更なるダイナモ発電の最高電力を引き出す事が出来ます。この事から更なる発電効果を、もたらすダイナモ装置つまり、圧電素子内蔵軽水素ダイナモ発電方式説明になります。その上でつまり電磁石切り替えスイッチ型の電磁石反発による振り子連続作動によって振り子複数歯車連続作動はダイナモ作動回転力となり、全自動ゼンマイ歯車連続作動による補助ダイナモ回転作動の回転力を受けて、新型ダイナモ歯車回転作動は、二台の機械式発電機の電気電子増幅装置の増幅電気エネルギーによって更なるダイナモ回転発電すなわち機械式発電機の振り子装置の振り子作動つまり電磁石反発振り子往復作動を、強めた振り子往復作動になりダイナモ歯車装置は、回転速度を、増し続ける事となり電気増幅によって機械式発電機の振り子発電装置の振り子往復作動が高速になる事によってダイナモ発電は増幅されるこの発電方法を、踏まえて省エネルギー電気消費の少ない水発電機を、連続全自動発電させるための、圧電素子と軽水素液体マグネシウム内蔵ダイナモ発電装置を主体とした機械部品だけを、使用した無害無給油の連続全自動二連振り子型機械式発電機を、省エネルギー電気消費の少ない二連振り子型機械式発電機としつまり簡単に説明すると省エネルギー電気消費の少ない水発電機全体を、作動させるためには、他の連続した電気エネルギーが、必要であり、省エネルギー電気消費の水発電機の場合は、無害無給油の二つのダイナモに対して軽水素液体マグネシウム内蔵の圧電素子が絶対必要で有ります。尚、ダイナモ装置の中央に内蔵設置された二つの新型省エネルギー電気消費の少ないダイナモ装置によって発電して、二つの振り子歯車増幅連動作動出来る装置によって二つのダイナモ相乗発電出来る装置が、有ってこそ省エネルギー電気消費の少ない二連振り子型機械式発電機を、積載した水発電機システムは無害無給油連続発電出来るまず最初の大事な簡単な水発電機説明で有り、この二連振り子型機械式発電機は、水発電機を作動させる無害無給油の連続全自動補助発電機でもある。
そして水発電機は他の外部エネルギーつまり化石燃料などを補給しない無害無給油の連続全自動省エネルギー発電機であり、電気消費の少ない水発電機で有ります。
尚且つ省エネルギー電気消費の少ない二連振り子型機械式発電機装置を設けた水発電機装置システムは、大きい電気を連続発電させるため絶対必要な発電物質の水を設け、発電処理後の水は水タンク室に水を設けて水発電機システムは省エネルギー電気消費の少ないレールモーター真空装置室へレールモーター水中ポンプで水を水位センサーの作動で、つまり水中ポンプを水タンク満水に於いて、連続に真空装置室に水を送る事がで来ます。
その上で全自動連続とした水を水中ポンプで真空装置室に送る事で、連続した真空装置の水位センサー作動によって水を、真空装置機能によって連続気化作動発電させ、発電物質の水が真空装置によって、水を連続した気化変化による液体マグネシウムによる連続気化水素気化酸素融合体吸収連続発電となり、省エネルギー電気消費の少ないレールモーター真空装置室に水を連続して水中ポンプで送る事によって真空装置が作動して連続液体マグネシウム気化酸素と気化水素の瞬間吸収発電出来る事になります。
これら連続全自動発電システム構造を特徴とし、実用新案の考案の最大の特徴は発電物質が水である事であり、燃料電池発電とは異なった発電物質が、水の状態つまり液体の水を使用しているのが最大の特徴であります。
これら発電技術をすべて備えた発電機の事を、省エネルギー電気消費の少ない水発電機装置と言いまして、水発電機全体の連続した全自動化した水発電機の発電方法全体の最高の発電力を発電システムとして支える発電物質の水は液体構造であり、水を使用した発電装置においてのただの水で有る事が事実で御座います。
その上で本考案の最大の主旨とした発電物質が水だけの状態で有り、、燃料電池発電の改良型として発電物質の水が水発電機の発電物質の主体である事を、理解していただいた上で、水発電機の発電物質の水が、液体マグネシウムに瞬間吸収されるためには、発電物質の水を真空装置で瞬間気化させる事が第一作業であり、真空装置によって液体の水を真空装置で気化させるまでは、数十秒であるのは、テレビによる水を、瞬間気化させる実験から明白であります。
尚、本考案の水素と酸素の融合物質を、瞬間に作り出して液体マグネシウム瞬間吸収発電する時間も、燃料電池発電時間と同様に瞬間発電なのは、液体マグネシウムの水素と酸素の瞬間吸収発電は、液体マグネシウムの能力の事実説明であり、燃料電池発電から、明らかな事実であり、液体マグネシウムの酸素と水素の融合体による発電すなわち、連続全自動発電システムの説明は、液体マグネシウムに気化水素と気化酸素の融合体が、瞬間吸収発電した場合一瞬にして、水だけが残ります。ここまでは、燃料電池とほぼ同じ説明ですが、液体マグネシウムに気化水素と気化酸素が、瞬間吸収発電後の発電して出来た水は、引力の力で液体マグネシウム室すなわち合成水素室から下の水タンク室に上から下へ流れます。発電によって発生した水は水タンク室に水が集まります。
尚且つ水タンク室の水は、二連振り子機械式発電機の電気又は急速充電のバッテリーの電源によって水位センサーの電源などに電気が、送られている理由から、水タンク室の水が、水タンク室の水位センサー位置に達した時、同時に水中ポンプに全自動電源が入り発電残水の水は、真空装置室の水タンク室へ水を送り続けます。この場合真空装置室の水位センサーが、真空装置室に、水が満水位置になった場合、水中ポンプの電気スイッチは、全自動で切れます。その上で水中ポンプスイッチの電源が切れると同時に電動仕切り弁の電気スイッチが入り、電動仕切り弁が、全自動作動して水を、真空装置室に貯えます。それと同時に真空装置に電気スイッチが入り、真空装置全自動作動します。そして真空装置室の水は真空装置の電気作動で、真空装置室の空気が、全部抜かれる事で真空状態になります。そのため真空装置室の水は、液体から気体へ瞬間気化する技術は、真空装置の特許切れ又はテレビ放送からの事実説明から、水は、明らかに液体から、気体へ低温又は常温に於いてでも瞬間気化してしまいますこの様な発電方法を使用した水発電機で有ります。
その上で真空装置室の水位センサーが、真空装置室に水が無い事を、知らせると同時に真空装置室の気化された水は、液体マグネシウムのある発電室つまり液体マグネシウムへ水が低温又は常温気化した水の気化物質は、瞬間的に液体マグネシウムへ瞬間吸収発電する事によって、燃料電池と同じ気化水素と気化酸素の融合状態になるため液体マグネシウム発電状態になる。この繰り返しシステム発電が水発電機である事は、特開2003ー328925の説明と同じ発電システムであります。
この水発電機説明の発電技術請求項説明は、テレビ公開による後からの発明である東京ガスの風呂の蒸気と液体マグネシウムの水蒸気による気化水素と気化酸素発電システム技術すなわちこの事も燃料電池発電としてテレビ公開上説明してます。その上で事実説明からでも、明らかに発電する事実は、風呂の蒸気より、常温に於いて水を真空装置による気化技術は、水蒸気の気化粒子より、真空装置による気化粒子の方が、気化粒子は、蒸気粒子より細く、燃料電池の気化水素と気化酸素に粒子の上では、近いのは確かであります。
尚、発電物質の水の気化物質は、水発電機システムの発電室に設置されている液体マグネシウムに瞬間吸収されるには、真空装置作動が、不可欠であり、真空装置作動によって瞬間的に作られた気化水素及び気化酸素の液体マグネシウム瞬間吸収発電によって瞬間連続発電すなわち発電物質の水エネルギー気化液体マグネシウム瞬間吸収発電を燃料電池発電規模だけ発電し、省エネルギー電気消費の少ない二連振り子型機械式発電機のダイナモ電気エネルギー補助発電によって連続した水発電機システム作動は成立します。
尚且つ発電物質の水が気化酸素気化水素の融合体になるためには真空装置によって、瞬間酸素水素融合体瞬間連続気化変化させ、燃料電池発電方法と同じ説明にもなるが、酸素と水素の扱い方の違う発電方法であり、酸素と水素の瞬間吸収発電物質の同じな液体マグネシウムに瞬間吸収発電出来る装置であります。
又、どの発電機にも絶対必要な電源は、補助蓄電装置として軽水素ニッケルバッテリーに急速充電出来る圧電素子磁気電気4分割装置が必要で有ります。つまり、特開2004ー304992の技術があってこそ補助電源バッテリー装置の水発電機電源連続した電気急速補給充電技術が、成立するためには、圧電素子磁気電気4分割装置技術が必要であり、簡単に説明するならば、生の電気を、磁気体に例え又は置き換えて、その生の電気を圧電素子の磁力の弱い部分プラスとマイナス部分にそれぞれ電気を流す事で、流れた電気は瞬間磁気化してしまいます。そのため磁気電気の強い電気と磁気電気の弱い電気に圧電素子磁石配線電気磁気分割する事が出来ます。その上で圧電素子磁石に電気を通す事で、磁気電気分割出来た事実説明によって水発電機を、止めないで連続作動させる為に絶対必要な補助バッテリーの超急速充電技術が、圧電素子磁気4電子分割でなければ、無害無給油の連続発電機の水発電機バッテリー急速充電方法及び充電池急速充電方法は、電気から電気抵抗を、取り除かない限り急速充電技術は成立しません。
更にこの水発電機は、無害無給油の発電機を、二つある事になります。特開2003ー328925の水発電機技術より数段上の技術を集めたのが、実用新案の省エネルギー水発電機なのです。又、水発電機が、燃料電池より発電出来る電気量が、上の説明は、つまり機械式発電機を、二つ使用した発電機技術が必要とされます。つまり、二連振り子型機械式発電機が、二つ有る理由としては、水発電機を、超えた水発電機技術を、作り得る事で、経済産業無害無給油連続発電技術の世界トップの技術で、なければならないのは、燃料電池発電より発電量又は発電技術が、数段上である説明をしてこそ、日本国内にあってこそ日本の産業発展は、明るくなるそのために、機械式発電機の二つの無害無給油発電機の相乗連続発電電気供給出来る事が、事実上燃料電池発電を二連振り子型機械式発電機補助発電装置の発電量の分だけ燃料電池発電より多く発電出来る水発電機であり、省エネルギー電気消費の少ないシステム全体すなわち水発電機に使用される補助バッテリー急速充電システムを考案採用して、及び二連振り子型機械式発電機システムと水発電機装置作動システム全体がそろって、尚且つ全部一度に作動する発電機を、省エネルギーつまり電気消費の少ない水発電機であり、燃料電池より発電量が多い二種類の無害無給油の連続した全自動作動の発電機を組み合わせた発電機を水発電機と言う。
【請求項２】
本考案の省エネルギー電気消費の少ない水発電機に設置されているモーターは、一般に使用されていモーターとはモーター作動方法とモーター構造が少し事なる構造であり電気消費が少なく済むモーターで有ります。従って及び軽量化並びに超薄型のモーター構造が可能になり、モーター説明構造が通常一つコイルモーターとは、はつきり異なった構造になっております。特に特徴のある複数コイルは、コイル巻数が少なく又圧電素子磁石は、コイルを巻かなくても磁石内部構造が、鋼鉄電磁石と磁石構造が異なるため、コイルを巻かなくても急速磁気変換が、可能である圧電素子磁石の特性を生かした電気消費量の少ないレールモーターは、コイル配線がなくても、急速磁気変換可能であるため圧電素子磁石特有の省エネルギー電気消費の少ないレールモーター装置として複数絶縁体モーター構造と複数電磁石モーター構造及び複数配線構造が、円形状に電磁石切り替えスイッチ作動するためには、二つそれぞれの複数電磁石及び複数絶縁体並びに複数配線構造のレールモーター構造体が二つ必ずモーター電磁石磁気切り替え作動するために二つ必要で有ります。
従って複数電磁石の絶縁電磁石構造になる構造とし、複数電磁石それぞれに対して複数配線それぞれとし隙間のない円形複数電磁石及び複数絶縁体を、従えた複数配線モーター構造内容として有り、複数円形配列の電磁石を設け又はコイル付き電磁石を設け又は圧電素子電磁石を設け又はコイル付き圧電素子電磁石を設ける事となります。
そのためレールモーターとは異なったモーター複数円形電磁石構造とし又、複数円形配列電磁石絶縁体を設けそれぞれを、完全電磁石絶縁するため複数円形配列絶縁体を設けて二列の又は二つの複数円形配列の電磁石絶縁体を設け、電磁石反発作動及び電磁石吸引連続作動させる技術としてリレー装置を設けインバーター装置を設け又圧電素子などの鋼物以外の電気磁石体又は電子磁石体及び磁気体などつまり鋼鉄電磁石とは異なった構造の圧電素子電磁石を使用し、電磁石電極切り替えリレーインバーター装置を設ける事によって、レールモーター構造上の更に複数円形配列電磁石絶縁体を隙間なく設け二列に並んだ複数電磁石が、反発吸引連続作動させる事が出来きて、コイル巻数又はコイル巻長さの短いモーター構造設ける事によって電気消費の少ない又高周波対策した、省エネルギー電気消費のレールモーター装置を設ける事で、あらゆるモーター使用に対して超小型化さえも、可能にしたレールモーター技術説明である。
その上で省エネルギー電気消費の少ないレールモーター作動出来る水発電機装置システムに絶対必要なレールモーターとは省エネルギー電気消費が少ないレールモーター複数配線コイル装置を、多く活用する事であり、圧電素子磁石などの磁気変換しやすい磁石を使用する事で、水発電機連続発電システムに欠かせない新しい省エネルギー電気消費の少ないレールモーター使用のシステム水発電機装置を水発電機装置すべてのモーターに設けた省エネルギー電気消費の少ないレールモーター装置を全ての水発電機全体のモーターに使用した水発電機レールモーター説明で有ります。
尚且つ本考案の最大の主旨として、いかに電気消費電力を減らして水を、それぞれのレールモーター装置使用で水を瞬間気化真空装置室移動して、気化水素酸素瞬間吸収体物質の合成水素水気化瞬間吸収発電を繰り返し発電出来る発電システムは、各省エネルギー電気消費の少ないレールモーター装置を、使用する事によってレールモーター真空装置作動による瞬間気化水素酸素融合体吸収液体マグネシウム発電し発電物質の水と液体マグネシウム発電物質による水素酸素瞬間吸収体発電によって、作りだされる電気エネルギーよって、発電物質水連続作動発電出来て、瞬間急速軽水素ニッケルバッテリー充電出来て、二連振り子機械式発電機と水発電機液体マグネシウム水素酸素瞬間吸収発電機の二つの発電方式が、組み合った事によって連続発電電気供給が出来る、燃料電池発電機を越えるだけ発電出来て省エネルギー電気消費の少ないそれぞれのレールモーターを備えた発電機で有り二種類の無害無給油の連続した全自動発電機と合成水素すなわち液体マグネシウムに水素と酸素の融合体を瞬間吸収発電出来る水発電機装置。
【請求項３】
本考案の省エネルギー電気消費の少ない水発電機にシステムに設置される真空装置は、一般に使用される真空装置設置のモーター構造が異なり、一つコイル配線モーターとはモーター構造がはっきりモーター作動方法が異なり、省エネルギー電気消費の少ないレールモーター構造とは、長いコイル巻線を、使用せず短いコイル巻数の少ない複数コイル圧電素子磁石体それぞれを設けるか又はコイルなし圧電素子複数円形配列絶縁コイルなし電磁石を設けるか短いコイル配線圧電素子構造の複数円形配列の圧電素子電磁石絶縁体を設けるか又は誰もが知り得る鋼鉄電磁石を、複数円形配列コイル付き電磁石絶縁体を設けるかいずれかを設け、作動装置にリレー装置を設けインバーター装置を設けつまり簡単に言うならば電磁石切り替え装置を設けてるため、モーターブラシが必要としない電気熱溜まりと電気消費の少ないレールモーター圧電素子構造を明らかな複数電磁石に複数絶縁体設け複数配線設置したレールモーターで構造のため電気消費が少ない構造で有る事が明らかなモーターで有る。
尚且つ省エネルギー電気消費の少ないレールモーター構造の真空装置構造装置に設ける事によって発電物質の水を、水がつまり常温尚且つ低温であっても、真空装置作動によって、気化発電物質に瞬間気化出来る省エネルギー電気消費の少ないレールモーター真空装置構造を設ける事によって水が常温でも低温でも、真空装置作動によって水瞬間気化出来る真空装置機械の特性を生かして、液体マグネシウム内蔵の合成水素つまり瞬間気化水素及び気化酸素の気化融合体による瞬間吸収発電出来る最大の特徴の真空装置を設けた水を、常温及び低温による瞬間気化出来る装置で有ります。
従って本考案の最大の主旨としていかに発電物質の水を、真空装置作動で瞬間に水素と酸素融合体にして、合成水素つまり液体マグネシウム瞬間吸収発電出来る水を、瞬間的に省エネルギー電気消費の少ないレールモーター使用の真空装置によって、水を瞬間に発電物質の気化水素と気化酸素の融合体を作れる装置を備える事によって電気エネルギー全自動作動による発電が出来て連続発電電気供給出来る省エネルギー燃料電池発電機とは別格に違う程少ない電気消費と燃料電池発電機発電量を、越えた電気を発電出来るシステムを積載した水発電機装置。                                                                      
【請求項４】
本考案の省エネルギー電気消費の少ない水発電機に設置されている水中ポンプモーターは、一 般に使用されている水中ポンプモーター構造とはモーター構造が異なり、一つコイルモーターすなわち通常モーターコイル作動とは異なった構造であり、省エネルギー電気消費の少ないレールモーター複数電磁石と複数絶縁体と複数配線構造を組み合わせた構造すなわち、圧電素子複数円形配列絶縁電磁石を設け又は鋼鉄複数円形配列コイル巻絶縁電磁石を設け又は圧電素子コイル巻複数円形配列絶縁電磁石を設けいずれかの複数円形配列絶縁電磁石を設けて、これら複数円形配列絶縁電磁石を設け、完全単独の絶縁電磁石にするため複数円形配列の絶縁体を設けた装置であり、レールモーター構造装置を作動させるため今までにないモーター作動方式の電磁石切り替え装置のインバーター装置を設け又はリレー装置を設けて電磁石磁気切り替え作動出来る少ないコイル巻数構造モーターを設ける事によって複数円形配列の絶縁電磁石の電極切り換えの早い圧電素子構造したモーター軸移動装置であり、又複数円形配列絶縁電磁石を設けたモーターブラシのない電気モーター作動装置を設置した省エネルギー電気消費の少ないレールモーター水中ポンプの構造説明を設けた電気消費の少ないレールモーター水中ポンプであります。
この水発電機発電物質移動装置のレールモーター構造の新技術を設けた水中ポンプを備えた装置で、水が常温気化するための発電物質の水を発電室に送れるレールモーター水中ポンプ装置を備えた装置で有り、本考案の最大の主旨としていかに発電物質の水を、電気消費の少ないレールモーター使用の水中ポンプによって水を短い時間で瞬間移動させて、真空装置室に水を短い時間で送り真空装置作動によって液体マグネシウムつまり合成水素発電室へ発電物質の水が瞬間的に気化移動出来るレールモーター使用の真空装置で有り、真空装置室へ水を水中ポンプ移動させる事によって省エネルギー電気消費によるレールモーター水中ポンプ装置作動によって水移動するためのレールモーター水中ポンプ装置及びレールモーター電動仕切り弁装置を備える事によって水を、真空装置内に止め置き出来て、水が真空装置室内の水位センサー満水位置による連続真空装置作動によって水が、連続気化し液体マグネシウムつまり合成水素瞬間吸収発電し又、電気エネルギー連続作動発電出来て水発電機と二連振り子型機械式発電機システム連続発電電気供給出来る省エネルギー電気消費の少ない二種類の無害無給油の連続した全自動発電機及びに合成水素すなわち液体マグネシウムに酸素と水素の融合物質を瞬間吸収発電出来るシステムを備えた水発電機装置。
【請求項５】
本考案の省エネルギー電気消費の少ない水発電機に設置されている電動仕切り弁モーター装置は、一般に知られているモーターを、使用しない変わりに電気消費と熱溜まりの少ないモーター特徴としたコイルなし圧電素子を使用した複数円形配列電磁石と絶縁体構造を設け又は短いコイル巻構造を設けた構造が特徴とした複数円形配列の圧電素子電磁石それぞれの絶縁体これら複数円形配列電磁石それぞれの絶縁体構造とし、これら電磁石を、複数円形配列電磁石それぞれの絶縁体の構造を、設ける事で、単独のそれぞれの複数円形配列電磁石それぞれの絶縁体が、レール状又は円形レール状に形を、形成したモーター軸構造とした二つの複数円形配列電磁石それぞれの絶縁体モーター軸を、電磁石反発と吸引のいずれかの作動方法つまり外国名の呼び名インバーター装置を設け又はリレー装置を設ける事で、特殊レールモーター連続作動出来る省エネルギー電動電気消費の少ないレールモーターを設けた水発電機構造であり、省エネルギー電気消費の少ない電動レールモーター仕切り弁装置を、水発電機本体の発電物質が水移動場所に備える事で、発電物質の水を省エネルギー電気消費の少ないレールモーター真空装置室に設けて閉じ込めて、水の気化連続発電出来る水発電機装置に絶対必要な発電物質の水を、省エネルギー電気消費の少ないレールモーター真空装置室へ水を移動させ、留め置き出来る装置であり、発電物質の水を連続作動型スイッチ連動電動仕切り弁装置で、水止め置き出来る省エネルギー電動仕切り弁装でも有り、電気消費の少ないレールモーター電動仕切り弁によって連続モータースイッチ連動すなわち水を、真空装置室に留め置き出来る装置で有り、本考案の最大の主旨としていかに発電物質の水を電気消費の少ないレールモーター使用の電動レールモーター仕切り弁装置によって水を、真空装置室の中に固定安定化する事によって水中ポンプ室及び真空ポンプ室に水を、固定安定化つまり水を移動する事を止める事の出来る装置を備える事によって真空装置の水の瞬間気化発電し電気エネルギー連続作動発電出来て連続発電して電気供給出来る省エネルギー電気消費の少ない二種類の無害無給油連続した全自動発電機及び水発電機の合成水素発電物質つまり液体マグネシウムに酸素と水素の融合体瞬間吸収発電出来るシステムの水発電機装置。                                            
【請求項６】
本考案の省エネルギー電気消費の少ない水発電機に設置されている合成水素とは液体マグネシウムを、内部構造として設け外壁を液体マグネシウムと炭素の練り合わせ合成した物質として内側に液体マグネシウムを設け、合成水素つまり液体マグネシウムの内部構造を設ける事を特徴とした、気化水素気化酸素瞬間吸収発電合成素子体であり、合成水素の形状は中心部に液体マグネシウムつまり本田技研の燃料電池車の液体マグネシウムを、使用しているだけである。従って此のままでは発電物質として扱いずらいため、炭素と液体マグネシウムを、練り合わせて作った炭素液体マグネシウムを、固形水素吸収体としてこの物質を、液体マグネシウムを、包むような外壁構造にして小さな穴を、外壁の合成水素の 炭素液体マグネシウムにあけて、中央部分の液体マグネシウムを、吸収しやすい構造にした水素酸素吸収体物質とは、つまり中央の液体マグネシウムつまり合成水素とは、酸素水素瞬間吸収発電物質の事を言うのであって燃料電池と同じ水素酸素瞬間吸収体つまり水素酸素吸収発電体を設ける事によって、水発電機本体装置は合成水素つまり液体マグネシウムは、水発電物質瞬間気化融合物質発電し、尚且つ瞬間吸収発電物質の合成水素つまり発電物質の液体マグネシウムを取り付ける事によって、水発電機最大の電気発電システムとなる。
並びに省エネルギー電気消費を、抑えた二連振り子式機械式発電機のダイナモ発電した電気エネルギーで連続水瞬間常温気化融合物質発電して水の常温気化連続発電出来る合成水素発電の液体マグネシウム構造を設けて合成水素を備えた装置で有り、本考案の最大の主旨としていかに省エネルギー電気消費の少ないレールモーター真空装置で、水を瞬間気化させ水素気化酸素融合体にした物質を、いかに他人の特許発明財産の液体マグネシウム水素酸素瞬間吸収体を最悪条件でも瞬間発電対応出来て水素酸素融合体の瞬間吸収率の良い条件を、つまり液体マグネシウムを内部構造として外側を、液体マグネシウムと炭素合成構造として液体マグネシウムを、固定するための外壁炭素合成の液体マグネシウム穴空き構造の発電物質装置として備える事によって瞬間発電し電気エネルギー連続作動発電出来て連続した発電電気供給出来る省エネルギー電気消費の少ない燃料電池より発電量の多い二つの無害無給油発電機を発電システムとした二連振り子型機械式発電機を補助発電とした水発電機装置。
【請求項７】
本考案の省エネルギー電気消費の少ない水発電機に設置されている圧電素子板内蔵銅板電極は、合成水素発電物質がつまり液体マグネシウムが、水素酸素瞬間吸収発電した電気を瞬間電気分別の二電極電気発生移動が出来る装置であり、圧電素子磁石一番解りやすく電子ライターの石が圧電素子で有り、圧電素子を銅板電極の内部構造として設けて、プラス電極とマイナス電極構造構成とした圧電素子体に銅板を、かぶせた構造を設けた構造を、特徴とした磁気を瞬間電気分割するための圧電素子板内蔵銅板電極装置を内部構造を設ける事によって合成水素発電言い換えれば液体マグネシウムの水素と酸素の融合体の瞬間合成水素吸収発電した電気を銅板電極内蔵圧電素子磁気体誘導する事で無駄のない発電電気が出来る圧電素子板内蔵の銅板電極装置を設けた装置で有ります。
尚且つ本考案の最大の主旨としていかに水発電機の合成水素が発電した電気を、いち早く無駄なく水発電機の圧電素子板内蔵の銅板電極はプラス磁界とマイナス磁界を、人工的に作り得て合成水素発電物質いわゆる液体マグネシウムで瞬間発電した電気を無駄なく瞬間電気誘導する役目の構造を持って備える事で瞬間発電電気送電し、発電した電気エネルギーによって連続作動発電出来て更に軽水素ニッケルバッテリーに圧電素子磁石体を、使用した装置によって電気から電気抵抗を取り除いた電気を圧電素子磁石体装置によって電気送電による世界最速急速充電システム化による補助電源バッテリー世界最速の充電出来て連続した発電電気供給出来る省エネルギー電気消費の少ないシステムだけでなく世界最速の急速充電技術を可能にした発電方法の充電方法を説明した世界最速送電の充電システム圧電素子磁気電気4分割装置を内蔵しただけでなく二連振り子型機械式発電機を含めた二種類の無害無給油の連続全自動発電機と発電方法が、合成水素つまり液体マグネシウムに水素と酸素の融合物質を瞬間吸収発電出来る水発電機装置。                                     
【請求項８】
本考案の省エネルギー電気消費の少ない水発電機に使用されている二連振り子型機械式発電機とは、二台の機械式発電機を、使用した無害無給油の連続全自動発電機であり、二連振り子型機械式発電機の作動方法とは両サイドの電磁石反発作動この場合電気の力つまり電圧が上がれば上がるだけ振り子装置の電磁石反発作動は、強まり超高速振り子作動になる。従って振り子装置によって歯車連動のダイナモを、高速回転作動するためには又、振り子装置の歯車連動作動によって複数の歯車でダイナモを、回転作動を増幅させるだけでなく全自動巻き取り型の大型ゼンマイ装置の歯車連続作動によってダイナモ回転作動の補助作動の役目をする装置で有りダイナモ回転エネルギーを発生させて、ゼンマイ装置でダイナモ回転エネルギー発生させ、補助ダイナモ作動させる装置で有ります。
そして二連振り子型機械式発電機に使用されているダイナモ装置は、現在一般に知られているダイナモより、発電能力が上つまり一般ダイナモより発電効率の良いダイナモ構造の説明を始めます。従ってダイナモ装置の中央部分に圧電素子磁石体を内蔵させて圧電素子磁石の中央に軽水素を立て溝方式に炭素とマグネシウムなどの軽水素安定素子を入れた圧電素子を設けて、ダイナモの発電した電気は、圧電素子を、電気通過して更に軽水素電気通過します。その際最初のダイナモ電気力は、圧電素子の圧縮磁気電気を、取り入れその際生の電気は、軽水素と生の熱電気が結び付き、軽水素熱電気発電を、更に増幅電気化した新ダイナモ電気は、一般に知られているダイナモ装置の中央部分構造に軽水素内蔵の圧電素子を設けた、新ダイナモ装置で有り、ダイナモの中に軽水素内蔵圧電素子を、設けて組み合わせた新発想考案ダイナモ機械式発電機の新しいダイナモ増幅発電方法装置であります。
そしてこれら新ダイナモ装置を作動させる二連振り子型機械式発電機のレールモーター振り子装置つまり複数円形配列の電磁石及び複数円形配列の絶縁体を設けた装置で、レールモーター振り子装置を、連動作動出来る電磁石装置を両サイドに二つづつ設ける事によって振り子装置の高速化を計り通常のダイナモより電気増幅発電出来る新発想構造の圧電素子と軽水素内蔵のダイナモ増幅発電装置である。
尚且つ発電装置作動使用の電気又は発電した電気を、増幅させるための電気電子変換装置を、設けてこれら増幅した電気で、機械式発電機の振り子装置の電磁石反発連続作動に対しての連続振り子往復作動の増幅電気エネルギーは、歯車エネルギーに変化してダイナモ装置を、急速回転作動発電が出来る新型ダイナモ装置です。
その上で機械式発電機新ダイナモ装置だけで発電した電気を、急速充電できる軽水素炭素マグネシウムニッケル充電池を二連振り子型機械式発電機に始動作動電源装置として設けたのである。
更に二連振り子型機械式発電機のダイナモ発電した電気から電気抵抗を、取り除いて電気抵抗なしの電気を作り、更に急速充電できる圧電素子磁気体を構造とした圧電素子電気電子4分割装置を設ける装置を二連振り子型機械式発電機に内蔵する事によって30分以内の補助バッテリーの急速充電及び補助充電池ならば更に急速充電時間が短縮可能になる装置で有り、二連振り子型機械式発電機の充電池装置及びバッテリー装置の説明として、現在最速充電池は、水素ニッケルの30分以内が、広く知られています。所が水素ニッケル電池より充電時間が早い軽水素ニッケル充電池は、水素の熱エネルギー部分の重水素を、取り除いたのが軽水素で有り、重水素を強制的に外した軽水素のため、熱エネルギーを、吸収しやすい特性を、持つこの場合はっきり言える事は、重水素は、プルトニュームつまり熱エネルギーの固まりで有り、軽水素は、熱エネルギーを強制的に取り除いた物質であるため、熱エネルギーと結びつきやすく、軽水素ダイオードにすると熱発電する事になる。従って高速発電した電気を高速充電出来る充電池は、二連振り子型機械式発電機の心臓部分でも有るため、急速充電池を、選ぶのに注意する必要が有り、この場合軽水素ニッケルを、使用する事とします。
これら発電増幅装置と電気から電気抵抗を、取り除く装置を組み合わせる事で、高速充電又は増幅発電出来る新ダイナモ装置を、内蔵した機械式発電機そして最大の特徴としてこれら機械部品だけの発電機構造つまり二連機械式発電機装置とは、二つの機械式発電機装置組み合わせ相乗発電によって発電効率を、上げた無害無給油の連続発電機械式発電機装置が出来たため、あらゆる発電機の応用発電が、可能になったのも事実である。
再び二連振り子型機械式発電機によって発電された電気で合成水素発電物質言い換えれば液体マグネシウム発電物質に瞬間吸収発電したのは、燃料電池発電技術からでも明白な事実で有ります。つまり真空装置によって発電物質の水が瞬間気化し液体マグネシウム吸収発電し、これら水発電機装置を連続作動発電させるための電気エネルギーを連続電気発電発生出来る圧電素子軽水素内蔵ダイナモ構造を備えた省エネルギー電気消費の少ない二連振り子式機械式発電機を設けた装置で有ります。
従って本考案の最大の主旨つまり特徴とは連続発電作動無害無給油発電機の説明に於いて水発電機各装置を、電気作動させるためのもう一つの無害無給油発電機として機械部品だけの組み合わせ作動だけで発電出来る二連振り子型つまり機械式発電機を、一度に二つの機械式発電機同時作動使用する事によって二つの機械式発電機のダイナモ発電装置の相乗発電効果によって二つのダイナモ同志が相乗発電し続ける事で二つのダイナモ装置の最大発電力を水発電機本体に取り込む事によって、水発電機装置全体を、外部給油外部充電など、外部からエネルギーを取り入れる事が、一切必要としない二つの機械式発電機の同時連続作動発電された電気エネルギーで初めて水発電機本体電気エネルギー連続作動し発電出来て連続発電し、燃料電池発電機の発電量を上回る発電電気供給出来る省エネルギー電気消費の少ない発電システムを内蔵した水発電機装置。                                         
【請求項９】
本考案の省エネルギー電気消費の少ない水発電機に使用されている軽水素炭素マグネシウムニッケルバッテリー装置は、一般に知られている水素ニッケル電池より充電スピードを早くしたバッテリー内容物の水素の変わりに軽水素を使用して、つまり水素から重水素を取り除いた軽水素を設けて使用して、炭素と液体マグネシウムの合成物質を設けてニッケル金属を組み合わせたバッテリー電極とした軽水素炭素マグネシウムニッケルバッテリー装置であり並びに軽水素を、バッテリー液として設けてニッケル金属を組み合わせたバッテリー充電方式を特徴した機械式発電機と水発電機装置を、補助作動させるため設けた補助バッテリー装置の新技術軽水素ニッケルバッテリーつまり尚軽水素炭素液体合成マグネシウムニッケル急速充電補助電源 バッテリー構造を設けて備えた装置で有り本考案最大の主旨のバッテリー装置の新技術として水素ニッケル充電池より更にスピード充電可能な最大の特徴とは軽水素を使用しているニッケル充電装置に軽水素急速充電安定物質として液体マグネシウムを、使用して軽水素固定剤として液体マグネシウム炭素を使用した更なる急速充電可能な軽水素炭素マグネシウムニッケルバッテリー装置によって機械式発電機作動出来る軽水素炭素マグネシウムニッケルバッテリー装置を、備える事によって連続発電し電気エネルギー連続作動発電出来て連続発電電気供給出来る尚補助電源装置に、軽水素炭素マグネシウムニッケルバッテリー圧電素子磁石体による電気磁気分割急速充電方法を備えた装置充電出来る新技術の軽水素炭素マグネシウムニッケルバッテリー装置又は軽水素炭素マグネシウム充電池によって二連振り子型機械式発電機の連続作動発電を、適えた省エネルギー電気消費の少ない発電システムを内蔵した水発電機装置。                                                                                     
【請求項１０】
本考案の省エネルギー水発電機に使用されている二連振り子型機械式発電機のニューダイナモ装置は、一般に知られているダイナモ装置の中央部分もしくは、ダイナモの横に圧電素子磁石を、接合し設け又は内蔵し設けて圧電素子の中央部分に軽水素炭素液体マグネシウム合成物質を縦溝方式として設けダイナモ構造に設けて加えたニューダイナモ装置によって、発電したダイナモ電気は圧電素子磁石の特性つまり圧縮磁気電子集合体に新ダイナモが発電した電気が通ると、電子ライターの作動発電条件と同じ事が圧電素子のＮ磁気局へダイナモ発電した電気が通り、圧電素子のＳ磁気局から再びダイナモ電気は、圧電素子へ生の電気打撃発電になる、そのためダイナモで発電された生の電気は、まず圧電素子自体が、金属磁石でないため、圧電素子を使用した電子ライター電子発生状態になる。従って電子ライターの石が、圧電素子でわなく鋼鉄磁石では、磁石体の磁気構造が、移動しずらいため、コイルを巻かない限り磁気変換出来ないが、圧電素子の構造が圧電効果の大きいロシエル塩、チタン酸バリューム構造のため、圧力つまり磁気圧力と電気変換が、直接に行える素子のため、ダイナモ発電電気力は、圧電素子のＮ局の磁力分の磁気圧に電気が、通り圧電素子中央部分の軽水素部分へダイナモ発生電気と圧電素子の磁気圧力が、軽水素を通るこの場合軽水素は、熱と結び付きやすいため、ダイナモから発生した生の電気は、熱エネルギーを貯えたままのため、軽水素本来の特性すなわち熱エネルギーと結び付くと同時に圧電素子の磁気圧力の力が同時に電気エネルギーにかかるため、ダイナモから発電した生の電気に含まれる熱エネルギー部分の一部が、圧電素子と軽水素に生の電気を、通した場合生の電気の熱電気が、電気変換する事となる又ダイナモから発生される生の電気は、ダイナモと言う金属を擦る事で、電気発生します。この場合ダイナモが金属のため、静電気磁気が同時に発生します。所が静電気磁気すべてが、電気変換ならず、通常は外へ静電気放出なされるだけが現状でした。これら、外へ放出される静電気を、圧電素子と言う磁石体に通す事で、乱れた静電気を圧電素子の磁石体で、静電気の乱れた電気構造を、圧電素子磁石の磁気静電気化したと言います。つまり正しく圧電素子磁気と同じく並んだ静電気が、再び圧電素子を通る事で磁気電気化した事となります。この場合圧電素子の特性のため、静電気圧力は電気変換したと言います。つまり通常一般に使用されているダイナモの発電電増幅は、今まで車などの静電気が、電気化されないままであった静電気の電気化技術の道開けだとも考えてます。又ダイナモ装置の中央部分の圧電素子が入ってます。すなわち二連振り子型機械式発電機に取り付けられているダイナモ発電装置の発電した電力が増幅発電出来る新しい増幅発電技術によって、新ダイナモ装置によって二台の機械式発電機に設けられているダイナモ装置の発電された最大増幅電力で作動出来る省エネルギー電気消費の少ない水発電機に設けられている新しいダイナモ装置の軽水素液体炭素マグネシウム合成筒内蔵圧電素子接合ダイナモ装置から、今まで電気化出来なかった静電気を電気化したため、ニューダイナモ電気エネルギーで作動し増幅発電する事の出来る圧電素子軽水素内蔵ダイナモ装置構造を設けたニューダイナモ装置の最大増幅電力で連続作動出来る装置で有り本考案の最大の主旨ニューダイナモ装置は今までのダイナモ装置の最大発電力を、越えるダイナモ装置として今までのダイナモ装置の内部中央部分に圧電素子を内蔵してダイナモが発電した電気エネルギーで、圧電素子本来の発電能力と今まで電気化出来なかった静電気を、圧電素子の静電気磁気変換した事によって最大限に引き出した圧電素子内蔵ダイナモ装置発電を、備えた機械式発電機によって発電し水発電機の電気エネルギー連続作動発電出来て二つの無害無給油連続発電機の連続発電電気供給出来る二種類の発電機で有ります。
尚、補助電源軽水素ニッケルバッテリー急速圧電素子磁気分割充電方法を備えた世界急速充電技術によって急速充電出来て省エネルギー電気消費の少ない水発電機システムによって燃料電池発電機より発電量が多い水発電機装置。
【請求項１１】
本考案の省エネルギー電気消費の少ない水発電機に使用されている二連振り子式機械式発電機の構造に使用されている歯車の構造説明として歯車軸の摩耗を、防ぐ意味から歯車軸を設け、電磁石を設け使用し電磁石反発軸を設ける事とした。
その上で電磁石反発軸図に書かれている電磁石反発構造を薄い鉄板電で囲んだ圧電素子電磁石を主体電磁石構造として設けた電磁石構造である歯車軸装置を設けた機械式発電機の電磁石反発歯車装置を補助発電構造装置として設けた装置によって円滑な連続作動発電出来る装置で有り本考案の最大の主旨として電磁石反発軸装置よって，今まで給油式の歯車構造に対して無給油構造の電磁石反発軸装置を使用する事で、機械式発電機のより一層の円滑した歯車作動によって機械式発電機によって発電した電気エネルギーで連続作動発電出来て尚且つ補助電源軽水素ニッケルバッテリー急速圧電素子磁気分割充電方法を、備えた二連振り子型機械式発電機の連続発電によって電気充電供給出来る無害無給油の連続全自動発電機の二連振り子型機械式発電機つまり省エネルギー電気消費の少ない発電システムを備えた水発電機装置。                                                                   
【請求項１２】
本考案の省エネルギー電気消費の少ない水発電機に使用されている圧電素子4電子磁気分割装置は機械式発電機に設けられている急速充電装置つまり圧電素子構造を設けつまり圧電効果の大きなロシェル塩を設け・チタン酸バリウムなどを設け、すべての圧電素子構造に必要な物質を設け主成分とした圧電素子の中央部分に一般電気配線を設けて通して磁気の強い部分の電気と磁気の弱い部分の電気それぞれに電気配線4分割に分ける事で、電気抵抗の強弱を、区別した装置として使用出来る磁気体装置であり圧電素子を設ける事で電気抵抗を、取り除いた電気を使用出来る事になり電気社会では、電気社会理想の最高の通常電気から電気抵抗取り除く事の出来る装置を設けて磁気抵抗なしの電気によってバッテリー急速充電を、可能にした装置を設けた機械式発電機を、補助発電機とした水発電機装置の補助電源すべての急速充電出来る圧電素子4磁気電気分割装置を設けた装置で有り本考案の最大の主旨として電気から電気抵抗を、取り除く装置つまり圧電素子電気4電子磁気分割装置によって電気抵抗の有る磁気電気と電気抵抗のない磁気電気に分ける装置の全面活用で、電気機械部品から、電気抵抗熱を、ほとんど取り除く事による新技術考案によってバッテリー及び充電池の軽水素ニッケル充電池より更に尚急速充電出来る新充電技術によって無駄のない機械式発電機作動発電エネルギーによって発電した電気エネルギーで、二連振り子型機械発電機の連続作動発電出来て、二連振り子型機械式発電機の連続発電電気供給出来て尚補助電源軽水素ニッケルバッテリー急速圧電素子磁気分割充電方法によって急速充電を可能にして、増幅発電技術を備えた省エネルギー電気消費の少ない発電システムを備えた発電機と液体マグネシウムつまり合成水素瞬間発電技術の水素と酸素瞬間吸収発電の二つの発電システムを持ち得た水発電機装置。                             
【請求項１３】
本考案の省エネルギー電気消費の少ない水発電機、つまり二つの発電機システムに対して、補助発電機として機械式発電機つまり圧電素子磁石を除く機械金属部品だけを発電機構造として使用して二つのダイナモ装置を設けて、交互に発電力を高める発電機によって発電する電気増幅システム構造を踏まえた二つの機械式発電機であり
ます。
尚、二連振り子型機械式発電機に使用されている電気を増幅する装置は、一般家庭に使用されている電子レンジの部品の一つであり、電気をマグネトロン装置を設けたシステム磁力官で電気を、電子化してその電子を、一度増幅させて増幅された電子を、もとの電気に戻す事が出来る装置であり、 此の場合電気は、弱い電気から強い電気に変換出来る装置とした電気電子変換装置であり、電気増幅を計るため沢山の電気で電子化した電子を、再び電圧の高い電気に電圧機で、電気増幅を計る事が出来る装置になり、此の装置を設けた機械式発電機は、増幅電気で、機械式発電機は振り子ダイナモ発電の加速発電を強めて増幅発電し、そのための振り子作動増幅エネルギー装置であります。
これら装置を補助発電装置とした水発電機装置で有り、機械式発電機の相互作用発電つまり相乗効果発電出来る二連振り子型機械式発電機の構造に於いて、電気電子変換電気増幅装置を設ける事で機械式発電機の増幅電気エネルギー電気が、取り出せる構造を設け、その結果すなわち増幅電気エネルギーで作動出来る装置で有ります。
本考案の最大の主旨として電気電子変換電気増幅装置によって小さい電気量でも、一度に大きい電気エネルギー変換する事で、機械式発電機の高速作動実現に欠かせない電気電子変換電気増幅装置によって機械式発電機の連続した円滑な連続作動発電によって発電した電気エネルギーで、二連振り子型機械式発電機の連続作動出来てダイナモ増幅発電出来て二連振り子型機械式発電機の連続発電電気供給出来る省エネルギー電気消費の少ない二連振り子型機械式発電機を、使用した省エネルギー電気消費の少ない発電システムと液体マグネシウムつまり合成水素を使用した酸素と水素の融合体瞬間吸収発電の、二つの無害無給油連続全自動発電機を発電機構造としたシステムを備えた水発電機装置。                       
【請求項１４】
本考案の省エネルギー電気消費の少ない水発電機に使用されている機械式発電機に組み込まれているレールモーター振り子装置を設けて、請求項2のレールモーター構造を説明した装置であり、ダイナモを、発電作動させる役目として機械式発電機歯車構造を設けて連動作動させるために小さな電気エネルギーで、振り子作動の補助歯車連動発電が出来るレールモーター振り子補助装置は、複数の圧電素子電磁石又はコイル巻型鋼鉄電磁石を、レールモーターの構造として設けてこれら複数円形配列の電磁石を、単独それぞれの電磁石として作動させるため、複数の絶縁体それぞれを複数電磁石に取り付け構造として設ける事で、二列の複数円形配列の電磁石絶縁体は、一つの複数円形配列の電磁石絶縁体をモーター軸として設けて電磁石反発又は電磁石吸引作動つまりリレー装置及びインバーター装置を電磁石磁極切り換え装置として設けて、電磁石をいち早く磁極変換出来る圧電素子電磁石システム装置を設ける事で、レールモーター軸の複数円形配列電磁石絶縁体連続作動が、出来る省エネルギーレールモーター装置を設けた省エネルギー二連振り子型機械式発電機を設け外部からのエネルギー補給なしの増幅電気エネルギー発生作動する事が出来るレールモータ振り子作動装置構造を設けた二連振り子型機械式発電方法で有り、機械式発電機を二つ設けた装置で有ります。
従って本考案の最大の主旨として機械式発電機に組み込まれているレールモーター振り子装置によって電気消費の少ない機械式発電機連続作動発電した電気エネルギーで、連続作動発電出来て二連振り子型機械式発電機の連続した発電電気供給出来る省エネルギー電気消費の少ない発電システムと液体マグネシウムつまり合成水素発電すなわち瞬間に水素と酸素の融合体を液体マグネシウムに瞬間吸収発電出来る二種類の無害無給油発電機システムを備えた水発電機装置。                                                                   
【請求項１５】
本考案の省エネルギー電気消費の少ない水発電機に使用されている機械式発電機水位センサーは、丸浮きと弱電波感応式センサーを使用しているのが特徴であり、一般に知られている 弱電波発射装置を設け小さな電気量で作動する携帯波  無線波を、使用し設け電波送信し又電波受信装置すなわち磁気電波キャッチ体を設け水位センサー作動使用する事で電波遮断スイッチ丸浮き装置はプラスチック丸浮き装置を、設ける事によって弱電波遮断水位センサースイッチとして丸浮き移動スイッチ使用出来る丸浮き水位センサー装置によって水発電機の発電物質の水を、スイッチ移動出来る水中ポンプ全自動スイッチシステム装置を設け丸浮き弱電波磁気読み込み式水位センサースイッチを設ける事で、発電物質の水Ｈ2Ｏを水位センサースイッチ移動出来る構造を設けた装置で有り本考案最大の主旨として水位センサー丸浮き弱電波感応式センサーによってより円滑なレールモーター水中ポンプ連続作動によって連続した水発電機の液体マグネシウムつまり合成水素発電が可能になり、合成水素発電した電気エネルギーで、世界一速い急速の補助バッテリーなどの世界で一番早い急速充電を行える装置を積載しているため、二連振り子型機械式発電機の連続作動発電出来て水発電機の合成水素つまり液体マグネシウムの酸素と水素の融合体の瞬間吸収発電つまり連続した合成水素の発電した電気で電気供給出来る二種類の無害無給油連続した全自動発電機によって省エネルギー電気消費の少ない二連振り子型機械式発電機の補助発電と補助急速バッテリー充電の電源を備えた複数の発電システムを備えた水発電機装置。
【請求項１６】
本考案の省エネルギー電気消費の少ない水発電機に使用されているアルミニューム鉄合金金属板は、現在の発電機には、使用されておらず、雨などの錆止め対策又軽量対策として、アルミニュームとの合金板構造を設けて設置した発電機アルミニューム鉄合金パネル装置を設け錆び止めパネル構造装置として設け設置使用しする装置を備える事で、本考案の最大の主旨としてアルミニュウム鉄合金金属板を設ける事で、数多くの新しい技術考案の装置を、守るために錆止め合金発電機パネル材として考案したパネル材で、長い間連続発電出来る各装置を、保護した連続発電電気供給出来る省エネルギー電気消費の少ない金属劣化対策を講じる事によって二種類の無害無給油発電機を、他の発電機より発電システムを長く守れる金属を使用した水発電機装置。
【請求項１７】
本考案の省エネルギー電気消費の少ない水発電機に使用されている軽水素炭素液体マグネシウム合成ニッケル充電池は、水素ニッケル充電池より充電スピードを、速めた軽水素ニッケル充電池あり、軽水素の安定に、炭素とマグネシウムの合成物質を、設けて使用した充電池であり、更に充電スピードを、上げるため、請求項12に書かれている圧電素子磁気電気4分割装置を、軽水素炭素マグネシウムニッケル充電池に設けて取り付けた充電池装置を補助電源構造として設けた軽水素炭素液体マグネシウム合成ニッケル充電池構造を、持つ補助電源機の二連振り子型械式発電機を設ける事で連続発電出来る軽水素ニッケル充電池装置を設けた二連振り子型機械式発電機の省エネルギー発電機の充電池構造を、含めたシステム装置発電電気で連続作動出来る発電装置を設けた二連振り子型機械式発電機装置で有ります。
従って本考案の最大の主旨として軽水素炭素マグネシウムニッケル充電池によって機械式発電機の世界一速い補助急速充電技術を、備えた電源装置として機械式発電機の連続作動発電に欠かせない軽水素炭素マグネシウムニッケル充電池によって二連振り子型機械式発電機の連続した発電電気供給する事で機械式発電機の連続した発電電気供給発電し、水発電機各発電装置に連続した電気供給する事によって水発電機本体が、連続発電した電気供給出来るための補助電源すなわち軽水素ニッケル充電池に軽水素安定物質として、炭素マグネシウムを設け更に世界一速い補助充電装置を備えた、省エネルギー電気消費の少ない二つの発電システムをすなわち合成水素発電つまり液体マグネシウムの水素と酸素の融合体瞬間合成水素吸収発電の無害無給油の連続全自動作動発電出来る二連振り子型機械式発電機つまり二つの発電システムを積載した水発電機装置。
【請求項１８】
本考案の省エネルギー電気消費の少ない水発電機に使用されている真空装置作動補助電源コード口は、省エネルギー水発電機に使用されている二連振り子型機械式発電機が、故障した場合を想定して、省エネルギー水発電機の作動電気使用に対して補助バッテリーに電気がないのを、想定して、家庭電気でも、省エネルギー水発電機が、作動できる様に緊急の場合の対策として水発電機の補助発電作動装置を設け、外部から電気が接続出来る構造を設けた、水発電機全体の補助電源を設け、緊急時対処処置のための、真空装置作動の補助電源コード口装置を設けた装置で有ります。
従って本考案の最大の主旨として、二連振り子型機械式発電機が万が一故障した場合に第一対処処理方法に対して外部電気配線電気供給によって再び水発電機本体の発電装置によって小さい電気エネルギー発電装置で大きい電気エネルギーを発電供給出来る装置によって連続した発電電気供給を再び出来る補助電源の補助対策済みの省エネルギー電気消費の少ない発電システムを積載した水発電機装置。                                                  
【請求項１９】
本考案の省エネルギー電気消費の少ない水発電機に使用されている超小型回転体とは、超小型レールモーターを言います。
つまり回転体超小型モーター作動装置 すなわち超小型レールモーター装置でも有り、軽量化をはかるため、アルニューム金属を設け又はマグネシウムとアルミニュームの合金金属を設け又は軽金属などを設け、超小型モーターの軽量化を計り、更に圧電素子磁石を設け又は圧電素子は、圧電素子電磁石として使用し、モーターカバーは、プラスチック構造などを設け、使用し超軽量の回転体構造であり、超小型軽量の省エネルギー回転体装置は、超小型モーターの消費電力を一般の超小型モーターのコイルありモーターとは異なり、複数圧電素子電磁石と複数絶縁体を設け使用しリレー制御装置又はインバーター装置などの電磁石電極切り換え装置を設ける事によって回転体作動出来る超小型回転体モーター装置これら装置を設ける事で、更なる省エネルギーモーター超小型回転体レールモーター構造を設けた装置で有る。
従って本考案の最大の主旨として超小型回転体レールモーターによって水発電機装置全体に使用されている超小型回転体レールモーター装置によってより少ない電気消費によって、水発電機本体が、連続した発電を行い電気供給が出来る超小型回転体レールモーター装置の水発電機の各部分使用の装置によって電気消費を少なくして大きい電力を発電出来る装置を備えた省エネルギー発電システム構造で有り二つの異なった構造の発電機構造の無害無給油の連続した全自動発電出来る発電システムを備えた水発電機装置。       
【請求項２０】
本考案の省エネルギー電気消費の少ない水発電機に使用されているプラスチック絶縁カバー使用の軽水素内蔵液体ダイオード装置は、圧電素子磁気電気4電子分割装置から熱抵抗電気が、リサイクル電気として流れてくる電気を、再び熱エネルギー抵抗電気を、液体ダイオード軽水素を設けて電気を通す原理つまり、ソラーパネル発電原理を活用して、熱抵抗電気の熱エネルギーを再電気化して再びリサイクル電気として電気を、再利用出来る装置である。
従ってプラスチック絶縁カバーを構造として設けて、軽水素を内蔵し設け液体ダイオード炭素合成を設けた構造である熱抵抗電気を、熱エネルギーを、再電気変換して電気のリサイクルが、出来るプラスチック絶縁カバー軽水素内蔵液体ダイオード装置を設けた圧電素子磁気電気4電子分割装置すなわち簡単な説明として熱抵抗電気取り除き装置を設けた急速充電装置によって補助充電池又は補助バッテリー充電システム装置の急速充電装置で有り電気熱抵抗電気リサイクル再利用システムの電気再利用の軽水素液体ダイオード炭素合成構造装置を設けた熱エネルギー発電装置。
従って本考案最大の主旨としてプラスチック絶縁カバー使用の軽水素内蔵液体ダイオード装置によって圧電素子電気4電子分割装置によって通常電気が、電気抵抗の多く含んだ電気と電気抵抗を取り除いた電気に別けた場合電気抵抗を、多く含んだ電気処理に対して熱電気を、再び熱電気発電装置すなわちプラスチック絶縁カバー使用の軽水素内蔵液体ダイオード装置によって熱電気リサイクル発電を可能にしたため、更なる発電率効果の有る水発電機本体全体による連続発電電気供給率が、発電量アップした省エネルギー電気消費の少ない二種類の発電機システムを積載した合成水素発電すなわち液体マグネシウムの水素と酸素の瞬間吸収発電システムを積載した水発電機装置。 
【請求項２１】
本考案の省エネルギー電気消費の少ない水発電機は、水を、真空装置によって瞬間常温気化酸素発電物質に瞬間的に変えて気化水素発電物質の融合体を、作り出して、水発電機本体に液体マグネシウムつまり合成水素を設けて瞬間発電を行うにあたってつまり酸素と水素の瞬間吸収体連続発電するためには、請求項1,請求項2,請求項3,請求項4,請求項5,請求項6,請求項7,請求項8,請求項9,請求項10,請求項11,請求項12,請求項13,請求項14,請求15,請求項16,請求項17,請求項18,請求項19,請求項20,これらすべての省エネルギーレールモーター装置構造をそれぞれ水発電機に欠かせない水を発電物質として、発電物質の水をレールモーター構造の真空装置で、水を瞬間気化水素と気化酸素融合体を、作り出して合成水素つまり液体マグネシウム水素酸素瞬間吸収発電物質によって瞬間合成水素発電を行う事によって、燃料電池発電改良型にも拘わらず水発電機独特の発電効果が得られる尚水発電機連続発電は、機械式発電機の発電電気エネルギーを使用して合成水素つまり液体マグネシウム瞬間気化水素酸素融合体発電によって、再び発電後の水になった物質を水位センサーによってレールモーター水中ポンプが、全自動作動して発電後の水を、レールモーター真空装置室へ水を、水中ポンプによって移動して、レールモーター付きの電動モーター仕切り弁装置によって水中ポンプ移動した発電物質の水は、真空装置室で水を溜めおきする役目をして同じく真空装置室水位センサーの働きによって、レールモーター真空装置が、全自動作動して水を、液体の状態から気化水素気化酸素融合体の状態に瞬間的に真空装置で、気化水素気化酸素融合状態を、作り出して再び合成水素つまり液体マグネシウムによって瞬間気化水素気化酸素融合体発電を、再び連続して発電を行う発電システムを、水発電機と言う又軽水素ニッケル急速充電方法の充電池又はバッテリー又は充電池の圧電素子磁気電気分割急速充電は、圧電素子4磁気電気分割装置によって軽水素ニッケル充電より更に充電する電気に必ず含まれている電気抵抗を取り除く事で、更なる電気抵抗無しの充電方法の確立で、軽水素ニッケルバッテリーのみのつまり機械式発電機を、取り除いても連続発電出来る技術まで、近づきつつ有る水発電機技術は、進化しつつある又すべてこれらの新技術考案一度に 設けて使用し作動して、初めて省エネルギー水発電機が、最小限電気消費発電機機能として働く事が出来る省エネルギー発電機として無害無給油連続作動発電して作動する事が出来る構造を設けた全体構造が揃った省エネルギー水発電機装置であります。
従って本考案の水発電機最大の主旨目的とは、発電に使われる電気を、いかに電気消費を少なくして、発電する電気を、無駄なくスピード良く取り出す事によって始めて電気供給してこそが、発電機として世界トップの無害無給油の連続した全自動発電機の役目を果たす事が出来る。又尚水を発電物質とした二連振り子機械式発電機を、設け軽水素ニッケル充電方法を、設け圧電素子4磁気電気分割装置導入による更なる急速充電機装置を設け、消費電気の最小限モーター電気消費のレールモーターを設ける装置をそれぞれ備える事によって、無害無給油連続発電機の世界最高発電技術を、集めた省エネルギー電気消費の少ない二種類の無害無給油の連続全自動発電機を積載したシステム及び合成水素すなわち液体マグネシウムに酸素と水素の融合体を瞬間吸収発電出来るシステムを積載した燃料電池発電より発電量の多い世界トップの無害無給油の連続全自動発電機の事を水発電機装置とする。                                                            
【手続補正書】
【提出日】平成20年7月17日(2008.7.17)
【手続補正１】
【補正対象書類名】実用新案登録請求の範囲
【補正対象項目名】全文
【補正方法】変更
【補正の内容】
【実用新案登録請求の範囲】
【請求項１】
水を、あらゆる電気を使って真空装置を作動させて、水を気化酸素と気化水素の混合気化水素酸素に変えて、固形水素及び液体マグネシウム及び合成水素などに、気化酸素と気化水素吸収体によって瞬間吸収発電させる事で、プラス銅板電極とマイナス銅板電極へ瞬間発電させた電気をバッテリー電気誘導させて蓄電及び連続発電の為の電気を発電させて、その電力及びバッテリー電気で、気化酸素と気化水素の融合体を瞬間発電させた発電残水を、水位センサー感知させて水中ポンプ水位センサー作動させて、再び真空装置で水を気化酸素と気化水素つまり混合気化水素と気化酸素に変えて循環発電させる事が出来る発電機。